(57)【要約】  本明細書は、ランダムアクセスの方法および装置を提供する。ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
2021503243.tif 000002
【特許請求の範囲】
【請求項１】
ユーザ機器によって、ネットワーク装置によって送信されたランダムアクセス応答RARメッセージを受信するステップであって、前記RARメッセージが帯域幅部分BWP識別子を含むか示す、ステップと、
前記ユーザ機器によって、前記BWP識別子に対応する第1のBWPでアップリンク伝送を実行するステップと、
を含む、ランダムアクセスの方法。
【請求項２】
前記RARメッセージがアップリンク許可UL grantを含み、前記UL grantが前記BWP識別子を含むか示す、請求項1に記載の方法。
【請求項３】
前記アップリンク伝送に使用される物理リソースが前記UL grantによって示される物理リソースである、請求項2に記載の方法。
【請求項４】
前記ユーザ機器によって、前記BWP識別子に対応する第1のBWPでアップリンク伝送を実行する前記ステップの前に、
前記ユーザ機器によって、前記第1のBWPをアクティブ化するステップ
をさらに含む、請求項1から3のいずれか一項に記載の方法。
【請求項５】
ユーザ機器によって、ネットワーク装置によって送信されたRARメッセージを受信する前記ステップの前に、
前記ユーザ機器によって、前記ネットワーク装置によって送信された制御シグナリングを受信するステップであって、前記制御シグナリングが、ランダムアクセス手順を実行するように前記ユーザ機器をトリガするために使用される、ステップと、
前記ユーザ機器によって、第2のBWPでランダムアクセスプリアンブルを前記ネットワーク装置に送信するステップと、
をさらに含む、請求項1から4のいずれか一項に記載の方法。
【請求項６】
前記制御シグナリングが物理ダウンリンク制御チャネル命令PDCCH orderである、請求項5に記載の方法。
【請求項７】
前記ユーザ機器によって、第2のBWPでランダムアクセスプリアンブルを前記ネットワーク装置に送信する前記ステップの前に、
前記ユーザ機器によって、前記第2のBWPをアクティブ化するステップ
をさらに含む、請求項5または6に記載の方法。
【請求項８】
前記制御シグナリングが前記第2のBWPの識別子を含む、請求項5から7のいずれか一項に記載の方法。
【請求項９】
任意のサービングセルにおいて前記ユーザ機器によって受信された前記制御シグナリングが前記第2のBWPの前記識別子を含む、または
任意のサービングセルにおいて前記ユーザ機器によって受信された前記制御シグナリングが前記第2のBWPの前記識別子を含み、少なくとも2つのアップリンクBWPが少なくとも1つのセカンダリサービングセルにおいて前記ユーザ機器のために構成され、ランダムアクセスチャネルが前記少なくとも2つのアップリンクBWPのそれぞれのために構成される、または
セカンダリサービングセルにおいて前記ユーザ機器によって受信された前記制御シグナリングが前記第2のBWPの前記識別子を含む、または
前記少なくとも1つのセカンダリサービングセルにおいて前記ユーザ機器によって受信された前記制御シグナリングが前記第2のBWPの前記識別子を含み、少なくとも2つのアップリンクBWPが前記少なくとも1つのセカンダリサービングセルにおいて前記ユーザ機器のために構成され、ランダムアクセスチャネルが前記少なくとも2つのアップリンクBWPのそれぞれのために構成される、請求項8に記載の方法。
【請求項１０】
前記第2のBWPが前記ユーザ機器の第1のサービングセルにおけるBWPであり、
前記第1のサービングセルが、前記ユーザ機器が前記制御シグナリングを受信するときに使用されるサービングセルである、または前記第1のサービングセルが、前記ユーザ機器が前記制御シグナリングを受信するときに使用される第2のサービングセルを使用することによってスケジュールされたサービングセルである、請求項5から9のいずれか一項に記載の方法。
【請求項１１】
前記第1のBWPが、前記第1のサービングセルにおける前記ユーザ機器の初期のアクティブなBWPである、または
前記第1のBWPが、前記第1のサービングセルにおける前記ユーザ機器の第1のアクティブなBWPである、または
前記第1のBWPが、前記第1のサービングセルにおける前記ユーザ機器のデフォルトのBWPである、または
前記第1のBWPが、前記ユーザ機器のために前記ネットワーク装置によって構成されたBWPであり、前記第1のBWPが、前記第1のサービングセルにおいてランダムアクセスを実行するために前記ユーザ機器によって使用される、または
前記第1のBWPが、前記ユーザ機器のために前記ネットワーク装置によって構成されたBWPであり、前記第1のBWPが、前記第1のサービングセルにおいて非競合ランダムアクセスを実行するために前記ユーザ機器によって使用されるBWPである、または
前記第1のBWPが、前記ユーザ機器がランダムアクセスを実行するときにアクティブ化されるBWPである、または
前記第1のBWPが、前記ユーザ機器が非競合ランダムアクセスを実行するときにアクティブ化されるBWPである、請求項10に記載の方法。
【請求項１２】
前記第1のBWPおよび前記第2のBWPはアップリンクBWPであり、前記第1のBWPと前記第2のBWPとは同じBWPであってもよいし、異なるBWPであってもよい、請求項5から11のいずれか一項に記載の方法。
【請求項１３】
ユーザ機器によって、ネットワーク装置によって送信されたRARメッセージを受信する前記ステップが、
前記ユーザ機器によって、前記ネットワーク装置によって送信された前記RARメッセージを、第3のBWPで受信するステップであって、前記第3のBWPがダウンリンクBWPであり、
前記第3のBWPが、前記ユーザ機器が前記第1のサービングセルにおいて前記制御シグナリングを受信するときの前記第2のサービングセルにおけるアクティブなBWPである、または前記第3のBWPが、前記ユーザ機器が前記第1のサービングセルにおいて前記制御シグナリングを受信するときに使用されるBWPである、ステップ
を含む、請求項10または11に記載の方法。
【請求項１４】
前記第1のBWPおよび前記第2のBWPはそれぞれ、アップリンクBWPとダウンリンクBWPとを含むBWPペアであり、前記第1のBWPと前記第2のBWPとは同じBWPであってもよいし、異なるBWPであってもよい、請求項5から11のいずれか一項に記載の方法。
【請求項１５】
ユーザ機器によって、ネットワーク装置によって送信されたRARメッセージを受信する前記ステップが、
前記ユーザ機器によって、前記ネットワーク装置によって送信された前記RARメッセージを、前記第2のBWPの前記アップリンクBWPで受信するステップ
を含む、請求項14に記載の方法。
【請求項１６】
ユーザ機器によって、ネットワーク装置によって送信されたRARメッセージを受信する前記ステップが、
前記ユーザ機器によって、前記ネットワーク装置によって送信された前記RARメッセージを、第4のBWPで受信するステップであって、前記第4のBWPがアップリンクBWPとダウンリンクBWPとを含むBWPペアであり、
前記第4のBWPが、前記ユーザ機器が前記第1のサービングセルにおいて前記制御シグナリングを受信するときの前記第2のサービングセルにおけるアクティブなBWPである、または前記第4のBWPが、前記ユーザ機器が前記第1のサービングセルにおいて前記制御シグナリングを受信するときに使用されるBWPである、ステップ
を含む、請求項10または11に記載の方法。
【請求項１７】
前記第4のBWPが、前記ユーザ機器が前記第1のサービングセルにおいて前記制御シグナリングを受信するときに使用されるBWPである場合、
前記ユーザ機器によって、第2のBWPでランダムアクセスプリアンブルを前記ネットワーク装置に送信する前記ステップの後、前記方法は、
前記ユーザ機器によって、前記第4のBWPをアクティブ化し、前記第2のBWPを非アクティブ化するステップ
をさらに含む、請求項16に記載の方法。
【請求項１８】
ネットワーク装置によって、ランダムアクセス応答RARメッセージをユーザ機器に送信するステップであって、前記RARメッセージが帯域幅部分BWP識別子を含むか示し、前記BWP識別子が第1のBWPに対応する、ステップ
を含む、ランダムアクセスの方法。
【請求項１９】
ネットワーク装置によって、RARメッセージをユーザ機器に送信する前記ステップの前に、
前記ネットワーク装置によって、制御シグナリングを前記ユーザ機器に送信するステップであって、前記制御シグナリングが、ランダムアクセス手順を実行するように前記ユーザ機器をトリガするために使用される、ステップ
をさらに含む、請求項18に記載の方法。
【請求項２０】
前記制御シグナリングが第2のBWPの識別子を含む、請求項19に記載の方法。
【請求項２１】
ネットワーク装置によって送信されたランダムアクセス応答RARメッセージを受信し、前記RARメッセージが帯域幅部分BWP識別子を含むか示す、ように構成された第1の受信モジュールと、
前記BWP識別子に対応する第1のBWPでアップリンク伝送を実行するように構成された伝送モジュールと、
を備える、ユーザ機器。
【請求項２２】
前記ユーザ機器が、
前記伝送モジュールが前記BWP識別子に対応する前記第1のBWPでアップリンク伝送を実行する前に、前記第1のBWPをアクティブ化するように構成された第1のアクティブ化モジュール
をさらに備える、請求項21に記載のユーザ機器。
【請求項２３】
前記ユーザ機器が、
前記第1の受信モジュールが前記ネットワーク装置によって送信された前記RARメッセージを受信する前に、前記ネットワーク装置によって送信された制御シグナリングを受信し、前記制御シグナリングが、ランダムアクセス手順を実行するように前記ユーザ機器をトリガするために使用される、ように構成された第2の受信モジュールと、
第2のBWPでランダムアクセスプリアンブルを前記ネットワーク装置に送信するように構成された送信モジュールと、
をさらに備える、請求項21または22に記載のユーザ機器。
【請求項２４】
前記ユーザ機器が、
前記送信モジュールが、前記第2のBWPで前記ランダムアクセスプリアンブルを前記ネットワーク装置に送信する前に、前記第2のBWPをアクティブ化するように構成された第2のアクティブ化モジュール
をさらに備える、請求項23に記載のユーザ機器。
【請求項２５】
前記制御シグナリングが前記第2のBWPの識別子を含む、請求項23または24に記載のユーザ機器。
【請求項２６】
ランダムアクセス応答RARメッセージをユーザ機器に送信し、前記RARメッセージが帯域幅部分BWP識別子を含むか示し、前記BWP識別子が第1のBWPに対応する、ように構成された第1の送信モジュール
を備える、ネットワーク装置。
【請求項２７】
前記ネットワーク装置が、
前記第1の送信モジュールが前記RARメッセージを前記ユーザ機器に送信する前に、制御シグナリングを前記ユーザ機器に送信し、前記制御シグナリングが、ランダムアクセス手順を実行するように前記ユーザ機器をトリガするために使用される、ように構成された第2の送信モジュール
をさらに備える、請求項26に記載のネットワーク装置。
【請求項２８】
前記制御シグナリングが第2のBWPの識別子を含む、請求項27に記載のネットワーク装置。
【請求項２９】
チップであって、前記チップがユーザ機器に適用され、前記チップが、少なくとも1つの通信インターフェースと、少なくとも1つのプロセッサと、少なくとも1つのメモリと、を備え、前記通信インターフェース、前記プロセッサ、および前記メモリが回路を使用することにより相互接続され、前記プロセッサが請求項1から17のいずれか一項に記載の方法の前記ステップを実行するために前記メモリに格納された命令を呼び出す、チップ。
【請求項３０】
チップであって、前記チップがネットワーク装置に適用され、前記チップが、少なくとも1つの通信インターフェースと、少なくとも1つのプロセッサと、少なくとも1つのメモリと、を備え、前記通信インターフェース、前記プロセッサ、および前記メモリが回路を使用することにより相互接続され、前記プロセッサが請求項18から20のいずれか一項に記載の方法の前記ステップを実行するために前記メモリに格納された命令を呼び出す、チップ。
【請求項３１】
命令を含み、前記命令がコンピュータで実行されると、前記コンピュータが請求項1から17のいずれか一項に記載の方法を実行することが可能にされる、コンピュータ可読記憶媒体。
【請求項３２】
命令を含み、前記命令がコンピュータで実行されると、前記コンピュータが請求項18から20のいずれか一項に記載の方法を実行することが可能にされる、コンピュータ可読記憶媒体。
【発明の詳細な説明】
【技術分野】
【０００１】
本出願は、通信技術に関し、詳細には、ランダムアクセスの方法および装置に関する。
【背景技術】
【０００２】
通信技術の継続的な開発により、第5世代（5th−Generation、5G）モバイル通信技術の研究および標準化が進行中である。ユーザ機器はネットワーク装置にアクセスする必要があり、したがって、5G技術では依然としてランダムアクセス手順が必要とされる。
【０００３】
従来技術では、複数のアップリンク帯域幅部分（bandwidth part、略称BWP）がユーザ機器のために構成される。しかしながら、1つのアップリンクBWPだけがアクティブ状態であり、ユーザ機器は、アクティブ状態のアップリンクBWPを使用することによって、ネットワーク装置にメッセージなどを送信することができる。ランダムアクセス手順では、ネットワーク装置はユーザ機器にメッセージ0を送信する。メッセージ0は、ランダムアクセスを実行するようにユーザ機器をトリガするために使用される。ユーザ機器は、アクティブ状態のアップリンクBWPでネットワーク装置にメッセージ1を送信する。メッセージ1は、ランダムアクセスプリアンブル（Preamble）を含む。ネットワーク装置は、ユーザ機器にメッセージ2を送信する。メッセージ2はランダムアクセス応答（random access response、RAR）メッセージであり、RARメッセージはアップリンクスケジューリングリソース（UL grant）を含み、UL grantは、メッセージ1をネットワーク装置に送信するためにユーザ機器によって使用されるアップリンクBWPに対応するUL grantである。次に、ユーザ機器は、UL grantを使用することによりアップリンクデータをネットワーク装置に送信する。
【０００４】
しかしながら、従来技術では、異なるBWPは異なる構成情報を有することがあり、構成情報は、送信時間長および／またはサブキャリア間隔とサイクリックプレフィックス長とのパラメータセットを含む。ランダムアクセス手順では、メッセージ1をネットワーク装置に送信するためにユーザ機器によって使用されるアップリンクBWPの構成情報は、ユーザ機器がアップリンクデータをネットワーク装置に送信するときに必要とされる構成情報と一致しない場合がある。したがって、ユーザ機器は、RARメッセージ内にあり、かつアップリンクBWPに対応するUL grantを使用することによりアップリンクデータを送信できず、RARメッセージ内にあり、かつアップリンクBWPに対応するUL grantを浪費する。
【発明の概要】
【０００５】
本出願は、RARメッセージ内にあり、かつアップリンクBWPに対応するUL grantが浪費されるという問題を解決するために、ランダムアクセスの方法および装置を提供する。
【課題を解決するための手段】
【０００６】
第1の態様によれば、本出願はランダムアクセスの方法を提供し、本方法は、
ユーザ機器によって、ネットワーク装置によって送信された制御シグナリングを受信するステップであって、制御シグナリングが、ランダムアクセス手順を実行するようにユーザ機器をトリガするために使用され、制御シグナリングが帯域幅部分BWP識別子を含むか示す、ステップと、
ユーザ機器によって、制御シグナリングに基づいてランダムアクセス手順を開始するステップと、
を含む。
【０００７】
可能な設計では、制御シグナリングは物理ダウンリンク制御チャネル命令PDCCH orderである。
【０００８】
可能な設計では、ユーザ機器によって、制御シグナリングに基づいてランダムアクセス手順を開始するステップが、
ユーザ機器によって、BWP識別子に対応するBWPでランダムアクセス手順を開始するステップ
を含む。
【０００９】
可能な設計では、ユーザ機器によって、制御シグナリングに基づいてランダムアクセス手順を開始するステップの前に、本方法は、
ユーザ機器によって、BWPをアクティブ化するステップ
をさらに含む。
【００１０】
可能な設計では、BWPはアップリンクBWPである。
【００１１】
可能な設計では、ユーザ機器によって、BWP識別子に対応するBWPでランダムアクセス手順を開始するステップが、
ユーザ機器によって、アップリンクBWPでランダムアクセスプリアンブルをネットワーク装置に送信するステップと、
ユーザ機器によって、ネットワーク装置によって送信された第1のランダムアクセス応答RARメッセージを受信するステップであって、第1のRARメッセージが第1のアップリンク許可UL grantを含む、ステップと、
ユーザ機器によって、アップリンクBWPでアップリンク伝送を実行するステップであって、アップリンク伝送に使用される物理リソースが第1のUL grantによって示される物理リソースである、ステップと、
を含む。
【００１２】
可能な設計では、BWPが、アップリンクBWPとダウンリンクBWPとを含むBWPペアである。
【００１３】
可能な設計では、ユーザ機器によって、BWP識別子に対応するBWPでランダムアクセス手順を開始するステップが、
ユーザ機器によって、BWPのアップリンクBWPでランダムアクセスプリアンブルをネットワーク装置に送信するステップと、
ユーザ機器によって、ネットワーク装置によって送信された第2のRARメッセージを受信するステップであって、第2のRARメッセージが第2のUL grantを含む、ステップと、
ユーザ機器によって、BWPのアップリンクBWPで伝送を実行するステップであって、伝送に使用される物理リソースが第2のUL grantによって示される物理リソースである、ステップと、
を含む。
【００１４】
可能な設計では、任意のサービングセルにおいてユーザ機器によって受信された制御シグナリングがBWP識別子を含む、または
任意のサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングがBWP識別子を含む、または
少なくとも1つのセカンダリサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【００１５】
第2の態様によれば、本出願はランダムアクセスの方法を提供し、本方法は、
ネットワーク装置によって、制御シグナリングをユーザ機器に送信するステップであって、制御シグナリングが、ランダムアクセス手順を実行するようにユーザ機器をトリガするために使用され、制御シグナリングが帯域幅部分BWP識別子を含むか示す、ステップ
を含む。
【００１６】
可能な設計では、制御シグナリングは物理ダウンリンク制御チャネル命令PDCCH orderである。
【００１７】
可能な設計では、BWP識別子に対応するBWPがアップリンクBWPである。
【００１８】
可能な設計では、BWP識別子に対応するBWPが、アップリンクBWPとダウンリンクBWPとを含むBWPペアである。
【００１９】
第3の態様によれば、本出願はランダムアクセスの方法を提供し、本方法は、
ユーザ機器によって、ネットワーク装置によって送信されたランダムアクセス応答RARメッセージを受信するステップであって、RARメッセージが帯域幅部分BWP識別子を含むか示す、ステップと、
ユーザ機器によって、BWP識別子に対応する第1のBWPでアップリンク伝送を実行するステップと、
を含む。
【００２０】
可能な設計では、RARメッセージがアップリンク許可UL grantを含み、UL grantがBWP識別子を含むか示す。
【００２１】
可能な設計では、アップリンク伝送に使用される物理リソースがUL grantによって示される物理リソースである。
【００２２】
可能な設計では、ユーザ機器によって、BWP識別子に対応する第1のBWPでアップリンク伝送を実行するステップの前に、本方法は、
ユーザ機器によって、第1のBWPをアクティブ化するステップ
をさらに含む。
【００２３】
可能な設計では、ユーザ機器によって、ネットワーク装置によって送信されたRARメッセージを受信するステップの前に、本方法は、
ユーザ機器によって、ネットワーク装置によって送信された制御シグナリングを受信するステップであって、制御シグナリングが、ランダムアクセス手順を実行するようにユーザ機器をトリガするために使用される、ステップと、
ユーザ機器によって、第2のBWPでランダムアクセスプリアンブルをネットワーク装置に送信するステップと、
をさらに含む。
【００２４】
可能な設計では、制御シグナリングは物理ダウンリンク制御チャネル命令PDCCH orderである。
【００２５】
可能な設計では、ユーザ機器によって、第2のBWPでランダムアクセスプリアンブルをネットワーク装置に送信するステップの前に、本方法は、
ユーザ機器によって、第2のBWPをアクティブ化するステップ
をさらに含む。
【００２６】
可能な設計では、制御シグナリングが第2のBWPの識別子を含む。
【００２７】
可能な設計では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【００２８】
可能な設計では、第2のBWPがユーザ機器の第1のサービングセルにおけるBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【００２９】
可能な設計では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【００３０】
可能な設計では、第1のBWPおよび第2のBWPはアップリンクBWPであり、第1のBWPと第2のBWPとは同じBWPであってもよいし、異なるBWPであってもよい。
【００３１】
可能な設計では、ユーザ機器によって、ネットワーク装置によって送信されたRARメッセージを受信するステップが、
ユーザ機器によって、ネットワーク装置によって送信されたRARメッセージを、第3のBWPで受信するステップであって、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、ステップ
を含む。
【００３２】
可能な設計では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。
【００３３】
可能な設計では、ユーザ機器によって、ネットワーク装置によって送信されたRARメッセージを受信するステップが、
ユーザ機器によって、ネットワーク装置によって送信されたRARメッセージを、第2のBWPのアップリンクBWPで受信するステップ
を含む。
【００３４】
可能な設計では、ユーザ機器によって、ネットワーク装置によって送信されたRARメッセージを受信するステップが、
ユーザ機器によって、ネットワーク装置によって送信されたRARメッセージを、第4のBWPで受信するステップであって、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、ステップ
を含む。
【００３５】
可能な設計では、第4のBWPが、ユーザ機器が第1のサービングセルにおいて制御シグナリングを受信するときに使用されるBWPである場合、
ユーザ機器によって、第2のBWPでランダムアクセスプリアンブルをネットワーク装置に送信するステップの後に、本方法は、
ユーザ機器によって、第4のBWPをアクティブ化し、第2のBWPを非アクティブ化するステップ
をさらに含む。
【００３６】
第4の態様によれば、本出願はランダムアクセスの方法を提供し、本方法は、
ネットワーク装置によって、ランダムアクセス応答RARメッセージをユーザ機器に送信するステップであって、RARメッセージが帯域幅部分BWP識別子を含むか示し、BWP識別子が第1のBWPに対応する、ステップ
を含む。
【００３７】
可能な設計では、RARメッセージがアップリンク許可UL grantを含み、UL grantがBWP識別子を含むか示す。
【００３８】
可能な設計では、ネットワーク装置によって、RARメッセージをユーザ機器に送信するステップの前に、本方法は、
ネットワーク装置によって、制御シグナリングをユーザ機器に送信するステップであって、制御シグナリングが、ランダムアクセス手順を実行するようにユーザ機器をトリガするために使用される、ステップ
をさらに含む。
【００３９】
可能な設計では、制御シグナリングは物理ダウンリンク制御チャネル命令PDCCH orderである。
【００４０】
可能な設計では、制御シグナリングが第2のBWPの識別子を含む。
【００４１】
可能な設計では、第2のBWPがユーザ機器の第1のサービングセルにおけるBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【００４２】
可能な設計では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
可能な設計では、第1のBWPおよび第2のBWPはアップリンクBWPであり、第1のBWPと第2のBWPとは同じBWPであってもよいし、異なるBWPであってもよい。
【００４３】
可能な設計では、ネットワーク装置によって、RARメッセージをユーザ機器に送信するステップが、
ネットワーク装置によって、第3のBWPでRARメッセージをユーザ機器に送信するステップであって、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、ステップ
を含む。
【００４４】
可能な設計では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。
【００４５】
可能な設計では、ネットワーク装置によって、RARメッセージをユーザ機器に送信するステップが、
ネットワーク装置によって、第2のBWPのアップリンクBWPでRARメッセージをユーザ機器に送信するステップ
を含む。
【００４６】
可能な設計では、ネットワーク装置によって、RARメッセージをユーザ機器に送信するステップが、
ネットワーク装置によって、第4のBWPでRARメッセージをユーザ機器に送信するステップであって、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、ステップ
を含む。
【００４７】
第5の態様によれば、本出願はランダムアクセスの方法を提供し、本方法は、
ユーザ機器によって、第1のネットワーク装置によって送信された無線リソース制御RRC接続再構成メッセージを受信するステップであって、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブな帯域幅部分BWPを示すために使用される、ステップと、
ユーザ機器によって、アクティブなBWPでランダムアクセス手順を開始するステップと、
を含む。
【００４８】
可能な設計では、アクティブなBWPがプライマリサービングセルの共通構成情報のBWPである、または
RRC接続再構成メッセージが第1のBWP識別子を含み、第1のBWP識別子に対応するBWPがアクティブなBWPである。
【００４９】
可能な設計では、アクティブなBWPがアップリンクBWPとダウンリンクBWPとを含み、
ユーザ機器によって、アクティブなBWPでランダムアクセス手順を開始するステップが、
ユーザ機器によって、アクティブなBWPのアップリンクBWPでランダムアクセスプリアンブルを第2のネットワーク装置に送信するステップと、
ユーザ機器によって、第2のネットワーク装置によって送信されたランダムアクセス応答RARメッセージを、アクティブなBWPのダウンリンクBWPで受信するステップであって、RARメッセージがアップリンク許可UL grantを含む、ステップと、
ユーザ機器によって、アクティブなBWPのアップリンクBWPでアップリンク伝送を実行するステップであって、アップリンク伝送に使用される物理リソースがUL grantによって示される物理リソースである、ステップと、
を含む。
【００５０】
可能な設計では、アクティブなBWPがアップリンクBWPとダウンリンクBWPとを含むBWPペアであり、
ユーザ機器によって、アクティブなBWPでランダムアクセス手順を開始するステップが、
ユーザ機器によって、BWPペアのアップリンクBWPでランダムアクセスプリアンブルを第2のネットワーク装置に送信するステップと、
ユーザ機器によって、第2のネットワーク装置によって送信されたRARメッセージを、BWPペアのダウンリンクBWPで受信するステップであって、RARメッセージがUL grantを含む、ステップと、
ユーザ機器によって、BWPペアのアップリンクBWPでアップリンク伝送を実行するステップであって、アップリンク伝送に使用される物理リソースがUL grantによって示される物理リソースである、ステップと、
を含む。
【００５１】
可能な設計では、第1のメッセージが、第2のネットワーク装置が第1のネットワーク装置によって送信された第2のメッセージを受信した後に第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【００５２】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【００５３】
第6の態様によれば、本出願はランダムアクセスの方法を提供し、本方法は、
第1のネットワーク装置によって、第2のネットワーク装置によって送信された第1のメッセージを受信するステップであって、第1の受信メッセージが、無線リソース制御RRC接続再構成メッセージを含む、ステップと、
第1のネットワーク装置によって、RRC接続再構成メッセージをユーザ機器に送信するステップであって、RRC接続再構成メッセージが、ユーザ機器のために第2のネットワーク装置の下のプライマリサービングセルを示し、プライマリサービングセルのアクティブな帯域幅部分BWPを示すために使用される、ステップと、
を含む。
【００５４】
可能な設計では、アクティブなBWPがプライマリサービングセルの共通構成情報のBWPである、または
RRC接続再構成メッセージが第1のBWP識別子を含み、第1のBWP識別子に対応するBWPがアクティブなBWPである。
【００５５】
可能な設計では、アクティブなBWPがアップリンクBWPとダウンリンクBWPとを含む。
【００５６】
可能な設計では、アクティブなBWPが、アップリンクBWPとダウンリンクBWPとを含むBWPペアである。
【００５７】
可能な設計では、第1のネットワーク装置によって、第2のネットワーク装置によって送信された第1のメッセージを受信するステップの前に、本方法は、
第1のネットワーク装置によって、第2のメッセージを第2のネットワーク装置に送信するステップであって、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ステップ
をさらに含む。
【００５８】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【００５９】
第7の態様によれば、本出願はランダムアクセスの方法を提供し、本方法は、
ユーザ機器によって、第1のネットワーク装置によって送信された無線リソース制御RRC接続再構成メッセージを受信するステップであって、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブな帯域幅部分BWPを示すために使用される、ステップと、
ユーザ機器によって、アクティブなBWPでランダムアクセスプリアンブルを第2のネットワーク装置に送信するステップと、
ユーザ機器によって、第2のネットワーク装置によって送信されたランダムアクセス応答RARメッセージを、アクティブなBWPで受信するステップであって、RARメッセージが第1の帯域幅部分BWP識別子を含むか示す、ステップと、
ユーザ機器によって、第1のBWP識別子に対応する第1のBWPでアップリンク伝送を実行するステップと、
を含む。
【００６０】
可能な設計では、アクティブなBWPがプライマリサービングセルの共通構成情報のBWPである、または
RRC接続再構成メッセージが第2のBWP識別子を含み、第2のBWP識別子に対応するBWPがアクティブなBWPである。
【００６１】
可能な設計では、RARメッセージがアップリンク許可UL grantを含み、UL grantがBWP識別子を含むか示す。
【００６２】
可能な設計では、アップリンク伝送に使用される物理リソースがUL grantによって示される物理リソースである。
【００６３】
可能な設計では、ユーザ機器によって、第1のBWP識別子に対応する第1のBWPでアップリンク伝送を実行するステップの前に、本方法は、
ユーザ機器によって、第1のBWPをアクティブ化するステップ
をさらに含む。
【００６４】
可能な設計では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【００６５】
可能な設計では、第1のメッセージが、第2のネットワーク装置が第1のネットワーク装置によって送信された第2のメッセージを受信した後に第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【００６６】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【００６７】
第8の態様によれば、本出願はランダムアクセスの方法を提供し、本方法は、
第2のネットワーク装置によって、ユーザ機器によって送信されたランダムアクセスプリアンブルを、アクティブな帯域幅部分BWPで受信するステップであって、ランダムアクセスプリアンブルは、ユーザ機器が第1のネットワーク装置によって送信された無線リソース制御RRC接続再構成メッセージを受信した後に、ユーザ機器によって送信され、RRC接続再構成メッセージが、ユーザ機器のために第2のネットワーク装置の下のプライマリサービングセルを示し、プライマリサービングセルのアクティブなBWPを示すために使用される、ステップと、
第2のネットワーク装置によって、アクティブなBWPでランダムアクセス応答RARメッセージをユーザ機器に送信するステップであって、RARメッセージが第1の帯域幅部分BWP識別子を含むか示し、第1のBWP識別子が第1のBWPに対応する、ステップと、
を含む。
【００６８】
可能な設計では、アクティブなBWPがプライマリサービングセルの共通構成情報のBWPである、または
RRC接続再構成メッセージが第2のBWP識別子を含み、第2のBWP識別子に対応するBWPがアクティブなBWPである。
【００６９】
可能な設計では、RARメッセージがアップリンク許可UL grantを含み、UL grantがBWP識別子を含むか示す。
【００７０】
可能な設計では、アップリンク伝送に使用される物理リソースがUL grantによって示される物理リソースである。
【００７１】
可能な設計では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【００７２】
可能な設計では、第2のネットワーク装置によって、ユーザ機器によって送信されたランダムアクセスプリアンブルを、アクティブなBWPで受信するステップの前に、本方法は、
第2のネットワーク装置によって、第1のネットワーク装置によって送信された第2のメッセージを受信するステップであって、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ステップ
をさらに含む。
【００７３】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【００７４】
第9の態様によれば、本出願はユーザ機器を提供し、ユーザ機器が、
ネットワーク装置によって送信された制御シグナリングを受信し、制御シグナリングが、ランダムアクセス手順を実行するようにユーザ機器をトリガするために使用され、制御シグナリングが帯域幅部分BWP識別子を含むか示す、ように構成された受信モジュールと、
制御シグナリングに基づいてランダムアクセス手順を開始するように構成されたアクセスモジュールと、
を備える。
【００７５】
可能な設計では、制御シグナリングは物理ダウンリンク制御チャネル命令PDCCH orderである。
【００７６】
可能な設計では、アクセスモジュールが、
BWP識別子に対応するBWPでランダムアクセス手順を開始する
ように特に構成される。
【００７７】
可能な設計では、ユーザ機器が、
アクセスモジュールが制御シグナリングに基づいてランダムアクセス手順を開始する前に、BWPをアクティブ化するように構成されたアクティブ化モジュール
をさらに備える。
【００７８】
可能な設計では、BWPはアップリンクBWPである。
【００７９】
可能な設計では、アクセスモジュールが、
アップリンクBWPでランダムアクセスプリアンブルをネットワーク装置に送信するように構成された第1の送信サブモジュールと、
ネットワーク装置によって送信された第1のランダムアクセス応答RARメッセージを受信し、第1のRARメッセージが第1のアップリンク許可UL grantを含む、ように構成された第1の受信サブモジュールと、
アップリンクBWPでアップリンク伝送を実行し、アップリンク伝送に使用される物理リソースが第1のUL grantによって示される物理リソースである、ように構成された第1の伝送サブモジュールと、
を備える。
【００８０】
可能な設計では、BWPが、アップリンクBWPとダウンリンクBWPとを含むBWPペアである。
【００８１】
可能な設計では、アクセスモジュールが、
BWPのアップリンクBWPでランダムアクセスプリアンブルをネットワーク装置に送信するように構成された第2の送信サブモジュールと、
ネットワーク装置によって送信された第2のRARメッセージを受信し、第2のRARメッセージが第2のUL grantを含む、ように構成された第2の受信サブモジュールと、
BWPのアップリンクBWPで伝送を実行し、伝送に使用される物理リソースが第2のUL grantによって示される物理リソースである、ように構成された第2の伝送サブモジュールと、
を備える。
【００８２】
可能な設計では、任意のサービングセルにおいてユーザ機器によって受信された制御シグナリングがBWP識別子を含む、または
任意のサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングがBWP識別子を含む、または
少なくとも1つのセカンダリサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【００８３】
第10の態様によれば、本出願はネットワーク装置を提供し、ネットワーク装置が、
制御シグナリングをユーザ機器に送信し、制御シグナリングが、ランダムアクセス手順を実行するようにユーザ機器をトリガするために使用され、制御シグナリングが帯域幅部分BWP識別子を含むか示す、ように構成された送信モジュール
を備える。
【００８４】
可能な設計では、制御シグナリングは物理ダウンリンク制御チャネル命令PDCCH orderである。
【００８５】
可能な設計では、BWP識別子に対応するBWPがアップリンクBWPである。
【００８６】
可能な設計では、BWP識別子に対応するBWPが、アップリンクBWPとダウンリンクBWPとを含むBWPペアである。
【００８７】
第11の態様によれば、本出願はユーザ機器を提供し、ユーザ機器が、
ネットワーク装置によって送信されたランダムアクセス応答RARメッセージを受信し、RARメッセージが帯域幅部分BWP識別子を含むか示す、ように構成された第1の受信モジュールと、
BWP識別子に対応する第1のBWPでアップリンク伝送を実行するように構成された伝送モジュールと、
を備える。
【００８８】
可能な設計では、RARメッセージがアップリンク許可UL grantを含み、UL grantがBWP識別子を含むか示す。
【００８９】
可能な設計では、アップリンク伝送に使用される物理リソースがUL grantによって示される物理リソースである。
【００９０】
可能な設計では、ユーザ機器が、
伝送モジュールがBWP識別子に対応する第1のBWPでアップリンク伝送を実行する前に、第1のBWPをアクティブ化するように構成された第1のアクティブ化モジュール
をさらに備える。
【００９１】
可能な設計では、ユーザ機器が、
第1の受信モジュールがネットワーク装置によって送信されたRARメッセージを受信する前に、ネットワーク装置によって送信された制御シグナリングを受信し、制御シグナリングが、ランダムアクセス手順を実行するようにユーザ機器をトリガするために使用される、ように構成された第2の受信モジュールと、
第2のBWPでランダムアクセスプリアンブルをネットワーク装置に送信するように構成された送信モジュールと、
をさらに備える。
【００９２】
可能な設計では、制御シグナリングは物理ダウンリンク制御チャネル命令PDCCH orderである。
【００９３】
可能な設計では、ユーザ機器が、
送信モジュールが、第2のBWPでランダムアクセスプリアンブルをネットワーク装置に送信する前に、第2のBWPをアクティブ化するように構成された第2のアクティブ化モジュール
をさらに備える。
【００９４】
可能な設計では、制御シグナリングが第2のBWPの識別子を含む。
【００９５】
可能な設計では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【００９６】
可能な設計では、第2のBWPがユーザ機器の第1のサービングセルにおけるBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【００９７】
可能な設計では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【００９８】
可能な設計では、第1のBWPおよび第2のBWPはアップリンクBWPであり、第1のBWPと第2のBWPとは同じBWPであってもよいし、異なるBWPであってもよい。
【００９９】
可能な設計では、第1の受信モジュールが、
ネットワーク装置によって送信されたRARメッセージを、第3のBWPで受信し、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、
ように特に構成される。
【０１００】
可能な設計では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。
【０１０１】
可能な設計では、第1の受信モジュールが、
ネットワーク装置によって送信されたRARメッセージを、第2のBWPのアップリンクBWPで受信する
ように特に構成される。
【０１０２】
可能な設計では、第1の受信モジュールが、
ネットワーク装置によって送信されたRARメッセージを、第4のBWPで受信し、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、
ように特に構成される。
【０１０３】
可能な設計では、第4のBWPが、ユーザ機器が第1のサービングセルにおいて制御シグナリングを受信するときに使用されるBWPである場合、
ユーザ機器が、
送信モジュールが、第2のBWPでランダムアクセスプリアンブルをネットワーク装置に送信した後に、第4のBWPをアクティブ化し、第2のBWPを非アクティブ化するように構成された第3のアクティブ化モジュール
をさらに備える。
【０１０４】
第12の態様によれば、本出願はネットワーク装置を提供し、ネットワーク装置が、
ランダムアクセス応答RARメッセージをユーザ機器に送信し、RARメッセージが帯域幅部分BWP識別子を含むか示し、BWP識別子が第1のBWPに対応する、ように構成された第1の送信モジュール
を備える。
【０１０５】
可能な設計では、RARメッセージがアップリンク許可UL grantを含み、UL grantがBWP識別子を含むか示す。
【０１０６】
可能な設計では、ネットワーク装置が、
第1の送信モジュールがRARメッセージをユーザ機器に送信する前に、制御シグナリングをユーザ機器に送信し、制御シグナリングが、ランダムアクセス手順を実行するようにユーザ機器をトリガするために使用される、ように構成された第2の送信モジュール
をさらに備える。
【０１０７】
可能な設計では、制御シグナリングは物理ダウンリンク制御チャネル命令PDCCH orderである。
【０１０８】
可能な設計では、制御シグナリングが第2のBWPの識別子を含む。
【０１０９】
可能な設計では、第2のBWPがユーザ機器の第1のサービングセルにおけるBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０１１０】
可能な設計では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０１１１】
可能な設計では、第1のBWPおよび第2のBWPはアップリンクBWPであり、第1のBWPと第2のBWPとは同じBWPであってもよいし、異なるBWPであってもよい。
【０１１２】
可能な設計では、第1の送信モジュールが、
第3のBWPでRARメッセージをユーザ機器に送信し、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、
ように特に構成される。
【０１１３】
可能な設計では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。
【０１１４】
可能な設計では、第1の送信モジュールが、
第2のBWPのアップリンクBWPでRARメッセージをユーザ機器に送信する
ように特に構成される。
【０１１５】
可能な設計では、第1の送信モジュールが、
第4のBWPでRARメッセージをユーザ機器に送信し、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、
ように特に構成される。
【０１１６】
第13の態様によれば、本出願はユーザ機器を提供し、ユーザ機器が、
第1のネットワーク装置によって送信された無線リソース制御RRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブな帯域幅部分BWPを示すために使用される、ように構成された受信モジュールと、
アクティブなBWPでランダムアクセス手順を開始するように構成されたアクセスモジュールと、
を備える。
【０１１７】
可能な設計では、アクティブなBWPがプライマリサービングセルの共通構成情報のBWPである、または
RRC接続再構成メッセージが第1のBWP識別子を含み、第1のBWP識別子に対応するBWPがアクティブなBWPである。
【０１１８】
可能な設計では、アクティブなBWPがアップリンクBWPとダウンリンクBWPとを含み、
アクセスモジュールが、
アクティブなBWPのアップリンクBWPでランダムアクセスプリアンブルを第2のネットワーク装置に送信するように構成された第1の送信サブモジュールと、
第2のネットワーク装置によって送信されたランダムアクセス応答RARメッセージを、アクティブなBWPのダウンリンクBWPでユーザ機器によって受信し、RARメッセージがアップリンク許可UL grantを含む、ように構成された第1の受信サブモジュールと、
アクティブなBWPのアップリンクBWPでアップリンク伝送をユーザ機器によって実行し、アップリンク伝送に使用される物理リソースがUL grantによって示される物理リソースである、ように構成された第1の伝送サブモジュールと、
を備える。
【０１１９】
可能な設計では、アクティブなBWPがアップリンクBWPとダウンリンクBWPとを含むBWPペアであり、
アクセスモジュールが、
BWPペアのアップリンクBWPでランダムアクセスプリアンブルを第2ネットワーク装置に送信するように構成された第2の送信サブモジュールと、
第2のネットワーク装置によって送信されたRARメッセージを、BWPペアのダウンリンクBWPで受信し、RARメッセージがUL grantを含む、ように構成された第2の受信サブモジュールと、
BWPペアのアップリンクBWPでアップリンク伝送を実行し、アップリンク伝送に使用される物理リソースがUL grantによって示される物理リソースである、ように構成された第2の伝送サブモジュールと、
を備える。
【０１２０】
可能な設計では、第1のメッセージが、第2のネットワーク装置が第1のネットワーク装置によって送信された第2のメッセージを受信した後に第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０１２１】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０１２２】
第14の態様によれば、本出願は第1のネットワーク装置を提供し、第1のネットワーク装置が、
第2のネットワーク装置によって送信された第1のメッセージを受信し、第1の受信メッセージが無線リソース制御RRC接続再構成メッセージを含む、ように構成された受信モジュールと、
RRC接続再構成メッセージをユーザ機器に送信し、RRC接続再構成メッセージが、ユーザ機器のために第2のネットワーク装置の下のプライマリサービングセルを示し、プライマリサービングセルのアクティブな帯域幅部分BWPを示すために使用される、ように構成された第1の送信モジュールと、
を備える。
【０１２３】
可能な設計では、アクティブなBWPがプライマリサービングセルの共通構成情報のBWPである、または
RRC接続再構成メッセージが第1のBWP識別子を含み、第1のBWP識別子に対応するBWPがアクティブなBWPである。
【０１２４】
可能な設計では、アクティブなBWPがアップリンクBWPとダウンリンクBWPとを含む。
【０１２５】
可能な設計では、アクティブなBWPが、アップリンクBWPとダウンリンクBWPとを含むBWPペアである。
【０１２６】
可能な設計では、第1のネットワーク装置が、
受信モジュールが第2のネットワーク装置によって送信された第1のメッセージを受信する前に、第2のメッセージを第2のネットワーク装置に送信し、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ように構成された第2の送信モジュール
をさらに備える。
【０１２７】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０１２８】
第15の態様によれば、本出願はユーザ機器を提供し、ユーザ機器が、
第1のネットワーク装置によって送信された無線リソース制御RRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブな帯域幅部分BWPを示すために使用される、ように構成された第1の受信モジュールと、
アクティブなBWPでランダムアクセスプリアンブルを第2のネットワーク装置に送信するように構成された送信モジュールと、
第2のネットワーク装置によって送信されたランダムアクセス応答RARメッセージを、アクティブなBWPで受信し、RARメッセージが第1の帯域幅部分BWP識別子を含むか示す、ように構成された第2の受信モジュールと、
第1のBWP識別子に対応する第1のBWPでアップリンク伝送を実行するように構成された伝送モジュールと、
を備える。
【０１２９】
可能な設計では、アクティブなBWPがプライマリサービングセルの共通構成情報のBWPである、または
RRC接続再構成メッセージが第2のBWP識別子を含み、第2のBWP識別子に対応するBWPがアクティブなBWPである。
【０１３０】
可能な設計では、RARメッセージがアップリンク許可UL grantを含み、UL grantがBWP識別子を含むか示す。
【０１３１】
可能な設計では、アップリンク伝送に使用される物理リソースがUL grantによって示される物理リソースである。
【０１３２】
可能な設計では、ユーザ機器が、
伝送モジュールが第1のBWP識別子に対応する第1のBWPでアップリンク伝送を実行する前に、第1のBWPをアクティブ化するように構成されたアクティブ化モジュール
をさらに備える。
【０１３３】
可能な設計では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０１３４】
可能な設計では、第1のメッセージが、第2のネットワーク装置が第1のネットワーク装置によって送信された第2のメッセージを受信した後に第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０１３５】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０１３６】
第16の態様によれば、本出願は第2のネットワーク装置を提供し、第2のネットワーク装置が、
ユーザ機器によって送信されたランダムアクセスプリアンブルを、アクティブな帯域幅部分BWPで受信し、ランダムアクセスプリアンブルは、ユーザ機器が第1のネットワーク装置によって送信された無線リソース制御RRC接続再構成メッセージを受信した後に、ユーザ機器によって送信され、RRC接続再構成メッセージが、ユーザ機器のために第2のネットワーク装置の下のプライマリサービングセルを示し、プライマリサービングセルのアクティブなBWPを示すために使用される、ように構成された第1の受信モジュールと、
アクティブなBWPでランダムアクセス応答RARメッセージをユーザ機器に送信し、RARメッセージが第1の帯域幅部分BWP識別子を含むか示し、第1のBWP識別子が第1のBWPに対応する、ように構成された送信モジュールと、
を備える。
【０１３７】
可能な設計では、アクティブなBWPがプライマリサービングセルの共通構成情報のBWPである、または
RRC接続再構成メッセージが第2のBWP識別子を含み、第2のBWP識別子に対応するBWPがアクティブなBWPである。
【０１３８】
可能な設計では、RARメッセージがアップリンク許可UL grantを含み、UL grantがBWP識別子を含むか示す。
【０１３９】
可能な設計では、アップリンク伝送に使用される物理リソースがUL grantによって示される物理リソースである。
【０１４０】
可能な設計では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０１４１】
可能な設計では、第2のネットワーク装置が
第1の受信モジュールがユーザ機器によって送信されたランダムアクセスプリアンブルをアクティブなBWPで受信する前に、第1のネットワーク装置によって送信された第2のメッセージを受信し、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ように構成された第2の受信モジュール
をさらに備える。
【０１４２】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０１４３】
第17の態様によれば、ユーザ機器が提供され、ユーザ機器が、第1の態様による任意の方法のステップを実行するように構成されたユニットまたは手段（means）を備える。
【０１４４】
第18の態様によれば、ユーザ機器が提供され、ユーザ機器がプロセッサとメモリとを備え、メモリがプログラムを格納するように構成され、プロセッサが、第1の態様による任意の方法を実行するためにメモリに格納されたプログラムを呼び出す。
【０１４５】
第19の態様によれば、ユーザ機器が提供され、ユーザ機器が、第1の態様による任意の方法を実行するように構成された少なくとも1つの処理要素またはチップを備え、
チップがユーザ機器に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、特許請求の範囲の第1の態様による方法のステップを実行するためにメモリに格納された命令を呼び出す。
【０１４６】
第20の態様によれば、プログラムが提供され、プログラムが、プロセッサによって実行されると、第1の態様による任意の方法を実行するように構成される。
【０１４７】
第21の態様によれば、コンピュータ可読記憶媒体が提供され、コンピュータ可読記憶媒体が第20の態様によるプログラムを含む。
【０１４８】
第22の態様によれば、ネットワーク装置が提供され、ネットワーク装置が、第2の態様による任意の方法のステップを実行するように構成されたユニットまたは手段（means）を備える。
【０１４９】
第23の態様によれば、ネットワーク装置が提供され、ネットワーク装置がプロセッサとメモリとを備え、メモリがプログラムを格納するように構成され、プロセッサが、第2の態様による任意の方法を実行するためにメモリに格納されたプログラムを呼び出す。
【０１５０】
第24の態様によれば、ネットワーク装置が提供され、ネットワーク装置が、第2の態様による任意の方法を実行するように構成された少なくとも1つの処理要素またはチップを備え、
チップがネットワーク装置に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、特許請求の範囲の第2の態様による方法のステップを実行するためにメモリに格納された命令を呼び出す。
【０１５１】
第25の態様によれば、プログラムが提供され、プログラムが、プロセッサによって実行されると、第2の態様による任意の方法を実行するように構成される。
【０１５２】
第26の態様によれば、コンピュータ可読記憶媒体が提供され、コンピュータ可読記憶媒体が第25の態様によるプログラムを含む。
【０１５３】
第27の態様によれば、ユーザ機器が提供され、ユーザ機器が、第3の態様による任意の方法のステップを実行するように構成されたユニットまたは手段（means）を備える。
【０１５４】
第28の態様によれば、ユーザ機器が提供され、ユーザ機器がプロセッサとメモリとを備え、メモリがプログラムを格納するように構成され、プロセッサが、第3の態様による任意の方法を実行するためにメモリに格納されたプログラムを呼び出す。
【０１５５】
第29の態様によれば、ユーザ機器が提供され、ユーザ機器が、第3の態様による任意の方法を実行するように構成された少なくとも1つの処理要素またはチップを備え、
チップがユーザ機器に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第3の態様による方法のステップを実行するためにメモリに格納された命令を呼び出す。
【０１５６】
第30の態様によれば、プログラムが提供され、プログラムが、プロセッサによって実行されると、第3の態様による任意の方法を実行するように構成される。
【０１５７】
第31の態様によれば、コンピュータ可読記憶媒体が提供され、コンピュータ可読記憶媒体が第30の態様によるプログラムを含む。
【０１５８】
第32の態様によれば、ネットワーク装置が提供され、ネットワーク装置が、第4の態様による任意の方法のステップを実行するように構成されたユニットまたは手段（means）を備える。
【０１５９】
第33の態様によれば、ネットワーク装置が提供され、ネットワーク装置がプロセッサとメモリとを備え、メモリがプログラムを格納するように構成され、プロセッサが、第4の態様による任意の方法を実行するためにメモリに格納されたプログラムを呼び出す。
【０１６０】
第34の態様によれば、ネットワーク装置が提供され、ネットワーク装置が、第4の態様による任意の方法を実行するように構成された少なくとも1つの処理要素またはチップを備え、
チップがネットワーク装置に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第4の態様による方法のステップを実行するためにメモリに格納された命令を呼び出す。
【０１６１】
第35の態様によれば、プログラムが提供され、プログラムが、プロセッサによって実行されると、第4の態様による任意の方法を実行するように構成される。
【０１６２】
第36の態様によれば、コンピュータ可読記憶媒体が提供され、コンピュータ可読記憶媒体が第35の態様によるプログラムを含む。
【０１６３】
第37の態様によれば、ユーザ機器が提供され、ユーザ機器が、第5の態様による任意の方法のステップを実行するように構成されたユニットまたは手段（means）を備える。
【０１６４】
第38の態様によれば、ユーザ機器が提供され、ユーザ機器がプロセッサとメモリとを備え、メモリがプログラムを格納するように構成され、プロセッサが、第5の態様による任意の方法を実行するためにメモリに格納されたプログラムを呼び出す。
【０１６５】
第39の態様によれば、ユーザ機器が提供され、ユーザ機器が、第5の態様による任意の方法を実行するように構成された少なくとも1つの処理要素またはチップを備え、
チップがユーザ機器に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第5の態様による方法のステップを実行するためにメモリに格納された命令を呼び出す。
【０１６６】
第40の態様によれば、プログラムが提供され、プログラムが、プロセッサによって実行されると、第5の態様による任意の方法を実行するように構成される。
【０１６７】
第41の態様によれば、コンピュータ可読記憶媒体が提供され、コンピュータ可読記憶媒体が第40の態様によるプログラムを含む。
【０１６８】
第42の態様によれば、ネットワーク装置が提供され、ネットワーク装置が、第6の態様による任意の方法のステップを実行するように構成されたユニットまたは手段（means）を備える。
【０１６９】
第43の態様によれば、ネットワーク装置が提供され、ネットワーク装置がプロセッサとメモリとを備え、メモリがプログラムを格納するように構成され、プロセッサが、第6の態様による任意の方法を実行するためにメモリに格納されたプログラムを呼び出す。
【０１７０】
第44の態様によれば、ネットワーク装置が提供され、ネットワーク装置が、第6の態様による任意の方法を実行するように構成された少なくとも1つの処理要素またはチップを備え、
チップがネットワーク装置に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第6の態様による方法のステップを実行するためにメモリに格納された命令を呼び出す。
【０１７１】
第45の態様によれば、プログラムが提供され、プログラムが、プロセッサによって実行されると、第6の態様による任意の方法を実行するように構成される。
【０１７２】
第46の態様によれば、コンピュータ可読記憶媒体が提供され、コンピュータ可読記憶媒体が第45の態様によるプログラムを含む。
【０１７３】
第47の態様によれば、ユーザ機器が提供され、ユーザ機器が、第7の態様による任意の方法のステップを実行するように構成されたユニットまたは手段（means）を備える。
【０１７４】
第48の態様によれば、ユーザ機器が提供され、ユーザ機器がプロセッサとメモリとを備え、メモリがプログラムを格納するように構成され、プロセッサが、第7の態様による任意の方法を実行するためにメモリに格納されたプログラムを呼び出す。
【０１７５】
第49の態様によれば、ユーザ機器が提供され、ユーザ機器が、第7の態様による任意の方法を実行するように構成された少なくとも1つの処理要素またはチップを備え、
チップがユーザ機器に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第7の態様による方法のステップを実行するためにメモリに格納された命令を呼び出す。
【０１７６】
第50の態様によれば、プログラムが提供され、プログラムが、プロセッサによって実行されると、第7の態様による任意の方法を実行するように構成される。
【０１７７】
第51の態様によれば、コンピュータ可読記憶媒体が提供され、コンピュータ可読記憶媒体が第50の態様によるプログラムを含む。
【０１７８】
第52の態様によれば、ネットワーク装置が提供され、ネットワーク装置が、第8の態様による任意の方法のステップを実行するように構成されたユニットまたは手段（means）を備える。
【０１７９】
第53の態様によれば、ネットワーク装置が提供され、ネットワーク装置がプロセッサとメモリとを備え、メモリがプログラムを格納するように構成され、プロセッサが、第8の態様による任意の方法を実行するためにメモリに格納されたプログラムを呼び出す。
【０１８０】
第54の態様によれば、ネットワーク装置が提供され、ネットワーク装置が、第8の態様による任意の方法を実行するように構成された少なくとも1つの処理要素またはチップを備え、
チップがネットワーク装置に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第8の態様による方法のステップを実行するためにメモリに格納された命令を呼び出す。
【０１８１】
第55の態様によれば、プログラムが提供され、プログラムが、プロセッサによって実行されると、第8の態様による任意の方法を実行するように構成される。
【０１８２】
第56の態様によれば、コンピュータ可読記憶媒体が提供され、コンピュータ可読記憶媒体が第55の態様によるプログラムを含む。
【０１８３】
ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行することが分かる。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０１８４】
本出願は、タイマーが始動、再始動、または停止されるシナリオは包括的ではないために端末装置がタイマーを正しく始動、再始動、または停止できない場合があり、したがって端末装置がデフォルトのダウンリンクBWPに正しく切り替えることができず、端末装置の消費電力削減に影響するという従来技術の問題を解決するために、タイマー処理の方法および装置をさらに提供する。
【０１８５】
第57の態様によれば、本出願はタイマー処理の方法を提供し、本方法は、
端末装置によって、ネットワーク装置によって送信された物理ダウンリンク制御チャネル命令PDCCH orderメッセージを受信するステップであって、端末装置のタイマーが稼働しており、タイマーが、アクティブなダウンリンク帯域幅部分BWPからデフォルトのダウンリンクBWPに切り替えるために端末装置によって使用されるタイマーである、ステップと、
端末装置によって、タイマーを始動または再始動するステップと、
を含む。
【０１８６】
可能な設計では、PDCCH orderメッセージがダウンリンクBWPの識別子を含み、ダウンリンクBWPの識別子によって示されるダウンリンクBWPがデフォルトのダウンリンクBWPではない。
【０１８７】
第58の態様によれば、本出願はタイマー処理の方法を提供し、本方法は、
端末装置によって、ネットワーク装置によって送信された指示メッセージを受信するステップであって、指示メッセージが、少なくとも1つのセカンダリサービングセルをアクティブ化するように端末装置に命令するために使用される、ステップと、
端末装置によって、セカンダリサービングセルに関連付けられたタイマーを始動または再始動するステップであって、タイマーが、アクティブなダウンリンク帯域幅部分BWPからデフォルトのダウンリンクBWPに切り替えるために端末装置によって使用されるタイマーである、ステップと、
を含む。
【０１８８】
可能な設計では、セカンダリサービングセルが非アクティブ状態である。
【０１８９】
可能な設計では、端末装置によって、ネットワーク装置によって送信された指示メッセージを受信するステップの前に、本方法は、
端末装置によって、ネットワーク装置によって送信された無線リソース制御RRCメッセージを受信するステップであって、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない、ステップ
をさらに含む。
【０１９０】
可能な設計では、セカンダリサービングセルに関連付けられたタイマーが、端末装置の物理層によって維持されるタイマーであり、
端末装置によって、セカンダリサービングセルに関連付けられたタイマーを始動または再始動するステップが、
端末装置によって、端末装置の媒体アクセス制御MAC層を使用することによって、セカンダリサービングセルに関連付けられたタイマーを始動または再始動するように端末装置の物理層に命令するステップ
を含む。
【０１９１】
第59の態様によれば、タイマー処理の方法が提供され、本方法は、
端末装置によって、ネットワーク装置によって送信された指示メッセージを受信するステップであって、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンク帯域幅部分BWPからデフォルトのダウンリンクBWPに切り替えるために端末装置によって使用されるタイマーである、ステップと、
端末装置によって、セカンダリサービングセルに関連付けられたタイマーを停止もしくはリセットするステップ、または端末装置によって、セカンダリサービングセルに関連付けられたタイマーを停止およびリセットするステップと、
を含む。
【０１９２】
可能な設計では、セカンダリサービングセルに関連付けられたタイマーが、端末装置の物理層によって維持されるタイマーであり、
端末装置によって、セカンダリサービングセルに関連付けられたタイマーを停止もしくはリセットするステップが、
端末装置によって、端末装置の媒体アクセス制御MAC層を使用することによって、セカンダリサービングセルに関連付けられたタイマーを始動もしくは再始動するように端末装置の物理層に命令するステップ
を含む、または
端末装置によって、セカンダリサービングセルに関連するタイマーを停止およびリセットするステップが、
端末装置によって、端末装置のMAC層を使用することによって、セカンダリサービングセルに関連付けられたタイマーを停止およびリセットするように端末装置の物理層に命令するステップ
を含む。
【０１９３】
第60の態様によれば、タイマー処理の方法が提供され、本方法は、
端末装置によって、セカンダリサービングセルのセカンダリサービングセル非アクティブ化タイマーが期限切れになったことを判定するステップであって、セカンダリサービングセルに関連付けられたタイマーが稼働しており、タイマーが、アクティブなダウンリンク帯域幅部分BWPからデフォルトのダウンリンクBWPに切り替えるために端末装置によって使用されるタイマーである、ステップと、
端末装置によって、セカンダリサービングセルに関連付けられたタイマーを停止もしくはリセットするステップ、または端末装置によって、セカンダリサービングセルに関連付けられたタイマーを停止およびリセットするステップと、
を含む。
【０１９４】
可能な設計では、セカンダリサービングセルに関連付けられたタイマーが、端末装置の物理層によって維持されるタイマーであり、
端末装置によって、セカンダリサービングセルに関連付けられたタイマーを停止もしくはリセットするステップが、
端末装置によって、端末装置の媒体アクセス制御MAC層を使用することによって、セカンダリサービングセルに関連付けられたタイマーを始動もしくは再始動するように端末装置の物理層に命令するステップ
を含む、または
端末装置によって、セカンダリサービングセルに関連するタイマーを停止およびリセットするステップが、
端末装置によって、端末装置のMAC層を使用することによって、セカンダリサービングセルに関連付けられたタイマーを停止およびリセットするように端末装置の物理層に命令するステップ
を含む。
【０１９５】
第61の態様によれば、端末装置が提供され、端末装置が、
ネットワーク装置によって送信された物理ダウンリンク制御チャネル命令PDCCH orderメッセージを受信し、端末装置のタイマーが稼働しており、タイマーが、アクティブなダウンリンク帯域幅部分BWPからデフォルトのダウンリンクBWPに切り替えるために端末装置によって使用されるタイマーである、ように構成された受信モジュールと、
タイマーを始動または再始動するように構成された稼働モジュールと、
を備える。
【０１９６】
可能な設計では、PDCCH orderメッセージがダウンリンクBWPの識別子を含み、ダウンリンクBWPの識別子によって示されるダウンリンクBWPがデフォルトのダウンリンクBWPではない。
【０１９７】
第62の態様によれば、端末装置が提供され、端末装置が、
ネットワーク装置によって送信された指示メッセージを受信し、指示メッセージが、少なくとも1つのセカンダリサービングセルをアクティブ化するように端末装置に命令するために使用される、ように構成された第1の受信モジュールと、
セカンダリサービングセルに関連付けられたタイマーを始動または再始動し、タイマーが、アクティブなダウンリンク帯域幅部分BWPからデフォルトのダウンリンクBWPに切り替えるために端末装置によって使用されるタイマーである、ように構成された稼働モジュールと、
を備える。
【０１９８】
可能な設計では、セカンダリサービングセルが非アクティブ状態である。
【０１９９】
可能な設計では、端末装置が、
第1の受信モジュールがネットワーク装置によって送信された指示メッセージを受信する前に、ネットワーク装置によって送信された無線リソース制御RRCメッセージを受信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない、ように構成された第2の受信モジュール
をさらに備える。
【０２００】
可能な設計では、セカンダリサービングセルに関連付けられたタイマーが、端末装置の物理層によって維持されるタイマーであり、
稼働モジュールが、端末装置の媒体アクセス制御MAC層を使用することによって、セカンダリサービングセルに関連付けられたタイマーを始動または再始動するように端末装置の物理層に命令するように特に構成される。
【０２０１】
第63の態様によれば、端末装置が提供され、端末装置が、
ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンク帯域幅部分BWPからデフォルトのダウンリンクBWPに切り替えるために端末装置によって使用されるタイマーである、ように構成された受信モジュールと、
セカンダリサービングセルに関連付けられたタイマーを停止もしくはリセットする、または端末装置によって、セカンダリサービングセルに関連付けられたタイマーを停止およびリセットするように構成された処理モジュールと、
を備える。
【０２０２】
可能な設計では、セカンダリサービングセルに関連付けられたタイマーが、端末装置の物理層によって維持されるタイマーであり、
処理モジュールが、端末装置の媒体アクセス制御MAC層を使用することによって、セカンダリサービングセルに関連付けられたタイマーを停止もしくはリセットするように端末装置の物理層に命令する、または端末装置のMAC層を使用することによって、セカンダリサービングセルに関連付けられたタイマーを停止およびリセットするように端末装置の物理層に命令するように特に構成される。
【０２０３】
第64の態様によれば、端末装置が提供され、端末装置が、
セカンダリサービングセルのセカンダリサービングセル非アクティブ化タイマーが期限切れになったことを判定し、セカンダリサービングセルに関連付けられたタイマーが稼働しており、タイマーが、アクティブなダウンリンク帯域幅部分BWPからデフォルトのダウンリンクBWPに切り替えるために端末装置によって使用されるタイマーである、ように構成された判定モジュールと、
セカンダリサービングセルに関連付けられたタイマーを停止もしくはリセットするステップ、または端末装置によって、セカンダリサービングセルに関連付けられたタイマーを停止およびリセットするように構成された処理モジュールと、
を備える。
【０２０４】
可能な設計では、セカンダリサービングセルに関連付けられたタイマーが、端末装置の物理層によって維持されるタイマーであり、
処理モジュールが、端末装置の媒体アクセス制御MAC層を使用することによって、セカンダリサービングセルに関連付けられたタイマーを停止もしくはリセットするように端末装置の物理層に命令する、または端末装置のMAC層を使用することによって、セカンダリサービングセルに関連付けられたタイマーを停止およびリセットするように端末装置の物理層に命令するように特に構成される。
【０２０５】
第65の態様によれば、端末装置が提供され、端末装置が、第57の態様による任意の方法のステップを実行するように構成されたユニットまたは手段（means）を備える。
【０２０６】
第66の態様によれば、端末装置が提供され、端末装置がプロセッサとメモリとを備え、メモリがプログラムを格納するように構成され、プロセッサが、第57の態様による任意の方法を実行するためにメモリに格納されたプログラムを呼び出す。
【０２０７】
第67の態様によれば、端末装置が提供され、端末装置が、第57の態様による任意の方法を実行するように構成された少なくとも1つの処理要素またはチップを備える。
【０２０８】
第68の態様によれば、プログラムが提供され、プログラムが、プロセッサによって実行されると、第57の態様による任意の方法を実行するように構成される。
【０２０９】
第69の態様によれば、コンピュータ可読記憶媒体が提供され、コンピュータ可読記憶媒体が第68の態様によるプログラムを含む。
【０２１０】
第70の態様によれば、端末装置が提供され、端末装置が、第58の態様による任意の方法のステップを実行するように構成されたユニットまたは手段（means）を備える。
【０２１１】
第71の態様によれば、端末装置が提供され、端末装置がプロセッサとメモリとを備え、メモリがプログラムを格納するように構成され、プロセッサが、第58の態様による任意の方法を実行するためにメモリに格納されたプログラムを呼び出す。
【０２１２】
第72の態様によれば、端末装置が提供され、端末装置が、第58の態様による任意の方法を実行するように構成された少なくとも1つの処理要素またはチップを備える。
【０２１３】
第73の態様によれば、プログラムが提供され、プログラムが、プロセッサによって実行されると、第58の態様による任意の方法を実行するように構成される。
【０２１４】
第74の態様によれば、コンピュータ可読記憶媒体が提供され、コンピュータ可読記憶媒体が第73の態様によるプログラムを含む。
【０２１５】
第75の態様によれば、端末装置が提供され、端末装置が、第59の態様による任意の方法のステップを実行するように構成されたユニットまたは手段（means）を備える。
【０２１６】
第76の態様によれば、端末装置が提供され、端末装置がプロセッサとメモリとを備え、メモリがプログラムを格納するように構成され、プロセッサが、第59の態様による任意の方法を実行するためにメモリに格納されたプログラムを呼び出す。
【０２１７】
第77の態様によれば、端末装置が提供され、端末装置が、第59の態様による任意の方法を実行するように構成された少なくとも1つの処理要素またはチップを備える。
【０２１８】
第78の態様によれば、プログラムが提供され、プログラムが、プロセッサによって実行されると、第59の態様による任意の方法を実行するように構成される。
【０２１９】
第79の態様によれば、コンピュータ可読記憶媒体が提供され、コンピュータ可読記憶媒体が第78の態様によるプログラムを含む。
【０２２０】
第80の態様によれば、端末装置が提供され、端末装置が、第60の態様による任意の方法のステップを実行するように構成されたユニットまたは手段（means）を備える。
【０２２１】
第81の態様によれば、端末装置が提供され、端末装置がプロセッサとメモリとを備え、メモリがプログラムを格納するように構成され、プロセッサが、第60の態様による任意の方法を実行するためにメモリに格納されたプログラムを呼び出す。
【０２２２】
第82の態様によれば、端末装置が提供され、端末装置が、第60の態様による任意の方法を実行するように構成された少なくとも1つの処理要素またはチップを備える。
【０２２３】
第83の態様によれば、プログラムが提供され、プログラムが、プロセッサによって実行されると、第60の態様による任意の方法を実行するように構成される。
【０２２４】
第84の態様によれば、コンピュータ可読記憶媒体が提供され、コンピュータ可読記憶媒体が第83の態様によるプログラムを含む。
【０２２５】
上記の態様では、端末装置が、ネットワーク装置によって送信されたPDCCH orderメッセージを受信し、端末装置のタイマーが稼働しており、タイマーが、アクティブなダウンリンクBWPからデフォルトのダウンリンクBWPに切り替えるために端末装置によって使用されるタイマーであり、端末装置がタイマーを始動または再始動することが分かる。したがって、端末装置のタイマーが稼働している場合、ネットワーク装置によって送信されたPDCCH orderメッセージが受信された後に、タイマーを始動するべきか再始動するべきかが検討される。このようにして、タイマーの動作シナリオが提供される。
【図面の簡単な説明】
【０２２６】
【図１ａ】本出願の一実施形態によるアプリケーションシナリオの概略図である。
【図１ｂ】本出願の一実施形態による別のアプリケーションシナリオの概略図である。
【図２】本出願の一実施形態によるアプリケーションシナリオのシグナリング図である。
【図３】本出願の一実施形態による非競合ランダムアクセス手順のシグナリング図1である。
【図４】本出願の一実施形態による非競合ランダムアクセス手順のシグナリング図2である。
【図５】本出願の一実施形態による非競合ランダムアクセス手順のシグナリング図3である。
【図６】本発明の一実施形態によるランダムアクセスの方法の概略的な流れ図である。
【図７】本発明の一実施形態によるランダムアクセスの方法のシグナリング図である。
【図８】本発明の一実施形態による別のランダムアクセスの方法の概略的な流れ図である。
【図９】本発明の一実施形態による別のランダムアクセスの方法のシグナリング図1である。
【図１０】本発明の一実施形態による別のランダムアクセスの方法のシグナリング図2である。
【図１１】本発明の一実施形態による別のランダムアクセスの方法の概略的な流れ図である。
【図１２】本発明の一実施形態による別のランダムアクセスの方法の概略的な流れ図である。
【図１３】本発明の一実施形態による別のランダムアクセスの方法のシグナリング図である。
【図１４】本発明の一実施形態による別のランダムアクセスの方法の概略的な流れ図である。
【図１５】本発明の一実施形態による別のランダムアクセスの方法のシグナリング図である。
【図１６】本発明の一実施形態による別のランダムアクセスの方法の概略的な流れ図である。
【図１７】本発明の一実施形態による別のランダムアクセスの方法の概略的な流れ図である。
【図１８】本発明の一実施形態による別のランダムアクセスの方法のシグナリング図である。
【図１９】本発明の一実施形態による別のランダムアクセスの方法の概略的な流れ図である。
【図２０】本発明の一実施形態による別のランダムアクセスの方法の概略的な流れ図である。
【図２１】本発明の一実施形態による別のランダムアクセスの方法のシグナリング図である。
【図２２】本発明の一実施形態による別のランダムアクセスの方法の概略的な流れ図である。
【図２３】本発明の一実施形態による別のランダムアクセスの方法の概略的な流れ図である。
【図２４】本発明の一実施形態による別のランダムアクセスの方法のシグナリング図である。
【図２５】本発明の一実施形態による別のランダムアクセスの方法の概略的な流れ図である。
【図２６】本発明の一実施形態による別のランダムアクセスの方法の概略的な流れ図である。
【図２７】本発明の一実施形態による別のランダムアクセスの方法のシグナリング図である。
【図２８】本発明の一実施形態による別のランダムアクセスの方法の概略的な流れ図である。
【図２９】本発明の一実施形態による別のランダムアクセスの方法の概略的な流れ図である。
【図３０】本発明の一実施形態による別のランダムアクセスの方法のシグナリング図である。
【図３１】本発明の一実施形態による別のランダムアクセスの方法の概略的な流れ図である。
【図３２】本発明の一実施形態による別のランダムアクセスの方法の概略的な流れ図である。
【図３３】本発明の一実施形態による別のランダムアクセスの方法のシグナリング図である。
【図３４】本発明の一実施形態による別のランダムアクセスの方法の概略的な流れ図である。
【図３５】本発明の一実施形態による別のランダムアクセスの方法の概略的な流れ図である。
【図３６】本発明の一実施形態による別のランダムアクセスの方法のシグナリング図である。
【図３７】本発明の一実施形態による別のランダムアクセスの方法の概略的な流れ図である。
【図３８】本発明の一実施形態による別のランダムアクセスの方法の概略的な流れ図である。
【図３９】本発明の一実施形態による別のランダムアクセスの方法のシグナリング図である。
【図４０】本発明の一実施形態による別のランダムアクセスの方法の概略的な流れ図である。
【図４１】本発明の一実施形態による別のランダムアクセスの方法の概略的な流れ図である。
【図４２】本発明の一実施形態による別のランダムアクセスの方法のシグナリング図1である。
【図４３】本発明の一実施形態による別のランダムアクセスの方法のシグナリング図2である。
【図４４】本発明の一実施形態による別のランダムアクセスの方法の概略的な流れ図である。
【図４５】本発明の一実施形態による別のランダムアクセスの方法の概略的な流れ図である。
【図４６】本発明の一実施形態による別のランダムアクセスの方法のシグナリングである。
【図４７】本発明の一実施形態による別のランダムアクセスの方法の概略的な流れ図である。
【図４８】本発明の一実施形態による別のランダムアクセスの方法の概略的な流れ図である。
【図４９】本発明の一実施形態による別のランダムアクセスの方法のシグナリングである。
【図５０】本発明の一実施形態による別のランダムアクセスの方法の概略的な流れ図である。
【図５１】本出願の一実施形態によるユーザ機器の概略的な構成図である。
【図５２】本出願の一実施形態によるネットワーク装置の概略的な構成図である。
【図５３】本出願の一実施形態による別のユーザ機器の概略的な構成図である。
【図５４】本出願の一実施形態による別のネットワーク装置の概略的な構成図である。
【図５５】本出願の一実施形態による別のユーザ機器の概略的な構成図である。
【図５６】本出願の一実施形態による別のネットワーク装置の概略的な構成図である。
【図５７】本出願の一実施形態による別のユーザ機器の概略的な構成図である。
【図５８】本出願の一実施形態による別のネットワーク装置の概略的な構成図である。
【図５９】本出願の一実施形態による別のユーザ機器の概略的な構成図である。
【図６０】本出願の一実施形態による別のネットワーク装置の概略的な構成図である。
【図６１】本出願の一実施形態による別のユーザ機器の概略的な構成図である。
【図６２】本出願の一実施形態による別のネットワーク装置の概略的な構成図である。
【図６３】本出願の一実施形態による別のユーザ機器の概略的な構成図である。
【図６４】本出願の一実施形態による別のネットワーク装置の概略的な構成図である。
【図６５】本出願の一実施形態による別のユーザ機器の概略的な構成図である。
【図６６】本出願の一実施形態による別のネットワーク装置の概略的な構成図である。
【図６７】本出願の一実施形態によるアプリケーションシナリオの概略図である。
【図６８】本発明の一実施形態によるタイマー処理の方法の概略的な流れ図である。
【図６９】本発明の一実施形態によるタイマー処理の方法のシグナリング図である。
【図７０】本発明の一実施形態による別のタイマー処理の方法の概略的な流れ図である。
【図７１】本発明の一実施形態による別のタイマー処理の方法のシグナリング図である。
【図７２】本発明の一実施形態による別のタイマー処理の方法の概略的な流れ図である。
【図７３】本発明の一実施形態による別のタイマー処理の方法のシグナリング図である。
【図７４】本発明の一実施形態による別のタイマー処理の方法の概略的な流れ図である。
【図７５】本発明の一実施形態による別のタイマー処理の方法のシグナリング図である。
【図７６】本出願の一実施形態による端末装置の概略的な構成図である。
【図７７】本出願の一実施形態による別の端末装置の概略的な構成図である。
【図７８】本出願の一実施形態による別の端末装置の概略的な構成図である。
【図７９】本出願の一実施形態による別の端末装置の概略的な構成図である。
【図８０】本出願の一実施形態による別の端末装置の概略的な構成図である。
【図８１】本出願の一実施形態による別の端末装置の概略的な構成図である。
【図８２】本出願の一実施形態による別の端末装置の概略的な構成図である。
【図８３】本出願の一実施形態による別の端末装置の概略的な構成図である。
【発明を実施するための形態】
【０２２７】
本出願の実施形態は、5G通信システムまたは将来生じ得る別のシステムに適用される。当業者による理解を容易にするために、以下は、本出願におけるいくつかの用語を説明する。本出願の実施形態における解決策が5Gシステムまたは将来生じ得る別のシステムに適用される場合、ネットワーク装置の名称および端末の名称が変わる場合があるが、本出願の実施形態における解決策の実施には影響しないことに留意されたい。
【０２２８】
本出願の実施形態は、5G通信システムまたは将来生じ得る別のシステムに適用される。当業者による理解を容易にするために、以下は、本出願におけるいくつかの用語を説明する。本出願の実施形態における解決策が5Gシステムまたは将来生じ得る別のシステムに適用される場合、ネットワーク装置の名称および端末の名称が変わる場合があるが、本出願の実施形態における解決策の実施には影響しないことに留意されたい。
【０２２９】
（1）端末または端末装置とも呼ばれるユーザ機器は、音声および／またはデータ接続をユーザに提供する装置、例えば、無線接続機能を備えたハンドヘルド装置または車載装置である。一般的なユーザ機器は、例えば、携帯電話、タブレットコンピュータ、ノートブックコンピュータ、パームトップコンピュータ、モバイルインターネットデバイス（mobile internet device、MID）、およびウェアラブルデバイスを含み、ウェアラブルデバイスは、例えば、スマートウォッチ、スマートバンド、または歩数計である。
【０２３０】
（2）無線アクセスネットワーク（Radio Access Network、RAN）装置とも呼ばれるネットワーク装置は、ユーザ機器を無線ネットワークに接続するための装置である。様々な通信規格のネットワーク装置が存在する。例えば、ネットワーク装置は、基地局、発展型NodeB（evolved Node B、eNB）、無線ネットワークコントローラ（radio network controller、RNC）、NodeB（Node B、NB）、ネットワーク装置コントローラ（base station controller、BSC）、ネットワーク装置トランシーバステーション（base transceiver station、BTS）、ホームネットワーク装置（例えば、home evolved NodeBまたはhome NodeB、HNB）、ベースバンドユニット（baseband unit、BBU）、中継局、基地局の分配ユニット（distribute unit、DU）、基地局の中央ユニット（central unit、CU）などを含むが、これらに限定されない。
【０２３１】
（3）帯域幅部分（band width part、BWP）に関して、セルの帯域幅が広い場合、ユーザ機器は、セルの帯域幅の一部でのみ動作することができる。セルの帯域幅の各部分は、1つのBWPと呼ばれる。
【０２３２】
（4）様々な周波数規格のネットワーク装置が存在する。例えば、ネットワーク装置は、低周波ネットワーク装置および高周波ネットワーク装置を含むが、これらに限定されない。
【０２３３】
（5）「複数」は2つ以上を意味し、他の数量詞も同様である。「および／または」という用語は、関連するオブジェクト間の関連関係を説明し、3つの関係が存在し得ることを表す。例えば、Aおよび／またはBは、次の3つの場合、すなわち、Aのみが存在する場合、AとBとの両方が存在する場合、およびBのみが存在する場合を表すことができる。文字「／」は、関連するオブジェクト間の「論理和」関係を一般に示す。
【０２３４】
図1aは、本出願の一実施形態によるアプリケーションシナリオの概略図である。図1aに示されるネットワーキングアーキテクチャは、ネットワーク装置01およびユーザ機器02を主に含む。ネットワーク装置01は、ユーザ機器02と通信することができる。図1bは、本出願の一実施形態による別のアプリケーションシナリオの概略図である。図1bに示されるネットワーキングアーキテクチャは、ネットワーク装置03、ネットワーク装置04、およびユーザ機器05を主に含む。ユーザ機器05は、ネットワーク装置03からネットワーク装置04にハンドオーバされる必要がある。
【０２３５】
本出願では、ブロードバンドキャリアにおいて、ネットワーク装置は、1つのユーザ機器のために少なくとも1つのダウンリンクBWPと少なくとも1つのアップリンクBWPとを構成し得る。各ダウンリンクBWPは1つのBWP識別子を有し、各アップリンクBWPは1つのBWP識別子を有する。図2は、本出願の一実施形態によるBWPの概略図である。各BWPは、少なくとも1つの物理リソースブロック（physical resource block、PRB）を占有し得る。1つのBWPは、サブキャリア間隔（subcarrier spacing）とサイクリックプレフィックス長（cyclic prefix）との1つの物理層パラメータセットをサポートする。パラメータセットは、サブキャリア間隔構成情報、サイクリックプレフィックス長構成情報などを含む。異なるBWPによりサポートされているパラメータセットは、同じであっても異なっていてもよい。
【０２３６】
5Gの最初のバージョンでは、1つのユーザ機器は、1つのサービングセルにおいて常に1つのアクティブなダウンリンクBWPおよび1つのアクティブなアップリンクBWPしか持たない。しかしながら、ユーザ機器は、BWPの切り替えを動的に実行することができる。換言すれば、BWPの切り替えを完了するために、ユーザ機器は、アクティブ状態のBWPを非アクティブ化し、次に、ユーザ機器は、非アクティブ状態のBWPをアクティブ化し得る。具体的には、従来技術では、ネットワーク装置は、ダウンリンク制御情報（downlink control information、DCI）を使用することによって、異なって構成されたBWP間で切り替えるようにユーザ機器を動的に制御する。例えば、ネットワーク装置は、ダウンリンクBWP間で切り替えるようにユーザ機器を制御するためにダウンリンク伝送DCIをスケジュールする。具体的には、ネットワーク装置はDCIをユーザ機器に送信する。DCIは、ダウンリンク伝送スケジューリングのためのDCIであり、DCIは、BWP識別子を含む。次に、ユーザ機器は、BWP識別子に対応するダウンリンクBWPをアクティブ化し、ユーザ機器は、ダウンリンクBWPで、DCIを使用することによってスケジュールされた物理ダウンリンク共有チャネル（physical downlink shared channel、PDSCH）を受信し得る。別の例では、ネットワーク装置は、アップリンクBWP間で切り替えるようにユーザ機器を制御するためにアップリンク伝送DCIをスケジュールする。具体的には、ネットワーク装置はDCIをユーザ機器に送信する。DCIは、アップリンク伝送スケジューリングのためのDCIであり、DCIは、BWP識別子を含む。次に、ユーザ機器は、BWP識別子に対応するアップリンクBWPをアクティブ化し、ユーザ機器は、アップリンクBWPで、DCIを使用することによってスケジュールされたPUSCHを送信し得る。
【０２３７】
1つのユーザ機器が複数のサービスを有する場合がある。同じサービス品質（quality of service、QoS）要件を持つサービスは、伝送のために同じデータ無線ベアラにマッッピングされ得る。異なるQoS要件を持つサービスは、伝送のために異なるデータ無線ベアラにマッピングされる必要があり、サービスはアップリンク許可（UL grant）を使用することにより伝送される必要がある。異なるQoS要件を持つサービスのそれぞれの伝送中に、サービスに対応するUL grantが判定される必要がある。UL grantは、サービスのQoS要件に対応する構成情報を有し、構成情報は、上述のパラメータセットおよび／または送信時間長を含む。
【０２３８】
ネットワーク装置は、データ無線ベアラに対応する論理チャネルとユーザ機器のための構成情報との間のマッピング関係を構成し、構成情報は、各データ無線ベアラ上のデータパケットが適切なUL grantを使用することにより送信され得ることを確保するために、上述のパラメータセットおよび／または送信時間長を含む。適切なUL grantは、データパケットのQoS要件に一致する構成情報を有する。具体的には、ネットワーク装置は、ユーザ機器にUL grantを割り当てる。UL grantによって示される上記のパラメータセットおよび／または送信時間長が、論理チャネルのパラメータセットおよび／または送信時間長と一致するとユーザ機器が判定した場合にのみ、ユーザ機器は、UL grantを使用することにより論理チャネルのデータを送信することができる。
【０２３９】
加えて、キャリアアグリゲーション機能が端末装置のために構成されてもよく、端末装置は、1つのプライマリサービングセル（primary cell、pCell）および少なくとも1つのセカンダリサービングセル（secondary cell、SCell）に接続される。少なくとも4つのセカンダリサービングセルがある。キャリアアグリゲーションは、端末により広い送信帯域幅を提供するために、少なくとも2つのコンポーネントキャリア（component carrier、CC）を集約することを意味する。端末装置は、無線リソース制御（radio resource control、RRC）接続再構成メッセージを使用することにより、セカンダリサービングセルを追加／変更／削除する。キャリアアグリゲーションの電力消費をより適切に管理するために、セカンダリサービングセルのアクティブ化／非アクティブ化メカニズムが提供される。セカンダリサービングセルは、媒体アクセス制御（media access control、略称MAC）制御要素（control Element、CE）を使用することによりアクティブ化／非アクティブ化される。MAC CEは、少なくとも1つのセカンダリサービングセルをアクティブ化または非アクティブ化するように構成され得る。加えて、セカンダリサービングセルの非アクティブ化は、セカンダリサービングセル非アクティブ化タイマーを使用することによって制御され得る。具体的には、セカンダリサービングセル非アクティブ化タイマーが期限切れになると、セカンダリサービングセル非アクティブ化タイマーに対応するセカンダリサービングセルが自動的に非アクティブ化される。端末装置がセカンダリサービングセルを正常に追加すると、セカンダリサービングセルは端末装置のためにネットワーク装置によって構成されるが、セカンダリサービングセルは依然として非アクティブ状態であり、端末装置はアクティブ化コマンドに従ってセカンダリサービングセルをアクティブ化する必要がさらにあることが分かる。端末装置は、アクティブなセカンダリサービングセルでのみデータ通信を実行することができる。
【０２４０】
1つのユーザ機器は、複数のUL grantを使用することにより、1つのキャリアでデータを送信することができる。キャリアアグリゲーション機能がユーザ機器のために構成されると、ユーザ機器はまた、複数のUL grantを使用することによって異なるキャリアでデータを送信し得る。
【０２４１】
従来技術では、異なるBWPは異なる構成情報を有することがあり、構成情報は、パラメータセットおよび／または送信時間長を含むことが分かる。パラメータセットは、サブキャリア間隔とサイクリックプレフィックス長とのパラメータセットである。非競合ランダムアクセス手順では、メッセージ1をネットワーク装置に送信するためにユーザ機器によって使用されるアップリンクBWPの構成情報は、ユーザ機器がアップリンクデータをネットワーク装置に送信するときに必要とされる構成情報と一致しない場合がある。したがって、ユーザ機器は、RARメッセージ内にあり、かつアップリンクBWPに対応するUL grantを使用することによりアップリンクデータを送信できず、RARメッセージ内にあり、かつアップリンクBWPに対応するUL grantを浪費する。
【０２４２】
例えば、プライマリサービングセルおよび1つのセカンダリサービングセルがユーザ機器のために構成され、セカンダリサービングセルのアップリンクで使用されるアップリンクタイミングアドバンスは、プライマリサービングセルのアップリンクで使用されるアップリンクタイミングアドバンスとは異なる。したがって、ユーザ機器がセカンダリサービングセルにおいてアップリンクデータを送信する必要がある場合、ユーザ機器はまず、ランダムアクセスを通じてセカンダリサービングセルにおいてアップリンク同期を実施する必要がある。この場合、セカンダリサービングセルおよびプライマリサービングセルは、異なるタイミングアドバンスグループ（timing advance group、TAG）に属する。セカンダリサービングセルでは、ネットワーク装置は、ユーザ機器のために2つのアップリンクBWPと2つのダウンリンクBWPとを構成し、構成された初期のアクティブなBWPはアップリンクBWP1およびダウンリンクBWP1である。アップリンクBWP1のサブキャリア間隔とサイクリックプレフィックス長とのパラメータセットは、サブキャリア間隔とサイクリックプレフィックス長とのパラメータセットAであり、アップリンクBWP2のサブキャリア間隔とサイクリックプレフィックス長とのパラメータセットは、サブキャリア間隔とサイクリックプレフィックス長とのパラメータセットBである。図2は、本出願の一実施形態によるアプリケーションシナリオのシグナリング図である。ステップS11において、ネットワーク装置は、MAC CEを使用することによって、ユーザ機器のために構成されたセカンダリサービングセルをアクティブ化する。この場合、セカンダリサービングセルのダウンリンクBWP1およびアップリンクBWP1がアクティブ化される。ステップS12において、ユーザ機器は、バッファ状態報告（buffer status report、BSR）メッセージをネットワーク装置に送信する。BSRメッセージは、サブキャリア間隔およびサイクリックプレフィックス長のものであり、かつ送信対象のデータに使用され得るパラメータセット、すなわちサブキャリア間隔とサイクリックプレフィックス長とのパラメータセットBを含むか示す。ステップS13において、ネットワーク装置は、BSRメッセージに基づいて、データを
送信するためにセカンダリサービングセルのアップリンクBWPを使用することを判定する。ステップS14において、ネットワーク装置は、物理ダウンリンク制御チャネル命令（physical downlink control channel order、PDCCH order）をユーザ機器に送信する。PDCCH orderは、セカンダリサービングセルのアップリンクBWP1でpreambleを送信するようにユーザ機器をトリガするために使用される。ステップS15において、ユーザ機器は、アップリンクBWP1でpreambleをネットワーク装置に送信する。ステップS16において、ネットワーク装置は、RARメッセージをユーザ機器に送信する。RARメッセージがUL grantを含み、UL grantがアップリンクBWP1に対応するUL grantである。しかしながら、この場合、ユーザ機器のデータがアップリンクBWP2でネットワーク装置に送信される必要がある。この場合、アップリンクBWP1の構成情報とアップリンクBWP2の構成情報とは一致しない。したがって、ユーザ機器は、RARメッセージのUL grantを使用することによりデータを送信できず、RARメッセージのUL grantを浪費する。
【０２４３】
本出願の実施形態で使用される用語は相互に参照されてもよく、詳細は繰り返し説明されないことに留意されたい。
【０２４４】
以下では、非競合ランダムアクセス手順をまず説明する。ランダムアクセス手順は、競合ベースのランダムアクセス手順および非競合ランダムアクセス手順を含み、非競合ランダムアクセス手順は、ネットワーク装置によるトリガに基づいてユーザ機器によって開始される。
【０２４５】
非競合ランダムアクセス手順の第1のケースでは、ネットワーク装置は、PDCCH orderを使用することにより、ランダムアクセスを開始するようにユーザ機器に命令する。例示的なシナリオでは、基地局側のダウンリンクデータがユーザ機器に送信される必要があるが、ユーザ機器はアップリンク同期を失う、または基地局が、SCellでアップリンクデータを送信するようにユーザ機器をスケジュールする必要があるが、ユーザ機器はSCellのアップリンクタイミングアドバンスを取得していない。図3は、本出願の一実施形態による非競合ランダムアクセス手順のシグナリング図1である。図3に示されるように、ステップS21において、ネットワーク装置は、PDCCH orderをユーザ機器に送信する。PDCCH orderは、ランダムアクセスを実行するようにユーザ機器をトリガするために使用され、PDCCH orderは、preambleとpreambleに対応する物理ランダムアクセスチャネル（physical random access channel、PRACH）の構成情報とを含む。このケースでは、ダウンリンクデータはユーザ機器に到着するが、ユーザ機器がアップリンク同期を実施していない、またはユーザ機器がセカンダリサービングセルにおいてアップリンク同期を実施する必要がある。ステップS22において、ユーザ機器は、PDCCH orderにより示されるPRACHでpreambleをネットワーク装置に送信する。preambleは、PDCCH orderに割り当てられたpreambleである。ステップS23において、ネットワーク装置は、RA−RNTIを使用することによりスクランブルされたPDCCHを使用することによりランダムRARメッセージをスケジュールする。ステップS24において、ネットワーク装置は、RARメッセージをユーザ機器に送信する。RARメッセージはUL grantを含む。ステップS25において、ユーザ機器は、UL grantを使用することによってアップリンクデータを送信する、つまりユーザ機器は、UL grantを使用することによってデータまたはシグナリングをネットワーク装置に送信する。
【０２４６】
非競合ランダムアクセス手順の第2のケースでは、ハンドオーバがユーザ機器によって要求される。図4は、本出願の一実施形態による非競合ランダムアクセス手順のシグナリング図2である。図4に示されるように、ステップS31において、ソースネットワーク装置は、ハンドオーバ要求をターゲットネットワーク装置に送信する。ステップS32において、ターゲットネットワーク装置は、確認応答メッセージをソースネットワーク装置に送信する。確認応答メッセージは、RRC接続再構成メッセージを含む。ステップS33において、ソースネットワーク装置は、RRC接続再構成メッセージをユーザ機器に送信する。RRC接続再構成メッセージは、ランダムアクセスを実行するようにユーザ機器をトリガするために使用され、RRC接続再構成メッセージは、preambleとpreambleに対応するPRACHの構成情報とを含む。ステップS34において、ユーザ機器は、RRC接続再構成メッセージによって示されるPRACHで、preambleをターゲットネットワーク装置に送信する。preambleは、RRC接続再構成メッセージで割り当てられたpreambleである。ステップS35において、ターゲットネットワーク装置は、RA−RNTIを使用することによりスクランブルされたPDCCHを使用することによりランダムRARメッセージをスケジュールし、ターゲットネットワーク装置は、RARメッセージをユーザ機器に送信する。RARメッセージはUL grantを含む。ステップS36において、ユーザ機器は、UL grantを使用することによってアップリンクデータを送信する、つまりユーザ機器は、UL grantを使用することによってデータまたはシグナリングをターゲットネットワーク装置に送信する。
【０２４７】
非競合ランダムアクセス手順の第3のケースでは、デュアルコネクティビティがユーザ機器のために構成される。図5は、本出願の一実施形態による非競合ランダムアクセス手順のシグナリング図3である。図5に示されるように、ステップS41において、プライマリネットワーク装置ノードは、セカンダリネットワーク装置ノードへの追加要求メッセージをセカンダリネットワーク装置ノードに送信する。S42において、セカンダリネットワーク装置ノードは、セカンダリネットワーク装置ノード追加要求確認応答メッセージをプライマリネットワーク装置ノードに送信する。S43において、プライマリネットワーク装置ノードは、RRC接続再構成メッセージをユーザ機器に送信する。S44において、ユーザ機器は、RRC接続再構成完了メッセージをプライマリネットワーク装置ノードに送信する。S45において、プライマリネットワーク装置ノードは、再構成完了メッセージをセカンダリネットワーク装置ノードに送信する。S46において、ユーザ機器は、RRC接続再構成メッセージによって示されるPRACHで、preambleをセカンダリネットワーク装置ノードに送信する。S47において、セカンダリネットワーク装置ノードは、RA−RNTIを使用することによりスクランブルされたPDCCHを使用することによりRARメッセージをスケジュールし、RARメッセージをユーザ機器に送信する。S48において、ユーザ機器は、UL grantを使用することによりアップリンクデータを送信する。
【０２４８】
以下、本出願の実施形態を説明する。まず、図3の非競合ランダムアクセス手順に基づいて、図1aに示すシナリオでは、本出願の実施形態の解決策は次の通りである。
【０２４９】
図6は、本発明の一実施形態によるランダムアクセスの方法の概略的な流れ図である。図6に示されるように、本方法は具体的には次のとおりである。
【０２５０】
101．ユーザ機器は、ネットワーク装置によって送信された制御シグナリングを受信し、制御シグナリングが、ランダムアクセス手順を実行するようにユーザ機器をトリガするために使用され、制御シグナリングがBWP識別子を含むか示す。
【０２５１】
任意の実装形態では、任意のサービングセルにおいてユーザ機器によって受信された制御シグナリングがBWP識別子を含む、または
任意のサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングがBWP識別子を含む、または
少なくとも1つのセカンダリサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０２５２】
本実施形態では、ネットワーク装置は、セカンダリサービングセルにおいてユーザ機器のために少なくとも1つのBWPを構成し、PRACHリソースは、少なくとも1つのBWPのそれぞれのために構成される。このケースでは、ユーザ機器はサービングセルにおいて動作する。換言すれば、ユーザ機器は、サービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０２５３】
ネットワーク装置は、制御シグナリングをユーザ機器に送信する。制御シグナリングは、シグナリングまたは信号であり得、制御シグナリングは、ランダムアクセス手順を実行するようにユーザ機器をトリガするために使用される。加えて、制御シグナリングはBWP識別子を含む、または制御シグナリングはBWP識別子を示す。
【０２５４】
加えて、ユーザ機器は、次の方法を使用することによって、受信した制御シグナリングがBWP識別子を含むか否かを判定することができる。クロスキャリアスケジューリングがユーザ機器で利用不可能であってもよいし、クロスキャリアスケジューリングがユーザ機器で利用可能であってもよい。
【０２５５】
第1の方式では、任意のサービングセルにおいてユーザ機器によって受信された制御シグナリングは、BWP識別子を常に含む。
【０２５６】
第2の方式では、少なくとも2つのアップリンクBWPが任意のセカンダリサービングセルにおいてユーザ機器のために構成され、ランダムアクセスチャネルが少なくとも2つのアップリンクBWPのそれぞれのために構成される。この場合、任意のサービングセルにおいてユーザ機器によって受信された制御シグナリングは、BWP識別子を含む。場合により、端末装置がセカンダリサービングセルにおいて動作する場合、端末装置のセカンダリサービングセルとプライマリサービングセルとは異なるTAGに属する。少なくとも2つのアップリンクBWPが任意のセカンダリサービングセルにおいてユーザ機器のために構成され、ランダムアクセスチャネルが少なくとも2つのアップリンクBWPのうちの1つのみのために構成される。この場合、任意のサービングセルにおいてユーザ機器によって受信された制御シグナリングは、BWP識別子を含まない。場合により、端末装置がセカンダリサービングセルにおいて動作する場合、端末装置のセカンダリサービングセルとプライマリサービングセルとは異なるTAGに属する。
【０２５７】
第3の方式では、端末装置がプライマリサービングセルにおいて動作する場合、プライマリサービングセルにおいてユーザ機器によって受信された制御シグナリングは、BWP識別子を含まない。端末装置がセカンダリサービングセルにおいて動作する場合、セカンダリサービングセルにおいてユーザ機器によって受信された制御シグナリングは、BWP識別子を含む。場合により、端末装置のセカンダリサービングセルとプライマリサービングセルとは異なるTAGに属する。
【０２５８】
第4の方式では、端末装置がプライマリサービングセルにおいて動作する場合、プライマリサービングセルにおいてユーザ機器によって受信された制御シグナリングは、BWP識別子を含まない。少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。この場合、少なくとも1つのセカンダリサービングセルにおいてユーザ機器によって受信された制御シグナリングは、BWP識別子を含む。場合により、端末装置の少なくとも1つのセカンダリサービングセルとプライマリサービングセルとは異なる時間TAGに属する。少なくとも2つのアップリンクBWPが少なくとも1つのセカンダリサービングセルにおいてユーザ機器のために構成され、ランダムアクセスチャネルが少なくとも2つのアップリンクBWPのうちの1つのみのために構成される。この場合、少なくとも1つのセカンダリサービングセルにおいてユーザ機器によって受信された制御シグナリングは、BWP識別子を含む。場合により、端末装置の少なくとも1つのセカンダリサービングセルとプライマリサービングセルとは異なる時間TAGに属する。
【０２５９】
102．ユーザ機器は、制御シグナリングに基づいてランダムアクセス手順を開始する。
【０２６０】
本実施形態では、ユーザ機器は、BWP識別子に基づいてネットワーク装置へのランダムアクセスを実行する。
【０２６１】
図7は、本発明の一実施形態によるランダムアクセスの方法のシグナリング図である。図7に示されるように、本方法は具体的には次のとおりである。
【０２６２】
S51．ネットワーク装置は、制御シグナリングをユーザ機器に送信し、制御シグナリングが、ランダムアクセス手順を実行するようにユーザ機器をトリガするために使用され、制御シグナリングがBWP識別子を含むか示す。
【０２６３】
S52．ユーザ機器は、制御シグナリングに基づいてランダムアクセス手順を開始する。
【０２６４】
ここで、図6のステップ101は、ステップS51で実施される。S52については、図6のステップ102を参照されたい。詳細は繰り返し説明されない。
【０２６５】
本実施形態では、ユーザ機器は、ネットワーク装置によって送信された制御シグナリングを受信し、制御シグナリングが、ランダムアクセス手順を実行するようにユーザ機器をトリガするために使用され、制御シグナリングがBWP識別子を含むか示し、ユーザ機器は、制御シグナリングに基づいてランダムアクセス手順を開始する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０２６６】
図8は、本発明の一実施形態による別のランダムアクセスの方法の概略的な流れ図である。図8に示されるように、本方法は具体的には次のとおりである。
【０２６７】
201．ユーザ機器は、ネットワーク装置によって送信されたPDCCH orderを受信し、PDCCH orderは、ランダムアクセス手順を実行するようにユーザ機器をトリガするために使用され、PDCCH orderはBWP識別子を含むか示す。
【０２６８】
本実施形態では、ネットワーク装置は、セカンダリサービングセルにおいてユーザ機器のために少なくとも1つのアップリンクBWPを構成し、PRACHリソースは、少なくとも1つのアップリンクBWPのそれぞれのために構成される。このケースでは、ユーザ機器はサービングセルにおいて動作する。換言すれば、ユーザ機器は、サービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０２６９】
ネットワーク装置は、PDCCH orderをユーザ機器に送信する。PDCCH orderは、ランダムアクセス手順を実行するようにユーザ機器をトリガするために使用される。加えて、PDCCH orderはBWP識別子を含む、またはPDCCH orderはBWP識別子を示す。さらに、BWP識別子に対応するBWPは、アップリンクBWP、ダウンリンクBWP、またはアップリンクBWPとダウンリンクBWPとのペアであり得る。
【０２７０】
この場合、ユーザ機器は、サービングセルにおいてアクティブなダウンリンクBWPを有し、ユーザ機器は、現在のサービングセルのダウンリンクBWPでPDCCH orderを受信することができる。あるいは、ユーザ機器は、現在のサービングセルをスケジュールするために使用される別のサービングセルのダウンリンクBWPでPDCCH orderを受信することができる。この場合、PDCCH orderは、現在のサービングセルのセルインデックス（CellIndex）を含む。
【０２７１】
202．ユーザ機器は、BWP識別子に対応するBWPでランダムアクセス手順を開始する。
【０２７２】
本実施形態では、ユーザ機器は、BWP識別子に対応するBWPでネットワーク装置へのランダムアクセス手順を開始する。
【０２７３】
任意の実装形態では、ステップ202の次の実装形態がある。
【０２７４】
ステップ202の第1の実装形態では、BWP識別子に対応するBWPがアップリンクBWPであり、ステップ202は次のステップを特に含む。
【０２７５】
2021a．ユーザ機器は、アップリンクBWPでランダムアクセスプリアンブルをネットワーク装置に送信する。
【０２７６】
2022a．ユーザ機器は、ネットワーク装置によって送信された第1のRARメッセージを受信し、第1のRARメッセージが第1のUL grantを含む。
【０２７７】
2023a．ユーザ機器は、アップリンクBWPでアップリンク伝送を実行し、アップリンク伝送に使用される物理リソースは、第1のUL grantによって示される物理リソースである。
【０２７８】
本実施形態では、制御シグナリングによって保護または示されたBWP識別子のBWPは、アップリンクBWPである。この場合、ステップ101の後、ユーザ機器は、アップリンクBWPでランダムアクセスプリアンブルをネットワーク装置に送信する。次に、ネットワーク装置は第1のRARメッセージをユーザ機器に送信し、第1のRARメッセージは第1のUL grantを含み、第1のUL grantはアップリンクBWPに対応するUL grantである。次に、ユーザ機器は、第1のUL grantによって示された物理リソースを使用することにより、アップリンクBWPでデータまたはシグナリングをネットワーク装置に送信する。
【０２７９】
ステップ202の第2の実装形態では、BWP識別子に対応するBWPは、アップリンクBWPとダウンリンクBWPとを含むBWPペアであり、ステップ202は、次のステップを特に含む。
【０２８０】
2021b．ユーザ機器は、BWPのアップリンクBWPでランダムアクセスプリアンブルをネットワーク装置に送信する。
【０２８１】
2022b．ユーザ機器は、ネットワーク装置によって送信された第2のRARメッセージを受信し、第2のRARメッセージが第2のUL grantを含む。
【０２８２】
2023b．ユーザ機器は、BWPのアップリンクBWPで伝送を実行し、伝送に使用される物理リソースは、第2のUL grantによって示される物理リソースである。
【０２８３】
任意の実装形態では、ステップ202の前に、本方法はステップ203をさらに含むことができる。
【０２８４】
203．ユーザ機器は、BWP識別子に対応するBWPをアクティブ化する。
【０２８５】
本実施形態では、ユーザ機器がBWP識別子に対応するBWPをアクティブ化する必要があるか否かに関して3つのケースがある。
【０２８６】
第1のケースでは、ユーザ機器がPDCCH orderを受信すると、ユーザ機器が現在のサービングセルにおいてアクティブなBWPを持たない場合、ユーザ機器はBWP識別子に対応するBWPをアクティブ化する必要がある。
【０２８７】
第2のケースでは、ユーザ機器がPDCCH orderを受信すると、現在の第1のサービングセルにおけるユーザ機器のアクティブなアップリンクBWPが別のBWPである場合、ユーザ機器はBWP識別子に対応するBWPに切り替える、換言すれば、ユーザ機器は別のBWPを非アクティブ化し、BWP識別子に対応するBWPをアクティブ化する。
【０２８８】
第3のケースでは、ユーザ機器がPDCCH orderを受信すると、現在の第1のサービングセルにおけるユーザ機器のアクティブなアップリンクBWPがBWP識別子に対応するBWPである場合、ユーザ機器はBWPの切り替えを実行する必要がない。
【０２８９】
このステップでは、第1のケースまたは第2のケースにおいて、ユーザ機器はBWP識別子に対応するBWPをアクティブ化する必要がある。
【０２９０】
本実施形態では、制御シグナリングによって保護または示されたBWP識別子のBWPは、アップリンクBWPとダウンリンクBWPとを含むBWPペアである。この場合、ステップ101の後、ユーザ機器は、BWPのアップリンクBWPでランダムアクセスプリアンブルをネットワーク装置に送信する。ネットワーク装置はユーザ機器からの第2のRARメッセージを受信し、第2のRARメッセージは第2のUL grantを含み、第2のUL grantはBWPのアップリンクBWPに対応するUL grantである。ユーザ機器は、第2のUL grantによって示された物理リソースを使用することにより、BWPのアップリンクBWPでデータまたはシグナリングをネットワーク装置に送信する。
【０２９１】
図9は、本発明の一実施形態による別のランダムアクセスの方法のシグナリング図1である。図9に示されるように、本方法は具体的には次のとおりである。
【０２９２】
S61a．ネットワーク装置は、PDCCH orderをユーザ機器に送信し、PDCCH orderは、ランダムアクセス手順を実行するようにユーザ機器をトリガするために使用され、PDCCH orderはBWP識別子を含むか示し、BWP識別子に対応するBWPがアップリンクBWPである。
【０２９３】
S62a．ユーザ機器は、アップリンクBWPでランダムアクセスプリアンブルをネットワーク装置に送信する。
【０２９４】
S63a．ネットワーク装置は、第1のRARメッセージをユーザ機器に送信し、第1のRARメッセージは第1のUL grantを含む。
【０２９５】
S64a．ユーザ機器は、アップリンクBWPでアップリンク伝送を実行し、アップリンク伝送に使用される物理リソースは、第1のUL grantによって示される物理リソースである。
【０２９６】
ここで、ステップS61aからS64aは、図8のステップ201およびステップ202の第1の実装形態である。詳細は繰り返し説明されない。
【０２９７】
図10は、本発明の一実施形態による別のランダムアクセスの方法のシグナリング図2である。図10に示されるように、本方法は具体的には次のとおりである。
【０２９８】
S61b．ネットワーク装置は、PDCCH orderをユーザ機器に送信し、PDCCH orderは、ランダムアクセス手順を実行するようにユーザ機器をトリガするために使用され、PDCCH orderはBWP識別子を含むか示し、BWP識別子に対応するBWPがアップリンクBWPとダウンリンクBWPとを含むBWPペアである。
【０２９９】
S62b．ユーザ機器は、BWPのアップリンクBWPでランダムアクセスプリアンブルをネットワーク装置に送信する。
【０３００】
S63b．ネットワーク装置は、第2のRARメッセージをユーザ機器に送信し、第2のRARメッセージは第2のUL grantを含む。
【０３０１】
S64b．ユーザ機器は、BWPのアップリンクBWPで伝送を実行し、伝送に使用される物理リソースは、第2のUL grantによって示される物理リソースである。
【０３０２】
ここで、ステップS61bからS64bは、図8のステップ201およびステップ202の第2の実装形態である。詳細は繰り返し説明されない。
【０３０３】
本実施形態では、ユーザ機器は、ネットワーク装置によって送信された制御シグナリングを受信し、制御シグナリングが、ランダムアクセス手順を実行するようにユーザ機器をトリガするために使用され、制御シグナリングがBWP識別子を含むか示し、ユーザ機器は、制御シグナリングに基づいてランダムアクセス手順を開始する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０３０４】
図11は、本発明の一実施形態による別のランダムアクセスの方法の概略的な流れ図である。図11に示されるように、本方法は具体的には次のとおりである。
【０３０５】
301．ネットワーク装置は、制御シグナリングをユーザ機器に送信し、制御シグナリングが、ランダムアクセス手順を実行するようにユーザ機器をトリガするために使用され、制御シグナリングがBWP識別子を含むか示す。
【０３０６】
任意の実装形態では、制御シグナリングはPDCCH orderである。
【０３０７】
任意の実装形態では、BWPはアップリンクBWPである、またはBWP識別子に対応するBWPが、アップリンクBWPとダウンリンクBWPとを含むBWPペアである。
【０３０８】
本実施形態で提供される方法については、図6から図10の方法を参照されたい。詳細は繰り返し説明されない。
【０３０９】
図12は、本発明の一実施形態による別のランダムアクセスの方法の概略的な流れ図である。図12に示されるように、本方法は具体的には次のとおりである。
【０３１０】
401．ユーザ機器は、ネットワーク装置によって送信されたRARメッセージを受信し、RARメッセージがBWP識別子を含むか示す。
【０３１１】
本実施形態では、非競合ランダムアクセス手順において、ネットワーク装置がRARメッセージをユーザ機器に送信する。RARメッセージがBWP識別子を含む、またはRARメッセージがBWP識別子を示す。
【０３１２】
402．ユーザ機器は、BWP識別子に対応する第1のBWPでアップリンク伝送を実行する。
【０３１３】
本実施形態では、ユーザ機器は、BWP識別子に対応する第1のBWPでデータまたはシグナリングをネットワーク装置に送信する。
【０３１４】
図13は、本発明の一実施形態による別のランダムアクセスの方法のシグナリング図である。図13に示されるように、本方法は具体的には次のとおりである。
【０３１５】
S71．ネットワーク装置は、RARメッセージをユーザ機器に送信し、RARメッセージがBWP識別子を含むか示す。
【０３１６】
S72．ユーザ機器は、BWP識別子に対応する第1のBWPでアップリンク伝送を実行する。
【０３１７】
ここで、図12のステップ401は、ステップS71で実施される。S72については、図12のステップ402を参照されたい。詳細は繰り返し説明されない。
【０３１８】
本実施形態では、ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０３１９】
図14は、本発明の一実施形態による別のランダムアクセスの方法の概略的な流れ図である。図14に示されるように、本方法は具体的には次のとおりである。
【０３２０】
501．ユーザ機器は、ネットワーク装置によって送信された制御シグナリングを受信し、制御シグナリングが、ランダムアクセス手順を実行するようにユーザ機器をトリガするために使用され、制御シグナリングが第2のBWPの識別子を含む。
【０３２１】
任意の実装形態では、制御シグナリングはPDCCH orderである。
【０３２２】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０３２３】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０３２４】
本実施形態では、少なくとも1つのサービングセルがユーザ機器のために構成され、少なくとも1つのサービングセルが第1のサービングセルを含む。ユーザ機器は、第1のサービングセルにおいて、ネットワーク装置によって送信された制御シグナリングを受信する。
【０３２５】
本実施形態では、ネットワーク装置は、第1のサービングセルにおいてユーザ機器のために少なくとも1つのBWPを構成し、PRACHリソースは、少なくとも1つのBWPのうちのいくつかのためだけに構成される。このケースでは、ユーザ機器は第1のサービングセルにおいて動作する。換言すれば、ユーザ機器は、第1のサービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０３２６】
ネットワーク装置は、制御シグナリングをユーザ機器に送信する。制御シグナリングは、シグナリングまたは信号であり得、制御シグナリングは、ランダムアクセス手順を実行するようにユーザ機器をトリガするために使用される。加えて、制御シグナリングはBWP識別子を含む、または制御シグナリングはBWP識別子を示す。さらに、制御シグナリングはPDCCH orderであり、BWP識別子に対応するBWPは、アップリンクBWP、ダウンリンクBWP、またはアップリンクBWPとダウンリンクBWPとのペアであり得る。この場合、ユーザ機器は、第1のサービングセルにおいてアクティブなダウンリンクBWPを有し、ユーザ機器は、第1のサービングセルのダウンリンクBWPでPDCCH orderを受信することができる。あるいは、ユーザ機器は、第1のサービングセルをスケジュールするために使用される第2のサービングセルのダウンリンクBWPでPDCCH orderを受信することができる。この場合、PDCCH orderは、現在のサービングセルのセルインデックスを含む。
【０３２７】
加えて、ユーザ機器は、次の方法を使用することによって、受信した制御シグナリングがBWP識別子を含むか否かを判定することができる。クロスキャリアスケジューリングがユーザ機器で利用不可能であってもよいし、クロスキャリアスケジューリングがユーザ機器で利用可能であってもよい。
【０３２８】
第1の方式では、任意のサービングセルにおいてユーザ機器によって受信された制御シグナリングは第2のBWPの識別子を常に含む。
【０３２９】
第2の方式では、少なくとも2つのアップリンクBWPが任意のセカンダリサービングセルにおいてユーザ機器のために構成され、ランダムアクセスチャネルが少なくとも2つのアップリンクBWPのそれぞれのために構成される。この場合、任意のサービングセルにおいてユーザ機器によって受信された制御シグナリングは、第2のBWPの識別子を含む。場合により、端末装置がセカンダリサービングセルにおいて動作する場合、端末装置のセカンダリサービングセルとプライマリサービングセルとは異なるTAGに属する。少なくとも2つのアップリンクBWPが任意のセカンダリサービングセルにおいてユーザ機器のために構成され、ランダムアクセスチャネルが少なくとも2つのアップリンクBWPのうちの1つのみのために構成される。この場合、任意のサービングセルにおいてユーザ機器によって受信された制御シグナリングは、第2のBWPの識別子を含まない。場合により、端末装置がセカンダリサービングセルにおいて動作する場合、端末装置のセカンダリサービングセルとプライマリサービングセルとは異なるTAGに属する。
【０３３０】
第3の方式では、端末装置がプライマリサービングセルにおいて動作する場合、プライマリサービングセルにおいてユーザ機器によって受信される制御シグナリングは、第2のBWPの識別子を含まない。端末装置がセカンダリサービングセルにおいて動作する場合、セカンダリサービングセルにおいてユーザ機器によって受信された制御シグナリングは、第2のBWPの識別子を含む。場合により、端末装置のセカンダリサービングセルとプライマリサービングセルとは異なるTAGに属する。
【０３３１】
第4の方式では、端末装置がプライマリサービングセルにおいて動作する場合、プライマリサービングセルにおいてユーザ機器によって受信された制御シグナリングは、第2のBWPの識別子を含まない。少なくとも2つのアップリンクBWPは、少なくとも1つのセカンダリサービングセルにおいてユーザ機器のために構成され、ランダムアクセスチャネルは、少なくとも2つのアップリンクBWPのそれぞれのために構成される。この場合、少なくとも1つのセカンダリサービングセルにおいてユーザ機器によって受信された制御シグナリングは、第2のBWPの識別子を含む。場合により、端末装置の少なくとも1つのセカンダリサービングセルとプライマリサービングセルとは異なる時間TAGに属する。少なくとも2つのアップリンクBWPが少なくとも1つのセカンダリサービングセルにおいてユーザ機器のために構成され、ランダムアクセスチャネルが少なくとも2つのアップリンクBWPのうちの1つのみのために構成される。この場合、少なくとも1つのセカンダリサービングセルにおいてユーザ機器によって受信された制御シグナリングは、第2のBWPの識別子を含む。場合により、端末装置の少なくとも1つのセカンダリサービングセルとプライマリサービングセルとは異なる時間TAGに属する。
【０３３２】
502．ユーザ機器が第2のBWPをアクティブ化する。
【０３３３】
本実施形態では、ユーザ機器が第2のBWPをアクティブ化する必要があるか否かに関して3つのケースがある。
【０３３４】
第1のケースでは、ユーザ機器がPDCCH orderを受信すると、ユーザ機器が現在のサービングセルにおいてアクティブなBWPを持たない場合、ユーザ機器は第2のBWPをアクティブ化する必要がある。
【０３３５】
第2のケースでは、ユーザ機器がPDCCH orderを受信すると、現在の第1のサービングセルにおけるユーザ機器のアクティブなアップリンクBWPが別のBWPである場合、ユーザ機器は第2のBWPに切り替える、換言すれば、ユーザ機器は別のBWPを非アクティブ化し、第2のBWPをアクティブ化する。
【０３３６】
第3のケースでは、ユーザ機器がPDCCH orderを受信すると、現在の第1のサービングセルにおけるユーザ機器のアクティブなアップリンクBWPが第2のBWPである場合、ユーザ機器はBWPの切り替えを実行する必要がない。
【０３３７】
このステップでは、第1のケースまたは第2のケースにおいて、ユーザ機器は第2のBWPをアクティブ化する必要がある。
【０３３８】
503．ユーザ機器は、第2のBWPでランダムアクセスプリアンブルをネットワーク装置に送信する。
【０３３９】
本実施形態では、ユーザ機器は、第2のBWPでランダムアクセスプリアンブルpreambleをネットワーク装置に送信する。
【０３４０】
504．ユーザ機器は、ネットワーク装置によって送信されたRARメッセージを受信し、RARメッセージがUL grantを含み、UL grantがBWP識別子を含むか示す。
【０３４１】
本実施形態では、ネットワーク装置は、RARメッセージをユーザ機器に送信する。RARメッセージがUL grantを含み、RARメッセージがBWP識別子を含む、またはRARメッセージがBWP識別子を示す。具体的には、RARメッセージのUL grantがBWP識別子を含む、またはRARメッセージのUL grantがBWP識別子を示す。あるいは、BWP識別子がRARメッセージの情報フィールドとしてRARメッセージに直接含まれる。
【０３４２】
任意の実装形態では、ステップ504の次の実装形態がある。
【０３４３】
ステップ504の第1の実装形態では、第1のBWPおよび第2のBWPはアップリンクBWPであり、第1のBWPと第2のBWPとは同じBWPであってもよいし、異なるBWPであってもよい。ステップ504は、
ユーザ機器によって、ネットワーク装置によって送信されたRARメッセージを、第3のBWPで受信するステップであって、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、ステップ
を特に含む。
【０３４４】
本実施形態では、第1のBWPはアップリンクBWPであり、第2のBWPもまたアップリンクBWPである。この場合、第1のBWPと第2のBWPとは同じBWPであってもよいし、異なるBWPであってもよい。ステップ504において、ユーザ機器は、ネットワーク装置によって送信されたRARメッセージを、第3のBWPで受信し、第3のBWPがダウンリンクBWPである。
【０３４５】
ステップ504の第2の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ504は、
ユーザ機器によって、ネットワーク装置によって送信されたRARメッセージを、第2のBWPのアップリンクBWPで受信するステップ
を特に含む。
【０３４６】
本実施形態では、第1のBWPは、アップリンクBWPとダウンリンクBWPとを含むBWPペアであり、第2のBWPは、アップリンクBWPとダウンリンクBWPとを含むBWPペアである。加えて、第1のBWPと第2のBWPとは同じBWPであってもよいし、異なるBWPであってもよい。ステップ504において、ユーザ機器は、第2のBWPのアップリンクBWPで、ネットワーク装置によって送信されたRARメッセージを受信する。
【０３４７】
ステップ504の第3の実装形態では、ユーザ機器は、ネットワーク装置によって送信されたRARメッセージを、第4のBWPで受信し、第4のBWPがアップリンクBWPとダウンリンクBWPとを含むBWPペアである。
【０３４８】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０３４９】
任意の実装形態では、第4のBWPが、ユーザ機器が第1のサービングセルにおいて制御シグナリングを受信するときに使用されるBWPである場合、ステップ503の後に、本方法はステップ507、すなわちユーザ機器が第4のBWPをアクティブ化し、第2のBWPを非アクティブ化するステップをさらに含む。
【０３５０】
本実施形態では、第4のBWPが提供される。場合により、第4のBWPは、アップリンクBWPとダウンリンクBWPとを含むBWPペアである。ユーザ機器はまず第4のBWPに切り替える必要がある、換言すれば、ユーザ機器は第4のBWPをアクティブ化し、第2のBWPを非アクティブ化する。次に、ユーザ機器は、ネットワーク装置によって送信されたRARメッセージを、第4のBWPで受信することができる。
【０３５１】
505．ユーザ機器は、BWP識別子に対応する第1のBWPをアクティブ化する。
【０３５２】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０３５３】
本実施形態では、ユーザ機器が第1のBWPをアクティブ化する必要があるか否かに関して3つのケースがある。
【０３５４】
第1のケースでは、BWP識別子が第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０３５５】
第2のケースでは、BWP識別子が第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０３５６】
このステップでは、第2のケースにおいて、ユーザ機器はBWP識別子に対応する第1のBWPをアクティブ化する必要がある。場合により、第1のBWPが、第1のサービングセルにおけるユーザ機器の初期のアクティブなBWPである、または第1のBWPが、第1のサービングセルにおけるユーザ機器の第1のアクティブなBWPである、または第1のBWPが、第1のサービングセルにおけるユーザ機器のデフォルトのBWPである、または第1のBWPが、ユーザ機器のためにネットワーク装置によって構成されたBWPであり、第1のBWPが、第1のサービングセルにおいてランダムアクセスを実行するためにユーザ機器によって使用される、または第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または第1のBWPが、ユーザ機器がランダムアクセスを実行するときにアクティブ化されるBWPである、または第1のBWPが、ユーザ機器が非競合ランダムアクセスを実行するときにアクティブ化されるBWPである。
【０３５７】
初期のアクティブなBWP（initial BWP）は、アイドルモードのユーザ機器のinitial BWP（1）であってもよいし、ユーザ機器がコネクテッドモードのときにユーザ機器のためにネットワーク装置によって構成されたinitial BWP（2）であってもよい。（1）の場合、initial BWPは、サービングセルにおけるユーザ機器のセル定義同期信号ブロック（cell defining SS block）によって示される、またはそれに関連付けられたシステム情報において構成されたBWPである。（2）の場合、initial BWPは、ユーザ機器のサービングセルの共通構成情報要素においてネットワーク装置によって構成されたBWPである。初期アップリンク帯域幅部分は、セル定義アップリンク帯域幅部分と呼ばれることもある。
【０３５８】
第1のアクティブなBWP（First Active UL BWP）は、ユーザ機器のサービングセルのものであり、かつサービングセルがアクティブ化されるときにアクティブ化される第1のアップリンクBWPであり、サービングセルの専用構成情報要素においてネットワーク装置によって構成される。
【０３５９】
デフォルトのBWP（default BWP）は、ユーザ機器に送信対象のアップリンクデータおよび／または受信対象のダウンリンクデータが一定期間なかった場合の後に、ユーザ機器がフォールバックするアクティブなアップリンクBWPであり、サービングセルのセル専用の構成情報要素においてネットワーク装置によって構成される。第1のBWPが、ユーザ機器がランダムアクセスを実行するときにアクティブ化されるBWPである場合、本明細書における「ランダムアクセス」は、以下ケースのうちのいずれか1つを指す。
【０３６０】
（1）ユーザ機器は、ユーザ機器のMACエンティティがランダムアクセス手順をトリガすること、ユーザ機器のRRC層がランダムアクセス手順をトリガすること、ユーザ機器がネットワーク装置によって送信されたPDCCH orderを受信し、ランダムアクセス手順をトリガすること、またはユーザ機器がネットワーク装置によって送信されたRRCシグナリングを受信し、ランダムアクセス手順をトリガすることを含む、ランダムアクセス手順を開始する。（2）ユーザ機器はランダムアクセス手順を実行することを開始する。（3）ユーザ機器は、ランダムアクセス応答メッセージを監視するために使用されるウィンドウを開くことを開始する。（4）ユーザ機器は、ランダムアクセスプリアンブルおよびランダムアクセスチャネルを選択する。（5）ユーザ機器はランダムアクセスプリアンブルを送信する。（6）ユーザ機器は、ランダムアクセスプリアンブルの送信を完了する。
【０３６１】
506．ユーザ機器は、BWP識別子に対応する第1のBWPでアップリンク伝送を実行し、アップリンク伝送に使用される物理リソースは、UL grantによって示される物理リソースである。
【０３６２】
本実施形態では、ユーザ機器は、RARメッセージのUL grantによって示された物理リソースを使用することによって、ネットワーク装置によって示された第1のBWPで、データまたは命令をネットワーク装置に送信する。
【０３６３】
図15は、本発明の一実施形態による別のランダムアクセスの方法のシグナリング図である。図15に示されるように、本方法は具体的には次のとおりである。
【０３６４】
S81．ネットワーク装置は、制御シグナリングをユーザ機器に送信し、制御シグナリングが、ランダムアクセス手順を実行するようにユーザ機器をトリガするために使用され、制御シグナリングが第2のBWPの識別子を含む。
【０３６５】
任意の実装形態では、制御シグナリングはPDCCH orderである。
【０３６６】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０３６７】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０３６８】
S82．ユーザ機器は第2のBWPをアクティブ化する。
【０３６９】
S83．ユーザ機器は、第2のBWPでランダムアクセスプリアンブルをネットワーク装置に送信する。
【０３７０】
S84．ネットワーク装置は、RARメッセージをユーザ機器に送信し、RARメッセージがUL grantを含み、UL grantがBWP識別子を含むか示す。
【０３７１】
S85．ユーザ機器は、BWP識別子に対応する第1のBWPをアクティブ化する。
【０３７２】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０３７３】
S86．ユーザ機器は、BWP識別子に対応する第1のBWPでアップリンク伝送を実行し、アップリンク伝送に使用される物理リソースは、UL grantによって示される物理リソースである。
【０３７４】
ここで、図14のステップ501から506は、ステップS81からS86で実施される。詳細は繰り返し説明されない。
【０３７５】
本実施形態では、ネットワーク装置は、制御シグナリングをユーザ機器に送信し、制御シグナリングは、ランダムアクセス手順を実行するようにユーザ機器をトリガするために使用され、制御シグナリングは第2のBWPの識別子を含み、ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、第2のBWPのものであり、かつネットワーク装置によって示される識別子に基づいて、ランダムアクセスプリアンブルをネットワーク装置に送信することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０３７６】
図16は、本発明の一実施形態による別のランダムアクセスの方法の概略的な流れ図である。図16に示されるように、本方法は具体的には次のとおりである。
【０３７７】
601．ネットワーク装置は、制御シグナリングをユーザ機器に送信し、制御シグナリングが、ランダムアクセス手順を実行するようにユーザ機器をトリガするために使用され、制御シグナリングが第2のBWPの識別子を含む。
【０３７８】
任意の実装形態では、制御シグナリングはPDCCH orderである。
【０３７９】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０３８０】
602．ネットワーク装置は、RARメッセージをユーザ機器に送信し、RARメッセージがBWP識別子を含むか示し、BWP識別子が第1のBWPに対応する。
【０３８１】
任意の実装形態では、RARメッセージがUL grantを含み、UL grantがBWP識別子を含むか示す。
【０３８２】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０３８３】
任意の実装形態では、第1のBWPおよび第2のBWPはアップリンクBWPであり、第1のBWPと第2のBWPとは同じBWPであってもよいし、異なるBWPであってもよい。
【０３８４】
任意の実装形態では、ステップ602は、ネットワーク装置によって、第3のBWPでRARメッセージをユーザ機器に送信するステップであって、第3のBWPがダウンリンクBWPである、ステップを特に含む。
【０３８５】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０３８６】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ602は、ネットワーク装置によって、第2のBWPのアップリンクBWPでユーザ機器にRARメッセージを送信するステップを特に含む。
【０３８７】
任意の実装形態では、ステップ602は、ネットワーク装置によって、第4のBWPでRARメッセージをユーザ機器に送信するステップであって、第4のBWPがアップリンクBWPとダウンリンクBWPとを含むBWPペアである、ステップを特に含む。
【０３８８】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０３８９】
本実施形態で提供される方法については、図12から図15の方法を参照されたい。詳細は繰り返し説明されない。
【０３９０】
図17は、本発明の一実施形態による別のランダムアクセスの方法の概略的な流れ図である。図17に示されるように、本方法は具体的には次のとおりである。
【０３９１】
701．ユーザ機器は、ネットワーク装置によって送信された制御シグナリングを受信し、制御シグナリングが、ランダムアクセス手順を実行するようにユーザ機器をトリガするために使用され、制御シグナリングが第2のBWPの識別子を含む。
【０３９２】
任意の実装形態では、制御シグナリングはPDCCH orderである。
【０３９３】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０３９４】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０３９５】
本実施形態では、このステップについては、図14のステップ501を参照されたい。詳細は繰り返し説明されない。
【０３９６】
702．ユーザ機器が第2のBWPをアクティブ化する。
【０３９７】
本実施形態では、このステップについては、図14のステップ502を参照されたい。詳細は繰り返し説明されない。
【０３９８】
703．ユーザ機器は、第2のBWPでランダムアクセスプリアンブルをネットワーク装置に送信する。
【０３９９】
本実施形態では、このステップについては、図14のステップ503を参照されたい。詳細は繰り返し説明されない。
【０４００】
704．ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれる。
【０４０１】
任意の実装形態では、第1のBWPおよび第2のBWPはアップリンクBWPであり、第1のBWPと第2のBWPとは同じBWPであってもよいし、異なるBWPであってもよい。ステップ704は、ユーザ機器によって、ネットワーク装置によって送信されたRARメッセージを、第3のBWPで受信するステップであって、第3のBWPがダウンリンクBWPである、ステップを特に含む。
【０４０２】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０４０３】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ704は、
ユーザ機器によって、ネットワーク装置によって送信されたRARメッセージを、第2のBWPのアップリンクBWPで受信するステップ
を特に含む。
【０４０４】
任意の実装形態では、ステップ704は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０４０５】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０４０６】
任意の実装形態では、第4のBWPが、ユーザ機器が第1のサービングセルにおいて制御シグナリングを受信するときに使用されるBWPである場合、ステップ703の後に、本方法はステップ707、すなわちユーザ機器が第4のBWPをアクティブ化し、第2のBWPを非アクティブ化するステップをさらに含む。
【０４０７】
705．ユーザ機器は、BWP識別子に対応する第1のBWPをアクティブ化する。
【０４０８】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４０９】
本実施形態では、ユーザ機器が第1のBWPをアクティブ化する必要があるか否かに関して3つのケースがある。
【０４１０】
第1のケースでは、BWP識別子が第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０４１１】
第2のケースでは、BWP識別子が第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０４１２】
このステップでは、第2のケースにおいて、ユーザ機器はBWP識別子に対応する第1のBWPをアクティブ化する必要がある。場合により、第1のBWPが、第1のサービングセルにおけるユーザ機器の初期のアクティブなBWPである、または第1のBWPが、第1のサービングセルにおけるユーザ機器の第1のアクティブなBWPである、または第1のBWPが、第1のサービングセルにおけるユーザ機器のデフォルトのBWPである、または第1のBWPが、ユーザ機器のためにネットワーク装置によって構成されたBWPであり、第1のBWPが、第1のサービングセルにおいてランダムアクセスを実行するためにユーザ機器によって使用される、または第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または第1のBWPが、ユーザ機器がランダムアクセスを実行するときにアクティブ化されるBWPである、または第1のBWPが、ユーザ機器が非競合ランダムアクセスを実行するときにアクティブ化されるBWPである。
【０４１３】
加えて、第2のケースでは、RARメッセージが受信されたとユーザ機器が判定した後に、preambleのものであり、かつRARメッセージに含まれている識別子がユーザ機器によって送信されたpreambleの識別子であると判定したときに、ユーザ機器は第1のBWPに切り替える必要がある。
【０４１４】
706．ユーザ機器は、BWP識別子に対応する第1のBWPでアップリンク伝送を実行し、アップリンク伝送に使用される物理リソースは、UL grantによって示される物理リソースである。
【０４１５】
本実施形態では、このステップについては、図14のステップ506を参照されたい。詳細は繰り返し説明されない。
【０４１６】
図18は、本発明の一実施形態による別のランダムアクセスの方法のシグナリング図である。図18に示されるように、本方法は具体的には次のとおりである。
【０４１７】
S91．ネットワーク装置は、制御シグナリングをユーザ機器に送信し、制御シグナリングが、ランダムアクセス手順を実行するようにユーザ機器をトリガするために使用され、制御シグナリングが第2のBWPの識別子を含む。
【０４１８】
任意の実装形態では、制御シグナリングはPDCCH orderである。
【０４１９】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０４２０】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４２１】
S92．ユーザ機器は第2のBWPをアクティブ化する。
【０４２２】
S93．ユーザ機器は、第2のBWPでランダムアクセスプリアンブルをネットワーク装置に送信する。
【０４２３】
S94．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０４２４】
S95．ユーザ機器は、BWP識別子に対応する第1のBWPをアクティブ化する。
【０４２５】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４２６】
S96．ユーザ機器は、BWP識別子に対応する第1のBWPでアップリンク伝送を実行し、アップリンク伝送に使用される物理リソースは、UL grantによって示される物理リソースである。
【０４２７】
ここで、図17のステップ701から706は、ステップS81からS86で実施される。詳細は繰り返し説明されない。
【０４２８】
本実施形態では、ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれ、ユーザ機器は、BWP識別子に対応する第1のBWPでアップリンク伝送を実行する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０４２９】
図19は、本発明の一実施形態による別のランダムアクセスの方法の概略的な流れ図である。図19に示されるように、本方法は具体的には次のとおりである。
【０４３０】
801．ネットワーク装置は、制御シグナリングをユーザ機器に送信し、制御シグナリングが、ランダムアクセス手順を実行するようにユーザ機器をトリガするために使用される。
【０４３１】
任意の実装形態では、制御シグナリングはPDCCH orderである。
【０４３２】
任意の実装形態では、制御シグナリングが第2のBWPの識別子を含む。
【０４３３】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４３４】
802．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０４３５】
任意の実装形態では、RARメッセージがUL grantを含み、UL grantがBWP識別子を含むか示す。
【０４３６】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４３７】
任意の実装形態では、第1のBWPおよび第2のBWPはアップリンクBWPであり、第1のBWPと第2のBWPとは同じBWPであってもよいし、異なるBWPであってもよい。
【０４３８】
任意の実装形態では、ステップ602は、ネットワーク装置によって、第3のBWPでRARメッセージをユーザ機器に送信するステップであって、第3のBWPがダウンリンクBWPである、ステップを特に含む。
【０４３９】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０４４０】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ602は、ネットワーク装置によって、第2のBWPのアップリンクBWPでユーザ機器にRARメッセージを送信するステップを特に含む。
【０４４１】
任意の実装形態では、ステップ602は、ネットワーク装置によって、第4のBWPでRARメッセージをユーザ機器に送信するステップであって、第4のBWPがアップリンクBWPとダウンリンクBWPとを含むBWPペアである、ステップを特に含む。
【０４４２】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０４４３】
本実施形態で提供される方法については、図17および図18の方法を参照されたい。詳細は繰り返し説明されない。
【０４４４】
図20は、本発明の一実施形態による別のランダムアクセスの方法の概略的な流れ図である。図20に示されるように、本方法は具体的には次のとおりである。
【０４４５】
901．ユーザ機器は、ネットワーク装置によって送信された制御シグナリングを受信し、制御シグナリングが、ランダムアクセス手順を実行するようにユーザ機器をトリガするために使用され、制御シグナリングが第2のBWPの識別子を含む。
【０４４６】
任意の実装形態では、制御シグナリングはPDCCH orderである。
【０４４７】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０４４８】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４４９】
本実施形態では、このステップについては、図14のステップ501を参照されたい。詳細は繰り返し説明されない。
【０４５０】
902．ユーザ機器が第2のBWPをアクティブ化する。
【０４５１】
本実施形態では、このステップについては、図14のステップ502を参照されたい。詳細は繰り返し説明されない。
【０４５２】
903．ユーザ機器は、第2のBWPでランダムアクセスプリアンブルをネットワーク装置に送信する。
【０４５３】
本実施形態では、このステップについては、図14のステップ503を参照されたい。詳細は繰り返し説明されない。
【０４５４】
904．ユーザ機器は、ネットワーク装置によって送信されたRARメッセージおよびBWP識別子を受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０４５５】
任意の実装形態では、第1のBWPおよび第2のBWPはアップリンクBWPであり、第1のBWPと第2のBWPとは同じBWPであってもよいし、異なるBWPであってもよい。ステップ904は、ユーザ機器によって、ネットワーク装置によって送信されたRARメッセージを、第3のBWPで受信するステップであって、第3のBWPがダウンリンクBWPである、ステップを特に含む。
【０４５６】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０４５７】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ904は、
ユーザ機器によって、ネットワーク装置によって送信されたRARメッセージを、第2のBWPのアップリンクBWPで受信するステップ
を特に含む。
【０４５８】
任意の実装形態では、ステップ904は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０４５９】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０４６０】
任意の実装形態では、第4のBWPが、ユーザ機器が第1のサービングセルにおいて制御シグナリングを受信するときに使用されるBWPである場合、ステップ903の後に、本方法はステップ907、すなわちユーザ機器が第4のBWPをアクティブ化し、第2のBWPを非アクティブ化するステップをさらに含む。
【０４６１】
905．ユーザ機器は、BWP識別子に対応する第1のBWPをアクティブ化する。
【０４６２】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４６３】
本実施形態では、ユーザ機器が第1のBWPをアクティブ化する必要があるか否かに関して3つのケースがある。
【０４６４】
第1のケースでは、BWP識別子が第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０４６５】
第2のケースでは、BWP識別子が第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０４６６】
このステップでは、第2のケースにおいて、ユーザ機器はBWP識別子に対応する第1のBWPをアクティブ化する必要がある。場合により、第1のBWPが、第1のサービングセルにおけるユーザ機器の初期のアクティブなBWPである、または第1のBWPが、第1のサービングセルにおけるユーザ機器の第1のアクティブなBWPである、または第1のBWPが、第1のサービングセルにおけるユーザ機器のデフォルトのBWPである、または第1のBWPが、ユーザ機器のためにネットワーク装置によって構成されたBWPであり、第1のBWPが、第1のサービングセルにおいてランダムアクセスを実行するためにユーザ機器によって使用される、または第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または第1のBWPが、ユーザ機器がランダムアクセスを実行するときにアクティブ化されるBWPである、または第1のBWPが、ユーザ機器が非競合ランダムアクセスを実行するときにアクティブ化されるBWPである。
【０４６７】
加えて、第2のケースでは、RARメッセージが受信されたとユーザ機器が判定した後に、preambleのものであり、かつRARメッセージに含まれている識別子がユーザ機器によって送信されたpreambleの識別子であると判定したときに、ユーザ機器は第1のBWPに切り替える必要がある。
【０４６８】
906．ユーザ機器は、BWP識別子に対応する第1のBWPでアップリンク伝送を実行し、アップリンク伝送に使用される物理リソースは、UL grantによって示される物理リソースである。
【０４６９】
本実施形態では、このステップについては、図14のステップ706を参照されたい。詳細は繰り返し説明されない。
【０４７０】
図21は、本発明の一実施形態による別のランダムアクセスの方法のシグナリング図である。図21に示されるように、本方法は具体的には次のとおりである。
【０４７１】
S181．ネットワーク装置は、制御シグナリングをユーザ機器に送信し、制御シグナリングが、ランダムアクセス手順を実行するようにユーザ機器をトリガするために使用され、制御シグナリングが第2のBWPの識別子を含む。
【０４７２】
任意の実装形態では、制御シグナリングはPDCCH orderである。
【０４７３】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０４７４】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４７５】
S182．ユーザ機器は第2のBWPをアクティブ化する。
【０４７６】
S183．ユーザ機器は、第2のBWPでランダムアクセスプリアンブルをネットワーク装置に送信する。
【０４７７】
S184．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０４７８】
S185．ユーザ機器は、BWP識別子に対応する第1のBWPをアクティブ化する。
【０４７９】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４８０】
S186．ユーザ機器は、BWP識別子に対応する第1のBWPでアップリンク伝送を実行し、アップリンク伝送に使用される物理リソースは、UL grantによって示される物理リソースである。
【０４８１】
ここで、図20のステップ901から906は、ステップS181からS186で実施される。詳細は繰り返し説明されない。
【０４８２】
本実施形態では、ユーザ機器は、ネットワーク装置によって送信されたRARメッセージおよびBWP識別子を受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIであり、ユーザ機器は、BWP識別子に対応する第1のBWPでアップリンク伝送を実行する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０４８３】
図22は、本発明の一実施形態による別のランダムアクセスの方法の概略的な流れ図である。図22に示されるように、本方法は具体的には次のとおりである。
【０４８４】
2201．ネットワーク装置は、制御シグナリングをユーザ機器に送信し、制御シグナリングが、ランダムアクセス手順を実行するようにユーザ機器をトリガするために使用される。
【０４８５】
任意の実装形態では、制御シグナリングはPDCCH orderである。
【０４８６】
任意の実装形態では、制御シグナリングが第2のBWPの識別子を含む。
【０４８７】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４８８】
2202．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０４８９】
任意の実装形態では、RARメッセージがUL grantを含み、UL grantがBWP識別子を含むか示す。
【０４９０】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４９１】
任意の実装形態では、第1のBWPおよび第2のBWPはアップリンクBWPであり、第1のBWPと第2のBWPとは同じBWPであってもよいし、異なるBWPであってもよい。
【０４９２】
任意の実装形態では、ステップ2202は、ネットワーク装置によって、第3のBWPでRARメッセージをユーザ機器に送信するステップであって、第3のBWPがダウンリンクBWPである、ステップを特に含む。
【０４９３】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０４９４】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ602は、ネットワーク装置によって、第2のBWPのアップリンクBWPでユーザ機器にRARメッセージを送信するステップを特に含む。
【０４９５】
任意の実装形態では、ステップ2202は、ネットワーク装置によって、第4のBWPでRARメッセージをユーザ機器に送信するステップであって、第4のBWPがアップリンクBWPとダウンリンクBWPとを含むBWPペアである、ステップを特に含む。
【０４９６】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０４９７】
本実施形態で提供される方法については、図20および図21の方法を参照されたい。詳細は繰り返し説明されない。
【０４９８】
図23は、本発明の一実施形態による別のランダムアクセスの方法の概略的な流れ図である。図23に示されるように、本方法は具体的には次のとおりである。
【０４９９】
2301．ユーザ機器は、ネットワーク装置によって送信された制御シグナリングを受信し、制御シグナリングが、ランダムアクセス手順を実行するようにユーザ機器をトリガするために使用される。
【０５００】
任意の実装形態では、制御シグナリングはPDCCH orderである。
【０５０１】
本実施形態では、少なくとも1つのサービングセルがユーザ機器のために構成され、少なくとも1つのサービングセルが第1のサービングセルを含む。ユーザ機器は、第1のサービングセルにおいて、ネットワーク装置によって送信された制御シグナリングを受信する。
【０５０２】
本実施形態では、ネットワーク装置は、第1のサービングセルにおいてユーザ機器のために初期のアクティブな第2のBWPを構成し、初期のアクティブな第2のBWPについてのみPRACHリソースを構成する。初期のアクティブな第2のBWPは、ネットワーク装置によって構成されてもよいし、ユーザ機器によって選択されてもよい。この場合、ユーザ機器は第1のサービングセルにおいて動作する。換言すれば、ユーザ機器は、第1のサービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０５０３】
ネットワーク装置は、制御シグナリングをユーザ機器に送信する。制御シグナリングは、シグナリングまたは信号であり得、制御シグナリングは、ランダムアクセス手順を実行するようにユーザ機器をトリガするために使用される。さらに、制御シグナリングはPDCCH orderである。この場合、ユーザ機器は、第1のサービングセルにおいて初期のアクティブなダウンリンクBWPを有し、ユーザ機器は、第1のサービングセルのダウンリンクBWPでPDCCH orderを受信することができる。あるいは、ユーザ機器は、第1のサービングセルをスケジュールするために使用される第2のサービングセルの初期のアクティブなダウンリンクBWPでPDCCH orderを受信することができる。この場合、PDCCH orderは、現在のサービングセルのセルインデックスを含む。
【０５０４】
このステップでは、制御シグナリングはBWP識別子を運ばない、またはBWP識別子を示さない。
【０５０５】
2302．ユーザ機器は、初期のアクティブな第2のBWPでランダムアクセスプリアンブルをネットワーク装置に送信する。
【０５０６】
本実施形態では、ユーザ機器は初期のアクティブな第2のBWPを有し、PRACHリソースが初期のアクティブな第2のBWPに対してのみ構成されるため、ユーザ機器は、初期のアクティブな第2のBWPでランダムアクセスプリアンブルをネットワーク装置に直接送信する。例えば、ユーザ機器がセカンダリサービングセルにおいてネットワーク装置と通信する場合、初期のアクティブな第2のBWPは、ユーザ機器がセカンダリサービングセルをアクティブ化するときにアクティブ化されるBWPである。
【０５０７】
2303．ユーザ機器は、ネットワーク装置によって送信されたRARメッセージを受信し、RARメッセージがUL grantを含み、UL grantがBWP識別子を含むか示す。
【０５０８】
本実施形態では、ネットワーク装置は、RARメッセージをユーザ機器に送信する。RARメッセージがUL grantを含み、RARメッセージがBWP識別子を含む、またはRARメッセージがBWP識別子を示す。具体的には、RARメッセージのUL grantがBWP識別子を含む、またはRARメッセージのUL grantがBWP識別子を示す。あるいは、BWP識別子がRARメッセージの情報フィールドとしてRARメッセージに直接含まれる。
【０５０９】
任意の実装形態では、ステップ2303の次の実装形態がある。
【０５１０】
ステップ2303の第1の実装形態では、第1のBWPおよび第2のBWPはアップリンクBWPであり、第1のBWPと第2のBWPとは同じBWPであってもよいし、異なるBWPであってもよい。ステップ2303は、
ユーザ機器によって、ネットワーク装置によって送信されたRARメッセージを、第3のBWPで受信するステップであって、第3のBWPがダウンリンクBWPである、ステップ
を特に含む。
【０５１１】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０５１２】
本実施形態では、第1のBWPはアップリンクBWPであり、第2のBWPもまたアップリンクBWPである。この場合、第1のBWPと第2のBWPとは同じBWPであってもよいし、異なるBWPであってもよい。ステップ2303において、ユーザ機器は、ネットワーク装置によって送信されたRARメッセージを、第3のBWPで受信し、第3のBWPがダウンリンクBWPである。
【０５１３】
ステップ2303の第2の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ2303は、
ユーザ機器によって、ネットワーク装置によって送信されたRARメッセージを、第2のBWPのアップリンクBWPで受信するステップ
を特に含む。
【０５１４】
本実施形態では、第1のBWPは、アップリンクBWPとダウンリンクBWPとを含むBWPペアであり、第2のBWPは、アップリンクBWPとダウンリンクBWPとを含むBWPペアである。加えて、第1のBWPと第2のBWPとは同じBWPであってもよいし、異なるBWPであってもよい。ステップ2303において、ユーザ機器は、ネットワーク装置によって送信されたRARメッセージを、第2のBWPのアップリンクBWPで受信する。
【０５１５】
ステップ2303の第3の実装形態では、ユーザ機器は、ネットワーク装置によって送信されたRARメッセージを、第4のBWPで受信し、第4のBWPがアップリンクBWPとダウンリンクBWPとを含むBWPペアである。
【０５１６】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０５１７】
任意の実装形態では、第4のBWPが、ユーザ機器が第1のサービングセルにおいて制御シグナリングを受信するときに使用されるBWPである場合、ステップ503の後に、本方法はステップ507、すなわちユーザ機器が第4のBWPをアクティブ化し、第2のBWPを非アクティブ化するステップをさらに含む。
【０５１８】
本実施形態では、第4のBWPが提供される。場合により、第4のBWPは、アップリンクBWPとダウンリンクBWPとを含むBWPペアである。ユーザ機器はまず第4のBWPに切り替える必要がある、換言すれば、ユーザ機器は第4のBWPをアクティブ化し、第2のBWPを非アクティブ化する。次に、ユーザ機器は、ネットワーク装置によって送信されたRARメッセージを、第4のBWPで受信することができる。
【０５１９】
2304．ユーザ機器は、BWP識別子に対応する第1のBWPをアクティブ化する。
【０５２０】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５２１】
本実施形態では、ユーザ機器が第1のBWPをアクティブ化する必要があるか否かに関して3つのケースがある。
【０５２２】
第1のケースでは、BWP識別子が初期のアクティブな第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０５２３】
第2のケースでは、BWP識別子が初期のアクティブな第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０５２４】
このステップでは、第2のケースにおいて、ユーザ機器はBWP識別子に対応する第1のBWPをアクティブ化する必要がある。
【０５２５】
2305．ユーザ機器は、BWP識別子に対応する第1のBWPでアップリンク伝送を実行し、アップリンク伝送に使用される物理リソースは、UL grantによって示される物理リソースである。
【０５２６】
本実施形態では、ユーザ機器は、RARメッセージのUL grantによって示された物理リソースを使用することによって、ネットワーク装置によって示された第1のBWPで、データまたは命令をネットワーク装置に送信する。
【０５２７】
図24は、本発明の一実施形態による別のランダムアクセスの方法のシグナリング図である。図24に示されるように、本方法は具体的には次のとおりである。
【０５２８】
S2401．ネットワーク装置は、制御シグナリングをユーザ機器に送信し、制御シグナリングが、ランダムアクセス手順を実行するようにユーザ機器をトリガするために使用される。
【０５２９】
任意の実装形態では、制御シグナリングはPDCCH orderである。
【０５３０】
S2402．ユーザ機器は、初期のアクティブな第2のBWPでランダムアクセスプリアンブルをネットワーク装置に送信する。
【０５３１】
S2403．ネットワーク装置は、RARメッセージをユーザ機器に送信し、RARメッセージがUL grantを含み、UL grantがBWP識別子を含むか示す。
【０５３２】
S2404．ユーザ機器は、BWP識別子に対応する第1のBWPをアクティブ化する。
【０５３３】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５３４】
S2405．ユーザ機器は、BWP識別子に対応する第1のBWPでアップリンク伝送を実行し、アップリンク伝送に使用される物理リソースは、UL grantによって示される物理リソースである。
【０５３５】
ここで、図23のステップ2301から2305は、ステップS2401からS2405で実施される。詳細は繰り返し説明されない。
【０５３６】
本実施形態では、ユーザ機器は、ネットワーク装置によって送信された制御シグナリングを受信し、ユーザ機器は、初期のアクティブな第2のBWPでランダムアクセスプリアンブルをネットワーク装置に送信し、ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０５３７】
図25は、本発明の一実施形態による別のランダムアクセスの方法の概略的な流れ図である。図25に示されるように、本方法は具体的には次のとおりである。
【０５３８】
2501．ネットワーク装置は、制御シグナリングをユーザ機器に送信し、制御シグナリングが、ランダムアクセス手順を実行するようにユーザ機器をトリガするために使用される。
【０５３９】
任意の実装形態では、制御シグナリングはPDCCH orderである。
【０５４０】
2502．ネットワーク装置は、初期のアクティブな第2のBWPでユーザ機器によって送信されたランダムアクセスプリアンブルを受信する。
【０５４１】
2503．ネットワーク装置は、RARメッセージをユーザ機器に送信し、RARメッセージがUL grantを含み、UL grantがBWP識別子を含むか示す。
【０５４２】
本実施形態で提供される方法については、図23および図24の方法を参照されたい。詳細は繰り返し説明されない。
【０５４３】
図26は、本発明の一実施形態による別のランダムアクセスの方法の概略的な流れ図である。図26に示されるように、本方法は具体的には次のとおりである。
【０５４４】
2601．ユーザ機器は、ネットワーク装置によって送信された制御シグナリングを受信し、制御シグナリングが、ランダムアクセス手順を実行するようにユーザ機器をトリガするために使用される。
【０５４５】
任意の実装形態では、制御シグナリングはPDCCH orderである。
【０５４６】
本実施形態では、このステップについては、図23のステップ2301を参照されたい。詳細は繰り返し説明されない。
【０５４７】
2602．ユーザ機器は、初期のアクティブな第2のBWPでランダムアクセスプリアンブルをネットワーク装置に送信する。
【０５４８】
本実施形態では、このステップについては、図23のステップ2302を参照されたい。詳細は繰り返し説明されない。
【０５４９】
2603．ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれる。
【０５５０】
任意の実装形態では、第1のBWPおよび第2のBWPはアップリンクBWPであり、第1のBWPと第2のBWPとは同じBWPであってもよいし、異なるBWPであってもよい。ステップ2603は、ユーザ機器によって、ネットワーク装置によって送信されたRARメッセージを、第3のBWPで受信するステップであって、第3のBWPがダウンリンクBWPである、ステップを特に含む。
【０５５１】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０５５２】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ2603は、
ユーザ機器によって、ネットワーク装置によって送信されたRARメッセージを、第2のBWPのアップリンクBWPで受信するステップ
を特に含む。
【０５５３】
任意の実装形態では、ステップ704は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０５５４】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０５５５】
任意の実装形態では、第4のBWPが、ユーザ機器が第1のサービングセルにおいて制御シグナリングを受信するときに使用されるBWPである場合、ステップ2602の後に、本方法はステップ2606、すなわちユーザ機器が第4のBWPをアクティブ化し、第2のBWPを非アクティブ化するステップをさらに含む。
【０５５６】
2604．ユーザ機器は、BWP識別子に対応する第1のBWPをアクティブ化する。
【０５５７】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５５８】
本実施形態では、ユーザ機器が第1のBWPをアクティブ化する必要があるか否かに関して3つのケースがある。
【０５５９】
第1のケースでは、このステップについては、図23のステップ2304を参照されたい。詳細は繰り返し説明されない。
【０５６０】
2605．ユーザ機器は、BWP識別子に対応する第1のBWPでアップリンク伝送を実行し、アップリンク伝送に使用される物理リソースは、UL grantによって示される物理リソースである。
【０５６１】
本実施形態では、このステップについては、図23のステップ2305を参照されたい。詳細は繰り返し説明されない。
【０５６２】
図27は、本発明の一実施形態による別のランダムアクセスの方法のシグナリング図である。図27に示されるように、本方法は具体的には次のとおりである。
【０５６３】
S2701．ネットワーク装置は、制御シグナリングをユーザ機器に送信し、制御シグナリングが、ランダムアクセス手順を実行するようにユーザ機器をトリガするために使用される。
【０５６４】
任意の実装形態では、制御シグナリングはPDCCH orderである。
【０５６５】
S2702．ユーザ機器は、初期のアクティブな第2のBWPでランダムアクセスプリアンブルをネットワーク装置に送信する。
【０５６６】
S2703．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０５６７】
S2704．ユーザ機器は、BWP識別子に対応する第1のBWPをアクティブ化する。
【０５６８】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５６９】
S2705．ユーザ機器は、BWP識別子に対応する第1のBWPでアップリンク伝送を実行し、アップリンク伝送に使用される物理リソースは、UL grantによって示される物理リソースである。
【０５７０】
ここで、図26のステップ2601から2605は、ステップS2701からS2705で実施される。詳細は繰り返し説明されない。
【０５７１】
本実施形態では、ユーザ機器は、ネットワーク装置によって送信された制御シグナリングを受信し、ユーザ機器は、初期のアクティブな第2のBWPでランダムアクセスプリアンブルをネットワーク装置に送信し、ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれ、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０５７２】
図28は、本発明の一実施形態による別のランダムアクセスの方法の概略的な流れ図である。図28に示されるように、本方法は具体的には次のとおりである。
【０５７３】
2801．ネットワーク装置は、制御シグナリングをユーザ機器に送信し、制御シグナリングが、ランダムアクセス手順を実行するようにユーザ機器をトリガするために使用される。
【０５７４】
任意の実装形態では、制御シグナリングはPDCCH orderである。
【０５７５】
2802．ネットワーク装置は、初期のアクティブな第2のBWPでユーザ機器によって送信されたランダムアクセスプリアンブルを受信する。
【０５７６】
2803．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０５７７】
本実施形態で提供される方法については、図26および図27の方法を参照されたい。詳細は繰り返し説明されない。
【０５７８】
図29は、本発明の一実施形態による別のランダムアクセスの方法の概略的な流れ図である。図29に示されるように、本方法は具体的には次のとおりである。
【０５７９】
2901．ユーザ機器は、ネットワーク装置によって送信された制御シグナリングを受信し、制御シグナリングが、ランダムアクセス手順を実行するようにユーザ機器をトリガするために使用される。
【０５８０】
任意の実装形態では、制御シグナリングはPDCCH orderである。
【０５８１】
本実施形態では、このステップについては、図23のステップ2301を参照されたい。詳細は繰り返し説明されない。
【０５８２】
2902．ユーザ機器は、初期のアクティブな第2のBWPでランダムアクセスプリアンブルをネットワーク装置に送信する。
【０５８３】
本実施形態では、このステップについては、図23のステップ2302を参照されたい。詳細は繰り返し説明されない。
【０５８４】
2903．ユーザ機器は、ネットワーク装置によって送信されたRARメッセージおよびBWP識別子を受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０５８５】
任意の実装形態では、第1のBWPおよび第2のBWPはアップリンクBWPであり、第1のBWPと第2のBWPとは同じBWPであってもよいし、異なるBWPであってもよい。ステップ2903は、ユーザ機器によって、ネットワーク装置によって送信されたRARメッセージを、第3のBWPで受信するステップであって、第3のBWPがダウンリンクBWPである、ステップを特に含む。
【０５８６】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０５８７】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ2903は、
ユーザ機器によって、ネットワーク装置によって送信されたRARメッセージを、第2のBWPのアップリンクBWPで受信するステップ
を特に含む。
【０５８８】
任意の実装形態では、ステップ704は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０５８９】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０５９０】
任意の実装形態では、第4のBWPが、ユーザ機器が第1のサービングセルにおいて制御シグナリングを受信するときに使用されるBWPである場合、ステップ2902の後に、本方法はステップ2906、すなわちユーザ機器が第4のBWPをアクティブ化し、第2のBWPを非アクティブ化するステップをさらに含む。
【０５９１】
2904．ユーザ機器は、BWP識別子に対応する第1のBWPをアクティブ化する。
【０５９２】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５９３】
本実施形態では、ユーザ機器が第1のBWPをアクティブ化する必要があるか否かに関して3つのケースがある。
【０５９４】
第1のケースでは、このステップについては、図23のステップ2304を参照されたい。詳細は繰り返し説明されない。
【０５９５】
2905．ユーザ機器は、BWP識別子に対応する第1のBWPでアップリンク伝送を実行し、アップリンク伝送に使用される物理リソースは、UL grantによって示される物理リソースである。
【０５９６】
本実施形態では、このステップについては、図23のステップ2305を参照されたい。詳細は繰り返し説明されない。
【０５９７】
図30は、本発明の一実施形態による別のランダムアクセスの方法のシグナリング図である。図30に示されるように、本方法は具体的には次のとおりである。
【０５９８】
S3001．ネットワーク装置は、制御シグナリングをユーザ機器に送信し、制御シグナリングが、ランダムアクセス手順を実行するようにユーザ機器をトリガするために使用される。
【０５９９】
任意の実装形態では、制御シグナリングはPDCCH orderである。
【０６００】
S3002．ユーザ機器は、初期のアクティブな第2のBWPでランダムアクセスプリアンブルをネットワーク装置に送信する。
【０６０１】
S3003．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０６０２】
S3004．ユーザ機器は、BWP識別子に対応する第1のBWPをアクティブ化する。
【０６０３】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される。
【０６０４】
S3005．ユーザ機器は、BWP識別子に対応する第1のBWPでアップリンク伝送を実行し、アップリンク伝送に使用される物理リソースは、UL grantによって示される物理リソースである。
【０６０５】
ここで、図29のステップ2901から2905は、ステップS3001からS3005で実施される。詳細は繰り返し説明されない。
【０６０６】
本実施形態では、ユーザ機器は、ネットワーク装置によって送信された制御シグナリングを受信し、ユーザ機器は、初期のアクティブな第2のBWPでランダムアクセスプリアンブルをネットワーク装置に送信し、ユーザ機器は、ネットワーク装置によって送信されたRARメッセージおよびBWP識別子を受信し、RARメッセージがUL grantを含み、BWP識別子が第2のDCIで運ばれ、ユーザ機器は、ネットワーク装置によって送信されたRARメッセージおよびBWP識別子を受信し、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０６０７】
図31は、本発明の一実施形態による別のランダムアクセスの方法の概略的な流れ図である。図31に示されるように、本方法は具体的には次のとおりである。
【０６０８】
3101．ネットワーク装置は、制御シグナリングをユーザ機器に送信し、制御シグナリングが、ランダムアクセス手順を実行するようにユーザ機器をトリガするために使用される。
【０６０９】
任意の実装形態では、制御シグナリングはPDCCH orderである。
【０６１０】
3102．ネットワーク装置は、初期のアクティブな第2のBWPでユーザ機器によって送信されたランダムアクセスプリアンブルを受信する。
【０６１１】
3103．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０６１２】
本実施形態で提供される方法については、図29および図30の方法を参照されたい。詳細は繰り返し説明されない。
【０６１３】
図32は、本発明の一実施形態による別のランダムアクセスの方法の概略的な流れ図である。図32に示されるように、本方法は具体的には次のとおりである。
【０６１４】
3201．ユーザ機器は、ネットワーク装置によって送信された制御シグナリングを受信し、制御シグナリングが、ランダムアクセス手順を実行するようにユーザ機器をトリガするために使用される。
【０６１５】
任意の実装形態では、制御シグナリングはPDCCH orderである。
【０６１６】
本実施形態では、少なくとも1つのサービングセルがユーザ機器のために構成され、少なくとも1つのサービングセルが第1のサービングセルを含む。ユーザ機器は、第1のサービングセルにおいて、ネットワーク装置によって送信された制御シグナリングを受信する。
【０６１７】
本実施形態では、ネットワーク装置は、第1のサービングセルにおいてユーザ機器のためにデフォルトの第2のBWPを構成し、デフォルトの第2のBWPについてのみPRACHリソースを構成する。デフォルトの第2のBWPは、ネットワーク装置によって構成されてもよいし、ユーザ機器によって選択されてもよい。この場合、ユーザ機器は第1のサービングセルにおいて動作する。換言すれば、ユーザ機器は、第1のサービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０６１８】
ネットワーク装置は、制御シグナリングをユーザ機器に送信する。制御シグナリングは、シグナリングまたは信号であり得、制御シグナリングは、ランダムアクセス手順を実行するようにユーザ機器をトリガするために使用される。さらに、制御シグナリングはPDCCH orderである。この場合、ユーザ機器は、第1のサービングセルにおいてデフォルトのダウンリンクBWPを有し、ユーザ機器は、第1のサービングセルのダウンリンクBWPでPDCCH orderを受信することができる。あるいは、ユーザ機器は、第1のサービングセルをスケジュールするために使用される第2のサービングセルのデフォルトのダウンリンクBWPでPDCCH orderを受信することができる。この場合、PDCCH orderは、現在のサービングセルのセルインデックスを含む。
【０６１９】
このステップでは、制御シグナリングはBWP識別子を運ばない、またはBWP識別子を示さない。
【０６２０】
3202．ユーザ機器は、デフォルトの第2のBWPでランダムアクセスプリアンブルをネットワーク装置に送信する。
【０６２１】
本実施形態では、ユーザ機器はデフォルトの第2のBWPを有し、PRACHリソースがデフォルトの第2のBWPに対してのみ構成されるため、ユーザ機器は、デフォルトの第2のBWPでランダムアクセスプリアンブルをネットワーク装置に直接送信する。例えば、ユーザ機器がセカンダリサービングセルにおいてネットワーク装置と通信する場合、デフォルトの第2のBWPは、ユーザ機器がセカンダリサービングセルをアクティブ化するときにアクティブ化されるBWPである。
【０６２２】
3203．ユーザ機器は、ネットワーク装置によって送信されたRARメッセージを受信し、RARメッセージがUL grantを含み、UL grantがBWP識別子を含むか示す。
【０６２３】
本実施形態では、ネットワーク装置は、RARメッセージをユーザ機器に送信する。RARメッセージがUL grantを含み、RARメッセージがBWP識別子を含む、またはRARメッセージがBWP識別子を示す。具体的には、RARメッセージのUL grantがBWP識別子を含む、またはRARメッセージのUL grantがBWP識別子を示す。あるいは、BWP識別子がRARメッセージの情報フィールドとしてRARメッセージに直接含まれる。
【０６２４】
任意の実装形態では、ステップ3203の次の実装形態がある。
【０６２５】
ステップ3203の第1の実装形態では、第1のBWPおよび第2のBWPはアップリンクBWPであり、第1のBWPと第2のBWPとは同じBWPであってもよいし、異なるBWPであってもよい。ステップ3203は、
ユーザ機器によって、ネットワーク装置によって送信されたRARメッセージを、第3のBWPで受信するステップであって、第3のBWPがダウンリンクBWPである、ステップ
を特に含む。
【０６２６】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０６２７】
本実施形態では、第1のBWPはアップリンクBWPであり、第2のBWPもまたアップリンクBWPである。この場合、第1のBWPと第2のBWPとは同じBWPであってもよいし、異なるBWPであってもよい。ステップ3203において、ユーザ機器は、ネットワーク装置によって送信されたRARメッセージを、第3のBWPで受信し、第3のBWPがダウンリンクBWPである。
【０６２８】
ステップ3203の第2の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ3203は、
ユーザ機器によって、ネットワーク装置によって送信されたRARメッセージを、第2のBWPのアップリンクBWPで受信するステップ
を特に含む。
【０６２９】
本実施形態では、第1のBWPは、アップリンクBWPとダウンリンクBWPとを含むBWPペアであり、第2のBWPは、アップリンクBWPとダウンリンクBWPとを含むBWPペアである。加えて、第1のBWPと第2のBWPとは同じBWPであってもよいし、異なるBWPであってもよい。ステップ3203において、ユーザ機器は、ネットワーク装置によって送信されたRARメッセージを、第2のBWPのアップリンクBWPで受信する。
【０６３０】
ステップ3203の第3の実装形態では、ユーザ機器は、ネットワーク装置によって送信されたRARメッセージを、第4のBWPで受信し、第4のBWPがアップリンクBWPとダウンリンクBWPとを含むBWPペアである。
【０６３１】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０６３２】
任意の実装形態では、第4のBWPが、ユーザ機器が第1のサービングセルにおいて制御シグナリングを受信するときに使用されるBWPである場合、ステップ503の後に、本方法はステップ507、すなわちユーザ機器が第4のBWPをアクティブ化し、第2のBWPを非アクティブ化するステップをさらに含む。
【０６３３】
本実施形態では、第4のBWPが提供される。場合により、第4のBWPは、アップリンクBWPとダウンリンクBWPとを含むBWPペアである。ユーザ機器はまず第4のBWPに切り替える必要がある、換言すれば、ユーザ機器は第4のBWPをアクティブ化し、第2のBWPを非アクティブ化する。次に、ユーザ機器は、ネットワーク装置によって送信されたRARメッセージを、第4のBWPで受信することができる。
【０６３４】
3204．ユーザ機器は、BWP識別子に対応する第1のBWPをアクティブ化する。
【０６３５】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０６３６】
本実施形態では、ユーザ機器が第1のBWPをアクティブ化する必要があるか否かに関して3つのケースがある。
【０６３７】
第1のケースでは、BWP識別子がデフォルトの第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０６３８】
第2のケースでは、BWP識別子がデフォルトの第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０６３９】
このステップでは、第2のケースにおいて、ユーザ機器はBWP識別子に対応する第1のBWPをアクティブ化する必要がある。
【０６４０】
3205．ユーザ機器は、BWP識別子に対応する第1のBWPでアップリンク伝送を実行し、アップリンク伝送に使用される物理リソースは、UL grantによって示される物理リソースである。
【０６４１】
本実施形態では、ユーザ機器は、RARメッセージのUL grantによって示された物理リソースを使用することによって、ネットワーク装置によって示された第1のBWPで、データまたは命令をネットワーク装置に送信する。
【０６４２】
図33は、本発明の一実施形態による別のランダムアクセスの方法のシグナリング図である。図33に示されるように、本方法は具体的には次のとおりである。
【０６４３】
S3301．ネットワーク装置は、制御シグナリングをユーザ機器に送信し、制御シグナリングが、ランダムアクセス手順を実行するようにユーザ機器をトリガするために使用される。
【０６４４】
任意の実装形態では、制御シグナリングはPDCCH orderである。
【０６４５】
S3302．ユーザ機器は、デフォルトの第2のBWPでランダムアクセスプリアンブルをネットワーク装置に送信する。
【０６４６】
S3303．ネットワーク装置は、RARメッセージをユーザ機器に送信し、RARメッセージがUL grantを含み、UL grantがBWP識別子を含むか示す。
【０６４７】
S3304．ユーザ機器は、BWP識別子に対応する第1のBWPをアクティブ化する。
【０６４８】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０６４９】
S3305．ユーザ機器は、BWP識別子に対応する第1のBWPでアップリンク伝送を実行し、アップリンク伝送に使用される物理リソースは、UL grantによって示される物理リソースである。
【０６５０】
ここで、図32のステップ3201から3205は、ステップS3301からS3305で実施される。詳細は繰り返し説明されない。
【０６５１】
本実施形態では、ユーザ機器は、ネットワーク装置によって送信された制御シグナリングを受信し、ユーザ機器は、デフォルトの第2のBWPでランダムアクセスプリアンブルをネットワーク装置に送信し、ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０６５２】
図34は、本発明の一実施形態による別のランダムアクセスの方法の概略的な流れ図である。図34に示されるように、本方法は具体的には次のとおりである。
【０６５３】
3401．ネットワーク装置は、制御シグナリングをユーザ機器に送信し、制御シグナリングが、ランダムアクセス手順を実行するようにユーザ機器をトリガするために使用される。
【０６５４】
任意の実装形態では、制御シグナリングはPDCCH orderである。
【０６５５】
3402．ネットワーク装置は、ユーザ機器によって送信されたランダムアクセスプリアンブルを、デフォルトの第2のBWPで受信する。
【０６５６】
3403．ネットワーク装置は、RARメッセージをユーザ機器に送信し、RARメッセージがUL grantを含み、UL grantがBWP識別子を含むか示す。
【０６５７】
本実施形態で提供される方法については、図32および図33の方法を参照されたい。詳細は繰り返し説明されない。
【０６５８】
図35は、本発明の一実施形態による別のランダムアクセスの方法の概略的な流れ図である。図35に示されるように、本方法は具体的には次のとおりである。
【０６５９】
3501．ユーザ機器は、ネットワーク装置によって送信された制御シグナリングを受信し、制御シグナリングが、ランダムアクセス手順を実行するようにユーザ機器をトリガするために使用される。
【０６６０】
任意の実装形態では、制御シグナリングはPDCCH orderである。
【０６６１】
本実施形態では、このステップについては、図32のステップ3201を参照されたい。詳細は繰り返し説明されない。
【０６６２】
3502．ユーザ機器は、デフォルトの第2のBWPでランダムアクセスプリアンブルをネットワーク装置に送信する。
【０６６３】
本実施形態では、このステップについては、図32のステップ3202を参照されたい。詳細は繰り返し説明されない。
【０６６４】
3503．ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれる。
【０６６５】
任意の実装形態では、第1のBWPおよび第2のBWPはアップリンクBWPであり、第1のBWPと第2のBWPとは同じBWPであってもよいし、異なるBWPであってもよい。ステップ3503は、ユーザ機器によって、ネットワーク装置によって送信されたRARメッセージを、第3のBWPで受信するステップであって、第3のBWPがダウンリンクBWPである、ステップを特に含む。
【０６６６】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０６６７】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ3503は、
ユーザ機器によって、ネットワーク装置によって送信されたRARメッセージを、第2のBWPのアップリンクBWPで受信するステップ
を特に含む。
【０６６８】
任意の実装形態では、ステップ3503は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０６６９】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０６７０】
任意の実装形態では、第4のBWPが、ユーザ機器が第1のサービングセルにおいて制御シグナリングを受信するときに使用されるBWPである場合、ステップ3502の後に、本方法はステップ3506、すなわちユーザ機器が第4のBWPをアクティブ化し、第2のBWPを非アクティブ化するステップをさらに含む。
【０６７１】
3504．ユーザ機器は、BWP識別子に対応する第1のBWPをアクティブ化する。
【０６７２】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０６７３】
本実施形態では、このステップについては、図32のステップ3204を参照されたい。詳細は繰り返し説明されない。
【０６７４】
3505．ユーザ機器は、BWP識別子に対応する第1のBWPでアップリンク伝送を実行し、アップリンク伝送に使用される物理リソースは、UL grantによって示される物理リソースである。
【０６７５】
本実施形態では、このステップについては、図32のステップ3205を参照されたい。詳細は繰り返し説明されない。
【０６７６】
図36は、本発明の一実施形態による別のランダムアクセスの方法のシグナリング図である。図36に示されるように、本方法は具体的には次のとおりである。
【０６７７】
S3601．ネットワーク装置は、制御シグナリングをユーザ機器に送信し、制御シグナリングが、ランダムアクセス手順を実行するようにユーザ機器をトリガするために使用される。
【０６７８】
任意の実装形態では、制御シグナリングはPDCCH orderである。
【０６７９】
S3602．ユーザ機器は、デフォルトの第2のBWPでランダムアクセスプリアンブルをネットワーク装置に送信する。
【０６８０】
S3603．ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれる。
【０６８１】
S3604．ユーザ機器は、BWP識別子に対応する第1のBWPをアクティブ化する。
【０６８２】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０６８３】
S3605．ユーザ機器は、BWP識別子に対応する第1のBWPでアップリンク伝送を実行し、アップリンク伝送に使用される物理リソースは、UL grantによって示される物理リソースである。
【０６８４】
ここで、図35のステップ3501から3505は、ステップS3601からS3605で実施される。詳細は繰り返し説明されない。
【０６８５】
本実施形態では、ユーザ機器は、ネットワーク装置によって送信された制御シグナリングを受信し、ユーザ機器は、デフォルトの第2のBWPでランダムアクセスプリアンブルをネットワーク装置に送信し、ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれ、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０６８６】
図37は、本発明の一実施形態による別のランダムアクセスの方法の概略的な流れ図である。図37に示されるように、本方法は具体的には次のとおりである。
【０６８７】
3701．ネットワーク装置は、制御シグナリングをユーザ機器に送信し、制御シグナリングが、ランダムアクセス手順を実行するようにユーザ機器をトリガするために使用される。
【０６８８】
任意の実装形態では、制御シグナリングはPDCCH orderである。
【０６８９】
3702．ネットワーク装置は、ユーザ機器によって送信されたランダムアクセスプリアンブルを、デフォルトの第2のBWPで受信する。
【０６９０】
3703．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０６９１】
本実施形態で提供される方法については、図35および図36の方法を参照されたい。詳細は繰り返し説明されない。
【０６９２】
図38は、本発明の一実施形態による別のランダムアクセスの方法の概略的な流れ図である。図38に示されるように、本方法は具体的には次のとおりである。
【０６９３】
3801．ユーザ機器は、ネットワーク装置によって送信された制御シグナリングを受信し、制御シグナリングが、ランダムアクセス手順を実行するようにユーザ機器をトリガするために使用される。
【０６９４】
任意の実装形態では、制御シグナリングはPDCCH orderである。
【０６９５】
本実施形態では、このステップについては、図32のステップ3201を参照されたい。詳細は繰り返し説明されない。
【０６９６】
3802．ユーザ機器は、デフォルトの第2のBWPでランダムアクセスプリアンブルをネットワーク装置に送信する。
【０６９７】
本実施形態では、このステップについては、図32のステップ3202を参照されたい。詳細は繰り返し説明されない。
【０６９８】
3803．ユーザ機器は、ネットワーク装置によって送信されたRARメッセージおよびBWP識別子を受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０６９９】
任意の実装形態では、第1のBWPおよび第2のBWPはアップリンクBWPであり、第1のBWPと第2のBWPとは同じBWPであってもよいし、異なるBWPであってもよい。ステップ3803は、ユーザ機器によって、ネットワーク装置によって送信されたRARメッセージを、第3のBWPで受信するステップであって、第3のBWPがダウンリンクBWPである、ステップを特に含む。
【０７００】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０７０１】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ3803は、
ユーザ機器によって、ネットワーク装置によって送信されたRARメッセージを、第2のBWPのアップリンクBWPで受信するステップ
を特に含む。
【０７０２】
任意の実装形態では、ステップ3803は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０７０３】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０７０４】
任意の実装形態では、第4のBWPが、ユーザ機器が第1のサービングセルにおいて制御シグナリングを受信するときに使用されるBWPである場合、ステップ3802の後に、本方法はステップ3806、すなわちユーザ機器が第4のBWPをアクティブ化し、第2のBWPを非アクティブ化するステップをさらに含む。
【０７０５】
3804．ユーザ機器は、BWP識別子に対応する第1のBWPをアクティブ化する。
【０７０６】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０７０７】
本実施形態では、このステップについては、図32のステップ3204を参照されたい。詳細は繰り返し説明されない。
【０７０８】
3805．ユーザ機器は、BWP識別子に対応する第1のBWPでアップリンク伝送を実行し、アップリンク伝送に使用される物理リソースは、UL grantによって示される物理リソースである。
【０７０９】
本実施形態では、このステップについては、図32のステップ3205を参照されたい。詳細は繰り返し説明されない。
【０７１０】
図39は、本発明の一実施形態による別のランダムアクセスの方法のシグナリング図である。図39に示されるように、本方法は具体的には次のとおりである。
【０７１１】
S3901．ネットワーク装置は、制御シグナリングをユーザ機器に送信し、制御シグナリングが、ランダムアクセス手順を実行するようにユーザ機器をトリガするために使用される。
【０７１２】
任意の実装形態では、制御シグナリングはPDCCH orderである。
【０７１３】
S3902．ユーザ機器は、デフォルトの第2のBWPでランダムアクセスプリアンブルをネットワーク装置に送信する。
【０７１４】
S3903．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０７１５】
S3904．ユーザ機器は、BWP識別子に対応する第1のBWPをアクティブ化する。
【０７１６】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０７１７】
S3905．ユーザ機器は、BWP識別子に対応する第1のBWPでアップリンク伝送を実行し、アップリンク伝送に使用される物理リソースは、UL grantによって示される物理リソースである。
【０７１８】
ここで、図38のステップ3801から3805は、ステップS3901からS3905で実施される。詳細は繰り返し説明されない。
【０７１９】
本実施形態では、ユーザ機器は、ネットワーク装置によって送信された制御シグナリングを受信し、ユーザ機器は、デフォルトの第2のBWPでランダムアクセスプリアンブルをネットワーク装置に送信し、ユーザ機器は、ネットワーク装置によって送信されたRARメッセージおよびBWP識別子を受信し、RARメッセージがUL grantを含み、BWP識別子が第2のDCIで運ばれ、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０７２０】
図40は、本発明の一実施形態による別のランダムアクセスの方法の概略的な流れ図である。図40に示されるように、本方法は具体的には次のとおりである。
【０７２１】
4001．ネットワーク装置は、制御シグナリングをユーザ機器に送信し、制御シグナリングが、ランダムアクセス手順を実行するようにユーザ機器をトリガするために使用される。
【０７２２】
任意の実装形態では、制御シグナリングはPDCCH orderである。
【０７２３】
4002．ネットワーク装置は、ユーザ機器によって送信されたランダムアクセスプリアンブルを、デフォルトの第2のBWPで受信する。
【０７２４】
4003．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０７２５】
本実施形態で提供される方法については、図38および図39の方法を参照されたい。詳細は繰り返し説明されない。
【０７２６】
図4または図5の非競合ランダムアクセス手順に基づいて、図1bに示されるシナリオでは、本出願の実施形態の解決策は次のとおりである。以下に提供される方法は、ユーザ機器がソースネットワーク装置からターゲットネットワーク装置にハンドオーバされる場合に適用可能であるだけでなく、ネットワーク装置がユーザ機器のためにデュアルコネクティビティを構成する場合にも適用可能である。ユーザ機器がソースネットワーク装置からターゲットネットワーク装置にハンドオーバされる場合、次の方法における第1のメッセージは、例えば、ハンドオーバ要求メッセージであり、第2のメッセージは、例えば、ハンドオーバ要求確認応答メッセージである。ネットワーク装置がユーザ機器のためにデュアルコネクティビティを構成する場合、次の方法の第1のメッセージは、例えば、セカンダリノード（secondary Node）追加要求メッセージであり、第2のメッセージは、例えば、セカンダリノードsecondary nodeの追加要求確認応答メッセージである。
【０７２７】
図41は、本発明の一実施形態による別のランダムアクセスの方法の概略的な流れ図である。図41に示されるように、本方法は具体的には次のとおりである。
【０７２８】
4101．ユーザ機器は、第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される。
【０７２９】
任意の実装形態では、第1のメッセージが、第2のネットワーク装置が第1のネットワーク装置によって送信された第2のメッセージを受信した後に、第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０７３０】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７３１】
本実施形態では、ネットワーク装置は、セカンダリサービングセルにおいてユーザ機器のために少なくとも1つのBWPを構成し、PRACHリソースは、少なくとも1つのBWPのそれぞれのために構成される。
【０７３２】
第1のネットワーク装置は、第2のメッセージを第2のネットワーク装置に送信する。第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０７３３】
次に、第2のネットワーク装置は、第1のメッセージを第1のネットワーク装置に送信する。第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示す。
【０７３４】
第1のネットワーク装置は、RRC接続再構成メッセージをユーザ機器に送信する。
【０７３５】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７３６】
4102．ユーザ機器は、アクティブなBWPでランダムアクセス手順を開始する。
【０７３７】
任意の実装形態では、ステップ4102の次の実装形態がある。
【０７３８】
ステップ4102の第1の実装形態では、アクティブなBWPはアップリンクBWPとダウンリンクBWPとを含み、ステップ4102は次のステップを特に含む。
【０７３９】
41021a．ユーザ機器は、アクティブなBWPのアップリンクBWPでランダムアクセスプリアンブルを第2のネットワーク装置に送信する。
【０７４０】
41022a．ユーザ機器は、第2のネットワーク装置によって送信されたRARメッセージを、アクティブなBWPのダウンリンクBWPで受信し、RARメッセージがUL grantを含む。
【０７４１】
41023a．ユーザ機器は、アクティブなBWPのアップリンクBWPでアップリンク伝送を実行し、アップリンク伝送に使用される物理リソースは、UL grantによって示される物理リソースである。
【０７４２】
本実施形態では、アクティブなBWPがアップリンクBWPとダウンリンクBWPとを含む。ユーザ機器は、アクティブなBWPのアップリンクBWPでpreambleを第2のネットワーク装置に送信することができる。次に、第2のネットワーク装置は、RARメッセージをユーザ機器に送信し、RARメッセージがUL grantを含み、UL grantがアクティブなBWPのアップリンクBWPに対応するUL grantである。ユーザ機器は、アクティブなBWPのダウンリンクBWPでRARメッセージを受信する。次に、ユーザ機器は、RARメッセージのUL grantで示された物理リソースを使用することにより、アクティブなBWPのアップリンクBWPでデータまたはシグナリングを第2のネットワーク装置に送信する。
【０７４３】
ステップ4102の第2の実装形態では、アクティブなBWPがアップリンクBWPとダウンリンクBWPとを含むBWPペアであり、ステップ4102は、次のステップを特に含む。
【０７４４】
4102b．ユーザ機器は、BWPペアのアップリンクBWPでランダムアクセスプリアンブルを第2のネットワーク装置に送信する。
【０７４５】
4102b．ユーザ機器は、第2のネットワーク装置によって送信されたRARメッセージを、BWPペアのダウンリンクBWPで受信し、RARメッセージがUL grantを含む。
【０７４６】
4102b．ユーザ機器は、BWPペアのアップリンクBWPでアップリンク伝送を実行し、アップリンク伝送に使用される物理リソースは、UL grantによって示される物理リソースである。
【０７４７】
本実施形態では、アクティブなBWPがアップリンクBWPとダウンリンクBWPとを含むBWPペアである。ユーザ機器は、BWPペアのアップリンクBWPでpreambleを第2のネットワーク装置に送信することができる。次に、第2のネットワーク装置は、RARメッセージをユーザ機器に送信し、RARメッセージがUL grantを含み、UL grantがBWPペアのアップリンクBWPに対応するUL grantである。ユーザ機器は、BWPペアのダウンリンクBWPでRARメッセージを受信する。次に、ユーザ機器は、RARメッセージのUL grantによって示される物理リソースを使用することにより、BWPペアのアップリンクBWPでデータまたはシグナリングを第2のネットワーク装置に送信する。
【０７４８】
図42は、本発明の一実施形態による別のランダムアクセスの方法のシグナリング図1である。図42に示されるように、本方法は具体的には次のとおりである。
【０７４９】
S4201．第1のネットワーク装置は、第2のメッセージを第2のネットワーク装置に送信する。
【０７５０】
任意の実装形態では、第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０７５１】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７５２】
S4202．第2のネットワーク装置は、第1のメッセージを第1のネットワーク装置に送信し、第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示し、アクティブなBWPがアップリンクBWPとダウンリンクBWPとを含む。
【０７５３】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７５４】
S4203．第1のネットワーク装置は、RRC接続再構成メッセージをユーザ機器に送信する。
【０７５５】
S4204．ユーザ機器は、アクティブなBWPのアップリンクBWPでランダムアクセスプリアンブルを第2のネットワーク装置に送信する。
【０７５６】
S4205．ユーザ機器は、第2のネットワーク装置によって送信されたRARメッセージを、アクティブなBWPのダウンリンクBWPで受信し、RARメッセージがUL grantを含む。
【０７５７】
S4206．ユーザ機器は、アクティブなBWPのアップリンクBWPでアップリンク伝送を実行し、アップリンク伝送に使用される物理リソースは、UL grantによって示される物理リソースである。
【０７５８】
ここで、ステップS4201からS4206は、図41のステップ401およびステップ402の第1の実装形態である。詳細は繰り返し説明されない。
【０７５９】
図43は、本発明の一実施形態による別のランダムアクセスの方法のシグナリング図2である。図43に示されるように、本方法は具体的には次のとおりである。
【０７６０】
S4301．第1のネットワーク装置は、第2のメッセージを第2のネットワーク装置に送信する。
【０７６１】
任意の実装形態では、第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０７６２】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７６３】
S4302．第2のネットワーク装置は、第1のメッセージを第1のネットワーク装置に送信し、第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示し、アクティブなBWPがアップリンクBWPとダウンリンクBWPとを含むBWPペアである。
【０７６４】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７６５】
S4303．第1のネットワーク装置は、RRC接続再構成メッセージをユーザ機器に送信する。
【０７６６】
S4304．ユーザ機器は、BWPペアのアップリンクBWPでランダムアクセスプリアンブルを第2のネットワーク装置に送信する。
【０７６７】
S4305．ユーザ機器は、第2のネットワーク装置によって送信されたRARメッセージを、BWPペアのダウンリンクBWPで受信し、RARメッセージがUL grantを含む。
【０７６８】
S4306．ユーザ機器は、BWPペアのアップリンクBWPでアップリンク伝送を実行し、アップリンク伝送に使用される物理リソースは、UL grantによって示される物理リソースである。
【０７６９】
ここで、ステップS4301からS4306は、図41のステップ401およびステップ402の第2の実装形態である。詳細は繰り返し説明されない。
【０７７０】
本実施形態では、ユーザ機器が、第1のネットワーク装置によって送信されたRRC接続再構成メッセージを受信し、RRC接続再構成メッセージが第2のネットワーク装置におけるユーザ機器のプライマリサービングセルおよびプライマリサービングセルにおけるアクティブなBWPを示すために使用され、ユーザ機器は、アクティブなBWPでランダムアクセス手順を開始する。このようにして、ユーザ機器は、ネットワーク装置によって示されたアクティブなBWPに基づいてランダムアクセス手順を完了することができる。アクティブなBWPは、ネットワーク装置によって送信されたUL grantによって示されるBWPと一致し、そのため、アップリンクデータは、RARメッセージのUL grantを使用することによって効果的に送信され得る。
【０７７１】
図44は、本発明の一実施形態による別のランダムアクセスの方法の概略的な流れ図である。図44に示されるように、本方法は具体的には次のとおりである。
【０７７２】
4401．第1のネットワーク装置は、第2のメッセージを第2のネットワーク装置に送信する。
【０７７３】
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０７７４】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７７５】
4402．第1のネットワーク装置は、第2のネットワーク装置によって送信された第1のメッセージを受信し、第1のメッセージがRRC接続再構成メッセージを含む。
【０７７６】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７７７】
任意の実装形態では、アクティブなBWPがアップリンクBWPとダウンリンクBWPとを含む。
【０７７８】
4403．第1のネットワーク装置は、RRC接続再構成メッセージをユーザ機器に送信し、RRC接続再構成メッセージは、ユーザ機器のものであり、かつ第2のネットワーク装置によって提供されるプライマリサービングセルとプライマリサービングセルのアクティブなBWPとを示すために使用される。
【０７７９】
任意の実装形態では、アクティブなBWPがアップリンクBWPとダウンリンクBWPとを含むBWPペアである。
【０７８０】
本実施形態で提供される方法については、図41から図43の方法を参照されたい。詳細は繰り返し説明されない。
【０７８１】
図45は、本発明の一実施形態による別のランダムアクセスの方法の概略的な流れ図である。図45に示されるように、本方法は具体的には次のとおりである。
【０７８２】
4501．ユーザ機器は、第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される。
【０７８３】
任意の実装形態では、第1のメッセージが、第2のネットワーク装置が第1のネットワーク装置によって送信された第2のメッセージを受信した後に、第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０７８４】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７８５】
本実施形態では、ネットワーク装置は、セカンダリサービングセルにおいてユーザ機器のために少なくとも1つのBWPを構成するが、少なくとも1つのBWPのうちの1つだけのためにPRACHリソースを構成する。PRACHリソースが構成されているBWPは、初期のアクティブなBWPまたはデフォルトのBWPである。
【０７８６】
第1のネットワーク装置は、第2のメッセージを第2のネットワーク装置に送信する。第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０７８７】
次に、第2のネットワーク装置は、第1のメッセージを第1のネットワーク装置に送信する。第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示す。
【０７８８】
第1のネットワーク装置は、RRC接続再構成メッセージをユーザ機器に送信する。
【０７８９】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７９０】
4502．ユーザ機器は、アクティブなBWPでランダムアクセスプリアンブルを第2のネットワーク装置に送信する。
【０７９１】
本実施形態では、ユーザ機器は、アクティブなBWPでpreambleを第2のネットワーク装置に送信する。
【０７９２】
4503．ユーザ機器は、第2のネットワーク装置によって送信されたRARメッセージを、アクティブなBWPで受信し、RARメッセージが第1のBWP識別子を含むか示す。
【０７９３】
任意の実装形態では、RARメッセージがUL grantを含み、UL grantがBWP識別子を含むか示す。
【０７９４】
本実施形態では、第2のネットワーク装置は、RARメッセージをユーザ機器に送信する。RARメッセージが第1のBWP識別子を含む、またはRARメッセージが第1のBWP識別子を示す。ユーザ機器は、アクティブなBWPでRARメッセージを受信する。
【０７９５】
4504．ユーザ機器は、BWP識別子に対応する第1のBWPをアクティブ化する。
【０７９６】
任意の実装形態では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０７９７】
本実施形態では、ユーザ機器がBWP識別子に対応するBWPをアクティブ化する必要があるか否かに関して3つのケースがある。
【０７９８】
第1のケースでは、ユーザ機器がPDCCH orderを受信すると、ユーザ機器が現在のサービングセルにおいてアクティブなBWPを持たない場合、ユーザ機器はBWP識別子に対応するBWPをアクティブ化する必要がある。
【０７９９】
第2のケースでは、ユーザ機器がPDCCH orderを受信すると、現在の第1のサービングセルにおけるユーザ機器のアクティブなアップリンクBWPが別のBWPである場合、ユーザ機器はBWP識別子に対応するBWPに切り替える、換言すれば、ユーザ機器は別のBWPを非アクティブ化し、BWP識別子に対応するBWPをアクティブ化する。
【０８００】
第3のケースでは、ユーザ機器がPDCCH orderを受信すると、現在の第1のサービングセルにおけるユーザ機器のアクティブなアップリンクBWPがBWP識別子に対応するBWPである場合、ユーザ機器はBWPの切り替えを実行する必要がない。
【０８０１】
このステップでは、第1のケースまたは第2のケースにおいて、ユーザ機器はBWP識別子に対応するBWPをアクティブ化する必要がある。
【０８０２】
4505．ユーザ機器は、第1のBWP識別子に対応する第1のBWPでアップリンク伝送を実行する。
【０８０３】
任意の実装形態では、アップリンク伝送に使用される物理リソースがUL grantによって示される物理リソースである。
【０８０４】
このステップでは、ユーザ機器は、RARメッセージのUL grantによって示される物理リソースを使用することにより、第1のBWPでデータまたはシグナリングをネットワーク装置に送信する。
【０８０５】
図46は、本発明の一実施形態による別のランダムアクセスの方法のシグナリングである。図46に示されるように、本方法は具体的には次のとおりである。
【０８０６】
S4601．第1のネットワーク装置が第2のメッセージを第2のネットワーク装置に送信し、第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０８０７】
S4602．第2のネットワーク装置は、第1のメッセージを第1のネットワーク装置に送信し、第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示す。
【０８０８】
S4603．第1のネットワーク装置は、RRC接続再構成メッセージをユーザ機器に送信し、RRC接続再構成メッセージは、ユーザ機器のものであり、かつ第2のネットワーク装置によって提供されるプライマリサービングセルとプライマリサービングセルのアクティブなBWPとを示すために使用される。
【０８０９】
S4604．ユーザ機器は、アクティブなBWPでランダムアクセスプリアンブルを第2のネットワーク装置に送信する。
【０８１０】
本実施形態では、ユーザ機器は、アクティブなBWPでpreambleを第2のネットワーク装置に送信する。
【０８１１】
S4605．ユーザ機器は、第2のネットワーク装置によって送信されたRARメッセージを、アクティブなBWPで受信し、RARメッセージが第1のBWP識別子を含むか示す。
【０８１２】
S4606．ユーザ機器は、BWP識別子に対応する第1のBWPをアクティブ化する。
【０８１３】
S4607．ユーザ機器は、第1のBWP識別子に対応する第1のBWPでアップリンク伝送を実行する。
【０８１４】
ここで、ステップS4601からS4607は、図45のステップ4501から4505である。詳細は繰り返し説明されない。
【０８１５】
本実施形態では、ユーザ機器が、第1のネットワーク装置によって送信されたRRC接続再構成メッセージを受信し、RRC接続再構成メッセージが第2のネットワーク装置におけるユーザ機器のプライマリサービングセルおよびプライマリサービングセルにおけるアクティブなBWPを示すために使用され、ユーザ機器が、アクティブなBWPでpreambleを第2のネットワーク装置に送信し、ユーザ機器が、第2のネットワーク装置によって送信されたRARメッセージおよび第1のBWP識別子を、アクティブなBWPで受信し、ユーザ機器が、第1のBWP識別子に対応する第1のBWPでアップリンク伝送を実行する。このようにして、ユーザ機器は、ネットワーク装置によって示されたアクティブなBWPに基づいて、preambleを第2のネットワーク装置に送信でき、次に、ユーザ機器は、ネットワーク装置によって示された第1のBWPに基づいて、データまたは情報をネットワーク装置に送信する。第1のBWPは、ネットワーク装置によって送信されたUL grantによって示されるBWPと一致し、そのため、アップリンクデータは、RARメッセージのUL grantを使用することによって効果的に送信され得る。
【０８１６】
図47は、本発明の一実施形態による別のランダムアクセスの方法の概略的な流れ図である。図47に示されるように、本方法は具体的には次のとおりである。
【０８１７】
4701．第2のネットワーク装置は、第1のネットワーク装置によって送信された第2のメッセージを受信する。
【０８１８】
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０８１９】
任意の実装方法では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０８２０】
4702．第2のネットワーク装置は、ユーザ機器によって送信されたランダムアクセスプリアンブルを、アクティブなBWPで受信し、ランダムアクセスプリアンブルが、ユーザ機器が第1のネットワーク装置によって送信されたRRC接続再構成を受信した後に送信され、RRC接続再構成メッセージが、第2のネットワーク装置の下のユーザ機器のためのプライマリサービングセルを示し、プライマリサービングセルのアクティブなBWPを示すために使用される。
【０８２１】
任意の実装方法では、アクティブなBWPがプライマリサービングセルの共通構成情報におけるBWPである、またはRRC接続再構成メッセージが第2のBWP識別子を含み、第2のBWP識別子に対応するBWPがアクティブなBWPである。
【０８２２】
任意の実装方法では、RARメッセージがUL grantを含み、UL grantがBWP識別子を含むか示す。
【０８２３】
4703．第2のネットワーク装置は、アクティブなBWPでRARメッセージをユーザ機器に送信し、RARメッセージが第1のBWP識別子を含むか示し、第1のBWP識別子が第1のBWPに対応する。
【０８２４】
任意の実装方法では、アップリンク伝送に使用される物理リソースがUL grantによって示される物理リソースである。
【０８２５】
任意の実装方法では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい。
【０８２６】
任意の実装方法では、第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０８２７】
本実施形態で提供される方法については、図45および図46の方法を参照されたい。詳細は繰り返し説明されない。
【０８２８】
図48は、本発明の一実施形態による別のランダムアクセスの方法の概略的な流れ図である。図48に示されるように、本方法は具体的には次のとおりである。
【０８２９】
4801．ユーザ機器は、第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される。
【０８３０】
本実施形態では、このステップについては、図45のステップ4501を参照されたい。詳細は繰り返し説明されない。
【０８３１】
4802．ユーザ機器は、アクティブなBWPでランダムアクセスプリアンブルを第2のネットワーク装置に送信する。
【０８３２】
本実施形態では、このステップについては、図45のステップ4502を参照されたい。詳細は繰り返し説明されない。
【０８３３】
4803．ユーザ機器は、第2のネットワーク装置によって送信されたRARメッセージおよびBWP識別子を、アクティブなBWPで受信し、RARメッセージがUL grantを含み、RARメッセージが第1のDCIを使用することによりスケジュールされ、BWP識別子が第1のDCIで運ばれる、またはユーザ機器は、第2のネットワーク装置によって送信されたRARメッセージおよびBWP識別子を、アクティブなBWPで受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０８３４】
4804．ユーザ機器は、BWP識別子に対応する第1のBWPをアクティブ化する。
【０８３５】
本実施形態では、ユーザ機器が第1のBWPをアクティブ化する必要があるか否かに関して3つのケースがある。
【０８３６】
第1のケースでは、BWP識別子がステップ4801におけるアクティブなBWPの識別子である場合、BWPに対応する第1のBWPはステップ4801におけるアクティブなBWPであり、RARメッセージに含まれるUL grantは、第1のサービングセルにおけるユーザ機器のステップ4801におけるアクティブなBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、ステップ4801における第1のサービングセルのアクティブなBWPでデータまたはシグナリングをネットワーク装置に送信することができる。
【０８３７】
第2のケースでは、BWP識別子がステップ4801におけるアクティブなBWPの識別子ではない場合、BWPに対応する第1のBWPはステップ4801におけるアクティブなBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、ステップ4801におけるアクティブなBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０８３８】
このステップでは、第2のケースにおいて、ユーザ機器はBWP識別子に対応する第1のBWPをアクティブ化する必要がある。
【０８３９】
加えて、第2のケースでは、RARメッセージが受信されたとユーザ機器が判定した後に、preambleのものであり、かつRARメッセージに含まれている識別子がユーザ機器によって送信されたpreambleの識別子であると判定したときに、ユーザ機器は第1のBWPに切り替える必要がある。
【０８４０】
4805．ユーザ機器は、第1のBWP識別子に対応する第1のBWPでアップリンク伝送を実行する。
【０８４１】
このステップについては、図45のステップ4505を参照されたい。詳細は繰り返し説明されない。
【０８４２】
図49は、本発明の一実施形態による別のランダムアクセスの方法のシグナリングである。図49に示されるように、本方法は具体的には次のとおりである。
【０８４３】
S4901．第1のネットワーク装置が第2のメッセージを第2のネットワーク装置に送信し、第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０８４４】
S4902．第2のネットワーク装置は、第1のメッセージを第1のネットワーク装置に送信し、第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示す。
【０８４５】
S4903．第1のネットワーク装置は、RRC接続再構成メッセージをユーザ機器に送信し、RRC接続再構成メッセージは、ユーザ機器のものであり、かつ第2のネットワーク装置によって提供されるプライマリサービングセルとプライマリサービングセルのアクティブなBWPとを示すために使用される。
【０８４６】
S4904．ユーザ機器は、アクティブなBWPでランダムアクセスプリアンブルを第2のネットワーク装置に送信する。
【０８４７】
本実施形態では、ユーザ機器は、アクティブなBWPでpreambleを第2のネットワーク装置に送信する。
【０８４８】
S4905．ユーザ機器は、第2のネットワーク装置によって送信されたRARメッセージおよびBWP識別子を、アクティブなBWPで受信し、RARメッセージがUL grantを含み、RARメッセージが第1のDCIを使用することによりスケジュールされ、BWP識別子が第1のDCIで運ばれる、またはユーザ機器は、第2のネットワーク装置によって送信されたRARメッセージおよびBWP識別子を、アクティブなBWPで受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０８４９】
S4906．ユーザ機器は、BWP識別子に対応する第1のBWPをアクティブ化する。
【０８５０】
S4907．ユーザ機器は、第1のBWP識別子に対応する第1のBWPでアップリンク伝送を実行する。
【０８５１】
ここで、ステップS4901からS4907は、図48のステップ4801から4805である。詳細は繰り返し説明されない。
【０８５２】
本実施形態では、ユーザ機器が、第1のネットワーク装置によって送信されたRRC接続再構成メッセージを受信し、RRC接続再構成メッセージが第2のネットワーク装置におけるユーザ機器のプライマリサービングセルおよびプライマリサービングセルにおけるアクティブなBWPを示すために使用され、ユーザ機器が、アクティブなBWPでpreambleを第2のネットワーク装置に送信し、ユーザ機器が、第2のネットワーク装置によって送信されたRARメッセージおよび第1のBWP識別子を、アクティブなBWPで受信し、ユーザ機器が、第1のBWP識別子に対応する第1のBWPでアップリンク伝送を実行する。このようにして、ユーザ機器は、ネットワーク装置によって示されたアクティブなBWPに基づいて、preambleを第2のネットワーク装置に送信でき、次に、ユーザ機器は、ネットワーク装置によって示された第1のBWPに基づいて、データまたは情報をネットワーク装置に送信する。第1のBWPは、ネットワーク装置によって送信されたUL grantによって示されるBWPと一致し、そのため、アップリンクデータは、RARメッセージのUL grantを使用することによって効果的に送信され得る。
【０８５３】
図50は、本発明の一実施形態による別のランダムアクセスの方法の概略的な流れ図である。図50に示されるように、本方法は具体的には次のとおりである。
【０８５４】
5001．第2のネットワーク装置は、第1のネットワーク装置によって送信された第2のメッセージを受信する。
【０８５５】
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０８５６】
任意の実装方法では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０８５７】
5002．第2のネットワーク装置は、ユーザ機器によって送信されたランダムアクセスプリアンブルを、アクティブなBWPで受信し、ランダムアクセスプリアンブルが、ユーザ機器が第1のネットワーク装置によって送信されたRRC接続再構成を受信した後に送信され、RRC接続再構成メッセージが、第2のネットワーク装置の下のユーザ機器のためのプライマリサービングセルを示し、プライマリサービングセルのアクティブなBWPを示すために使用される。
【０８５８】
任意の実装方法では、アクティブなBWPがプライマリサービングセルの共通構成情報におけるBWPである、またはRRC接続再構成メッセージが第2のBWP識別子を含み、第2のBWP識別子に対応するBWPがアクティブなBWPである。
【０８５９】
任意の実装方法では、RARメッセージがUL grantを含み、UL grantがBWP識別子を含むか示す。
【０８６０】
5003．ユーザ機器は、第2のネットワーク装置によって送信されたRARメッセージおよびBWP識別子を、アクティブなBWPで受信し、RARメッセージがUL grantを含み、RARメッセージが第1のDCIを使用することによりスケジュールされ、BWP識別子が第1のDCIで運ばれる、またはユーザ機器は、第2のネットワーク装置によって送信されたRARメッセージおよびBWP識別子を、アクティブなBWPで受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０８６１】
任意の実装方法では、アップリンク伝送に使用される物理リソースがUL grantによって示される物理リソースである。
【０８６２】
任意の実装方法では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい。
【０８６３】
任意の実装方法では、第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０８６４】
本実施形態で提供される方法については、図48および図49の方法を参照されたい。詳細は繰り返し説明されない。
【０８６５】
図51は、本出願の一実施形態によるユーザ機器の概略的な構成図である。図51に示されるように、ユーザ機器は、
ネットワーク装置によって送信された制御シグナリングを受信し、制御シグナリングが、ランダムアクセス手順を実行するようにユーザ機器をトリガするために使用され、制御シグナリングがBWP識別子を含むか示す、ように構成された受信モジュール511と、
制御シグナリングに基づいてランダムアクセス手順を開始するように構成されたアクセスモジュール512と、
を備える。
【０８６６】
任意の実装形態では、制御シグナリングはPDCCH orderである。
【０８６７】
任意の実装形態では、アクセスモジュール512が、
BWP識別子に対応するBWPでランダムアクセス手順を開始する
ように特に構成される。
【０８６８】
任意の実装形態では、ユーザ機器が、
アクセスモジュール512が制御シグナリングに基づいてランダムアクセス手順を開始する前に、BWPをアクティブ化するように構成されたアクティブ化モジュール
をさらに備える。
【０８６９】
任意の実装形態では、BWPはアップリンクBWPであり、アクセスモジュール512が、
アップリンクBWPでランダムアクセスプリアンブルをネットワーク装置に送信するように構成された第1の送信サブモジュールと、
ネットワーク装置によって送信された第1のRARメッセージを受信し、第1のRARメッセージが第1のUL grantを含む、ように構成された第1の受信サブモジュールと、
アップリンクBWPでアップリンク伝送を実行し、アップリンク伝送に使用される物理リソースが第1のUL grantによって示される物理リソースである、ように構成された第1の伝送サブモジュールと、
を備える。
【０８７０】
任意の実装形態では、BWPがアップリンクBWPとダウンリンクBWPとを含むBWPペアであり、アクセスモジュール512が、
BWPのアップリンクBWPでランダムアクセスプリアンブルをネットワーク装置に送信するように構成された第2の送信サブモジュールと、
ネットワーク装置によって送信された第2のRARメッセージを受信し、第2のRARメッセージが第2のUL grantを含む、ように構成された第2の受信サブモジュールと、
BWPのアップリンクBWPで伝送を実行し、伝送に使用される物理リソースが第2のUL grantによって示される物理リソースである、ように構成された第2の伝送サブモジュールと、
を備える。
【０８７１】
任意の実装形態では、任意のサービングセルにおいてユーザ機器によって受信された制御シグナリングがBWP識別子を含む、または
任意のサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングがBWP識別子を含む、または
少なくとも1つのセカンダリサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０８７２】
本実施形態におけるユーザ機器は、上記の方法で図6から図10に示される実施形態の技術的解決策を実行するように構成され得る。ユーザ機器の実装原理および技術的効果は、上述の実施形態のものと同様であり、詳細は本明細書では繰り返し説明されない。
【０８７３】
図52は、本出願の一実施形態によるネットワーク装置の概略的な構成図である。図52に示されるように、ネットワーク装置は、
制御シグナリングをユーザ機器に送信し、制御シグナリングが、ランダムアクセス手順を実行するようにユーザ機器をトリガするために使用され、制御シグナリングがBWP識別子を含むか示す、ように構成された送信モジュール521
を備える。
【０８７４】
任意の実装形態では、制御シグナリングはPDCCH orderである。
【０８７５】
任意の実装形態では、BWP識別子に対応するBWPがアップリンクBWPである。
【０８７６】
任意の実装形態では、BWP識別子に対応するBWPが、アップリンクBWPとダウンリンクBWPとを含むBWPペアである。
【０８７７】
本実施形態におけるネットワーク装置は、上記の方法で図11に示される実施形態の技術的解決策を実行するように構成され得る。ネットワーク装置の実装原理および技術的効果は、上述の実施形態のものと同様であり、詳細は本明細書では繰り返し説明されない。
【０８７８】
図53は、本出願の一実施形態による別のユーザ機器の概略的な構成図である。図53に示されるように、ユーザ機器は、
ネットワーク装置によって送信されたRARメッセージを受信し、RARメッセージがBWP識別子を含むか示す、ように構成された第1の受信モジュール531と、
BWP識別子に対応する第1のBWPでアップリンク伝送を実行するように構成された伝送モジュール532と、
を備える。
【０８７９】
任意の実装形態では、RARメッセージがUL grantを含み、UL grantがBWP識別子を含むか示す。
【０８８０】
任意の実装形態では、アップリンク伝送に使用される物理リソースがUL grantによって示される物理リソースである。
【０８８１】
任意の実装形態では、ユーザ機器が、
伝送モジュール532がBWP識別子に対応する第1のBWPでアップリンク伝送を実行する前に、第1のBWPをアクティブ化するように構成された第1のアクティブ化モジュール
をさらに備える。
【０８８２】
任意の実装形態では、ユーザ機器が、
第1の受信モジュール531がネットワーク装置によって送信されたRARメッセージを受信する前に、ネットワーク装置によって送信された制御シグナリングを受信し、制御シグナリングが、ランダムアクセス手順を実行するようにユーザ機器をトリガするために使用される、ように構成された第2の受信モジュールと、
第2のBWPでランダムアクセスプリアンブルをネットワーク装置に送信するように構成された送信モジュールと、
をさらに備える。
【０８８３】
任意の実装形態では、制御シグナリングはPDCCH orderである。
【０８８４】
任意の実装形態では、ユーザ機器が、
送信モジュールが、第2のBWPでランダムアクセスプリアンブルをネットワーク装置に送信する前に、第2のBWPをアクティブ化するように構成された第2のアクティブ化モジュール
をさらに備える。
【０８８５】
任意の実装形態では、制御シグナリングが第2のBWPの識別子を含む。
【０８８６】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０８８７】
任意の実装形態では、第2のBWPが第1のサービングセルにおけるユーザ機器のBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０８８８】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０８８９】
任意の実装形態では、第1のBWPおよび第2のBWPはアップリンクBWPであり、第1のBWPと第2のBWPとは同じBWPであってもよいし、異なるBWPであってもよい。第1の受信モジュール531は、
ネットワーク装置によって送信されたRARメッセージを、第3のBWPで受信し、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、
ように特に構成される。
【０８９０】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。第1の受信モジュール531が、
ネットワーク装置によって送信されたRARメッセージを、第2のBWPのアップリンクBWPで受信する
ように特に構成される。
【０８９１】
任意の実装形態では、第1の受信モジュール531が、
ネットワーク装置によって送信されたRARメッセージを、第4のBWPで受信し、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、
ように特に構成される。
【０８９２】
任意の実装形態では、第4のBWPが、ユーザ機器が第1のサービングセルにおいて制御シグナリングを受信するときに使用されるBWPである場合、ユーザ機器が、
送信モジュールが第2のBWPでランダムアクセスプリアンブルをネットワーク装置に送信した後に、第4のBWPをアクティブ化し、第2のBWPを非アクティブ化するように構成された第3のアクティブ化モジュール
をさらに備える。
【０８９３】
本実施形態におけるユーザ機器は、上記の方法で図12から図15、または図17および図18、または図20および図21、または図23および図24、または図26および図27、または図29および図30、または図32および図33、または図35および図36、または図38および図39に示される実施形態の技術的解決策を実行するように構成され得る。ユーザ機器の実装原理および技術的効果は、上述の実施形態のものと同様であり、詳細は本明細書では繰り返し説明されない。
【０８９４】
図54は、本出願の一実施形態による別のネットワーク装置の概略的な構成図である。図54に示されるように、ネットワーク装置は、
RARメッセージをユーザ機器に送信し、RARメッセージがBWP識別子を含むか示し、BWP識別子が第1のBWPに対応する、ように構成された第1の送信モジュール541
を備える。
【０８９５】
任意の実装形態では、RARメッセージがUL grantを含み、UL grantがBWP識別子を含むか示す。
【０８９６】
任意の実装形態では、ネットワーク装置が、
第1の送信モジュール541がRARメッセージをユーザ機器に送信する前に、制御シグナリングをユーザ機器に送信し、制御シグナリングが、ランダムアクセス手順を実行するようにユーザ機器をトリガするために使用される、ように構成された第2の送信モジュール
をさらに備える。
【０８９７】
任意の実装形態では、制御シグナリングはPDCCH orderである。
【０８９８】
任意の実装形態では、制御シグナリングが第2のBWPの識別子を含む。
【０８９９】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０９００】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０９０１】
任意の実装形態では、第1のBWPおよび第2のBWPはアップリンクBWPであり、第1のBWPと第2のBWPとは同じBWPであってもよいし、異なるBWPであってもよい。第1の送信モジュール541が、
第3のBWPでRARメッセージをユーザ機器に送信し、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、
ように特に構成される。
【０９０２】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。第1の送信モジュール541が、
第2のBWPのアップリンクBWPでRARメッセージをユーザ機器に送信する
ように特に構成される。
【０９０３】
任意の実装形態では、第1の送信モジュール541が、
第4のBWPでRARメッセージをユーザ機器に送信し、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、
ように特に構成される。
【０９０４】
本実施形態におけるネットワーク装置は、上記の方法で図16、図19、図22、図25、図28、図34、図37、または図40に示される実施形態の技術的解決策を実行するように構成され得る。ネットワーク装置の実装原理および技術的効果は、上述の実施形態のものと同様であり、詳細は本明細書では繰り返し説明されない。
【０９０５】
図55は、本出願の一実施形態による別のユーザ機器の概略的な構成図である。図55に示されるように、ユーザ機器は、
第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される、ように構成された受信モジュール551と、
アクティブなBWPでランダムアクセス手順を開始するように構成されたアクセスモジュール552と、
を備える。
【０９０６】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０９０７】
任意の実装形態では、アクティブなBWPがアップリンクBWPとダウンリンクBWPとを含み、アクセスモジュール552が、
アクティブなBWPのアップリンクBWPでランダムアクセスプリアンブルを第2のネットワーク装置に送信するように構成された第1の送信サブモジュールと、
第2のネットワーク装置によって送信されたRARメッセージを、アクティブなBWPのダウンリンクBWPでユーザ機器によって受信し、RARメッセージがUL grantを含む、ように構成された第1の受信サブモジュールと、
アクティブなBWPのアップリンクBWPでアップリンク伝送をユーザ機器によって実行し、アップリンク伝送に使用される物理リソースがUL grantによって示される物理リソースである、ように構成された第1の伝送サブモジュールと、
を備える。
【０９０８】
任意の実装形態では、アクティブなBWPがアップリンクBWPとダウンリンクBWPとを含むBWPペアであり、アクセスモジュール552が、
BWPペアのアップリンクBWPでランダムアクセスプリアンブルを第2ネットワーク装置に送信するように構成された第2の送信サブモジュールと、
第2のネットワーク装置によって送信されたRARメッセージを、BWPペアのダウンリンクBWPで受信し、RARメッセージがUL grantを含む、ように構成された第2の受信サブモジュールと、
BWPペアのアップリンクBWPでアップリンク伝送を実行し、アップリンク伝送に使用される物理リソースがUL grantによって示される物理リソースである、ように構成された第2の伝送サブモジュールと、
を備える。
【０９０９】
任意の実装形態では、第1のメッセージが、第2のネットワーク装置が第1のネットワーク装置によって送信された第2のメッセージを受信した後に、第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０９１０】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０９１１】
本実施形態におけるユーザ機器は、上記の方法で図41から図43に示される実施形態の技術的解決策を実行するように構成され得る。ユーザ機器の実装原理および技術的効果は、上述の実施形態のものと同様であり、詳細は本明細書では繰り返し説明されない。
【０９１２】
図56は、本出願の一実施形態による別のネットワーク装置の概略的な構成図である。図56に示されるように、ネットワーク装置は、
第2のネットワーク装置によって送信された第1のメッセージを受信し、第1の受信メッセージが、RRC接続再構成メッセージを含む、ように構成された受信モジュール561と、
RRC接続再構成メッセージをユーザ機器に送信し、RRC接続再構成メッセージが、ユーザ機器のために第2のネットワーク装置の下のプライマリサービングセルを示し、プライマリサービングセルのアクティブなBWPを示すために使用される、ように構成された第1の送信モジュール562と、
を備える。
【０９１３】
任意の実装形態では、アクティブなBWPがプライマリサービングセルの共通構成情報におけるBWPである、または
RRC接続再構成メッセージが第1のBWP識別子を含み、第1のBWP識別子に対応するBWPがアクティブなBWPである。
【０９１４】
任意の実装形態では、アクティブなBWPがアップリンクBWPとダウンリンクBWPとを含む。
【０９１５】
任意の実装形態では、アクティブなBWPがアップリンクBWPとダウンリンクBWPとを含むBWPペアである。
【０９１６】
任意の実装形態では、第1のネットワーク装置が、
受信モジュール561が第2のネットワーク装置によって送信された第1のメッセージを受信する前に、第2のメッセージを第2のネットワーク装置に送信し、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ように構成された第2の送信モジュール
をさらに備える。
【０９１７】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０９１８】
本実施形態におけるネットワーク装置は、上記の方法で図44に示される実施形態の技術的解決策を実行するように構成され得る。ネットワーク装置の実装原理および技術的効果は、上述の実施形態のものと同様であり、詳細は本明細書では繰り返し説明されない。
【０９１９】
図57は、本出願の一実施形態による別のユーザ機器の概略的な構成図である。図57に示されるように、ユーザ機器が、
第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される、ように構成された第1の受信モジュール571と、
アクティブなBWPでランダムアクセスプリアンブルを第2のネットワーク装置に送信するように構成された送信モジュール572と、
第2のネットワーク装置によって送信されたRARメッセージを、アクティブなBWPで受信し、RARメッセージが第1のBWP識別子を含むか示す、ように構成された第2の受信モジュール573と、
第1のBWP識別子に対応する第1のBWPでアップリンク伝送を実行するように構成された伝送モジュール574と、
を備える。
【０９２０】
任意の実装形態では、アクティブなBWPがプライマリサービングセルの共通構成情報におけるBWPである、または
RRC接続再構成メッセージが第2のBWP識別子を含み、第2のBWP識別子に対応するBWPがアクティブなBWPである。
【０９２１】
任意の実装形態では、RARメッセージがUL grantを含み、UL grantがBWP識別子を含むか示す。
【０９２２】
任意の実装形態では、アップリンク伝送に使用される物理リソースがUL grantによって示される物理リソースである。
【０９２３】
任意の実装形態では、ユーザ機器が、
伝送モジュール574が第1のBWP識別子に対応する第1のBWPでアップリンク伝送を実行する前に、第1のBWPをアクティブ化するように構成されたアクティブ化モジュール
をさらに備える。
【０９２４】
任意の実装形態では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０９２５】
任意の実装形態では、第1のメッセージが、第2のネットワーク装置が第1のネットワーク装置によって送信された第2のメッセージを受信した後に、第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０９２６】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０９２７】
本実施形態におけるユーザ機器は、上記の方法で図45および図46、または図48および図49に示される実施形態の技術的解決策を実行するように構成され得る。ユーザ機器の実装原理および技術的効果は、上述の実施形態のものと同様であり、詳細は本明細書では繰り返し説明されない。
【０９２８】
図58は、本出願の一実施形態による別のネットワーク装置の概略的な構成図である。図58に示すように、ネットワーク装置は、
ユーザ機器によって送信されたランダムアクセスプリアンブルを、アクティブなBWPで受信し、ランダムアクセスプリアンブルは、ユーザ機器が第1のネットワーク装置によって送信されたRRC接続再構成メッセージを受信した後に、送信され、RRC接続再構成メッセージが、ユーザ機器のために第2のネットワーク装置の下のプライマリサービングセルを示し、プライマリサービングセルのアクティブなBWPを示すために使用される、ように構成された第1の受信モジュール581と、
アクティブなBWPでRARメッセージをユーザ機器に送信し、RARメッセージが第1のBWP識別子を含むか示し、第1のBWP識別子が第1のBWPに対応する、ように構成された送信モジュール582と、
を備える。
【０９２９】
任意の実装形態では、アクティブなBWPがプライマリサービングセルの共通構成情報におけるBWPである、または
RRC接続再構成メッセージが第2のBWP識別子を含み、第2のBWP識別子に対応するBWPがアクティブなBWPである。
【０９３０】
任意の実装形態では、RARメッセージがUL grantを含み、UL grantがBWP識別子を含むか示す。
【０９３１】
任意の実装形態では、アップリンク伝送に使用される物理リソースがUL grantによって示される物理リソースである。
【０９３２】
任意の実装形態では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０９３３】
任意の実装形態では、第2のネットワーク装置が
第1の受信モジュールがユーザ機器によって送信されたランダムアクセスプリアンブルをアクティブなBWPで受信する前に、第1のネットワーク装置によって送信された第2のメッセージを受信し、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、
ように構成された第2の受信モジュール
をさらに備える。
【０９３４】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０９３５】
本実施形態におけるネットワーク装置は、上記の方法で図47または図50に示される実施形態の技術的解決策を実行するように構成され得る。ネットワーク装置の実装原理および技術的効果は、上述の実施形態のものと同様であり、詳細は本明細書では繰り返し説明されない。
【０９３６】
図59は、本出願の一実施形態による別のユーザ機器の概略的な構成図である。ユーザ機器は、図6から図10に示される実施形態のユーザ機器のアクションまたはステップを実行するように構成され得る。ユーザ機器は、受信機5901と、送信機5902と、プロセッサ5903と、メモリ5904と、を特に備える。
【０９３７】
ユーザ機器の構成要素は、図6から図10に示される実施形態のアクションを実施するように構成される。詳細は繰り返し説明されない。
【０９３８】
本発明の実施形態では、上述の実施形態について互いに参照を行うことができる。同じまたは類似のステップおよび名詞は繰り返し説明されない。
【０９３９】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、または1つまたは複数のフィールドプログラマブルゲートアレイ（Field Programmable Gate Array、FPGA）として構成されてもよい。
【０９４０】
図60は、本出願の一実施形態による別のネットワーク装置の概略的な構成図である。ネットワーク装置は、図11に示される実施形態のユーザ機器のアクションまたはステップを実行するように構成され得る。ネットワーク装置は、受信機6001と、送信機6002と、プロセッサ6003と、メモリ6004と、を特に備える。
【０９４１】
ユーザ機器の構成要素は、図11に示される実施形態のアクションを実施するように構成される。詳細は繰り返し説明されない。
【０９４２】
本発明の実施形態では、上述の実施形態について互いに参照を行うことができる。同じまたは類似のステップおよび名詞は繰り返し説明されない。
【０９４３】
プロセッサ6003は、代替的にコントローラであってもよく、図60では「コントローラ／プロセッサ6003」として表されている。送信機6002および受信機6001は、上述の実施形態における端末装置への情報の送信または端末装置からの情報の受信においてネットワーク装置をサポートするように、また端末装置と別の端末装置との間の無線通信をサポートするように構成される。プロセッサ6003は、端末装置と通信する様々な機能を実行する。
【０９４４】
さらに、ネットワーク装置は、メモリ6004をさらに備えることができ、メモリ6004は、ネットワーク装置のプログラムコードおよびデータを格納するように構成される。加えて、ネットワーク装置は、通信インターフェース6005をさらに備え得る。通信インターフェース6005は、別のネットワークエンティティと通信するネットワーク装置をサポートするように構成される。
【０９４５】
プロセッサ6003は、例えば、中央処理装置（Central Processing Unit、CPU）であってもよいし、上記の方法を実装するための1つまたは複数の集積回路、例えば1つまたは複数のASI、1つまたは複数のDSP、または1つまたは複数のFPGAとして構成されてもよい。メモリ6004は、1つのメモリであってもよいし、複数の記憶素子の総称であってもよい。
【０９４６】
図61は、本出願の一実施形態による別のユーザ機器の概略的な構成図である。ユーザ機器は、図12から図15、または図17および図18、または図20および図21、または図23および図24、または図26および図27、または図29および図30、または図32および図33、または図35および図36、または図38および図39に示される実施形態のユーザ機器のアクションまたはステップを実行するように構成され得る。ユーザ機器は、受信機6101と、送信機6102と、プロセッサ6103と、メモリ6104と、を特に備える。
【０９４７】
ユーザ機器の構成要素は、図12から図15、または図17および図18、または図20および図21、または図23および図24、または図26および図27、または図29および図30、または図32および図33、または図35および図36、または図38および図39に示される実施形態のアクションを実施するように構成される。詳細は繰り返し説明されない。
【０９４８】
本発明の実施形態では、上述の実施形態について互いに参照を行うことができる。同じまたは類似のステップおよび名詞は繰り返し説明されない。
【０９４９】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【０９５０】
図62は、本出願の一実施形態による別のネットワーク装置の概略的な構成図である。ネットワーク装置は、図16、図19、図22、図25、図28、図34、図37、または図40に示される実施形態のユーザ機器のアクションまたはステップを実行するように構成され得る。ネットワーク装置は、受信機6201と、送信機6202と、プロセッサ6203と、メモリ6204と、を特に備える。
【０９５１】
ユーザ機器の構成要素は、図16、図19、図22、図25、図28、図34、図37、または図40に示される実施形態のアクションを実施するように構成される。詳細は繰り返し説明されない。
【０９５２】
本発明の実施形態では、上述の実施形態について互いに参照を行うことができる。同じまたは類似のステップおよび名詞は繰り返し説明されない。
【０９５３】
プロセッサ6203は、代替的にコントローラであってもよく、図62では「コントローラ／プロセッサ6203」として表されている。送信機6202および受信機6201は、上述の実施形態における端末装置への情報の送信または端末装置からの情報の受信においてネットワーク装置をサポートするように、また端末装置と別の端末装置との間の無線通信をサポートするように構成される。プロセッサ6203は、端末装置と通信する様々な機能を実行する。
【０９５４】
さらに、ネットワーク装置は、メモリ6204をさらに備えることができ、メモリ6204は、ネットワーク装置のプログラムコードおよびデータを格納するように構成される。加えて、ネットワーク装置は、通信インターフェース6205をさらに備え得る。通信インターフェース6205は、別のネットワークエンティティと通信するネットワーク装置をサポートするように構成される。
【０９５５】
プロセッサ6203は、例えば、中央処理装置（Central Processing Unit、CPU）であってもよいし、上記の方法を実装するための1つまたは複数の集積回路、例えば1つまたは複数のASI、1つまたは複数のDSP、または1つまたは複数のFPGAとして構成されてもよい。メモリ6204は、1つのメモリであってもよいし、複数の記憶素子の総称であってもよい。
【０９５６】
図63は、本出願の一実施形態による別のユーザ機器の概略的な構成図である。ユーザ機器は、図41から図43に示される実施形態のユーザ機器のアクションまたはステップを実行するように構成され得る。ユーザ機器は、受信機6301と、送信機6302と、プロセッサ6303と、メモリ6304と、を特に備える。
【０９５７】
ユーザ機器の構成要素は、図41から図43に示される実施形態のアクションを実施するように構成される。詳細は繰り返し説明されない。
【０９５８】
本発明の実施形態では、上述の実施形態について互いに参照を行うことができる。同じまたは類似のステップおよび名詞は繰り返し説明されない。
【０９５９】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【０９６０】
図64は、本出願の一実施形態による別のネットワーク装置の概略的な構成図である。ネットワーク装置は、図44に示される実施形態のユーザ機器のアクションまたはステップを実行するように構成され得る。ネットワーク装置は、受信機6401と、送信機6402と、プロセッサ6403と、メモリ6404と、を特に備える。
【０９６１】
ユーザ機器の構成要素は、図44に示される実施形態のアクションを実施するように構成される。詳細は繰り返し説明されない。
【０９６２】
本発明の実施形態では、上述の実施形態について互いに参照を行うことができる。同じまたは類似のステップおよび名詞は繰り返し説明されない。
【０９６３】
プロセッサ6403は、代替的にコントローラであってもよく、図64では「コントローラ／プロセッサ6403」として表されている。送信機6402および受信機6401は、上述の実施形態における端末装置への情報の送信または端末装置からの情報の受信においてネットワーク装置をサポートするように、また端末装置と別の端末装置との間の無線通信をサポートするように構成される。プロセッサ6403は、端末装置と通信する様々な機能を実行する。
【０９６４】
さらに、ネットワーク装置は、メモリ6404をさらに備えることができ、メモリ6404は、ネットワーク装置のプログラムコードおよびデータを格納するように構成される。加えて、ネットワーク装置は、通信インターフェース6405をさらに備え得る。通信インターフェース6405は、別のネットワークエンティティと通信するネットワーク装置をサポートするように構成される。
【０９６５】
プロセッサ6403は、例えば、中央処理装置（Central Processing Unit、CPU）であってもよいし、上記の方法を実装するための1つまたは複数の集積回路、例えば1つまたは複数のASI、1つまたは複数のDSP、または1つまたは複数のFPGAとして構成されてもよい。メモリ6404は、1つのメモリであってもよいし、複数の記憶素子の総称であってもよい。
【０９６６】
図65は、本出願の一実施形態による別のユーザ機器の概略的な構成図である。ユーザ機器は、図45および図46、または図48および図49に示される実施形態のユーザ機器のアクションまたはステップを実行するように構成され得る。ユーザ機器は、受信機6501と、送信機6502と、プロセッサ6503と、メモリ6504と、を特に備える。
【０９６７】
ユーザ機器の構成要素は、図45および図46、または図48および図49に示される実施形態のアクションを実施するように構成される。詳細は繰り返し説明されない。
【０９６８】
本発明の実施形態では、上述の実施形態について互いに参照を行うことができる。同じまたは類似のステップおよび名詞は繰り返し説明されない。
【０９６９】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【０９７０】
図66は、本出願の一実施形態による別のネットワーク装置の概略的な構成図である。ネットワーク装置は、図47または図50に示される実施形態のユーザ機器のアクションまたはステップを実行するように構成され得る。ネットワーク装置は、受信機6601と、送信機6602と、プロセッサ6603と、メモリ6604と、を特に備える。
【０９７１】
ユーザ機器の構成要素は、図47または図50に示される実施形態のアクションを実施するように構成される。詳細は繰り返し説明されない。
【０９７２】
本発明の実施形態では、上述の実施形態について互いに参照を行うことができる。同じまたは類似のステップおよび名詞は繰り返し説明されない。
【０９７３】
プロセッサ6603は、代替的にコントローラであってもよく、図66では「コントローラ／プロセッサ6603」として表されている。送信機6602および受信機6601は、上述の実施形態における端末装置への情報の送信または端末装置からの情報の受信においてネットワーク装置をサポートするように、また端末装置と別の端末装置との間の無線通信をサポートするように構成される。プロセッサ6603は、端末装置と通信する様々な機能を実行する。
【０９７４】
さらに、ネットワーク装置は、メモリ6604をさらに備えることができ、メモリ6604は、ネットワーク装置のプログラムコードおよびデータを格納するように構成される。加えて、ネットワーク装置は、通信インターフェース6605をさらに備え得る。通信インターフェース6605は、別のネットワークエンティティと通信するネットワーク装置をサポートするように構成される。
【０９７５】
プロセッサ6603は、例えば、中央処理装置（Central Processing Unit、CPU）であってもよいし、上記の方法を実装するための1つまたは複数の集積回路、例えば1つまたは複数のASI、1つまたは複数のDSP、または1つまたは複数のFPGAとして構成されてもよい。メモリ6604は、1つのメモリであってもよいし、複数の記憶素子の総称であってもよい。
【０９７６】
上記の実施形態の全部または一部は、ソフトウェア、ハードウェア、ファームウェア、またはそれらの任意の組み合わせを使用することによって実施されてもよい。ソフトウェアが実施形態を実施するために使用される場合、実施形態のすべてまたは一部は、コンピュータプログラム製品の形態で実施されてもよい。コンピュータプログラム製品は、1つまたは複数のコンピュータ命令を含む。コンピュータプログラム命令がコンピュータにロードされて実行されると、本出願の実施形態による手順または機能のすべてまたは一部が生成される。コンピュータは、汎用コンピュータ、専用コンピュータ、コンピュータネットワーク、または他のプログラマブル装置であってもよい。コンピュータ命令は、コンピュータ可読記憶媒体に格納されてもよいし、コンピュータ可読記憶媒体から別のコンピュータ可読記憶媒体に送信されてもよい。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、またはデジタル加入者線（digital subscriber line、DSL））または無線（例えば、赤外線、電波、またはマイクロ波）方式で送信され得る。コンピュータ可読記憶媒体は、コンピュータにアクセス可能な任意の使用可能な媒体であってもよく、または1つまたは複数の使用可能な媒体を一体化するサーバまたはデータセンタなどのデータ記憶装置であってもよい。使用可能な媒体は、磁気媒体（例えば、フロッピーディスク、ハードディスクまたは磁気テープ）、光学媒体（例えばDVD）、半導体媒体（例えば、ソリッドステートディスク（solid state disk、SSD））などであってもよい。
【０９７７】
当業者は、上述の1つまたは複数の例では、本出願の実施形態で説明された機能がハードウェア、ソフトウェア、ファームウェア、またはそれらの任意の組み合わせによって実装され得ることを認識すべきである。本出願がソフトウェアによって実施される場合、これらの機能は、コンピュータ可読媒体に格納されてもよいし、コンピュータ可読媒体内の1つまたは複数の命令またはコードとして送信されてもよい。コンピュータ可読媒体としては、コンピュータ記憶媒体および通信媒体が挙げられ、通信媒体は、コンピュータプログラムをある場所から別の場所に送信することを可能にする任意の媒体を含む。記憶媒体は、汎用または専用のコンピュータにアクセス可能な任意の使用可能な媒体であり得る。
【０９７８】
本出願の実施形態は、5G通信システムまたは将来生じ得る別のシステムに適用される。当業者による理解を容易にするために、以下は、本出願におけるいくつかの用語を説明する。本出願の実施形態における解決策が5Gシステムまたは将来生じ得る別のシステムに適用される場合、ネットワーク装置の名称および端末の名称が変わる場合があるが、本出願の実施形態における解決策の実施には影響しないことに留意されたい。
【０９７９】
（1）端末またはユーザ機器とも呼ばれる端末装置は、音声および／またはデータ接続をユーザに提供する装置、例えば、無線接続機能を備えたハンドヘルド装置または車載装置である。一般的な端末装置は、例えば、携帯電話、タブレットコンピュータ、ノートブックコンピュータ、パームトップコンピュータ、モバイルインターネットデバイス（mobile internet device、MID）、およびウェアラブルデバイスを含み、ウェアラブルデバイスは、例えば、スマートウォッチ、スマートバンド、または歩数計である。
【０９８０】
（2）無線アクセスネットワーク（Radio Access Network、RAN）装置とも呼ばれるネットワーク装置は、端末装置を無線ネットワークに接続するための装置である。様々な通信規格のネットワーク装置が存在する。例えば、ネットワーク装置は、基地局、発展型NodeB（evolved Node B、eNB）、無線ネットワークコントローラ（radio network controller、RNC）、NodeB（Node B、NB）、ネットワーク装置コントローラ（Base Station Controller、BSC）、ネットワーク装置トランシーバステーション（Base Transceiver Station、BTS）、ホームネットワーク装置（例えば、Home evolved NodeBまたはHome NodeB、HNB）、ベースバンドユニット（BaseBand Unit、BBU）、中継局などを含むが、これらに限定されない。
【０９８１】
（3）帯域幅部分（band width part、BWP）に関して、セルの帯域幅が広い場合、端末装置は、セルの帯域幅の一部でのみ動作することができる。セルの帯域幅の各部分は、1つのBWPと呼ばれる。
【０９８２】
（4）様々な周波数規格のネットワーク装置が存在する。例えば、ネットワーク装置は、低周波ネットワーク装置および高周波ネットワーク装置を含むが、これらに限定されない。
【０９８３】
（5）「複数」は2つ以上を意味し、他の数量詞も同様である。「および／または」という用語は、関連するオブジェクト間の関連関係を説明し、3つの関係が存在し得ることを表す。例えば、Aおよび／またはBは、次の3つの場合、すなわち、Aのみが存在する場合、AとBとの両方が存在する場合、およびBのみが存在する場合を表すことができる。文字「／」は、関連するオブジェクト間の「論理和」関係を一般に示す。
【０９８４】
図67は、本出願の一実施形態によるアプリケーションシナリオの概略図である。図67に示されるネットワーキングアーキテクチャは、ネットワーク装置05および端末装置06を主に含む。端末装置05は、ネットワーク装置06と通信することができる。本出願では、ネットワーク装置は1つの端末装置に対して少なくとも1つのダウンリンクBWPと少なくとも1つのアップリンクBWPとを構成し得る。少なくとも1つのダウンリンクBWPはデフォルトのダウンリンクBWPを含み、デフォルトのダウンリンクBWPに対応するダウンリンク帯域幅は比較的狭い。したがって、端末装置がデフォルトのダウンリンクBWPでデータを送信する場合、端末装置は、狭帯域のダウンリンク制御情報を監視するだけでよく、また比較的小さな探索空間でブラインド検出を実行するだけでよく、これにより端末装置の電力消費を削減する。端末装置は、端末装置の電力消費を削減するために動作するように、デフォルトのダウンリンクBWPにフォールバックするように端末装置を制御することができる。タイマーが端末装置に設定されている。タイマーは、デフォルトのダウンリンクBWPにフォールバックするように端末装置を制御するためのタイマーである。端末装置がアクティブなダウンリンクBWPにおいて動作する場合、端末装置がタイマーを始動し、これによりタイマーが稼働するように始動され、アクティブなダウンリンクBWPがデフォルトのダウンリンクBWPではない。タイマーが期限切れになると、それは、所定の期間に端末装置のダウンリンクスケジューリングがなかったことを示す。この場合、端末装置は、広い帯域幅でデータ通信を行う必要はなく、狭い帯域幅で動作するだけでよい。したがって、端末装置は、動作するためにデフォルトのダウンリンクBWPに自動的に切り替わり、デフォルトのダウンリンクBWPは、端末装置によってアクティブ化されたダウンリンクBWPである。
【０９８５】
キャリアアグリゲーションシナリオでは、セカンダリサービングセルが構成されるときに、セカンダリサービングセルに関連付けられたタイマーおよびデフォルトのダウンリンクBWPも構成される必要があることが現在の規格で指定されている。ネットワーク装置は、RRC接続再構成メッセージを端末装置に送信する。RRC接続再構成メッセージは、セカンダリサービングセルの構成または再構成を命令するために使用され、RRC接続再構成メッセージが、セカンダリサービングセルがアクティブ化されたときに最初にアクティブ化されるダウンリンクBWPおよび／またはアップリンクBWPを示す。第1のアクティブなダウンリンクBWPは、デフォルトのダウンリンクBWPではない場合がある。セカンダリサービングセルが既存のアクティブ化方式でアクティブ化されるとき、第1のダウンリンクBWPおよび／または第1のアップリンクBWPがアクティブ化されることも直接検討され得ることが分かる。
【０９８６】
次に、タイマーの動作メカニズムについて説明する。端末装置が現在のアクティブなダウンリンクBWPから別のアクティブなダウンリンクBWPに切り替わると、端末装置はタイマーを始動し、別のアクティブなダウンリンクBWPはデフォルトのダウンリンクBWPではない。端末装置が現在のアクティブなダウンリンクBWPでの復号を通じてダウンリンク制御情報を正常に取得し、ダウンリンク制御情報を使用することにより物理ダウンリンク共有チャネル（Physical Downlink Shared Channel、略称PDSCH）をスケジュールすると、端末装置がタイマーを再始動する。タイマーが期限切れになると、端末装置は現在アクティブなダウンリンクBWPからデフォルトのダウンリンクBWPに切り替わり、次に端末装置はデフォルトのダウンリンクBWPで動作する。
【０９８７】
本出願の実施形態で使用される用語は相互に参照されてもよく、詳細は繰り返し説明されないことに留意されたい。
【０９８８】
図68は、本発明の一実施形態によるタイマー処理の方法の概略的な流れ図である。図2に示されるように、本方法は具体的には次のとおりである。
【０９８９】
101c．端末装置は、ネットワーク装置によって送信された物理ダウンリンク制御チャネル命令（physical downlink control channel order、PDCCH order）メッセージを受信し、端末装置のタイマーが稼働しており、タイマーが、アクティブなダウンリンクBWPからデフォルトのダウンリンクBWPに切り替えるために端末装置によって使用されるタイマーである。
【０９９０】
本実施形態では、端末装置がアップリンク同期を失い、端末装置がダウンリンクデータを受信すると、ネットワーク装置は、PDCCH orderメッセージを端末装置に送信することができる。PDCCH orderメッセージは、非競合ランダムアクセス手順を実行するために端末装置をトリガするために使用される。ランダムアクセス手順を通じて、端末装置は、ネットワーク装置とのアップリンク同期を再び実施し、次に、ネットワーク装置によって送信されたダウンリンクデータを受信することができる。
【０９９１】
端末装置はタイマーを維持する。タイマーはタイミングのために使用され、タイマーは指定された期間を有する。タイマーが稼働する期間が指定された期間と同じになるかそれを超えると、タイマーが期限切れになったと見なされる。従来技術では、タイマーが期限切れになったと端末装置が判定した場合、端末装置はBWPの切り替えを実行する、換言すれば、端末装置は、現在のアクティブなダウンリンクBWPからデフォルトのダウンリンクBWPに切り替える。場合により、タイマーはBWPフォールバックタイマーと呼ばれ得る。
【０９９２】
本実施形態では、端末装置がネットワーク装置によって送信されたPDCCH orderメッセージを受信した後に、端末装置がアクティブなダウンリンクBWPでデータ通信を実行し、アクティブなダウンリンクBWPがデフォルトのダウンリンクBWPでない場合、端末装置は、端末装置のタイマーが稼働していると判定し得る。
【０９９３】
102c．端末装置はタイマーを始動または再始動する。
【０９９４】
本実施形態では、ステップ101cの後、端末装置がネットワーク装置によって送信されたPDCCH orderメッセージを受信した後、このことは、ネットワーク装置が端末装置とデータ通信を実行するところであることを示す。この場合、端末装置が依然としてダウンリンクBWPで動作する必要があり、ダウンリンクBWPがデフォルトのダウンリンクBWPではない場合、端末装置はタイマーを始動または再始動する必要がある。
【０９９５】
端末装置がタイマーを再始動するプロセスは次の通りである。端末装置がタイマーの値を初期値にリセットし、次に端末装置がタイマーを始動する。
【０９９６】
任意の実装形態では、PDCCH orderメッセージがダウンリンクBWPの識別子を含み、ダウンリンクBWPの識別子によって示されるダウンリンクBWPがデフォルトのダウンリンクBWPではない。
【０９９７】
本実施形態では、ネットワーク装置によって送信されたPDCCH orderメッセージがダウンリンクBWPの識別子を運び、ダウンリンクBWPがデフォルトのダウンリンクBWPではない。この場合、ステップ102cにおいて、PDCCH orderメッセージは、端末装置がダウンリンクBWPの切り替えを実行する必要があることを示す。ステップ102cにおいて、端末装置は、データ通信を実行するために、ダウンリンクBWPの識別子に対応するダウンリンクBWPに切り替える必要があり、またタイマーを始動または再始動する必要がある。
【０９９８】
あるいは、ネットワーク装置によって送信されたPDCCH orderメッセージは、ダウンリンクBWPの識別子を運ばない。この場合、ステップ102cにおいて、端末装置は、ダウンリンクBWPの切り替えを実行する必要はなく、端末装置は、以前の動作で使用されたダウンリンクBWPを依然としてアクティブ化し、またタイマーを始動または再始動する。
【０９９９】
図69は、本発明の一実施形態によるタイマー処理の方法のシグナリング図である。図69に示されるように、本方法は具体的には次のとおりである。
【１０００】
S11c．ネットワーク装置は、PDCCH orderメッセージを端末装置に送信し、端末装置のタイマーが稼働しており、タイマーが、アクティブなダウンリンクBWPからデフォルトのダウンリンクBWPに切り替えるために端末装置によって使用されるタイマーである。
【１００１】
S12c．端末装置はタイマーを始動または再始動する。
【１００２】
任意の実装形態では、PDCCH orderメッセージがダウンリンクBWPの識別子を含み、ダウンリンクBWPの識別子によって示されるダウンリンクBWPがデフォルトのダウンリンクBWPではない。
【１００３】
ここで、図68のステップ101cは、ステップS11cで実施される。S12cについては、図68のステップ102cを参照されたい。詳細は繰り返し説明されない。
【１００４】
本実施形態では、端末装置が、ネットワーク装置によって送信されたPDCCH orderメッセージを受信し、端末装置のタイマーが稼働しており、タイマーが、アクティブなダウンリンクBWPからデフォルトのダウンリンクBWPに切り替えるために端末装置によって使用されるタイマーであり、端末装置が、タイマーを始動または再始動する。したがって、端末装置のタイマーが稼働している場合、ネットワーク装置によって送信されたPDCCH orderメッセージが受信された後に、タイマーを始動するべきか再始動するべきかが検討される。このようにして、タイマーの動作シナリオが提供される。
【１００５】
図70は、本発明の一実施形態による別のタイマー処理の方法の概略的な流れ図である。図70に示されるように、本方法は具体的には次のとおりである。
【１００６】
201c．端末装置は、ネットワーク装置によって送信された指示メッセージを受信し、指示メッセージが、少なくとも1つのセカンダリサービングセルをアクティブ化するように端末装置に命令するために使用される。
【１００７】
本実施形態では、ネットワーク装置は、指示メッセージを端末装置に送信し、指示メッセージが、1つまたは複数のセカンダリサービングセルをアクティブ化するように端末装置に命令するために使用される。
【１００８】
任意の実装形態では、指示メッセージはアクティブ化コマンドである。アクティブ化コマンドは、少なくとも1つのセカンダリサービングセルをアクティブ化するように命令するためのMAC CEであり得る。
【１００９】
任意の実装形態では、セカンダリサービングセルが非アクティブ状態である。
【１０１０】
本実施形態では、ステップ201cにおいて、指示メッセージが少なくとも1つのセカンダリサービングセルをアクティブ化するように端末装置に命令するために使用されるが、少なくとも1つのセカンダリサービングセルの一部のみが非アクティブ状態であってもよいし、少なくとも1つのセカンダリサービングセルのそれぞれが非アクティブ状態であってもよい。
【１０１１】
202c．端末装置は、セカンダリサービングセルに関連付けられたタイマーを始動または再始動し、タイマーが、アクティブなダウンリンクBWPからデフォルトのダウンリンクBWPに切り替えるために端末装置によって使用されるタイマーである。
【１０１２】
本実施形態では、少なくとも1つのセカンダリサービングセルが端末装置のために構成され、各セカンダリサービングセルがタイマーに関連付けられる。タイマーはタイミングのために使用され、タイマーは指定された期間を有する。タイマーが稼働する期間が指定された期間と同じになるかそれを超えると、タイマーが期限切れになったと見なされる。従来技術では、タイマーが期限切れになったと端末装置が判定した場合、端末装置はBWPの切り替えを実行する、換言すれば、端末装置は、現在のアクティブなダウンリンクBWPから現在のセカンダリサービングセルにおけるデフォルトのダウンリンクBWPに切り替える。場合により、タイマーはBWPフォールバックタイマーと呼ばれる場合がある。
【１０１３】
このステップでは、ステップ201cの後、端末装置が指示メッセージを受信した後に、端末装置は、サービングセルに関連付けられたタイマーを始動または再始動することができる。
【１０１４】
具体的には、端末装置がネットワーク装置によって送信された指示メッセージを受信した後に、端末装置は、指示メッセージによって示された各セカンダリサービングセルに関連付けられたタイマーを始動または再始動することができる。例えば、端末装置は、指示メッセージによって示される各セカンダリサービングセルに関連付けられたタイマーを始動もしくは再始動する、または端末装置は、指示メッセージによって示される複数のセカンダリサービングセルのいくつかに関連付けられたタイマーを始動もしくは再始動する。
【１０１５】
あるいは、端末装置がネットワーク装置によって送信された指示メッセージを受信した後に、指示メッセージが少なくとも1つのセカンダリサービングセルを示すため、端末装置は、少なくとも1つのセカンダリサービングセルにおける非アクティブ状態のセカンダリサービングセルのタイマーのみを始動または再始動する。
【１０１６】
任意の実装形態では、ステップ201cの前に、本方法は次のステップをさらに含み得る。
【１０１７】
ステップ203c：端末装置は、ネットワーク装置によって送信されたRRCメッセージを受信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない。
【１０１８】
本実施形態では、ネットワーク装置はRRCメッセージを端末装置にまず送信する。場合により、RRCメッセージは、RRC接続再構成メッセージであってもよい。RRCメッセージは指示メッセージを含み、指示メッセージは、少なくとも1つのセカンダリサービングセルを追加または変更するように端末装置に命令するために使用される。加えて、RRCメッセージは、少なくとも1つのセカンダリサービングセルのうちの1つまたは複数の第1のダウンリンクBWPをさらに含む。換言すれば、RRCメッセージは、少なくとも1つのセカンダリサービングセルを追加または変更するように端末装置に命令するために使用されるが、RRCメッセージは、少なくとも1つのセカンダリサービングセルのうちの1つまたは複数のみの第1のダウンリンクBWPを示し得る。
【１０１９】
加えて、セカンダリサービングセルの第1のダウンリンクBWPは、端末装置がセカンダリサービングセルをアクティブ化するときに最初にアクティブ化されるダウンリンクBWPであり、第1のダウンリンクBWPはデフォルトのダウンリンクBWPではない。
【１０２０】
例えば、ネットワーク装置は、RRCメッセージを端末装置に送信し、RRCメッセージが指示情報を含み、指示情報がセカンダリサービングセル1、セカンダリサービングセル2、セカンダリサービングセル3、およびセカンダリサービングセル4を追加または変更するように命令するために使用され、RRCメッセージがセカンダリサービングセル2の第1のダウンリンクBWP1をさらに含み、第1のダウンリンクBWP1がセカンダリサービングセル2がアクティブ化されたときに最初にアクティブ化されるダウンリンクBWP1であり、第1のダウンリンクBWP1がデフォルトのダウンリンクBWPではない。
【１０２１】
別の例では、ネットワーク装置は、RRCメッセージを端末装置に送信し、RRCメッセージが指示情報を含み、指示情報がセカンダリサービングセル1、セカンダリサービングセル2、セカンダリサービングセル3、およびセカンダリサービングセル4を追加または変更するように命令するために使用され、RRCメッセージが、セカンダリサービングセル2の第1のダウンリンクBWP1およびセカンダリサービングセル4の第1のダウンリンクBWP2をさらに含み、第1のダウンリンクBWP1が、セカンダリサービングセル2がアクティブ化されるときに最初にアクティブ化されるダウンリンクBWPであり、第1のダウンリンクBWP2が、セカンダリサービングセル4がアクティブ化されるときに最初にアクティブ化されるダウンリンクBWPであり、第1のダウンリンクBWP1も第1のダウンリンクBWP2もデフォルトのダウンリンクBWPではない。
【１０２２】
任意の実装形態では、セカンダリサービングセルに関連付けられたタイマーが、端末装置の物理層によって維持されるタイマーであり、ステップ202cは、
端末装置によって、端末装置の媒体アクセス制御MAC層を使用することによって、セカンダリサービングセルに関連付けられたタイマーを始動または再始動するように端末装置の物理層に命令するステップ
を特に含む。
【１０２３】
本実施形態では、セカンダリサービングセルに関連付けられたタイマーが端末装置の物理層によって維持されるタイマーである場合、ステップ202cにおいて、端末装置のMAC層が、端末装置の物理層に命令コマンドを送信し、これにより端末装置の物理層が、セカンダリサービングセルに関連付けられたタイマーを始動または再始動する。
【１０２４】
図71は、本発明の一実施形態による別のタイマー処理の方法のシグナリング図である。図71に示されるように、本方法は具体的には次のとおりである。
【１０２５】
S22c．ネットワーク装置は、RRCメッセージを端末装置に送信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない。
【１０２６】
S21c．ネットワーク装置は、指示メッセージを端末装置に送信し、指示メッセージが、少なくとも1つのセカンダリサービングセルをアクティブ化するように端末装置に命令するために使用される。
【１０２７】
任意の実装形態では、指示メッセージはアクティブ化コマンドである。アクティブ化コマンドは、少なくとも1つのセカンダリサービングセルをアクティブ化するように命令するためのMAC CEであり得る。
【１０２８】
任意の実装形態では、セカンダリサービングセルが非アクティブ状態である。
【１０２９】
S23c．端末装置は、セカンダリサービングセルに関連付けられたタイマーを始動または再始動し、タイマーが、アクティブなダウンリンクBWPからデフォルトのダウンリンクBWPに切り替えるために端末装置によって使用されるタイマーである。
【１０３０】
任意の実装形態では、セカンダリサービングセルに関連付けられたタイマーが、端末装置の物理層によって維持されるタイマーであり、ステップS23は、
端末装置によって、端末装置のMAC層を使用することによって、セカンダリサービングセルに関連付けられたタイマーを始動または再始動するように端末装置の物理層に命令するステップ
を特に含む。
【１０３１】
ここで、図70のステップ201cはステップS21cで実施され、図70のステップ203cはステップS22cで実施され、図70のステップ202cはステップS23cで実施される。詳細は繰り返し説明されない。
【１０３２】
本実施形態では、端末装置が、ネットワーク装置によって送信された指示メッセージを受信し、指示メッセージが、少なくとも1つのセカンダリサービングセルをアクティブ化するように端末装置に命令するために使用され、端末装置が、セカンダリサービングセルに関連付けられたタイマーを始動または再始動し、タイマーが、アクティブなダウンリンクBWPからデフォルトのダウンリンクBWPに切り替えるために端末装置によって使用されるタイマーである。したがって、端末装置が、ネットワーク装置によって送信され、かつ少なくとも1つのセカンダリサービングセルをアクティブ化するように命令するために使用される指示メッセージを受信すると、端末装置がセカンダリサービングセルに関連付けられたタイマーを始動するべきか再始動するべきかが検討される。このようにして、タイマーの動作シナリオが提供される。
【１０３３】
図72は、本発明の一実施形態による別のタイマー処理の方法の概略的な流れ図である。図72に示されるように、本方法は具体的には次のとおりである。
【１０３４】
301c．端末装置は、ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーである。
【１０３５】
任意の実装形態では、指示メッセージは非アクティブ化コマンドである。非アクティブ化コマンドは、少なくとも1つのセカンダリサービングセルを非アクティブ化するように命令するためのMAC CEであり得る。
【１０３６】
本実施形態では、少なくとも1つのセカンダリサービングセルが端末装置のために構成され、各セカンダリサービングセルがタイマーに関連付けられる。タイマーはタイミングのために使用され、タイマーは指定された期間を有する。タイマーが稼働する期間が指定された期間と同じになるかそれを超えると、タイマーが期限切れになったと見なされる。従来技術では、タイマーが期限切れになったと端末装置が判定した場合、端末装置はBWPの切り替えを実行する、換言すれば、端末装置は、現在のアクティブなダウンリンクBWPから現在のセカンダリサービングセルにおけるデフォルトのダウンリンクBWPに切り替える。場合により、タイマーはBWPフォールバックタイマーと呼ばれる場合がある。
【１０３７】
このステップでは、端末装置は、ネットワーク装置によって送信された指示メッセージを受信する。指示メッセージは、少なくとも1つのセカンダリサービングセルを示し、指示メッセージが、少なくとも1つのセカンダリサービングセルを非アクティブ化するように端末装置に命令するために使用される。この場合、端末装置は、少なくとも1つのセカンダリサービングセルのセカンダリサービングセルにおいて動作し、換言すれば、端末装置は、セカンダリサービングセルのアクティブなダウンリンクBWPでデータ通信を実行し、アクティブなダウンリンクBWPがデフォルトのダウンリンクBWPではない。この場合、セカンダリサービングセルに関連付けられたタイマーが稼働中であると判定され得る。
【１０３８】
302c．端末装置は、セカンダリサービングセルに関連付けられたタイマーを停止またはリセットする、または端末装置は、セカンダリサービングセルに関連付けられたタイマーを停止およびリセットする。
【１０３９】
本実施形態では、ステップ301cの条件が満たされた場合、端末装置は、セカンダリサービングセルに関連付けられたタイマーを停止する必要がある、または端末装置は、セカンダリサービングセルに関連付けられたタイマーをリセットする必要がある、または端末装置は、セカンダリサービングセルに関連付けらたタイマーを停止およびリセットする。
【１０４０】
任意の実装形態では、セカンダリサービングセルに関連付けられたタイマーが、端末装置の物理層によって維持されるタイマーであり、ステップ302cが、
端末装置によって、端末装置のMAC層を使用することによって、セカンダリサービングセルに関連付けられたタイマーを停止動もしくは再始動するように端末装置の物理層に命令するステップ、または
端末装置によって、端末装置のMAC層を使用することによって、セカンダリサービングセルに関連付けられたタイマーを停止およびリセットするように端末装置の物理層に命令するステップ
を特に含む。
【１０４１】
本実施形態では、セカンダリサービングセルに関連付けられたタイマーが端末装置の物理層によって維持されるタイマーである場合、ステップ302cにおいて、端末装置のMAC層が端末装置の物理層に指示コマンドを送信し、これにより端末装置の物理層がセカンダリサービングセルに関連するタイマーを停止する、またはステップ302cにおいて、端末装置のMAC層が端末装置の物理層に指示コマンドを送信し、これにより、端末装置の物理層がセカンダリサービングセルに関連付けられたタイマーをリセットする、またはステップ302cにおいて、端末装置のMAC層が端末装置の物理層に指示コマンドを送信し、これにより端末装置の物理層がセカンダリサービングセルに関連付けられたタイマーを停止およびリセットする。
【１０４２】
図73は、本発明の一実施形態による別のタイマー処理の方法のシグナリング図である。図73に示されるように、本方法は具体的には次のとおりである。
【１０４３】
S31c．ネットワーク装置は、指示メッセージを端末装置に送信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーである。
【１０４４】
任意の実装形態では、指示メッセージは非アクティブ化コマンドである。非アクティブ化コマンドは、少なくとも1つのセカンダリサービングセルを非アクティブ化するように命令するためのMAC CEであり得る。
【１０４５】
S32c．端末装置は、セカンダリサービングセルに関連付けられたタイマーを停止またはリセットする、または端末装置は、セカンダリサービングセルに関連付けられたタイマーを停止およびリセットする。
【１０４６】
任意の実装形態では、セカンダリサービングセルに関連付けられたタイマーが、端末装置の物理層によって維持されるタイマーであり、ステップS32cが、
端末装置によって、端末装置のMAC層を使用することによって、セカンダリサービングセルに関連付けられたタイマーを始動もしくは再始動するように端末装置の物理層に命令するステップ、または端末装置によって、端末装置のMAC層を使用することによって、セカンダリサービングセルに関連付けられたタイマーを停止およびリセットするように端末装置の物理層に命令するステップ
を特に含む。
【１０４７】
ここで、図72のステップ301cはステップS31cで実施され、図72のステップ302cはステップS32cで実施される。詳細は繰り返し説明されない。
【１０４８】
本実施形態では、端末装置が、ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーであり、端末装置が、セカンダリサービングセルに関連付けられたタイマーを停止もしくはリセットする、または端末装置が、セカンダリサービングセルに関連付けられたタイマーを停止およびリセットする。したがって、端末装置がネットワーク装置によって送信された非アクティブ化コマンドを受信すると、非アクティブ化する必要のあるセカンダリサービングセルに関連付けられたタイマーが稼働中の場合、端末装置がセカンダリサービングセルに関連付けられたタイマーを停止するべきかリセットするべきかが検討される。このようにして、タイマーの動作シナリオが提供される。
【１０４９】
図74は、本発明の一実施形態による別のタイマー処理の方法の概略的な流れ図である。図74に示されるように、本方法は具体的には次のとおりである。
【１０５０】
401c．端末装置は、セカンダリサービングセルのセカンダリサービングセル非アクティブ化タイマーが期限切れになったことを判定し、セカンダリサービングセルに関連付けられたタイマーが稼働しており、タイマーが、アクティブなダウンリンクBWPからデフォルトのダウンリンクBWPに切り替えるために端末装置によって使用されるタイマーである。
【１０５１】
本実施形態では、少なくとも1つのセカンダリサービングセルが端末装置のために構成され、各セカンダリサービングセルがタイマーに関連付けられる。タイマーはタイミングのために使用され、タイマーは指定された期間を有する。タイマーが稼働する期間が指定された期間と同じになるかそれを超えると、タイマーが期限切れになったと見なされる。従来技術では、タイマーが期限切れになったと端末装置が判定した場合、端末装置はBWPの切り替えを実行する、換言すれば、端末装置は、現在のアクティブなダウンリンクBWPから現在のセカンダリサービングセルにおけるデフォルトのダウンリンクBWPに切り替える。場合により、タイマーはBWPフォールバックタイマーと呼ばれる場合がある。
【１０５２】
このステップでは、端末装置がセカンダリサービングセルのダウンリンクBWPでデータ通信を実行するときに、セカンダリサービングセルに関連付けられたタイマーが稼働中の場合、端末装置はセカンダリサービングセルのセカンダリサービングセル非アクティブ化タイマーが期限切れであるか否かを判定する必要がある。
【１０５３】
402c．端末装置は、セカンダリサービングセルに関連付けられたタイマーを停止またはリセットする、または端末装置は、セカンダリサービングセルに関連付けられたタイマーを停止およびリセットする。
【１０５４】
本実施形態では、ステップ401cにおいてセカンダリサービングセルのセカンダリサービングセル非アクティブ化タイマーが期限切れになったと端末装置が判定した場合、端末装置は、セカンダリサービングセルに関連付けられたタイマーを停止する必要がある、または端末装置は、セカンダリサービングセルに関連付けられたタイマーをリセットする必要がある、または端末装置は、セカンダリサービングセルに関連付けらたタイマーを停止およびリセットする。
【１０５５】
任意の実装形態では、セカンダリサービングセルに関連付けられたタイマーが、端末装置の物理層によって維持されるタイマーであり、ステップ302cが、
端末装置によって、端末装置のMAC層を使用することによって、セカンダリサービングセルに関連付けられたタイマーを始動もしくは再始動するように端末装置の物理層に命令するステップ、または端末装置によって、端末装置のMAC層を使用することによって、セカンダリサービングセルに関連付けられたタイマーを停止およびリセットするように端末装置の物理層に命令するステップ
を特に含む。
【１０５６】
本実施形態では、セカンダリサービングセルに関連付けられたタイマーが端末装置の物理層によって維持されるタイマーである場合、ステップ402cにおいて、セカンダリサービングセルのセカンダリサービングセル非アクティブ化タイマーが期限切れになったと端末装置が判定すると、端末装置のMAC層が端末装置の物理層に指示コマンドを送信し、これにより端末装置の物理層がセカンダリサービングセルに関連するタイマーを停止する、またはステップ402cにおいて、端末装置のMAC層が端末装置の物理層に指示コマンドを送信し、これにより、端末装置の物理層がセカンダリサービングセルに関連付けられたタイマーをリセットする、またはステップ402cにおいて、端末装置のMAC層が端末装置の物理層に指示コマンドを送信し、これにより端末装置の物理層がセカンダリサービングセルに関連付けられたタイマーを停止およびリセットする。
【１０５７】
図75は、本発明の一実施形態による別のタイマー処理の方法のシグナリング図である。図75に示されるように、本方法は具体的には次のとおりである。
【１０５８】
S41c．端末装置は、セカンダリサービングセルのセカンダリサービングセル非アクティブ化タイマーが期限切れになったことを判定し、セカンダリサービングセルに関連付けられたタイマーが稼働しており、タイマーが、アクティブなダウンリンクBWPからデフォルトのダウンリンクBWPに切り替えるために端末装置によって使用されるタイマーである。
【１０５９】
S42c．端末装置は、セカンダリサービングセルに関連付けられたタイマーを停止またはリセットする、または端末装置は、セカンダリサービングセルに関連付けられたタイマーを停止およびリセットする。
【１０６０】
任意の実装形態では、セカンダリサービングセルに関連付けられたタイマーが、端末装置の物理層によって維持されるタイマーであり、ステップS42cが、
端末装置によって、端末装置のMAC層を使用することによって、セカンダリサービングセルに関連付けられたタイマーを始動もしくは再始動するように端末装置の物理層に命令するステップ、または端末装置によって、端末装置のMAC層を使用することによって、セカンダリサービングセルに関連付けられたタイマーを停止およびリセットするように端末装置の物理層に命令するステップ
を特に含む。
【１０６１】
ここで、図74のステップ401cはステップS41cで実施され、図74のステップ402cはステップS42で実施される。詳細は繰り返し説明されない。
【１０６２】
本実施形態では、端末装置は、セカンダリサービングセルのセカンダリサービングセル非アクティブ化タイマーが期限切れであると判定し、セカンダリサービングセルに関連付けられたタイマーが稼働しており、タイマーが、アクティブなダウンリンクBWPからデフォルトのダウンリンクBWPに切り替えるために端末装置によって使用されるタイマーであり、端末装置が、セカンダリサービングセルに関連付けられたタイマーを停止もしくはリセットする、または端末装置が、セカンダリサービングセルに関連付けられたタイマーを停止およびリセットする。したがって、セカンダリサービングセルのセカンダリサービングセル非アクティブ化タイマーが満了したと端末装置が判断したとき、端末装置がセカンダリサービングセルに関連するタイマーを停止またはリセットするか否かが検討される。このようにして、タイマーの動作シナリオが提供される。
【１０６３】
図76は、本出願の一実施形態による端末装置の概略的な構成図である。図76に示されるように、端末装置は、
ネットワーク装置によって送信されたPDCCH orderメッセージを受信し、端末装置のタイマーが稼働しており、タイマーが、アクティブなダウンリンクBWPからデフォルトのダウンリンクBWPに切り替えるために端末装置によって使用されるタイマーである、ように構成された受信モジュール51と、
タイマーを始動または再始動するように構成された稼働モジュール52と、
を備える。
【１０６４】
受信モジュール51は、図68に示される方法でステップ101cを実行することができ、稼働モジュール52は、図68に示される方法でステップ102cを実行することができる。
【１０６５】
任意の実装形態では、PDCCH orderメッセージがダウンリンクBWPの識別子を含み、ダウンリンクBWPの識別子によって示されるダウンリンクBWPがデフォルトのダウンリンクBWPではない。
【１０６６】
図76に示される実施形態における端末装置は、上記の方法で図68および図69に示される実施形態の技術的解決策を実行するように構成され得る。端末装置の実装原理および技術的効果は、上述の実施形態のものと同様であり、詳細は本明細書では繰り返し説明されない。
【１０６７】
図77は、本出願の一実施形態による別の端末装置の概略的な構成図である。図77に示されるように、端末装置は、
ネットワーク装置によって送信された指示メッセージを受信し、指示メッセージが、少なくとも1つのセカンダリサービングセルをアクティブ化するように端末装置に命令するために使用される、ように構成された第1の受信モジュール61と、
セカンダリサービングセルに関連付けられたタイマーを始動または再始動し、タイマーが、アクティブなダウンリンクBWPからデフォルトのダウンリンクBWPに切り替えるために端末装置によって使用されるタイマーである、ように構成された稼働モジュール62と、
を備える。
【１０６８】
第1の受信モジュール61は、図70に示される方法でステップ201cを実行することができ、稼働モジュール62は、図70に示される方法でステップ202cを実行することができる。
【１０６９】
可能な設計では、セカンダリサービングセルが非アクティブ状態である。
【１０７０】
任意の実装形態では、端末装置が、
第1の受信モジュール61がネットワーク装置によって送信された指示メッセージを受信する前に、ネットワーク装置によって送信されたRRCメッセージを受信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない、第2の受信モジュール
をさらに備える。
【１０７１】
第2の受信モジュールは、図70に示される方法でステップ203cを実行することができる。
【１０７２】
任意の実装形態では、セカンダリサービングセルに関連付けられたタイマーが、端末装置の物理層によって維持されるタイマーであり、稼働モジュール62が、端末装置のMAC層を使用することによって、セカンダリサービングセルに関連付けられたタイマーを始動または再始動するように端末装置の物理層に命令するように特に構成される。
【１０７３】
図77に示される実施形態における端末装置は、上記の方法で図70および図71に示される実施形態の技術的解決策を実行するように構成され得る。端末装置の実装原理および技術的効果は、上述の実施形態のものと同様であり、詳細は本明細書では繰り返し説明されない。
【１０７４】
図78は、本出願の一実施形態による別の端末装置の概略的な構成図である。図78に示されるように、端末装置は、
ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーである、ように構成された受信モジュール71と、
セカンダリサービングセルに関連付けられたタイマーを停止もしくはリセットする、または端末装置によって、セカンダリサービングセルに関連付けられたタイマーを停止およびリセットするように構成された処理モジュール72と、
を備える。
【１０７５】
任意の実装形態では、セカンダリサービングセルに関連付けられたタイマーが、端末装置の物理層によって維持されるタイマーであり、処理モジュール72が、端末装置のMAC層を使用することによって、セカンダリサービングセルに関連付けられたタイマーを始動もしくは再始動するように端末装置の物理層に命令する、または端末装置のMAC層を使用することによって、セカンダリサービングセルに関連付けられたタイマーを停止およびリセットするように端末装置の物理層に命令するように特に構成される。
【１０７６】
受信モジュール71は、図72に示される方法でステップ301cを実行することができ、処理モジュール72は、図72に示される方法でステップ302cを実行することができる。
【１０７７】
図78に示される実施形態における端末装置は、上記の方法で図72および図73に示される実施形態の技術的解決策を実行するように構成され得る。端末装置の実装原理および技術的効果は、上述の実施形態のものと同様であり、詳細は本明細書では繰り返し説明されない。
【１０７８】
図79は、本出願の一実施形態による別の端末装置の概略的な構成図である。図79に示されるように、端末装置は、
セカンダリサービングセルのセカンダリサービングセル非アクティブ化タイマーが期限切れになったことを判定し、セカンダリサービングセルに関連付けられたタイマーが稼働しており、タイマーが、アクティブなダウンリンクBWPからデフォルトのダウンリンクBWPに切り替えるために端末装置によって使用されるタイマーである、ように構成された判定モジュール81と、
セカンダリサービングセルに関連付けられたタイマーを停止もしくはリセットするステップ、または端末装置によって、セカンダリサービングセルに関連付けられたタイマーを停止およびリセットするように構成された処理モジュール82と、
を備える。
【１０７９】
任意の実装形態では、セカンダリサービングセルに関連付けられたタイマーが、端末装置の物理層によって維持されるタイマーであり、処理モジュール82が、端末装置のMAC層を使用することによって、セカンダリサービングセルに関連付けられたタイマーを始動もしくは再始動するように端末装置の物理層に命令する、または端末装置のMAC層を使用することによって、セカンダリサービングセルに関連付けられたタイマーを停止およびリセットするように端末装置の物理層に命令するように特に構成される。
【１０８０】
判定モジュール81は、図74に示される方法でステップ401cを実行することができ、処理モジュール82は、図74に示される方法でステップ402cを実行することができる。
【１０８１】
図79に示される実施形態における端末装置は、上記の方法で図74および図75に示される実施形態の技術的解決策を実行するように構成され得る。端末装置の実装原理および技術的効果は、上述の実施形態のものと同様であり、詳細は本明細書では繰り返し説明されない。
【１０８２】
端末装置およびネットワーク装置におけるモジュールの分割は、単に論理的な機能分割であることを理解されたい。実際の実装形態では、すべてまたは一部のモジュールが1つの物理エンティティに統合されてもよいし、モジュールが物理的に分離されてもよい。加えて、これらのモジュールは、処理要素を使用することによって呼び出されるソフトウェアの形態ですべて実装されてもよいし、ハードウェアの形態ですべて実装されてもよいし、モジュールの一部が処理要素を使用することによって呼び出されるソフトウェアの形態で実装されてもよいし、モジュールの一部がハードウェアの形態で実装されてもよい。例えば、送信モジュールは、独立して配置された処理要素であってもよく、または実装のために端末装置またはネットワーク装置のチップに統合されてもよい。加えて、送信モジュールは、プログラムの形態で端末装置またはネットワーク装置のメモリに格納されてもよく、モジュールの機能を実行するために、端末装置またはネットワーク装置の処理要素によって呼び出されてもよい。他のモジュールの実装形態は、送信モジュールの実装形態と同様である。加えて、すべてまたは一部のモジュールが、一緒に統合されてもよいし、個別に実装されてもよい。本明細書の処理要素は、信号処理機能を備えた集積回路であり得る。実施プロセスにおいて、上述の方法または上述のモジュールのステップは、プロセッサ要素内のハードウェアの集積論理回路を使用することにより、またはソフトウェアの命令を使用することにより実施され得る。加えて、受信モジュールは、受信制御モジュールであり、端末装置またはネットワーク装置の受信装置、例えばアンテナや高周波装置を使用することによって、ネットワーク装置によって送信された情報を受信してもよい。送信モジュールは、送信制御モジュールであり、ネットワーク装置または端末装置の送信装置、例えばアンテナまたは無線周波数装置を使用することによって、端末装置に情報を送信してもよい。
【１０８３】
例えば、上述のモジュールは、上述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、または1つまたは複数のフィールドプログラマブルゲートアレイ（Field Programmable Gate Array、FPGA）として構成されてもよい。別の例として、上述のモジュールのうちの1つが処理要素を使用することによりスケジュールされたプログラムの形態で実施される場合、処理要素は、汎用プロセッサ、例えば中央処理装置（Central Processing Unit、CPU）またはプログラムを呼び出すことができる別のプロセッサであってもよい。別の例として、これらのユニットは一緒に統合され、システムオンチップ（system−on−a−chip、SOC）の形態で実装されてもよい。
【１０８４】
図80は、本出願の一実施形態による別の端末装置の概略的な構成図である。図80に示されるように、端末装置は、図68および図69に示される実施形態における端末装置のアクションまたはステップを実行するように構成され得る。端末装置は、受信機1411と、送信機1412と、プロセッサ1413と、メモリ1414と、を備える。
【１０８５】
受信機1411は、ネットワーク装置によって送信されたPDCCH orderメッセージを受信するように構成され、端末装置のタイマーが稼働しており、タイマーが、アクティブなダウンリンク帯域幅部分BWPからデフォルトのダウンリンクBWPに切り替えるために端末装置によって使用されるタイマーである。
【１０８６】
プロセッサ1413は、タイマーを始動または再始動するように構成される。
【１０８７】
任意の実装形態では、PDCCH orderメッセージがダウンリンクBWPの識別子を含み、ダウンリンクBWPの識別子によって示されるダウンリンクBWPがデフォルトのダウンリンクBWPではない。
【１０８８】
受信機1411は、図76に示される端末装置において受信モジュール51の機能を実施してもよく、プロセッサ1413は、図76に示される端末装置において稼働モジュール52の機能を実施してもよい。さらに、受信機1411は、図68に示される方法でステップ101cを実行することができ、プロセッサ1413は、図68に示される方法でステップ102cを実行することができる、または受信機1411は、図69に示される方法でステップS11cを実行することができ、プロセッサ1413は、図69に示される方法でステップS12cを実行することができる。
【１０８９】
図80に示される実施形態における端末装置は、上記の方法の実施形態の技術的解決策を実行するように構成され得る。端末装置の実装原理および技術的効果は、上述の実施形態のものと同様であり、詳細は本明細書では繰り返し説明されない。
【１０９０】
受信機1411および送信機1412は、アンテナに接続され得る。ダウンリンク方向では、受信機1411は、アンテナを使用することにより、ネットワーク装置によって送信された情報を受信し、送信機1412は、アンテナを使用することにより、情報を処理のためにプロセッサ1413に送信する。アップリンク方向ではて、プロセッサ1413は、端末装置のデータを処理し、送信機1412を使用することによって、処理後に得られたデータをネットワーク装置に送信する。
【１０９１】
メモリ1414は、上述の方法の実施形態または図76に示される実施形態のモジュールを実施するためのプログラムを格納するように構成され、プロセッサ1413は、図76に示されるモジュールを実装するために、上述の方法の実施形態の動作を実行するためにプログラムを呼び出す。
【１０９２】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、または1つまたは複数のフィールドプログラマブルゲートアレイ（Field Programmable Gate Array、FPGA）として構成されてもよい。
【１０９３】
図81は、本出願の一実施形態による別の端末装置の概略的な構成図である。図81に示されるように、端末装置は、図70および図71に示される実施形態における端末装置のアクションまたはステップを実行するように構成され得る。端末装置は、受信機1511と、送信機1512と、プロセッサ1513と、メモリ1514と、を備える。
【１０９４】
受信機1511は、ネットワーク装置によって送信された指示メッセージを受信し、指示メッセージが、少なくとも1つのセカンダリサービングセルをアクティブ化するように端末装置に命令するために使用される、ように構成される。
【１０９５】
プロセッサ1513は、セカンダリサービングセルに関連付けられたタイマーを始動または再始動し、タイマーが、アクティブなダウンリンクBWPからデフォルトのダウンリンクBWPに切り替えるために端末装置によって使用されるタイマーである、ように構成される。
【１０９６】
可能な設計では、セカンダリサービングセルが非アクティブ状態である。
【１０９７】
任意の実装形態では、受信機1511が、ネットワーク装置によって送信された指示メッセージを受信する前に、ネットワーク装置によって送信されたRRCメッセージを受信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない、ようにさらに構成される。
【１０９８】
任意の実装形態では、セカンダリサービングセルに関連付けられたタイマーが、端末装置の物理層によって維持されるタイマーであり、プロセッサ1513が、端末装置のMAC層を使用することによって、セカンダリサービングセルに関連付けられたタイマーを始動または再始動するように端末装置の物理層に命令するように特に構成される。
【１０９９】
受信機1511は、図77に示される端末装置において第1の受信モジュール61および第2の受信モジュールの機能を実施してもよく、プロセッサ1513は、図77に示される端末装置において稼働モジュール62の機能を実施してもよい。さらに、受信機1511は、図70に示される方法でステップ201cおよびステップ203cを実行することができ、プロセッサ1513は、図70に示される方法でステップ202cを実行することができる、または受信機1511は、図71に示される方法でステップS21cおよびS22cを実行することができ、プロセッサ1513は、図71に示される方法でステップS23cを実行することができる。
【１１００】
図81に示される実施形態における端末装置は、上記の方法の実施形態の技術的解決策を実行するように構成され得る。端末装置の実装原理および技術的効果は、上述の実施形態のものと同様であり、詳細は本明細書では繰り返し説明されない。
【１１０１】
受信機1511および送信機1512は、アンテナに接続され得る。ダウンリンク方向では、受信機1511は、アンテナを使用することにより、ネットワーク装置によって送信された情報を受信し、送信機1512は、アンテナを使用することにより、情報を処理のためにプロセッサ1513に送信する。アップリンク方向ではて、プロセッサ1513は、端末装置のデータを処理し、送信機1512を使用することによって、処理後に得られたデータをネットワーク装置に送信する。
【１１０２】
メモリ1514は、上述の方法の実施形態または図77に示される実施形態のモジュールを実施するためのプログラムを格納するように構成され、プロセッサ1513は、図77に示されるモジュールを実装するために、上述の方法の実施形態の動作を実行するためにプログラムを呼び出す。
【１１０３】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【１１０４】
図82は、本出願の一実施形態による別の端末装置の概略的な構成図である。図82に示されるように、端末装置は、図72および図73に示される実施形態における端末装置のアクションまたはステップを実行するように構成され得る。端末装置は、受信機1611と、送信機1612と、プロセッサ1613と、メモリ1614と、を備える。
【１１０５】
受信機1611は、ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーである、ように構成される。
【１１０６】
プロセッサ1613は、セカンダリサービングセルに関連付けられたタイマーを停止またはリセットする、または端末装置によって、セカンダリサービングセルに関連付けられたタイマーを停止およびリセットする、ように構成される。
【１１０７】
任意の実装形態では、セカンダリサービングセルに関連付けられたタイマーが、端末装置の物理層によって維持されるタイマーであり、プロセッサ1613が、端末装置のMAC層を使用することによって、セカンダリサービングセルに関連付けられたタイマーを始動もしくは再始動するように端末装置の物理層に命令する、または端末装置のMAC層を使用することによって、セカンダリサービングセルに関連付けられたタイマーを停止およびリセットするように端末装置の物理層に命令するように特に構成される。
【１１０８】
受信機1611は、図78に示される端末装置において受信モジュール71の機能を実施してもよく、プロセッサ1613は、図78に示される端末装置において処理モジュール72の機能を実施してもよい。さらに、受信機1611は、図72に示される方法でステップ301cを実行することができ、プロセッサ1613は、図72に示される方法でステップ302cを実行することができる、または受信機1611は、図73に示される方法でステップS31cを実行することができ、プロセッサ1613は、図73に示される方法でステップS32cを実行することができる。
【１１０９】
図82に示される実施形態における端末装置は、上記の方法の実施形態の技術的解決策を実行するように構成され得る。端末装置の実装原理および技術的効果は、上述の実施形態のものと同様であり、詳細は本明細書では繰り返し説明されない。
【１１１０】
受信機1611および送信機1612は、アンテナに接続され得る。ダウンリンク方向では、受信機1611は、アンテナを使用することにより、ネットワーク装置によって送信された情報を受信し、送信機1612は、アンテナを使用することにより、情報を処理のためにプロセッサ1613に送信する。アップリンク方向ではて、プロセッサ1613は、端末装置のデータを処理し、送信機1612を使用することによって、処理後に得られたデータをネットワーク装置に送信する。
【１１１１】
メモリ1614は、上述の方法の実施形態または図78に示される実施形態のモジュールを実施するためのプログラムを格納するように構成され、プロセッサ1613は、図78に示されるモジュールを実装するために、上述の方法の実施形態の動作を実行するためにプログラムを呼び出す。
【１１１２】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【１１１３】
図83は、本出願の一実施形態による別の端末装置の概略的な構成図である。図83に示されるように、端末装置は、図74および図75に示される実施形態における端末装置のアクションまたはステップを実行するように構成され得る。端末装置は、受信機1711と、送信機1712と、プロセッサ1713と、メモリ1714と、を備える。
【１１１４】
プロセッサ1713は、セカンダリサービングセルのセカンダリサービングセル非アクティブ化タイマーが期限切れになったことを判定し、セカンダリサービングセルに関連付けられたタイマーが稼働しており、タイマーが、アクティブなダウンリンクBWPからデフォルトのダウンリンクBWPに切り替えるために端末装置によって使用されるタイマーであり、セカンダリサービングセルに関連付けられたタイマーを停止もしくはリセットする、または端末装置によって、セカンダリサービングセルに関連付けられたタイマーを停止およびリセットするように構成される。
【１１１５】
任意の実装形態では、セカンダリサービングセルに関連付けられたタイマーが、端末装置の物理層によって維持されるタイマーであり、プロセッサ1713が、端末装置のMAC層を使用することによって、セカンダリサービングセルに関連付けられたタイマーを始動もしくは再始動するように端末装置の物理層に命令する、または端末装置のMAC層を使用することによって、セカンダリサービングセルに関連付けられたタイマーを停止およびリセットするように端末装置の物理層に命令するように特に構成される。
【１１１６】
プロセッサ1713は、図79に示される端末装置内の判定モジュール81および処理モジュール82の機能を実施することができる。さらに、プロセッサ1713は、図74に示される方法においてステップ401cおよびステップ402cを実行することができる、またはプロセッサ1713は、図75に示される方法においてステップS41cおよびS42cを実行することができる。
【１１１７】
図83に示される実施形態における端末装置は、上記の方法の実施形態の技術的解決策を実行するように構成され得る。端末装置の実装原理および技術的効果は、上述の実施形態のものと同様であり、詳細は本明細書では繰り返し説明されない。
【１１１８】
受信機1711および送信機1712は、アンテナに接続され得る。ダウンリンク方向では、受信機1711は、アンテナを使用することにより、ネットワーク装置によって送信された情報を受信し、送信機1712は、アンテナを使用することにより、情報を処理のためにプロセッサ1713に送信する。アップリンク方向ではて、プロセッサ1713は、端末装置のデータを処理し、送信機1712を使用することによって、処理後に得られたデータをネットワーク装置に送信する。
【１１１９】
メモリ1714は、上述の方法の実施形態または図79に示される実施形態のモジュールを実施するためのプログラムを格納するように構成され、プロセッサ1713は、図79に示されるモジュールを実装するために、上述の方法の実施形態の動作を実行するためにプログラムを呼び出す。
【１１２０】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【１１２１】
上記の実施形態の全部または一部は、ソフトウェア、ハードウェア、ファームウェア、またはそれらの任意の組み合わせを使用することによって実施されてもよい。ソフトウェアが実施形態を実施するために使用される場合、実施形態のすべてまたは一部は、コンピュータプログラム製品の形態で実施されてもよい。コンピュータプログラム製品は、1つまたは複数のコンピュータ命令を含む。コンピュータプログラム命令がコンピュータにロードされて実行されると、本出願の実施形態による手順または機能のすべてまたは一部が生成される。コンピュータは、汎用コンピュータ、専用コンピュータ、コンピュータネットワーク、または他のプログラマブル装置であってもよい。コンピュータ命令は、コンピュータ可読記憶媒体に格納されてもよいし、コンピュータ可読記憶媒体から別のコンピュータ可読記憶媒体に送信されてもよい。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、またはデジタル加入者線（digital subscriber line、DSL））または無線（例えば、赤外線、電波、またはマイクロ波）方式で送信され得る。コンピュータ可読記憶媒体は、コンピュータにアクセス可能な任意の使用可能な媒体であってもよく、または1つまたは複数の使用可能な媒体を一体化するサーバまたはデータセンタなどのデータ記憶装置であってもよい。使用可能な媒体は、磁気媒体（例えば、フロッピーディスク、ハードディスクまたは磁気テープ）、光学媒体（例えばDVD）、半導体媒体（例えば、ソリッドステートディスク（solid state disk、SSD））などであってもよい。
【１１２２】
当業者は、上述の1つまたは複数の例では、本出願の実施形態で説明された機能がハードウェア、ソフトウェア、ファームウェア、またはそれらの任意の組み合わせによって実装され得ることを認識すべきである。本出願がソフトウェアによって実施される場合、これらの機能は、コンピュータ可読媒体に格納されてもよいし、コンピュータ可読媒体内の1つまたは複数の命令またはコードとして送信されてもよい。コンピュータ可読媒体としては、コンピュータ記憶媒体および通信媒体が挙げられ、通信媒体は、コンピュータプログラムをある場所から別の場所に送信することを可能にする任意の媒体を含む。記憶媒体は、汎用または専用のコンピュータにアクセス可能な任意の使用可能な媒体であり得る。
【符号の説明】
【１１２３】
51  受信モジュール
52  稼働モジュール
61  第1の受信モジュール
62  稼働モジュール
71  受信モジュール
72  処理モジュール
81  判定モジュール
82  処理モジュール
511  受信モジュール
512  アクセスモジュール
521  送信モジュール
531  第1の受信モジュール
532  伝送モジュール
541  第1の送信モジュール
551  受信モジュール
552  アクセスモジュール
561  受信モジュール
562  第1の送信モジュール
571  第1の受信モジュール
572  送信モジュール
573  第2の受信モジュール
574  伝送モジュール
581  第1の受信モジュール
582  送信モジュール
1411  受信機
1412  送信機
1413  プロセッサ
1414  メモリ
1511  受信機
1512  送信機
1513  プロセッサ
1514  メモリ
1611  受信機
1612  送信機
1613  プロセッサ
1614  メモリ
1711  受信機
1712  送信機
1713  プロセッサ
1714  メモリ
5901  受信機
5902  送信機
5903  プロセッサ
5904  メモリ
6001  受信機
6002  送信機
6003  プロセッサ
6004  メモリ
6005  通信インターフェース
6101  受信機
6102  送信機
6103  プロセッサ
6104  メモリ
6201  受信機
6202  送信機
6203  プロセッサ
6204  メモリ
6205  通信インターフェース
6301  受信機
6302  送信機
6303  プロセッサ
6304  メモリ
6401  受信機
6402  送信機
6403  プロセッサ
6404  メモリ
6405  通信インターフェース
6501  受信機
6502  送信機
6503  プロセッサ
6504  メモリ
6601  受信機
6602  送信機
6603  プロセッサ
6604  メモリ
6605  通信インターフェース
【図１ａ】
2021503243.tif 000003
【図１ｂ】
2021503243.tif 000004
【図２】
2021503243.tif 000005
【図３】
2021503243.tif 000006
【図４】
2021503243.tif 000007
【図５】
2021503243.tif 000008
【図６】
2021503243.tif 000009
【図７】
2021503243.tif 000010
【図８】
2021503243.tif 000011
【図９】
2021503243.tif 000012
【図１０】
2021503243.tif 000013
【図１１】
2021503243.tif 000014
【図１２】
2021503243.tif 000015
【図１３】
2021503243.tif 000016
【図１４】
2021503243.tif 000017
【図１５】
2021503243.tif 000018
【図１６】
2021503243.tif 000019
【図１７】
2021503243.tif 000020
【図１８】
2021503243.tif 000021
【図１９】
2021503243.tif 000022
【図２０】
2021503243.tif 000023
【図２１】
2021503243.tif 000024
【図２２】
2021503243.tif 000025
【図２３】
2021503243.tif 000026
【図２４】
2021503243.tif 000027
【図２５】
2021503243.tif 000028
【図２６】
2021503243.tif 000029
【図２７】
2021503243.tif 000030
【図２８】
2021503243.tif 000031
【図２９】
2021503243.tif 000032
【図３０】
2021503243.tif 000033
【図３１】
2021503243.tif 000034
【図３２】
2021503243.tif 000035
【図３３】
2021503243.tif 000036
【図３４】
2021503243.tif 000037
【図３５】
2021503243.tif 000038
【図３６】
2021503243.tif 000039
【図３７】
2021503243.tif 000040
【図３８】
2021503243.tif 000041
【図３９】
2021503243.tif 000042
【図４０】
2021503243.tif 000043
【図４１】
2021503243.tif 000044
【図４２】
2021503243.tif 000045
【図４３】
2021503243.tif 000046
【図４４】
2021503243.tif 000047
【図４５】
2021503243.tif 000048
【図４６】
2021503243.tif 000049
【図４７】
2021503243.tif 000050
【図４８】
2021503243.tif 000051
【図４９】
2021503243.tif 000052
【図５０】
2021503243.tif 000053
【図５１】
2021503243.tif 000054
【図５２】
2021503243.tif 000055
【図５３】
2021503243.tif 000056
【図５４】
2021503243.tif 000057
【図５５】
2021503243.tif 000058
【図５６】
2021503243.tif 000059
【図５７】
2021503243.tif 000060
【図５８】
2021503243.tif 000061
【図５９】
2021503243.tif 000062
【図６０】
2021503243.tif 000063
【図６１】
2021503243.tif 000064
【図６２】
2021503243.tif 000065
【図６３】
2021503243.tif 000066
【図６４】
2021503243.tif 000067
【図６５】
2021503243.tif 000068
【図６６】
2021503243.tif 000069
【図６７】
2021503243.tif 000070
【図６８】
2021503243.tif 000071
【図６９】
2021503243.tif 000072
【図７０】
2021503243.tif 000073
【図７１】
2021503243.tif 000074
【図７２】
2021503243.tif 000075
【図７３】
2021503243.tif 000076
【図７４】
2021503243.tif 000077
【図７５】
2021503243.tif 000078
【図７６】
2021503243.tif 000079
【図７７】
2021503243.tif 000080
【図７８】
2021503243.tif 000081
【図７９】
2021503243.tif 000082
【図８０】
2021503243.tif 000083
【図８１】
2021503243.tif 000084
【図８２】
2021503243.tif 000085
【図８３】
2021503243.tif 000086
【手続補正書】
【提出日】令和2年6月24日(2020.6.24)
【手続補正１】
【補正対象書類名】明細書
【補正対象項目名】全文
【補正方法】変更
【補正の内容】
【発明の詳細な説明】
【技術分野】
【０００１】
本出願は、通信技術に関し、詳細には、ランダムアクセスの方法および装置に関する。
【背景技術】
【０００２】
通信技術の継続的な開発により、第5世代（5th−Generation、5G）モバイル通信技術の研究および標準化が進行中である。ユーザ機器はネットワーク装置にアクセスする必要があり、したがって、5G技術では依然としてランダムアクセス手順が必要とされる。
【０００３】
従来技術では、複数のアップリンク帯域幅部分（bandwidth part、略称BWP）がユーザ機器のために構成される。しかしながら、1つのアップリンクBWPだけがアクティブ状態であり、ユーザ機器は、アクティブ状態のアップリンクBWPを使用することによって、ネットワーク装置にメッセージなどを送信することができる。ランダムアクセス手順では、ネットワーク装置はユーザ機器にメッセージ0を送信する。メッセージ0は、ランダムアクセスを実行するようにユーザ機器をトリガするために使用される。ユーザ機器は、アクティブ状態のアップリンクBWPでネットワーク装置にメッセージ1を送信する。メッセージ1は、ランダムアクセスプリアンブル（Preamble）を含む。ネットワーク装置は、ユーザ機器にメッセージ2を送信する。メッセージ2はランダムアクセス応答（random access response、RAR）メッセージであり、RARメッセージはアップリンクスケジューリングリソース（UL grant）を含み、UL grantは、メッセージ1をネットワーク装置に送信するためにユーザ機器によって使用されるアップリンクBWPに対応するUL grantである。次に、ユーザ機器は、UL grantを使用することによりアップリンクデータをネットワーク装置に送信する。
【０００４】
しかしながら、従来技術では、異なるBWPは異なる構成情報を有することがあり、構成情報は、送信時間長および／またはサブキャリア間隔とサイクリックプレフィックス長とのパラメータセットを含む。ランダムアクセス手順では、メッセージ1をネットワーク装置に送信するためにユーザ機器によって使用されるアップリンクBWPの構成情報は、ユーザ機器がアップリンクデータをネットワーク装置に送信するときに必要とされる構成情報と一致しない場合がある。したがって、ユーザ機器は、RARメッセージ内にあり、かつアップリンクBWPに対応するUL grantを使用することによりアップリンクデータを送信できず、RARメッセージ内にあり、かつアップリンクBWPに対応するUL grantを浪費する。
【発明の概要】
【０００５】
本出願は、RARメッセージ内にあり、かつアップリンクBWPに対応するUL grantが浪費されるという問題を解決するために、ランダムアクセスの方法および装置を提供する。
【課題を解決するための手段】
【０００６】
第1の態様によれば、本出願はランダムアクセスの方法を提供し、本方法は、
ユーザ機器によって、ネットワーク装置によって送信された制御シグナリングを受信するステップであって、制御シグナリングが、ランダムアクセス手順を実行するようにユーザ機器をトリガするために使用され、制御シグナリングが帯域幅部分BWP識別子を含むか示す、ステップと、
ユーザ機器によって、制御シグナリングに基づいてランダムアクセス手順を開始するステップと、
を含む。
【０００７】
可能な設計では、制御シグナリングは物理ダウンリンク制御チャネル命令PDCCH orderである。
【０００８】
可能な設計では、ユーザ機器によって、制御シグナリングに基づいてランダムアクセス手順を開始するステップが、
ユーザ機器によって、BWP識別子に対応するBWPでランダムアクセス手順を開始するステップ
を含む。
【０００９】
可能な設計では、ユーザ機器によって、制御シグナリングに基づいてランダムアクセス手順を開始するステップの前に、本方法は、
ユーザ機器によって、BWPをアクティブ化するステップ
をさらに含む。
【００１０】
可能な設計では、BWPはアップリンクBWPである。
【００１１】
可能な設計では、ユーザ機器によって、BWP識別子に対応するBWPでランダムアクセス手順を開始するステップが、
ユーザ機器によって、アップリンクBWPでランダムアクセスプリアンブルをネットワーク装置に送信するステップと、
ユーザ機器によって、ネットワーク装置によって送信された第1のランダムアクセス応答RARメッセージを受信するステップであって、第1のRARメッセージが第1のアップリンク許可UL grantを含む、ステップと、
ユーザ機器によって、アップリンクBWPでアップリンク伝送を実行するステップであって、アップリンク伝送に使用される物理リソースが第1のUL grantによって示される物理リソースである、ステップと、
を含む。
【００１２】
可能な設計では、BWPが、アップリンクBWPとダウンリンクBWPとを含むBWPペアである。
【００１３】
可能な設計では、ユーザ機器によって、BWP識別子に対応するBWPでランダムアクセス手順を開始するステップが、
ユーザ機器によって、BWPのアップリンクBWPでランダムアクセスプリアンブルをネットワーク装置に送信するステップと、
ユーザ機器によって、ネットワーク装置によって送信された第2のRARメッセージを受信するステップであって、第2のRARメッセージが第2のUL grantを含む、ステップと、
ユーザ機器によって、BWPのアップリンクBWPで伝送を実行するステップであって、伝送に使用される物理リソースが第2のUL grantによって示される物理リソースである、ステップと、
を含む。
【００１４】
可能な設計では、任意のサービングセルにおいてユーザ機器によって受信された制御シグナリングがBWP識別子を含む、または
任意のサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングがBWP識別子を含む、または
少なくとも1つのセカンダリサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【００１５】
第2の態様によれば、本出願はランダムアクセスの方法を提供し、本方法は、
ネットワーク装置によって、制御シグナリングをユーザ機器に送信するステップであって、制御シグナリングが、ランダムアクセス手順を実行するようにユーザ機器をトリガするために使用され、制御シグナリングが帯域幅部分BWP識別子を含むか示す、ステップ
を含む。
【００１６】
可能な設計では、制御シグナリングは物理ダウンリンク制御チャネル命令PDCCH orderである。
【００１７】
可能な設計では、BWP識別子に対応するBWPがアップリンクBWPである。
【００１８】
可能な設計では、BWP識別子に対応するBWPが、アップリンクBWPとダウンリンクBWPとを含むBWPペアである。
【００１９】
第3の態様によれば、本出願はランダムアクセスの方法を提供し、本方法は、
ユーザ機器によって、ネットワーク装置によって送信されたランダムアクセス応答RARメッセージを受信するステップであって、RARメッセージが帯域幅部分BWP識別子を含むか示す、ステップと、
ユーザ機器によって、BWP識別子に対応する第1のBWPでアップリンク伝送を実行するステップと、
を含む。
【００２０】
可能な設計では、RARメッセージがアップリンク許可UL grantを含み、UL grantがBWP識別子を含むか示す。
【００２１】
可能な設計では、アップリンク伝送に使用される物理リソースがUL grantによって示される物理リソースである。
【００２２】
可能な設計では、ユーザ機器によって、BWP識別子に対応する第1のBWPでアップリンク伝送を実行するステップの前に、本方法は、
ユーザ機器によって、第1のBWPをアクティブ化するステップ
をさらに含む。
【００２３】
可能な設計では、ユーザ機器によって、ネットワーク装置によって送信されたRARメッセージを受信するステップの前に、本方法は、
ユーザ機器によって、ネットワーク装置によって送信された制御シグナリングを受信するステップであって、制御シグナリングが、ランダムアクセス手順を実行するようにユーザ機器をトリガするために使用される、ステップと、
ユーザ機器によって、第2のBWPでランダムアクセスプリアンブルをネットワーク装置に送信するステップと、
をさらに含む。
【００２４】
可能な設計では、制御シグナリングは物理ダウンリンク制御チャネル命令PDCCH orderである。
【００２５】
可能な設計では、ユーザ機器によって、第2のBWPでランダムアクセスプリアンブルをネットワーク装置に送信するステップの前に、本方法は、
ユーザ機器によって、第2のBWPをアクティブ化するステップ
をさらに含む。
【００２６】
可能な設計では、制御シグナリングが第2のBWPの識別子を含む。
【００２７】
可能な設計では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【００２８】
可能な設計では、第2のBWPがユーザ機器の第1のサービングセルにおけるBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【００２９】
可能な設計では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【００３０】
可能な設計では、第1のBWPおよび第2のBWPはアップリンクBWPであり、第1のBWPと第2のBWPとは同じBWPであってもよいし、異なるBWPであってもよい。
【００３１】
可能な設計では、ユーザ機器によって、ネットワーク装置によって送信されたRARメッセージを受信するステップが、
ユーザ機器によって、ネットワーク装置によって送信されたRARメッセージを、第3のBWPで受信するステップであって、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、ステップ
を含む。
【００３２】
可能な設計では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。
【００３３】
可能な設計では、ユーザ機器によって、ネットワーク装置によって送信されたRARメッセージを受信するステップが、
ユーザ機器によって、ネットワーク装置によって送信されたRARメッセージを、第2のBWPのアップリンクBWPで受信するステップ
を含む。
【００３４】
可能な設計では、ユーザ機器によって、ネットワーク装置によって送信されたRARメッセージを受信するステップが、
ユーザ機器によって、ネットワーク装置によって送信されたRARメッセージを、第4のBWPで受信するステップであって、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、ステップ
を含む。
【００３５】
可能な設計では、第4のBWPが、ユーザ機器が第1のサービングセルにおいて制御シグナリングを受信するときに使用されるBWPである場合、
ユーザ機器によって、第2のBWPでランダムアクセスプリアンブルをネットワーク装置に送信するステップの後に、本方法は、
ユーザ機器によって、第4のBWPをアクティブ化し、第2のBWPを非アクティブ化するステップ
をさらに含む。
【００３６】
第4の態様によれば、本出願はランダムアクセスの方法を提供し、本方法は、
ネットワーク装置によって、ランダムアクセス応答RARメッセージをユーザ機器に送信するステップであって、RARメッセージが帯域幅部分BWP識別子を含むか示し、BWP識別子が第1のBWPに対応する、ステップ
を含む。
【００３７】
可能な設計では、RARメッセージがアップリンク許可UL grantを含み、UL grantがBWP識別子を含むか示す。
【００３８】
可能な設計では、ネットワーク装置によって、RARメッセージをユーザ機器に送信するステップの前に、本方法は、
ネットワーク装置によって、制御シグナリングをユーザ機器に送信するステップであって、制御シグナリングが、ランダムアクセス手順を実行するようにユーザ機器をトリガするために使用される、ステップ
をさらに含む。
【００３９】
可能な設計では、制御シグナリングは物理ダウンリンク制御チャネル命令PDCCH orderである。
【００４０】
可能な設計では、制御シグナリングが第2のBWPの識別子を含む。
【００４１】
可能な設計では、第2のBWPがユーザ機器の第1のサービングセルにおけるBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【００４２】
可能な設計では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
可能な設計では、第1のBWPおよび第2のBWPはアップリンクBWPであり、第1のBWPと第2のBWPとは同じBWPであってもよいし、異なるBWPであってもよい。
【００４３】
可能な設計では、ネットワーク装置によって、RARメッセージをユーザ機器に送信するステップが、
ネットワーク装置によって、第3のBWPでRARメッセージをユーザ機器に送信するステップであって、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、ステップ
を含む。
【００４４】
可能な設計では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。
【００４５】
可能な設計では、ネットワーク装置によって、RARメッセージをユーザ機器に送信するステップが、
ネットワーク装置によって、第2のBWPのアップリンクBWPでRARメッセージをユーザ機器に送信するステップ
を含む。
【００４６】
可能な設計では、ネットワーク装置によって、RARメッセージをユーザ機器に送信するステップが、
ネットワーク装置によって、第4のBWPでRARメッセージをユーザ機器に送信するステップであって、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、ステップ
を含む。
【００４７】
第5の態様によれば、本出願はランダムアクセスの方法を提供し、本方法は、
ユーザ機器によって、第1のネットワーク装置によって送信された無線リソース制御RRC接続再構成メッセージを受信するステップであって、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブな帯域幅部分BWPを示すために使用される、ステップと、
ユーザ機器によって、アクティブなBWPでランダムアクセス手順を開始するステップと、
を含む。
【００４８】
可能な設計では、アクティブなBWPがプライマリサービングセルの共通構成情報のBWPである、または
RRC接続再構成メッセージが第1のBWP識別子を含み、第1のBWP識別子に対応するBWPがアクティブなBWPである。
【００４９】
可能な設計では、アクティブなBWPがアップリンクBWPとダウンリンクBWPとを含み、
ユーザ機器によって、アクティブなBWPでランダムアクセス手順を開始するステップが、
ユーザ機器によって、アクティブなBWPのアップリンクBWPでランダムアクセスプリアンブルを第2のネットワーク装置に送信するステップと、
ユーザ機器によって、第2のネットワーク装置によって送信されたランダムアクセス応答RARメッセージを、アクティブなBWPのダウンリンクBWPで受信するステップであって、RARメッセージがアップリンク許可UL grantを含む、ステップと、
ユーザ機器によって、アクティブなBWPのアップリンクBWPでアップリンク伝送を実行するステップであって、アップリンク伝送に使用される物理リソースがUL grantによって示される物理リソースである、ステップと、
を含む。
【００５０】
可能な設計では、アクティブなBWPがアップリンクBWPとダウンリンクBWPとを含むBWPペアであり、
ユーザ機器によって、アクティブなBWPでランダムアクセス手順を開始するステップが、
ユーザ機器によって、BWPペアのアップリンクBWPでランダムアクセスプリアンブルを第2のネットワーク装置に送信するステップと、
ユーザ機器によって、第2のネットワーク装置によって送信されたRARメッセージを、BWPペアのダウンリンクBWPで受信するステップであって、RARメッセージがUL grantを含む、ステップと、
ユーザ機器によって、BWPペアのアップリンクBWPでアップリンク伝送を実行するステップであって、アップリンク伝送に使用される物理リソースがUL grantによって示される物理リソースである、ステップと、
を含む。
【００５１】
可能な設計では、第1のメッセージが、第2のネットワーク装置が第1のネットワーク装置によって送信された第2のメッセージを受信した後に第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【００５２】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【００５３】
第6の態様によれば、本出願はランダムアクセスの方法を提供し、本方法は、
第1のネットワーク装置によって、第2のネットワーク装置によって送信された第1のメッセージを受信するステップであって、第1の受信メッセージが、無線リソース制御RRC接続再構成メッセージを含む、ステップと、
第1のネットワーク装置によって、RRC接続再構成メッセージをユーザ機器に送信するステップであって、RRC接続再構成メッセージが、ユーザ機器のために第2のネットワーク装置の下のプライマリサービングセルを示し、プライマリサービングセルのアクティブな帯域幅部分BWPを示すために使用される、ステップと、
を含む。
【００５４】
可能な設計では、アクティブなBWPがプライマリサービングセルの共通構成情報のBWPである、または
RRC接続再構成メッセージが第1のBWP識別子を含み、第1のBWP識別子に対応するBWPがアクティブなBWPである。
【００５５】
可能な設計では、アクティブなBWPがアップリンクBWPとダウンリンクBWPとを含む。
【００５６】
可能な設計では、アクティブなBWPが、アップリンクBWPとダウンリンクBWPとを含むBWPペアである。
【００５７】
可能な設計では、第1のネットワーク装置によって、第2のネットワーク装置によって送信された第1のメッセージを受信するステップの前に、本方法は、
第1のネットワーク装置によって、第2のメッセージを第2のネットワーク装置に送信するステップであって、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ステップ
をさらに含む。
【００５８】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【００５９】
第7の態様によれば、本出願はランダムアクセスの方法を提供し、本方法は、
ユーザ機器によって、第1のネットワーク装置によって送信された無線リソース制御RRC接続再構成メッセージを受信するステップであって、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブな帯域幅部分BWPを示すために使用される、ステップと、
ユーザ機器によって、アクティブなBWPでランダムアクセスプリアンブルを第2のネットワーク装置に送信するステップと、
ユーザ機器によって、第2のネットワーク装置によって送信されたランダムアクセス応答RARメッセージを、アクティブなBWPで受信するステップであって、RARメッセージが第1の帯域幅部分BWP識別子を含むか示す、ステップと、
ユーザ機器によって、第1のBWP識別子に対応する第1のBWPでアップリンク伝送を実行するステップと、
を含む。
【００６０】
可能な設計では、アクティブなBWPがプライマリサービングセルの共通構成情報のBWPである、または
RRC接続再構成メッセージが第2のBWP識別子を含み、第2のBWP識別子に対応するBWPがアクティブなBWPである。
【００６１】
可能な設計では、RARメッセージがアップリンク許可UL grantを含み、UL grantがBWP識別子を含むか示す。
【００６２】
可能な設計では、アップリンク伝送に使用される物理リソースがUL grantによって示される物理リソースである。
【００６３】
可能な設計では、ユーザ機器によって、第1のBWP識別子に対応する第1のBWPでアップリンク伝送を実行するステップの前に、本方法は、
ユーザ機器によって、第1のBWPをアクティブ化するステップ
をさらに含む。
【００６４】
可能な設計では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【００６５】
可能な設計では、第1のメッセージが、第2のネットワーク装置が第1のネットワーク装置によって送信された第2のメッセージを受信した後に第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【００６６】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【００６７】
第8の態様によれば、本出願はランダムアクセスの方法を提供し、本方法は、
第2のネットワーク装置によって、ユーザ機器によって送信されたランダムアクセスプリアンブルを、アクティブな帯域幅部分BWPで受信するステップであって、ランダムアクセスプリアンブルは、ユーザ機器が第1のネットワーク装置によって送信された無線リソース制御RRC接続再構成メッセージを受信した後に、ユーザ機器によって送信され、RRC接続再構成メッセージが、ユーザ機器のために第2のネットワーク装置の下のプライマリサービングセルを示し、プライマリサービングセルのアクティブなBWPを示すために使用される、ステップと、
第2のネットワーク装置によって、アクティブなBWPでランダムアクセス応答RARメッセージをユーザ機器に送信するステップであって、RARメッセージが第1の帯域幅部分BWP識別子を含むか示し、第1のBWP識別子が第1のBWPに対応する、ステップと、
を含む。
【００６８】
可能な設計では、アクティブなBWPがプライマリサービングセルの共通構成情報のBWPである、または
RRC接続再構成メッセージが第2のBWP識別子を含み、第2のBWP識別子に対応するBWPがアクティブなBWPである。
【００６９】
可能な設計では、RARメッセージがアップリンク許可UL grantを含み、UL grantがBWP識別子を含むか示す。
【００７０】
可能な設計では、アップリンク伝送に使用される物理リソースがUL grantによって示される物理リソースである。
【００７１】
可能な設計では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【００７２】
可能な設計では、第2のネットワーク装置によって、ユーザ機器によって送信されたランダムアクセスプリアンブルを、アクティブなBWPで受信するステップの前に、本方法は、
第2のネットワーク装置によって、第1のネットワーク装置によって送信された第2のメッセージを受信するステップであって、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ステップ
をさらに含む。
【００７３】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【００７４】
第9の態様によれば、本出願はユーザ機器を提供し、ユーザ機器が、
ネットワーク装置によって送信された制御シグナリングを受信し、制御シグナリングが、ランダムアクセス手順を実行するようにユーザ機器をトリガするために使用され、制御シグナリングが帯域幅部分BWP識別子を含むか示す、ように構成された受信モジュールと、
制御シグナリングに基づいてランダムアクセス手順を開始するように構成されたアクセスモジュールと、
を備える。
【００７５】
可能な設計では、制御シグナリングは物理ダウンリンク制御チャネル命令PDCCH orderである。
【００７６】
可能な設計では、アクセスモジュールが、
BWP識別子に対応するBWPでランダムアクセス手順を開始する
ように特に構成される。
【００７７】
可能な設計では、ユーザ機器が、
アクセスモジュールが制御シグナリングに基づいてランダムアクセス手順を開始する前に、BWPをアクティブ化するように構成されたアクティブ化モジュール
をさらに備える。
【００７８】
可能な設計では、BWPはアップリンクBWPである。
【００７９】
可能な設計では、アクセスモジュールが、
アップリンクBWPでランダムアクセスプリアンブルをネットワーク装置に送信するように構成された第1の送信サブモジュールと、
ネットワーク装置によって送信された第1のランダムアクセス応答RARメッセージを受信し、第1のRARメッセージが第1のアップリンク許可UL grantを含む、ように構成された第1の受信サブモジュールと、
アップリンクBWPでアップリンク伝送を実行し、アップリンク伝送に使用される物理リソースが第1のUL grantによって示される物理リソースである、ように構成された第1の伝送サブモジュールと、
を備える。
【００８０】
可能な設計では、BWPが、アップリンクBWPとダウンリンクBWPとを含むBWPペアである。
【００８１】
可能な設計では、アクセスモジュールが、
BWPのアップリンクBWPでランダムアクセスプリアンブルをネットワーク装置に送信するように構成された第2の送信サブモジュールと、
ネットワーク装置によって送信された第2のRARメッセージを受信し、第2のRARメッセージが第2のUL grantを含む、ように構成された第2の受信サブモジュールと、
BWPのアップリンクBWPで伝送を実行し、伝送に使用される物理リソースが第2のUL grantによって示される物理リソースである、ように構成された第2の伝送サブモジュールと、
を備える。
【００８２】
可能な設計では、任意のサービングセルにおいてユーザ機器によって受信された制御シグナリングがBWP識別子を含む、または
任意のサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングがBWP識別子を含む、または
少なくとも1つのセカンダリサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【００８３】
第10の態様によれば、本出願はネットワーク装置を提供し、ネットワーク装置が、
制御シグナリングをユーザ機器に送信し、制御シグナリングが、ランダムアクセス手順を実行するようにユーザ機器をトリガするために使用され、制御シグナリングが帯域幅部分BWP識別子を含むか示す、ように構成された送信モジュール
を備える。
【００８４】
可能な設計では、制御シグナリングは物理ダウンリンク制御チャネル命令PDCCH orderである。
【００８５】
可能な設計では、BWP識別子に対応するBWPがアップリンクBWPである。
【００８６】
可能な設計では、BWP識別子に対応するBWPが、アップリンクBWPとダウンリンクBWPとを含むBWPペアである。
【００８７】
第11の態様によれば、本出願はユーザ機器を提供し、ユーザ機器が、
ネットワーク装置によって送信されたランダムアクセス応答RARメッセージを受信し、RARメッセージが帯域幅部分BWP識別子を含むか示す、ように構成された第1の受信モジュールと、
BWP識別子に対応する第1のBWPでアップリンク伝送を実行するように構成された伝送モジュールと、
を備える。
【００８８】
可能な設計では、RARメッセージがアップリンク許可UL grantを含み、UL grantがBWP識別子を含むか示す。
【００８９】
可能な設計では、アップリンク伝送に使用される物理リソースがUL grantによって示される物理リソースである。
【００９０】
可能な設計では、ユーザ機器が、
伝送モジュールがBWP識別子に対応する第1のBWPでアップリンク伝送を実行する前に、第1のBWPをアクティブ化するように構成された第1のアクティブ化モジュール
をさらに備える。
【００９１】
可能な設計では、ユーザ機器が、
第1の受信モジュールがネットワーク装置によって送信されたRARメッセージを受信する前に、ネットワーク装置によって送信された制御シグナリングを受信し、制御シグナリングが、ランダムアクセス手順を実行するようにユーザ機器をトリガするために使用される、ように構成された第2の受信モジュールと、
第2のBWPでランダムアクセスプリアンブルをネットワーク装置に送信するように構成された送信モジュールと、
をさらに備える。
【００９２】
可能な設計では、制御シグナリングは物理ダウンリンク制御チャネル命令PDCCH orderである。
【００９３】
可能な設計では、ユーザ機器が、
送信モジュールが、第2のBWPでランダムアクセスプリアンブルをネットワーク装置に送信する前に、第2のBWPをアクティブ化するように構成された第2のアクティブ化モジュール
をさらに備える。
【００９４】
可能な設計では、制御シグナリングが第2のBWPの識別子を含む。
【００９５】
可能な設計では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【００９６】
可能な設計では、第2のBWPがユーザ機器の第1のサービングセルにおけるBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【００９７】
可能な設計では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【００９８】
可能な設計では、第1のBWPおよび第2のBWPはアップリンクBWPであり、第1のBWPと第2のBWPとは同じBWPであってもよいし、異なるBWPであってもよい。
【００９９】
可能な設計では、第1の受信モジュールが、
ネットワーク装置によって送信されたRARメッセージを、第3のBWPで受信し、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、
ように特に構成される。
【０１００】
可能な設計では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。
【０１０１】
可能な設計では、第1の受信モジュールが、
ネットワーク装置によって送信されたRARメッセージを、第2のBWPのアップリンクBWPで受信する
ように特に構成される。
【０１０２】
可能な設計では、第1の受信モジュールが、
ネットワーク装置によって送信されたRARメッセージを、第4のBWPで受信し、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、
ように特に構成される。
【０１０３】
可能な設計では、第4のBWPが、ユーザ機器が第1のサービングセルにおいて制御シグナリングを受信するときに使用されるBWPである場合、
ユーザ機器が、
送信モジュールが、第2のBWPでランダムアクセスプリアンブルをネットワーク装置に送信した後に、第4のBWPをアクティブ化し、第2のBWPを非アクティブ化するように構成された第3のアクティブ化モジュール
をさらに備える。
【０１０４】
第12の態様によれば、本出願はネットワーク装置を提供し、ネットワーク装置が、
ランダムアクセス応答RARメッセージをユーザ機器に送信し、RARメッセージが帯域幅部分BWP識別子を含むか示し、BWP識別子が第1のBWPに対応する、ように構成された第1の送信モジュール
を備える。
【０１０５】
可能な設計では、RARメッセージがアップリンク許可UL grantを含み、UL grantがBWP識別子を含むか示す。
【０１０６】
可能な設計では、ネットワーク装置が、
第1の送信モジュールがRARメッセージをユーザ機器に送信する前に、制御シグナリングをユーザ機器に送信し、制御シグナリングが、ランダムアクセス手順を実行するようにユーザ機器をトリガするために使用される、ように構成された第2の送信モジュール
をさらに備える。
【０１０７】
可能な設計では、制御シグナリングは物理ダウンリンク制御チャネル命令PDCCH orderである。
【０１０８】
可能な設計では、制御シグナリングが第2のBWPの識別子を含む。
【０１０９】
可能な設計では、第2のBWPがユーザ機器の第1のサービングセルにおけるBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０１１０】
可能な設計では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０１１１】
可能な設計では、第1のBWPおよび第2のBWPはアップリンクBWPであり、第1のBWPと第2のBWPとは同じBWPであってもよいし、異なるBWPであってもよい。
【０１１２】
可能な設計では、第1の送信モジュールが、
第3のBWPでRARメッセージをユーザ機器に送信し、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、
ように特に構成される。
【０１１３】
可能な設計では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。
【０１１４】
可能な設計では、第1の送信モジュールが、
第2のBWPのアップリンクBWPでRARメッセージをユーザ機器に送信する
ように特に構成される。
【０１１５】
可能な設計では、第1の送信モジュールが、
第4のBWPでRARメッセージをユーザ機器に送信し、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、
ように特に構成される。
【０１１６】
第13の態様によれば、本出願はユーザ機器を提供し、ユーザ機器が、
第1のネットワーク装置によって送信された無線リソース制御RRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブな帯域幅部分BWPを示すために使用される、ように構成された受信モジュールと、
アクティブなBWPでランダムアクセス手順を開始するように構成されたアクセスモジュールと、
を備える。
【０１１７】
可能な設計では、アクティブなBWPがプライマリサービングセルの共通構成情報のBWPである、または
RRC接続再構成メッセージが第1のBWP識別子を含み、第1のBWP識別子に対応するBWPがアクティブなBWPである。
【０１１８】
可能な設計では、アクティブなBWPがアップリンクBWPとダウンリンクBWPとを含み、
アクセスモジュールが、
アクティブなBWPのアップリンクBWPでランダムアクセスプリアンブルを第2のネットワーク装置に送信するように構成された第1の送信サブモジュールと、
第2のネットワーク装置によって送信されたランダムアクセス応答RARメッセージを、アクティブなBWPのダウンリンクBWPでユーザ機器によって受信し、RARメッセージがアップリンク許可UL grantを含む、ように構成された第1の受信サブモジュールと、
アクティブなBWPのアップリンクBWPでアップリンク伝送をユーザ機器によって実行し、アップリンク伝送に使用される物理リソースがUL grantによって示される物理リソースである、ように構成された第1の伝送サブモジュールと、
を備える。
【０１１９】
可能な設計では、アクティブなBWPがアップリンクBWPとダウンリンクBWPとを含むBWPペアであり、
アクセスモジュールが、
BWPペアのアップリンクBWPでランダムアクセスプリアンブルを第2ネットワーク装置に送信するように構成された第2の送信サブモジュールと、
第2のネットワーク装置によって送信されたRARメッセージを、BWPペアのダウンリンクBWPで受信し、RARメッセージがUL grantを含む、ように構成された第2の受信サブモジュールと、
BWPペアのアップリンクBWPでアップリンク伝送を実行し、アップリンク伝送に使用される物理リソースがUL grantによって示される物理リソースである、ように構成された第2の伝送サブモジュールと、
を備える。
【０１２０】
可能な設計では、第1のメッセージが、第2のネットワーク装置が第1のネットワーク装置によって送信された第2のメッセージを受信した後に第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０１２１】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０１２２】
第14の態様によれば、本出願は第1のネットワーク装置を提供し、第1のネットワーク装置が、
第2のネットワーク装置によって送信された第1のメッセージを受信し、第1の受信メッセージが無線リソース制御RRC接続再構成メッセージを含む、ように構成された受信モジュールと、
RRC接続再構成メッセージをユーザ機器に送信し、RRC接続再構成メッセージが、ユーザ機器のために第2のネットワーク装置の下のプライマリサービングセルを示し、プライマリサービングセルのアクティブな帯域幅部分BWPを示すために使用される、ように構成された第1の送信モジュールと、
を備える。
【０１２３】
可能な設計では、アクティブなBWPがプライマリサービングセルの共通構成情報のBWPである、または
RRC接続再構成メッセージが第1のBWP識別子を含み、第1のBWP識別子に対応するBWPがアクティブなBWPである。
【０１２４】
可能な設計では、アクティブなBWPがアップリンクBWPとダウンリンクBWPとを含む。
【０１２５】
可能な設計では、アクティブなBWPが、アップリンクBWPとダウンリンクBWPとを含むBWPペアである。
【０１２６】
可能な設計では、第1のネットワーク装置が、
受信モジュールが第2のネットワーク装置によって送信された第1のメッセージを受信する前に、第2のメッセージを第2のネットワーク装置に送信し、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ように構成された第2の送信モジュール
をさらに備える。
【０１２７】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０１２８】
第15の態様によれば、本出願はユーザ機器を提供し、ユーザ機器が、
第1のネットワーク装置によって送信された無線リソース制御RRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブな帯域幅部分BWPを示すために使用される、ように構成された第1の受信モジュールと、
アクティブなBWPでランダムアクセスプリアンブルを第2のネットワーク装置に送信するように構成された送信モジュールと、
第2のネットワーク装置によって送信されたランダムアクセス応答RARメッセージを、アクティブなBWPで受信し、RARメッセージが第1の帯域幅部分BWP識別子を含むか示す、ように構成された第2の受信モジュールと、
第1のBWP識別子に対応する第1のBWPでアップリンク伝送を実行するように構成された伝送モジュールと、
を備える。
【０１２９】
可能な設計では、アクティブなBWPがプライマリサービングセルの共通構成情報のBWPである、または
RRC接続再構成メッセージが第2のBWP識別子を含み、第2のBWP識別子に対応するBWPがアクティブなBWPである。
【０１３０】
可能な設計では、RARメッセージがアップリンク許可UL grantを含み、UL grantがBWP識別子を含むか示す。
【０１３１】
可能な設計では、アップリンク伝送に使用される物理リソースがUL grantによって示される物理リソースである。
【０１３２】
可能な設計では、ユーザ機器が、
伝送モジュールが第1のBWP識別子に対応する第1のBWPでアップリンク伝送を実行する前に、第1のBWPをアクティブ化するように構成されたアクティブ化モジュール
をさらに備える。
【０１３３】
可能な設計では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０１３４】
可能な設計では、第1のメッセージが、第2のネットワーク装置が第1のネットワーク装置によって送信された第2のメッセージを受信した後に第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０１３５】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０１３６】
第16の態様によれば、本出願は第2のネットワーク装置を提供し、第2のネットワーク装置が、
ユーザ機器によって送信されたランダムアクセスプリアンブルを、アクティブな帯域幅部分BWPで受信し、ランダムアクセスプリアンブルは、ユーザ機器が第1のネットワーク装置によって送信された無線リソース制御RRC接続再構成メッセージを受信した後に、ユーザ機器によって送信され、RRC接続再構成メッセージが、ユーザ機器のために第2のネットワーク装置の下のプライマリサービングセルを示し、プライマリサービングセルのアクティブなBWPを示すために使用される、ように構成された第1の受信モジュールと、
アクティブなBWPでランダムアクセス応答RARメッセージをユーザ機器に送信し、RARメッセージが第1の帯域幅部分BWP識別子を含むか示し、第1のBWP識別子が第1のBWPに対応する、ように構成された送信モジュールと、
を備える。
【０１３７】
可能な設計では、アクティブなBWPがプライマリサービングセルの共通構成情報のBWPである、または
RRC接続再構成メッセージが第2のBWP識別子を含み、第2のBWP識別子に対応するBWPがアクティブなBWPである。
【０１３８】
可能な設計では、RARメッセージがアップリンク許可UL grantを含み、UL grantがBWP識別子を含むか示す。
【０１３９】
可能な設計では、アップリンク伝送に使用される物理リソースがUL grantによって示される物理リソースである。
【０１４０】
可能な設計では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０１４１】
可能な設計では、第2のネットワーク装置が
第1の受信モジュールがユーザ機器によって送信されたランダムアクセスプリアンブルをアクティブなBWPで受信する前に、第1のネットワーク装置によって送信された第2のメッセージを受信し、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ように構成された第2の受信モジュール
をさらに備える。
【０１４２】
可能な設計では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０１４３】
第17の態様によれば、ユーザ機器が提供され、ユーザ機器が、第1の態様による任意の方法のステップを実行するように構成されたユニットまたは手段（means）を備える。
【０１４４】
第18の態様によれば、ユーザ機器が提供され、ユーザ機器がプロセッサとメモリとを備え、メモリがプログラムを格納するように構成され、プロセッサが、第1の態様による任意の方法を実行するためにメモリに格納されたプログラムを呼び出す。
【０１４５】
第19の態様によれば、ユーザ機器が提供され、ユーザ機器が、第1の態様による任意の方法を実行するように構成された少なくとも1つの処理要素またはチップを備え、
チップがユーザ機器に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第1の態様による方法のステップを実行するためにメモリに格納された命令を呼び出す。
【０１４６】
第20の態様によれば、プログラムが提供され、プログラムが、プロセッサによって実行されると、第1の態様による任意の方法を実行するように構成される。
【０１４７】
第21の態様によれば、コンピュータ可読記憶媒体が提供され、コンピュータ可読記憶媒体が第20の態様によるプログラムを含む。
【０１４８】
第22の態様によれば、ネットワーク装置が提供され、ネットワーク装置が、第2の態様による任意の方法のステップを実行するように構成されたユニットまたは手段（means）を備える。
【０１４９】
第23の態様によれば、ネットワーク装置が提供され、ネットワーク装置がプロセッサとメモリとを備え、メモリがプログラムを格納するように構成され、プロセッサが、第2の態様による任意の方法を実行するためにメモリに格納されたプログラムを呼び出す。
【０１５０】
第24の態様によれば、ネットワーク装置が提供され、ネットワーク装置が、第2の態様による任意の方法を実行するように構成された少なくとも1つの処理要素またはチップを備え、
チップがネットワーク装置に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第2の態様による方法のステップを実行するためにメモリに格納された命令を呼び出す。
【０１５１】
第25の態様によれば、プログラムが提供され、プログラムが、プロセッサによって実行されると、第2の態様による任意の方法を実行するように構成される。
【０１５２】
第26の態様によれば、コンピュータ可読記憶媒体が提供され、コンピュータ可読記憶媒体が第25の態様によるプログラムを含む。
【０１５３】
第27の態様によれば、ユーザ機器が提供され、ユーザ機器が、第3の態様による任意の方法のステップを実行するように構成されたユニットまたは手段（means）を備える。
【０１５４】
第28の態様によれば、ユーザ機器が提供され、ユーザ機器がプロセッサとメモリとを備え、メモリがプログラムを格納するように構成され、プロセッサが、第3の態様による任意の方法を実行するためにメモリに格納されたプログラムを呼び出す。
【０１５５】
第29の態様によれば、ユーザ機器が提供され、ユーザ機器が、第3の態様による任意の方法を実行するように構成された少なくとも1つの処理要素またはチップを備え、
チップがユーザ機器に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第3の態様による方法のステップを実行するためにメモリに格納された命令を呼び出す。
【０１５６】
第30の態様によれば、プログラムが提供され、プログラムが、プロセッサによって実行されると、第3の態様による任意の方法を実行するように構成される。
【０１５７】
第31の態様によれば、コンピュータ可読記憶媒体が提供され、コンピュータ可読記憶媒体が第30の態様によるプログラムを含む。
【０１５８】
第32の態様によれば、ネットワーク装置が提供され、ネットワーク装置が、第4の態様による任意の方法のステップを実行するように構成されたユニットまたは手段（means）を備える。
【０１５９】
第33の態様によれば、ネットワーク装置が提供され、ネットワーク装置がプロセッサとメモリとを備え、メモリがプログラムを格納するように構成され、プロセッサが、第4の態様による任意の方法を実行するためにメモリに格納されたプログラムを呼び出す。
【０１６０】
第34の態様によれば、ネットワーク装置が提供され、ネットワーク装置が、第4の態様による任意の方法を実行するように構成された少なくとも1つの処理要素またはチップを備え、
チップがネットワーク装置に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第4の態様による方法のステップを実行するためにメモリに格納された命令を呼び出す。
【０１６１】
第35の態様によれば、プログラムが提供され、プログラムが、プロセッサによって実行されると、第4の態様による任意の方法を実行するように構成される。
【０１６２】
第36の態様によれば、コンピュータ可読記憶媒体が提供され、コンピュータ可読記憶媒体が第35の態様によるプログラムを含む。
【０１６３】
第37の態様によれば、ユーザ機器が提供され、ユーザ機器が、第5の態様による任意の方法のステップを実行するように構成されたユニットまたは手段（means）を備える。
【０１６４】
第38の態様によれば、ユーザ機器が提供され、ユーザ機器がプロセッサとメモリとを備え、メモリがプログラムを格納するように構成され、プロセッサが、第5の態様による任意の方法を実行するためにメモリに格納されたプログラムを呼び出す。
【０１６５】
第39の態様によれば、ユーザ機器が提供され、ユーザ機器が、第5の態様による任意の方法を実行するように構成された少なくとも1つの処理要素またはチップを備え、
チップがユーザ機器に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第5の態様による方法のステップを実行するためにメモリに格納された命令を呼び出す。
【０１６６】
第40の態様によれば、プログラムが提供され、プログラムが、プロセッサによって実行されると、第5の態様による任意の方法を実行するように構成される。
【０１６７】
第41の態様によれば、コンピュータ可読記憶媒体が提供され、コンピュータ可読記憶媒体が第40の態様によるプログラムを含む。
【０１６８】
第42の態様によれば、ネットワーク装置が提供され、ネットワーク装置が、第6の態様による任意の方法のステップを実行するように構成されたユニットまたは手段（means）を備える。
【０１６９】
第43の態様によれば、ネットワーク装置が提供され、ネットワーク装置がプロセッサとメモリとを備え、メモリがプログラムを格納するように構成され、プロセッサが、第6の態様による任意の方法を実行するためにメモリに格納されたプログラムを呼び出す。
【０１７０】
第44の態様によれば、ネットワーク装置が提供され、ネットワーク装置が、第6の態様による任意の方法を実行するように構成された少なくとも1つの処理要素またはチップを備え、
チップがネットワーク装置に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第6の態様による方法のステップを実行するためにメモリに格納された命令を呼び出す。
【０１７１】
第45の態様によれば、プログラムが提供され、プログラムが、プロセッサによって実行されると、第6の態様による任意の方法を実行するように構成される。
【０１７２】
第46の態様によれば、コンピュータ可読記憶媒体が提供され、コンピュータ可読記憶媒体が第45の態様によるプログラムを含む。
【０１７３】
第47の態様によれば、ユーザ機器が提供され、ユーザ機器が、第7の態様による任意の方法のステップを実行するように構成されたユニットまたは手段（means）を備える。
【０１７４】
第48の態様によれば、ユーザ機器が提供され、ユーザ機器がプロセッサとメモリとを備え、メモリがプログラムを格納するように構成され、プロセッサが、第7の態様による任意の方法を実行するためにメモリに格納されたプログラムを呼び出す。
【０１７５】
第49の態様によれば、ユーザ機器が提供され、ユーザ機器が、第7の態様による任意の方法を実行するように構成された少なくとも1つの処理要素またはチップを備え、
チップがユーザ機器に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第7の態様による方法のステップを実行するためにメモリに格納された命令を呼び出す。
【０１７６】
第50の態様によれば、プログラムが提供され、プログラムが、プロセッサによって実行されると、第7の態様による任意の方法を実行するように構成される。
【０１７７】
第51の態様によれば、コンピュータ可読記憶媒体が提供され、コンピュータ可読記憶媒体が第50の態様によるプログラムを含む。
【０１７８】
第52の態様によれば、ネットワーク装置が提供され、ネットワーク装置が、第8の態様による任意の方法のステップを実行するように構成されたユニットまたは手段（means）を備える。
【０１７９】
第53の態様によれば、ネットワーク装置が提供され、ネットワーク装置がプロセッサとメモリとを備え、メモリがプログラムを格納するように構成され、プロセッサが、第8の態様による任意の方法を実行するためにメモリに格納されたプログラムを呼び出す。
【０１８０】
第54の態様によれば、ネットワーク装置が提供され、ネットワーク装置が、第8の態様による任意の方法を実行するように構成された少なくとも1つの処理要素またはチップを備え、
チップがネットワーク装置に適用され、チップが、少なくとも1つの通信インターフェースと、少なくとも1つのプロセッサと、少なくとも1つのメモリと、を備え、通信インターフェース、プロセッサ、およびメモリが回路を使用することにより相互接続され、プロセッサが、第8の態様による方法のステップを実行するためにメモリに格納された命令を呼び出す。
【０１８１】
第55の態様によれば、プログラムが提供され、プログラムが、プロセッサによって実行されると、第8の態様による任意の方法を実行するように構成される。
【０１８２】
第56の態様によれば、コンピュータ可読記憶媒体が提供され、コンピュータ可読記憶媒体が第55の態様によるプログラムを含む。
【０１８３】
ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行することが分かる。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０１８４】
本出願は、タイマーが始動、再始動、または停止されるシナリオは包括的ではないために端末装置がタイマーを正しく始動、再始動、または停止できない場合があり、したがって端末装置がデフォルトのダウンリンクBWPに正しく切り替えることができず、端末装置の消費電力削減に影響するという従来技術の問題を解決するために、タイマー処理の方法および装置をさらに提供する。
【０１８５】
第57の態様によれば、本出願はタイマー処理の方法を提供し、本方法は、
端末装置によって、ネットワーク装置によって送信された物理ダウンリンク制御チャネル命令PDCCH orderメッセージを受信するステップであって、端末装置のタイマーが稼働しており、タイマーが、アクティブなダウンリンク帯域幅部分BWPからデフォルトのダウンリンクBWPに切り替えるために端末装置によって使用されるタイマーである、ステップと、
端末装置によって、タイマーを始動または再始動するステップと、
を含む。
【０１８６】
可能な設計では、PDCCH orderメッセージがダウンリンクBWPの識別子を含み、ダウンリンクBWPの識別子によって示されるダウンリンクBWPがデフォルトのダウンリンクBWPではない。
【０１８７】
第58の態様によれば、本出願はタイマー処理の方法を提供し、本方法は、
端末装置によって、ネットワーク装置によって送信された指示メッセージを受信するステップであって、指示メッセージが、少なくとも1つのセカンダリサービングセルをアクティブ化するように端末装置に命令するために使用される、ステップと、
端末装置によって、セカンダリサービングセルに関連付けられたタイマーを始動または再始動するステップであって、タイマーが、アクティブなダウンリンク帯域幅部分BWPからデフォルトのダウンリンクBWPに切り替えるために端末装置によって使用されるタイマーである、ステップと、
を含む。
【０１８８】
可能な設計では、セカンダリサービングセルが非アクティブ状態である。
【０１８９】
可能な設計では、端末装置によって、ネットワーク装置によって送信された指示メッセージを受信するステップの前に、本方法は、
端末装置によって、ネットワーク装置によって送信された無線リソース制御RRCメッセージを受信するステップであって、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない、ステップ
をさらに含む。
【０１９０】
可能な設計では、セカンダリサービングセルに関連付けられたタイマーが、端末装置の物理層によって維持されるタイマーであり、
端末装置によって、セカンダリサービングセルに関連付けられたタイマーを始動または再始動するステップが、
端末装置によって、端末装置の媒体アクセス制御MAC層を使用することによって、セカンダリサービングセルに関連付けられたタイマーを始動または再始動するように端末装置の物理層に命令するステップ
を含む。
【０１９１】
第59の態様によれば、タイマー処理の方法が提供され、本方法は、
端末装置によって、ネットワーク装置によって送信された指示メッセージを受信するステップであって、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンク帯域幅部分BWPからデフォルトのダウンリンクBWPに切り替えるために端末装置によって使用されるタイマーである、ステップと、
端末装置によって、セカンダリサービングセルに関連付けられたタイマーを停止もしくはリセットするステップ、または端末装置によって、セカンダリサービングセルに関連付けられたタイマーを停止およびリセットするステップと、
を含む。
【０１９２】
可能な設計では、セカンダリサービングセルに関連付けられたタイマーが、端末装置の物理層によって維持されるタイマーであり、
端末装置によって、セカンダリサービングセルに関連付けられたタイマーを停止もしくはリセットするステップが、
端末装置によって、端末装置の媒体アクセス制御MAC層を使用することによって、セカンダリサービングセルに関連付けられたタイマーを始動もしくは再始動するように端末装置の物理層に命令するステップ
を含む、または
端末装置によって、セカンダリサービングセルに関連するタイマーを停止およびリセットするステップが、
端末装置によって、端末装置のMAC層を使用することによって、セカンダリサービングセルに関連付けられたタイマーを停止およびリセットするように端末装置の物理層に命令するステップ
を含む。
【０１９３】
第60の態様によれば、タイマー処理の方法が提供され、本方法は、
端末装置によって、セカンダリサービングセルのセカンダリサービングセル非アクティブ化タイマーが期限切れになったことを判定するステップであって、セカンダリサービングセルに関連付けられたタイマーが稼働しており、タイマーが、アクティブなダウンリンク帯域幅部分BWPからデフォルトのダウンリンクBWPに切り替えるために端末装置によって使用されるタイマーである、ステップと、
端末装置によって、セカンダリサービングセルに関連付けられたタイマーを停止もしくはリセットするステップ、または端末装置によって、セカンダリサービングセルに関連付けられたタイマーを停止およびリセットするステップと、
を含む。
【０１９４】
可能な設計では、セカンダリサービングセルに関連付けられたタイマーが、端末装置の物理層によって維持されるタイマーであり、
端末装置によって、セカンダリサービングセルに関連付けられたタイマーを停止もしくはリセットするステップが、
端末装置によって、端末装置の媒体アクセス制御MAC層を使用することによって、セカンダリサービングセルに関連付けられたタイマーを始動もしくは再始動するように端末装置の物理層に命令するステップ
を含む、または
端末装置によって、セカンダリサービングセルに関連するタイマーを停止およびリセットするステップが、
端末装置によって、端末装置のMAC層を使用することによって、セカンダリサービングセルに関連付けられたタイマーを停止およびリセットするように端末装置の物理層に命令するステップ
を含む。
【０１９５】
第61の態様によれば、端末装置が提供され、端末装置が、
ネットワーク装置によって送信された物理ダウンリンク制御チャネル命令PDCCH orderメッセージを受信し、端末装置のタイマーが稼働しており、タイマーが、アクティブなダウンリンク帯域幅部分BWPからデフォルトのダウンリンクBWPに切り替えるために端末装置によって使用されるタイマーである、ように構成された受信モジュールと、
タイマーを始動または再始動するように構成された稼働モジュールと、
を備える。
【０１９６】
可能な設計では、PDCCH orderメッセージがダウンリンクBWPの識別子を含み、ダウンリンクBWPの識別子によって示されるダウンリンクBWPがデフォルトのダウンリンクBWPではない。
【０１９７】
第62の態様によれば、端末装置が提供され、端末装置が、
ネットワーク装置によって送信された指示メッセージを受信し、指示メッセージが、少なくとも1つのセカンダリサービングセルをアクティブ化するように端末装置に命令するために使用される、ように構成された第1の受信モジュールと、
セカンダリサービングセルに関連付けられたタイマーを始動または再始動し、タイマーが、アクティブなダウンリンク帯域幅部分BWPからデフォルトのダウンリンクBWPに切り替えるために端末装置によって使用されるタイマーである、ように構成された稼働モジュールと、
を備える。
【０１９８】
可能な設計では、セカンダリサービングセルが非アクティブ状態である。
【０１９９】
可能な設計では、端末装置が、
第1の受信モジュールがネットワーク装置によって送信された指示メッセージを受信する前に、ネットワーク装置によって送信された無線リソース制御RRCメッセージを受信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない、ように構成された第2の受信モジュール
をさらに備える。
【０２００】
可能な設計では、セカンダリサービングセルに関連付けられたタイマーが、端末装置の物理層によって維持されるタイマーであり、
稼働モジュールが、端末装置の媒体アクセス制御MAC層を使用することによって、セカンダリサービングセルに関連付けられたタイマーを始動または再始動するように端末装置の物理層に命令するように特に構成される。
【０２０１】
第63の態様によれば、端末装置が提供され、端末装置が、
ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンク帯域幅部分BWPからデフォルトのダウンリンクBWPに切り替えるために端末装置によって使用されるタイマーである、ように構成された受信モジュールと、
セカンダリサービングセルに関連付けられたタイマーを停止もしくはリセットする、または端末装置によって、セカンダリサービングセルに関連付けられたタイマーを停止およびリセットするように構成された処理モジュールと、
を備える。
【０２０２】
可能な設計では、セカンダリサービングセルに関連付けられたタイマーが、端末装置の物理層によって維持されるタイマーであり、
処理モジュールが、端末装置の媒体アクセス制御MAC層を使用することによって、セカンダリサービングセルに関連付けられたタイマーを停止もしくはリセットするように端末装置の物理層に命令する、または端末装置のMAC層を使用することによって、セカンダリサービングセルに関連付けられたタイマーを停止およびリセットするように端末装置の物理層に命令するように特に構成される。
【０２０３】
第64の態様によれば、端末装置が提供され、端末装置が、
セカンダリサービングセルのセカンダリサービングセル非アクティブ化タイマーが期限切れになったことを判定し、セカンダリサービングセルに関連付けられたタイマーが稼働しており、タイマーが、アクティブなダウンリンク帯域幅部分BWPからデフォルトのダウンリンクBWPに切り替えるために端末装置によって使用されるタイマーである、ように構成された判定モジュールと、
セカンダリサービングセルに関連付けられたタイマーを停止もしくはリセットするステップ、または端末装置によって、セカンダリサービングセルに関連付けられたタイマーを停止およびリセットするように構成された処理モジュールと、
を備える。
【０２０４】
可能な設計では、セカンダリサービングセルに関連付けられたタイマーが、端末装置の物理層によって維持されるタイマーであり、
処理モジュールが、端末装置の媒体アクセス制御MAC層を使用することによって、セカンダリサービングセルに関連付けられたタイマーを停止もしくはリセットするように端末装置の物理層に命令する、または端末装置のMAC層を使用することによって、セカンダリサービングセルに関連付けられたタイマーを停止およびリセットするように端末装置の物理層に命令するように特に構成される。
【０２０５】
第65の態様によれば、端末装置が提供され、端末装置が、第57の態様による任意の方法のステップを実行するように構成されたユニットまたは手段（means）を備える。
【０２０６】
第66の態様によれば、端末装置が提供され、端末装置がプロセッサとメモリとを備え、メモリがプログラムを格納するように構成され、プロセッサが、第57の態様による任意の方法を実行するためにメモリに格納されたプログラムを呼び出す。
【０２０７】
第67の態様によれば、端末装置が提供され、端末装置が、第57の態様による任意の方法を実行するように構成された少なくとも1つの処理要素またはチップを備える。
【０２０８】
第68の態様によれば、プログラムが提供され、プログラムが、プロセッサによって実行されると、第57の態様による任意の方法を実行するように構成される。
【０２０９】
第69の態様によれば、コンピュータ可読記憶媒体が提供され、コンピュータ可読記憶媒体が第68の態様によるプログラムを含む。
【０２１０】
第70の態様によれば、端末装置が提供され、端末装置が、第58の態様による任意の方法のステップを実行するように構成されたユニットまたは手段（means）を備える。
【０２１１】
第71の態様によれば、端末装置が提供され、端末装置がプロセッサとメモリとを備え、メモリがプログラムを格納するように構成され、プロセッサが、第58の態様による任意の方法を実行するためにメモリに格納されたプログラムを呼び出す。
【０２１２】
第72の態様によれば、端末装置が提供され、端末装置が、第58の態様による任意の方法を実行するように構成された少なくとも1つの処理要素またはチップを備える。
【０２１３】
第73の態様によれば、プログラムが提供され、プログラムが、プロセッサによって実行されると、第58の態様による任意の方法を実行するように構成される。
【０２１４】
第74の態様によれば、コンピュータ可読記憶媒体が提供され、コンピュータ可読記憶媒体が第73の態様によるプログラムを含む。
【０２１５】
第75の態様によれば、端末装置が提供され、端末装置が、第59の態様による任意の方法のステップを実行するように構成されたユニットまたは手段（means）を備える。
【０２１６】
第76の態様によれば、端末装置が提供され、端末装置がプロセッサとメモリとを備え、メモリがプログラムを格納するように構成され、プロセッサが、第59の態様による任意の方法を実行するためにメモリに格納されたプログラムを呼び出す。
【０２１７】
第77の態様によれば、端末装置が提供され、端末装置が、第59の態様による任意の方法を実行するように構成された少なくとも1つの処理要素またはチップを備える。
【０２１８】
第78の態様によれば、プログラムが提供され、プログラムが、プロセッサによって実行されると、第59の態様による任意の方法を実行するように構成される。
【０２１９】
第79の態様によれば、コンピュータ可読記憶媒体が提供され、コンピュータ可読記憶媒体が第78の態様によるプログラムを含む。
【０２２０】
第80の態様によれば、端末装置が提供され、端末装置が、第60の態様による任意の方法のステップを実行するように構成されたユニットまたは手段（means）を備える。
【０２２１】
第81の態様によれば、端末装置が提供され、端末装置がプロセッサとメモリとを備え、メモリがプログラムを格納するように構成され、プロセッサが、第60の態様による任意の方法を実行するためにメモリに格納されたプログラムを呼び出す。
【０２２２】
第82の態様によれば、端末装置が提供され、端末装置が、第60の態様による任意の方法を実行するように構成された少なくとも1つの処理要素またはチップを備える。
【０２２３】
第83の態様によれば、プログラムが提供され、プログラムが、プロセッサによって実行されると、第60の態様による任意の方法を実行するように構成される。
【０２２４】
第84の態様によれば、コンピュータ可読記憶媒体が提供され、コンピュータ可読記憶媒体が第83の態様によるプログラムを含む。
【０２２５】
上記の態様では、端末装置が、ネットワーク装置によって送信されたPDCCH orderメッセージを受信し、端末装置のタイマーが稼働しており、タイマーが、アクティブなダウンリンクBWPからデフォルトのダウンリンクBWPに切り替えるために端末装置によって使用されるタイマーであり、端末装置がタイマーを始動または再始動することが分かる。したがって、端末装置のタイマーが稼働している場合、ネットワーク装置によって送信されたPDCCH orderメッセージが受信された後に、タイマーを始動するべきか再始動するべきかが検討される。このようにして、タイマーの動作シナリオが提供される。
【図面の簡単な説明】
【０２２６】
【図１ａ】本出願の一実施形態によるアプリケーションシナリオの概略図である。
【図１ｂ】本出願の一実施形態による別のアプリケーションシナリオの概略図である。
【図２】本出願の一実施形態によるアプリケーションシナリオのシグナリング図である。
【図３】本出願の一実施形態による非競合ランダムアクセス手順のシグナリング図1である。
【図４】本出願の一実施形態による非競合ランダムアクセス手順のシグナリング図2である。
【図５】本出願の一実施形態による非競合ランダムアクセス手順のシグナリング図3である。
【図６】本発明の一実施形態によるランダムアクセスの方法の概略的な流れ図である。
【図７】本発明の一実施形態によるランダムアクセスの方法のシグナリング図である。
【図８】本発明の一実施形態による別のランダムアクセスの方法の概略的な流れ図である。
【図９】本発明の一実施形態による別のランダムアクセスの方法のシグナリング図1である。
【図１０】本発明の一実施形態による別のランダムアクセスの方法のシグナリング図2である。
【図１１】本発明の一実施形態による別のランダムアクセスの方法の概略的な流れ図である。
【図１２】本発明の一実施形態による別のランダムアクセスの方法の概略的な流れ図である。
【図１３】本発明の一実施形態による別のランダムアクセスの方法のシグナリング図である。
【図１４】本発明の一実施形態による別のランダムアクセスの方法の概略的な流れ図である。
【図１５】本発明の一実施形態による別のランダムアクセスの方法のシグナリング図である。
【図１６】本発明の一実施形態による別のランダムアクセスの方法の概略的な流れ図である。
【図１７】本発明の一実施形態による別のランダムアクセスの方法の概略的な流れ図である。
【図１８】本発明の一実施形態による別のランダムアクセスの方法のシグナリング図である。
【図１９】本発明の一実施形態による別のランダムアクセスの方法の概略的な流れ図である。
【図２０】本発明の一実施形態による別のランダムアクセスの方法の概略的な流れ図である。
【図２１】本発明の一実施形態による別のランダムアクセスの方法のシグナリング図である。
【図２２】本発明の一実施形態による別のランダムアクセスの方法の概略的な流れ図である。
【図２３】本発明の一実施形態による別のランダムアクセスの方法の概略的な流れ図である。
【図２４】本発明の一実施形態による別のランダムアクセスの方法のシグナリング図である。
【図２５】本発明の一実施形態による別のランダムアクセスの方法の概略的な流れ図である。
【図２６】本発明の一実施形態による別のランダムアクセスの方法の概略的な流れ図である。
【図２７】本発明の一実施形態による別のランダムアクセスの方法のシグナリング図である。
【図２８】本発明の一実施形態による別のランダムアクセスの方法の概略的な流れ図である。
【図２９】本発明の一実施形態による別のランダムアクセスの方法の概略的な流れ図である。
【図３０】本発明の一実施形態による別のランダムアクセスの方法のシグナリング図である。
【図３１】本発明の一実施形態による別のランダムアクセスの方法の概略的な流れ図である。
【図３２】本発明の一実施形態による別のランダムアクセスの方法の概略的な流れ図である。
【図３３】本発明の一実施形態による別のランダムアクセスの方法のシグナリング図である。
【図３４】本発明の一実施形態による別のランダムアクセスの方法の概略的な流れ図である。
【図３５】本発明の一実施形態による別のランダムアクセスの方法の概略的な流れ図である。
【図３６】本発明の一実施形態による別のランダムアクセスの方法のシグナリング図である。
【図３７】本発明の一実施形態による別のランダムアクセスの方法の概略的な流れ図である。
【図３８】本発明の一実施形態による別のランダムアクセスの方法の概略的な流れ図である。
【図３９】本発明の一実施形態による別のランダムアクセスの方法のシグナリング図である。
【図４０】本発明の一実施形態による別のランダムアクセスの方法の概略的な流れ図である。
【図４１】本発明の一実施形態による別のランダムアクセスの方法の概略的な流れ図である。
【図４２】本発明の一実施形態による別のランダムアクセスの方法のシグナリング図1である。
【図４３】本発明の一実施形態による別のランダムアクセスの方法のシグナリング図2である。
【図４４】本発明の一実施形態による別のランダムアクセスの方法の概略的な流れ図である。
【図４５】本発明の一実施形態による別のランダムアクセスの方法の概略的な流れ図である。
【図４６】本発明の一実施形態による別のランダムアクセスの方法のシグナリングである。
【図４７】本発明の一実施形態による別のランダムアクセスの方法の概略的な流れ図である。
【図４８】本発明の一実施形態による別のランダムアクセスの方法の概略的な流れ図である。
【図４９】本発明の一実施形態による別のランダムアクセスの方法のシグナリングである。
【図５０】本発明の一実施形態による別のランダムアクセスの方法の概略的な流れ図である。
【図５１】本出願の一実施形態によるユーザ機器の概略的な構成図である。
【図５２】本出願の一実施形態によるネットワーク装置の概略的な構成図である。
【図５３】本出願の一実施形態による別のユーザ機器の概略的な構成図である。
【図５４】本出願の一実施形態による別のネットワーク装置の概略的な構成図である。
【図５５】本出願の一実施形態による別のユーザ機器の概略的な構成図である。
【図５６】本出願の一実施形態による別のネットワーク装置の概略的な構成図である。
【図５７】本出願の一実施形態による別のユーザ機器の概略的な構成図である。
【図５８】本出願の一実施形態による別のネットワーク装置の概略的な構成図である。
【図５９】本出願の一実施形態による別のユーザ機器の概略的な構成図である。
【図６０】本出願の一実施形態による別のネットワーク装置の概略的な構成図である。
【図６１】本出願の一実施形態による別のユーザ機器の概略的な構成図である。
【図６２】本出願の一実施形態による別のネットワーク装置の概略的な構成図である。
【図６３】本出願の一実施形態による別のユーザ機器の概略的な構成図である。
【図６４】本出願の一実施形態による別のネットワーク装置の概略的な構成図である。
【図６５】本出願の一実施形態による別のユーザ機器の概略的な構成図である。
【図６６】本出願の一実施形態による別のネットワーク装置の概略的な構成図である。
【図６７】本出願の一実施形態によるアプリケーションシナリオの概略図である。
【図６８】本発明の一実施形態によるタイマー処理の方法の概略的な流れ図である。
【図６９】本発明の一実施形態によるタイマー処理の方法のシグナリング図である。
【図７０】本発明の一実施形態による別のタイマー処理の方法の概略的な流れ図である。
【図７１】本発明の一実施形態による別のタイマー処理の方法のシグナリング図である。
【図７２】本発明の一実施形態による別のタイマー処理の方法の概略的な流れ図である。
【図７３】本発明の一実施形態による別のタイマー処理の方法のシグナリング図である。
【図７４】本発明の一実施形態による別のタイマー処理の方法の概略的な流れ図である。
【図７５】本発明の一実施形態による別のタイマー処理の方法のシグナリング図である。
【図７６】本出願の一実施形態による端末装置の概略的な構成図である。
【図７７】本出願の一実施形態による別の端末装置の概略的な構成図である。
【図７８】本出願の一実施形態による別の端末装置の概略的な構成図である。
【図７９】本出願の一実施形態による別の端末装置の概略的な構成図である。
【図８０】本出願の一実施形態による別の端末装置の概略的な構成図である。
【図８１】本出願の一実施形態による別の端末装置の概略的な構成図である。
【図８２】本出願の一実施形態による別の端末装置の概略的な構成図である。
【図８３】本出願の一実施形態による別の端末装置の概略的な構成図である。
【発明を実施するための形態】
【０２２７】
本出願の実施形態は、5G通信システムまたは将来生じ得る別のシステムに適用される。当業者による理解を容易にするために、以下は、本出願におけるいくつかの用語を説明する。本出願の実施形態における解決策が5Gシステムまたは将来生じ得る別のシステムに適用される場合、ネットワーク装置の名称および端末の名称が変わる場合があるが、本出願の実施形態における解決策の実施には影響しないことに留意されたい。
【０２２８】
（1）端末または端末装置とも呼ばれるユーザ機器は、音声および／またはデータ接続をユーザに提供する装置、例えば、無線接続機能を備えたハンドヘルド装置または車載装置である。一般的なユーザ機器は、例えば、携帯電話、タブレットコンピュータ、ノートブックコンピュータ、パームトップコンピュータ、モバイルインターネットデバイス（mobile internet device、MID）、およびウェアラブルデバイスを含み、ウェアラブルデバイスは、例えば、スマートウォッチ、スマートバンド、または歩数計である。
【０２２９】
（2）無線アクセスネットワーク（Radio Access Network、RAN）装置とも呼ばれるネットワーク装置は、ユーザ機器を無線ネットワークに接続するための装置である。様々な通信規格のネットワーク装置が存在する。例えば、ネットワーク装置は、基地局、発展型NodeB（evolved Node B、eNB）、無線ネットワークコントローラ（radio network controller、RNC）、NodeB（Node B、NB）、ネットワーク装置コントローラ（base station controller、BSC）、ネットワーク装置トランシーバステーション（base transceiver station、BTS）、ホームネットワーク装置（例えば、home evolved NodeBまたはhome NodeB、HNB）、ベースバンドユニット（baseband unit、BBU）、中継局、基地局の分配ユニット（distribute unit、DU）、基地局の中央ユニット（central unit、CU）などを含むが、これらに限定されない。
【０２３０】
（3）帯域幅部分（band width part、BWP）に関して、セルの帯域幅が広い場合、ユーザ機器は、セルの帯域幅の一部でのみ動作することができる。セルの帯域幅の各部分は、1つのBWPと呼ばれる。
【０２３１】
（4）様々な周波数規格のネットワーク装置が存在する。例えば、ネットワーク装置は、低周波ネットワーク装置および高周波ネットワーク装置を含むが、これらに限定されない。
【０２３２】
（5）「複数」は2つ以上を意味し、他の数量詞も同様である。「および／または」という用語は、関連するオブジェクト間の関連関係を説明し、3つの関係が存在し得ることを表す。例えば、Aおよび／またはBは、次の3つの場合、すなわち、Aのみが存在する場合、AとBとの両方が存在する場合、およびBのみが存在する場合を表すことができる。文字「／」は、関連するオブジェクト間の「論理和」関係を一般に示す。
【０２３３】
図1aは、本出願の一実施形態によるアプリケーションシナリオの概略図である。図1aに示されるネットワーキングアーキテクチャは、ネットワーク装置01およびユーザ機器02を主に含む。ネットワーク装置01は、ユーザ機器02と通信することができる。図1bは、本出願の一実施形態による別のアプリケーションシナリオの概略図である。図1bに示されるネットワーキングアーキテクチャは、ネットワーク装置03、ネットワーク装置04、およびユーザ機器05を主に含む。ユーザ機器05は、ネットワーク装置03からネットワーク装置04にハンドオーバされる必要がある。
【０２３４】
本出願では、ブロードバンドキャリアにおいて、ネットワーク装置は、1つのユーザ機器のために少なくとも1つのダウンリンクBWPと少なくとも1つのアップリンクBWPとを構成し得る。各ダウンリンクBWPは1つのBWP識別子を有し、各アップリンクBWPは1つのBWP識別子を有する。図2は、本出願の一実施形態によるBWPの概略図である。各BWPは、少なくとも1つの物理リソースブロック（physical resource block、PRB）を占有し得る。1つのBWPは、サブキャリア間隔（subcarrier spacing）とサイクリックプレフィックス長（cyclic prefix）との1つの物理層パラメータセットをサポートする。パラメータセットは、サブキャリア間隔構成情報、サイクリックプレフィックス長構成情報などを含む。異なるBWPによりサポートされているパラメータセットは、同じであっても異なっていてもよい。
【０２３５】
5Gの最初のバージョンでは、1つのユーザ機器は、1つのサービングセルにおいて常に1つのアクティブなダウンリンクBWPおよび1つのアクティブなアップリンクBWPしか持たない。しかしながら、ユーザ機器は、BWPの切り替えを動的に実行することができる。換言すれば、BWPの切り替えを完了するために、ユーザ機器は、アクティブ状態のBWPを非アクティブ化し、次に、ユーザ機器は、非アクティブ状態のBWPをアクティブ化し得る。具体的には、従来技術では、ネットワーク装置は、ダウンリンク制御情報（downlink control information、DCI）を使用することによって、異なって構成されたBWP間で切り替えるようにユーザ機器を動的に制御する。例えば、ネットワーク装置は、ダウンリンクBWP間で切り替えるようにユーザ機器を制御するためにダウンリンク伝送DCIをスケジュールする。具体的には、ネットワーク装置はDCIをユーザ機器に送信する。DCIは、ダウンリンク伝送スケジューリングのためのDCIであり、DCIは、BWP識別子を含む。次に、ユーザ機器は、BWP識別子に対応するダウンリンクBWPをアクティブ化し、ユーザ機器は、ダウンリンクBWPで、DCIを使用することによってスケジュールされた物理ダウンリンク共有チャネル（physical downlink shared channel、PDSCH）を受信し得る。別の例では、ネットワーク装置は、アップリンクBWP間で切り替えるようにユーザ機器を制御するためにアップリンク伝送DCIをスケジュールする。具体的には、ネットワーク装置はDCIをユーザ機器に送信する。DCIは、アップリンク伝送スケジューリングのためのDCIであり、DCIは、BWP識別子を含む。次に、ユーザ機器は、BWP識別子に対応するアップリンクBWPをアクティブ化し、ユーザ機器は、アップリンクBWPで、DCIを使用することによってスケジュールされたPUSCHを送信し得る。
【０２３６】
1つのユーザ機器が複数のサービスを有する場合がある。同じサービス品質（quality of service、QoS）要件を持つサービスは、伝送のために同じデータ無線ベアラにマッッピングされ得る。異なるQoS要件を持つサービスは、伝送のために異なるデータ無線ベアラにマッピングされる必要があり、サービスはアップリンク許可（UL grant）を使用することにより伝送される必要がある。異なるQoS要件を持つサービスのそれぞれの伝送中に、サービスに対応するUL grantが判定される必要がある。UL grantは、サービスのQoS要件に対応する構成情報を有し、構成情報は、上述のパラメータセットおよび／または送信時間長を含む。
【０２３７】
ネットワーク装置は、データ無線ベアラに対応する論理チャネルとユーザ機器のための構成情報との間のマッピング関係を構成し、構成情報は、各データ無線ベアラ上のデータパケットが適切なUL grantを使用することにより送信され得ることを確保するために、上述のパラメータセットおよび／または送信時間長を含む。適切なUL grantは、データパケットのQoS要件に一致する構成情報を有する。具体的には、ネットワーク装置は、ユーザ機器にUL grantを割り当てる。UL grantによって示される上記のパラメータセットおよび／または送信時間長が、論理チャネルのパラメータセットおよび／または送信時間長と一致するとユーザ機器が判定した場合にのみ、ユーザ機器は、UL grantを使用することにより論理チャネルのデータを送信することができる。
【０２３８】
加えて、キャリアアグリゲーション機能が端末装置のために構成されてもよく、端末装置は、1つのプライマリサービングセル（primary cell、pCell）および少なくとも1つのセカンダリサービングセル（secondary cell、SCell）に接続される。少なくとも4つのセカンダリサービングセルがある。キャリアアグリゲーションは、端末により広い送信帯域幅を提供するために、少なくとも2つのコンポーネントキャリア（component carrier、CC）を集約することを意味する。端末装置は、無線リソース制御（radio resource control、RRC）接続再構成メッセージを使用することにより、セカンダリサービングセルを追加／変更／削除する。キャリアアグリゲーションの電力消費をより適切に管理するために、セカンダリサービングセルのアクティブ化／非アクティブ化メカニズムが提供される。セカンダリサービングセルは、媒体アクセス制御（media access control、略称MAC）制御要素（control Element、CE）を使用することによりアクティブ化／非アクティブ化される。MAC CEは、少なくとも1つのセカンダリサービングセルをアクティブ化または非アクティブ化するように構成され得る。加えて、セカンダリサービングセルの非アクティブ化は、セカンダリサービングセル非アクティブ化タイマーを使用することによって制御され得る。具体的には、セカンダリサービングセル非アクティブ化タイマーが期限切れになると、セカンダリサービングセル非アクティブ化タイマーに対応するセカンダリサービングセルが自動的に非アクティブ化される。端末装置がセカンダリサービングセルを正常に追加すると、セカンダリサービングセルは端末装置のためにネットワーク装置によって構成されるが、セカンダリサービングセルは依然として非アクティブ状態であり、端末装置はアクティブ化コマンドに従ってセカンダリサービングセルをアクティブ化する必要がさらにあることが分かる。端末装置は、アクティブなセカンダリサービングセルでのみデータ通信を実行することができる。
【０２３９】
1つのユーザ機器は、複数のUL grantを使用することにより、1つのキャリアでデータを送信することができる。キャリアアグリゲーション機能がユーザ機器のために構成されると、ユーザ機器はまた、複数のUL grantを使用することによって異なるキャリアでデータを送信し得る。
【０２４０】
従来技術では、異なるBWPは異なる構成情報を有することがあり、構成情報は、パラメータセットおよび／または送信時間長を含むことが分かる。パラメータセットは、サブキャリア間隔とサイクリックプレフィックス長とのパラメータセットである。非競合ランダムアクセス手順では、メッセージ1をネットワーク装置に送信するためにユーザ機器によって使用されるアップリンクBWPの構成情報は、ユーザ機器がアップリンクデータをネットワーク装置に送信するときに必要とされる構成情報と一致しない場合がある。したがって、ユーザ機器は、RARメッセージ内にあり、かつアップリンクBWPに対応するUL grantを使用することによりアップリンクデータを送信できず、RARメッセージ内にあり、かつアップリンクBWPに対応するUL grantを浪費する。
【０２４１】
例えば、プライマリサービングセルおよび1つのセカンダリサービングセルがユーザ機器のために構成され、セカンダリサービングセルのアップリンクで使用されるアップリンクタイミングアドバンスは、プライマリサービングセルのアップリンクで使用されるアップリンクタイミングアドバンスとは異なる。したがって、ユーザ機器がセカンダリサービングセルにおいてアップリンクデータを送信する必要がある場合、ユーザ機器はまず、ランダムアクセスを通じてセカンダリサービングセルにおいてアップリンク同期を実施する必要がある。この場合、セカンダリサービングセルおよびプライマリサービングセルは、異なるタイミングアドバンスグループ（timing advance group、TAG）に属する。セカンダリサービングセルでは、ネットワーク装置は、ユーザ機器のために2つのアップリンクBWPと2つのダウンリンクBWPとを構成し、構成された初期のアクティブなBWPはアップリンクBWP1およびダウンリンクBWP1である。アップリンクBWP1のサブキャリア間隔とサイクリックプレフィックス長とのパラメータセットは、サブキャリア間隔とサイクリックプレフィックス長とのパラメータセットAであり、アップリンクBWP2のサブキャリア間隔とサイクリックプレフィックス長とのパラメータセットは、サブキャリア間隔とサイクリックプレフィックス長とのパラメータセットBである。図2は、本出願の一実施形態によるアプリケーションシナリオのシグナリング図である。ステップS11において、ネットワーク装置は、MAC CEを使用することによって、ユーザ機器のために構成されたセカンダリサービングセルをアクティブ化する。この場合、セカンダリサービングセルのダウンリンクBWP1およびアップリンクBWP1がアクティブ化される。ステップS12において、ユーザ機器は、バッファ状態報告（buffer status report、BSR）メッセージをネットワーク装置に送信する。BSRメッセージは、サブキャリア間隔およびサイクリックプレフィックス長のものであり、かつ送信対象のデータに使用され得るパラメータセット、すなわちサブキャリア間隔とサイクリックプレフィックス長とのパラメータセットBを含むか示す。ステップS13において、ネットワーク装置は、BSRメッセージに基づいて、データを
送信するためにセカンダリサービングセルのアップリンクBWPを使用することを判定する。ステップS14において、ネットワーク装置は、物理ダウンリンク制御チャネル命令（physical downlink control channel order、PDCCH order）をユーザ機器に送信する。PDCCH orderは、セカンダリサービングセルのアップリンクBWP1でpreambleを送信するようにユーザ機器をトリガするために使用される。ステップS15において、ユーザ機器は、アップリンクBWP1でpreambleをネットワーク装置に送信する。ステップS16において、ネットワーク装置は、RARメッセージをユーザ機器に送信する。RARメッセージがUL grantを含み、UL grantがアップリンクBWP1に対応するUL grantである。しかしながら、この場合、ユーザ機器のデータがアップリンクBWP2でネットワーク装置に送信される必要がある。この場合、アップリンクBWP1の構成情報とアップリンクBWP2の構成情報とは一致しない。したがって、ユーザ機器は、RARメッセージのUL grantを使用することによりデータを送信できず、RARメッセージのUL grantを浪費する。
【０２４２】
本出願の実施形態で使用される用語は相互に参照されてもよく、詳細は繰り返し説明されないことに留意されたい。
【０２４３】
以下では、非競合ランダムアクセス手順をまず説明する。ランダムアクセス手順は、競合ベースのランダムアクセス手順および非競合ランダムアクセス手順を含み、非競合ランダムアクセス手順は、ネットワーク装置によるトリガに基づいてユーザ機器によって開始される。
【０２４４】
非競合ランダムアクセス手順の第1のケースでは、ネットワーク装置は、PDCCH orderを使用することにより、ランダムアクセスを開始するようにユーザ機器に命令する。例示的なシナリオでは、基地局側のダウンリンクデータがユーザ機器に送信される必要があるが、ユーザ機器はアップリンク同期を失う、または基地局が、SCellでアップリンクデータを送信するようにユーザ機器をスケジュールする必要があるが、ユーザ機器はSCellのアップリンクタイミングアドバンスを取得していない。図3は、本出願の一実施形態による非競合ランダムアクセス手順のシグナリング図1である。図3に示されるように、ステップS21において、ネットワーク装置は、PDCCH orderをユーザ機器に送信する。PDCCH orderは、ランダムアクセスを実行するようにユーザ機器をトリガするために使用され、PDCCH orderは、preambleとpreambleに対応する物理ランダムアクセスチャネル（physical random access channel、PRACH）の構成情報とを含む。このケースでは、ダウンリンクデータはユーザ機器に到着するが、ユーザ機器がアップリンク同期を実施していない、またはユーザ機器がセカンダリサービングセルにおいてアップリンク同期を実施する必要がある。ステップS22において、ユーザ機器は、PDCCH orderにより示されるPRACHでpreambleをネットワーク装置に送信する。preambleは、PDCCH orderに割り当てられたpreambleである。ステップS23において、ネットワーク装置は、RA−RNTIを使用することによりスクランブルされたPDCCHを使用することによりランダムRARメッセージをスケジュールする。ステップS24において、ネットワーク装置は、RARメッセージをユーザ機器に送信する。RARメッセージはUL grantを含む。ステップS25において、ユーザ機器は、UL grantを使用することによってアップリンクデータを送信する、つまりユーザ機器は、UL grantを使用することによってデータまたはシグナリングをネットワーク装置に送信する。
【０２４５】
非競合ランダムアクセス手順の第2のケースでは、ハンドオーバがユーザ機器によって要求される。図4は、本出願の一実施形態による非競合ランダムアクセス手順のシグナリング図2である。図4に示されるように、ステップS31において、ソースネットワーク装置は、ハンドオーバ要求をターゲットネットワーク装置に送信する。ステップS32において、ターゲットネットワーク装置は、確認応答メッセージをソースネットワーク装置に送信する。確認応答メッセージは、RRC接続再構成メッセージを含む。ステップS33において、ソースネットワーク装置は、RRC接続再構成メッセージをユーザ機器に送信する。RRC接続再構成メッセージは、ランダムアクセスを実行するようにユーザ機器をトリガするために使用され、RRC接続再構成メッセージは、preambleとpreambleに対応するPRACHの構成情報とを含む。ステップS34において、ユーザ機器は、RRC接続再構成メッセージによって示されるPRACHで、preambleをターゲットネットワーク装置に送信する。preambleは、RRC接続再構成メッセージで割り当てられたpreambleである。ステップS35において、ターゲットネットワーク装置は、RA−RNTIを使用することによりスクランブルされたPDCCHを使用することによりランダムRARメッセージをスケジュールし、ターゲットネットワーク装置は、RARメッセージをユーザ機器に送信する。RARメッセージはUL grantを含む。ステップS36において、ユーザ機器は、UL grantを使用することによってアップリンクデータを送信する、つまりユーザ機器は、UL grantを使用することによってデータまたはシグナリングをターゲットネットワーク装置に送信する。
【０２４６】
非競合ランダムアクセス手順の第3のケースでは、デュアルコネクティビティがユーザ機器のために構成される。図5は、本出願の一実施形態による非競合ランダムアクセス手順のシグナリング図3である。図5に示されるように、ステップS41において、プライマリネットワーク装置ノードは、セカンダリネットワーク装置ノードへの追加要求メッセージをセカンダリネットワーク装置ノードに送信する。S42において、セカンダリネットワーク装置ノードは、セカンダリネットワーク装置ノード追加要求確認応答メッセージをプライマリネットワーク装置ノードに送信する。S43において、プライマリネットワーク装置ノードは、RRC接続再構成メッセージをユーザ機器に送信する。S44において、ユーザ機器は、RRC接続再構成完了メッセージをプライマリネットワーク装置ノードに送信する。S45において、プライマリネットワーク装置ノードは、再構成完了メッセージをセカンダリネットワーク装置ノードに送信する。S46において、ユーザ機器は、RRC接続再構成メッセージによって示されるPRACHで、preambleをセカンダリネットワーク装置ノードに送信する。S47において、セカンダリネットワーク装置ノードは、RA−RNTIを使用することによりスクランブルされたPDCCHを使用することによりRARメッセージをスケジュールし、RARメッセージをユーザ機器に送信する。S48において、ユーザ機器は、UL grantを使用することによりアップリンクデータを送信する。
【０２４７】
以下、本出願の実施形態を説明する。まず、図3の非競合ランダムアクセス手順に基づいて、図1aに示すシナリオでは、本出願の実施形態の解決策は次の通りである。
【０２４８】
図6は、本発明の一実施形態によるランダムアクセスの方法の概略的な流れ図である。図6に示されるように、本方法は具体的には次のとおりである。
【０２４９】
101．ユーザ機器は、ネットワーク装置によって送信された制御シグナリングを受信し、制御シグナリングが、ランダムアクセス手順を実行するようにユーザ機器をトリガするために使用され、制御シグナリングがBWP識別子を含むか示す。
【０２５０】
任意の実装形態では、任意のサービングセルにおいてユーザ機器によって受信された制御シグナリングがBWP識別子を含む、または
任意のサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングがBWP識別子を含む、または
少なくとも1つのセカンダリサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０２５１】
本実施形態では、ネットワーク装置は、セカンダリサービングセルにおいてユーザ機器のために少なくとも1つのBWPを構成し、PRACHリソースは、少なくとも1つのBWPのそれぞれのために構成される。このケースでは、ユーザ機器はサービングセルにおいて動作する。換言すれば、ユーザ機器は、サービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０２５２】
ネットワーク装置は、制御シグナリングをユーザ機器に送信する。制御シグナリングは、シグナリングまたは信号であり得、制御シグナリングは、ランダムアクセス手順を実行するようにユーザ機器をトリガするために使用される。加えて、制御シグナリングはBWP識別子を含む、または制御シグナリングはBWP識別子を示す。
【０２５３】
加えて、ユーザ機器は、次の方法を使用することによって、受信した制御シグナリングがBWP識別子を含むか否かを判定することができる。クロスキャリアスケジューリングがユーザ機器で利用不可能であってもよいし、クロスキャリアスケジューリングがユーザ機器で利用可能であってもよい。
【０２５４】
第1の方式では、任意のサービングセルにおいてユーザ機器によって受信された制御シグナリングは、BWP識別子を常に含む。
【０２５５】
第2の方式では、少なくとも2つのアップリンクBWPが任意のセカンダリサービングセルにおいてユーザ機器のために構成され、ランダムアクセスチャネルが少なくとも2つのアップリンクBWPのそれぞれのために構成される。この場合、任意のサービングセルにおいてユーザ機器によって受信された制御シグナリングは、BWP識別子を含む。場合により、端末装置がセカンダリサービングセルにおいて動作する場合、端末装置のセカンダリサービングセルとプライマリサービングセルとは異なるTAGに属する。少なくとも2つのアップリンクBWPが任意のセカンダリサービングセルにおいてユーザ機器のために構成され、ランダムアクセスチャネルが少なくとも2つのアップリンクBWPのうちの1つのみのために構成される。この場合、任意のサービングセルにおいてユーザ機器によって受信された制御シグナリングは、BWP識別子を含まない。場合により、端末装置がセカンダリサービングセルにおいて動作する場合、端末装置のセカンダリサービングセルとプライマリサービングセルとは異なるTAGに属する。
【０２５６】
第3の方式では、端末装置がプライマリサービングセルにおいて動作する場合、プライマリサービングセルにおいてユーザ機器によって受信された制御シグナリングは、BWP識別子を含まない。端末装置がセカンダリサービングセルにおいて動作する場合、セカンダリサービングセルにおいてユーザ機器によって受信された制御シグナリングは、BWP識別子を含む。場合により、端末装置のセカンダリサービングセルとプライマリサービングセルとは異なるTAGに属する。
【０２５７】
第4の方式では、端末装置がプライマリサービングセルにおいて動作する場合、プライマリサービングセルにおいてユーザ機器によって受信された制御シグナリングは、BWP識別子を含まない。少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。この場合、少なくとも1つのセカンダリサービングセルにおいてユーザ機器によって受信された制御シグナリングは、BWP識別子を含む。場合により、端末装置の少なくとも1つのセカンダリサービングセルとプライマリサービングセルとは異なる時間TAGに属する。少なくとも2つのアップリンクBWPが少なくとも1つのセカンダリサービングセルにおいてユーザ機器のために構成され、ランダムアクセスチャネルが少なくとも2つのアップリンクBWPのうちの1つのみのために構成される。この場合、少なくとも1つのセカンダリサービングセルにおいてユーザ機器によって受信された制御シグナリングは、BWP識別子を含む。場合により、端末装置の少なくとも1つのセカンダリサービングセルとプライマリサービングセルとは異なる時間TAGに属する。
【０２５８】
102．ユーザ機器は、制御シグナリングに基づいてランダムアクセス手順を開始する。
【０２５９】
本実施形態では、ユーザ機器は、BWP識別子に基づいてネットワーク装置へのランダムアクセスを実行する。
【０２６０】
図7は、本発明の一実施形態によるランダムアクセスの方法のシグナリング図である。図7に示されるように、本方法は具体的には次のとおりである。
【０２６１】
S51．ネットワーク装置は、制御シグナリングをユーザ機器に送信し、制御シグナリングが、ランダムアクセス手順を実行するようにユーザ機器をトリガするために使用され、制御シグナリングがBWP識別子を含むか示す。
【０２６２】
S52．ユーザ機器は、制御シグナリングに基づいてランダムアクセス手順を開始する。
【０２６３】
ここで、図6のステップ101は、ステップS51で実施される。S52については、図6のステップ102を参照されたい。詳細は繰り返し説明されない。
【０２６４】
本実施形態では、ユーザ機器は、ネットワーク装置によって送信された制御シグナリングを受信し、制御シグナリングが、ランダムアクセス手順を実行するようにユーザ機器をトリガするために使用され、制御シグナリングがBWP識別子を含むか示し、ユーザ機器は、制御シグナリングに基づいてランダムアクセス手順を開始する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０２６５】
図8は、本発明の一実施形態による別のランダムアクセスの方法の概略的な流れ図である。図8に示されるように、本方法は具体的には次のとおりである。
【０２６６】
201．ユーザ機器は、ネットワーク装置によって送信されたPDCCH orderを受信し、PDCCH orderは、ランダムアクセス手順を実行するようにユーザ機器をトリガするために使用され、PDCCH orderはBWP識別子を含むか示す。
【０２６７】
本実施形態では、ネットワーク装置は、セカンダリサービングセルにおいてユーザ機器のために少なくとも1つのアップリンクBWPを構成し、PRACHリソースは、少なくとも1つのアップリンクBWPのそれぞれのために構成される。このケースでは、ユーザ機器はサービングセルにおいて動作する。換言すれば、ユーザ機器は、サービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０２６８】
ネットワーク装置は、PDCCH orderをユーザ機器に送信する。PDCCH orderは、ランダムアクセス手順を実行するようにユーザ機器をトリガするために使用される。加えて、PDCCH orderはBWP識別子を含む、またはPDCCH orderはBWP識別子を示す。さらに、BWP識別子に対応するBWPは、アップリンクBWP、ダウンリンクBWP、またはアップリンクBWPとダウンリンクBWPとのペアであり得る。
【０２６９】
この場合、ユーザ機器は、サービングセルにおいてアクティブなダウンリンクBWPを有し、ユーザ機器は、現在のサービングセルのダウンリンクBWPでPDCCH orderを受信することができる。あるいは、ユーザ機器は、現在のサービングセルをスケジュールするために使用される別のサービングセルのダウンリンクBWPでPDCCH orderを受信することができる。この場合、PDCCH orderは、現在のサービングセルのセルインデックス（CellIndex）を含む。
【０２７０】
202．ユーザ機器は、BWP識別子に対応するBWPでランダムアクセス手順を開始する。
【０２７１】
本実施形態では、ユーザ機器は、BWP識別子に対応するBWPでネットワーク装置へのランダムアクセス手順を開始する。
【０２７２】
任意の実装形態では、ステップ202の次の実装形態がある。
【０２７３】
ステップ202の第1の実装形態では、BWP識別子に対応するBWPがアップリンクBWPであり、ステップ202は次のステップを特に含む。
【０２７４】
2021a．ユーザ機器は、アップリンクBWPでランダムアクセスプリアンブルをネットワーク装置に送信する。
【０２７５】
2022a．ユーザ機器は、ネットワーク装置によって送信された第1のRARメッセージを受信し、第1のRARメッセージが第1のUL grantを含む。
【０２７６】
2023a．ユーザ機器は、アップリンクBWPでアップリンク伝送を実行し、アップリンク伝送に使用される物理リソースは、第1のUL grantによって示される物理リソースである。
【０２７７】
本実施形態では、制御シグナリングによって保護または示されたBWP識別子のBWPは、アップリンクBWPである。この場合、ステップ101の後、ユーザ機器は、アップリンクBWPでランダムアクセスプリアンブルをネットワーク装置に送信する。次に、ネットワーク装置は第1のRARメッセージをユーザ機器に送信し、第1のRARメッセージは第1のUL grantを含み、第1のUL grantはアップリンクBWPに対応するUL grantである。次に、ユーザ機器は、第1のUL grantによって示された物理リソースを使用することにより、アップリンクBWPでデータまたはシグナリングをネットワーク装置に送信する。
【０２７８】
ステップ202の第2の実装形態では、BWP識別子に対応するBWPは、アップリンクBWPとダウンリンクBWPとを含むBWPペアであり、ステップ202は、次のステップを特に含む。
【０２７９】
2021b．ユーザ機器は、BWPのアップリンクBWPでランダムアクセスプリアンブルをネットワーク装置に送信する。
【０２８０】
2022b．ユーザ機器は、ネットワーク装置によって送信された第2のRARメッセージを受信し、第2のRARメッセージが第2のUL grantを含む。
【０２８１】
2023b．ユーザ機器は、BWPのアップリンクBWPで伝送を実行し、伝送に使用される物理リソースは、第2のUL grantによって示される物理リソースである。
【０２８２】
任意の実装形態では、ステップ202の前に、本方法はステップ203をさらに含むことができる。
【０２８３】
203．ユーザ機器は、BWP識別子に対応するBWPをアクティブ化する。
【０２８４】
本実施形態では、ユーザ機器がBWP識別子に対応するBWPをアクティブ化する必要があるか否かに関して3つのケースがある。
【０２８５】
第1のケースでは、ユーザ機器がPDCCH orderを受信すると、ユーザ機器が現在のサービングセルにおいてアクティブなBWPを持たない場合、ユーザ機器はBWP識別子に対応するBWPをアクティブ化する必要がある。
【０２８６】
第2のケースでは、ユーザ機器がPDCCH orderを受信すると、現在の第1のサービングセルにおけるユーザ機器のアクティブなアップリンクBWPが別のBWPである場合、ユーザ機器はBWP識別子に対応するBWPに切り替える、換言すれば、ユーザ機器は別のBWPを非アクティブ化し、BWP識別子に対応するBWPをアクティブ化する。
【０２８７】
第3のケースでは、ユーザ機器がPDCCH orderを受信すると、現在の第1のサービングセルにおけるユーザ機器のアクティブなアップリンクBWPがBWP識別子に対応するBWPである場合、ユーザ機器はBWPの切り替えを実行する必要がない。
【０２８８】
このステップでは、第1のケースまたは第2のケースにおいて、ユーザ機器はBWP識別子に対応するBWPをアクティブ化する必要がある。
【０２８９】
本実施形態では、制御シグナリングによって保護または示されたBWP識別子のBWPは、アップリンクBWPとダウンリンクBWPとを含むBWPペアである。この場合、ステップ101の後、ユーザ機器は、BWPのアップリンクBWPでランダムアクセスプリアンブルをネットワーク装置に送信する。ネットワーク装置はユーザ機器からの第2のRARメッセージを受信し、第2のRARメッセージは第2のUL grantを含み、第2のUL grantはBWPのアップリンクBWPに対応するUL grantである。ユーザ機器は、第2のUL grantによって示された物理リソースを使用することにより、BWPのアップリンクBWPでデータまたはシグナリングをネットワーク装置に送信する。
【０２９０】
図9は、本発明の一実施形態による別のランダムアクセスの方法のシグナリング図1である。図9に示されるように、本方法は具体的には次のとおりである。
【０２９１】
S61a．ネットワーク装置は、PDCCH orderをユーザ機器に送信し、PDCCH orderは、ランダムアクセス手順を実行するようにユーザ機器をトリガするために使用され、PDCCH orderはBWP識別子を含むか示し、BWP識別子に対応するBWPがアップリンクBWPである。
【０２９２】
S62a．ユーザ機器は、アップリンクBWPでランダムアクセスプリアンブルをネットワーク装置に送信する。
【０２９３】
S63a．ネットワーク装置は、第1のRARメッセージをユーザ機器に送信し、第1のRARメッセージは第1のUL grantを含む。
【０２９４】
S64a．ユーザ機器は、アップリンクBWPでアップリンク伝送を実行し、アップリンク伝送に使用される物理リソースは、第1のUL grantによって示される物理リソースである。
【０２９５】
ここで、ステップS61aからS64aは、図8のステップ201およびステップ202の第1の実装形態である。詳細は繰り返し説明されない。
【０２９６】
図10は、本発明の一実施形態による別のランダムアクセスの方法のシグナリング図2である。図10に示されるように、本方法は具体的には次のとおりである。
【０２９７】
S61b．ネットワーク装置は、PDCCH orderをユーザ機器に送信し、PDCCH orderは、ランダムアクセス手順を実行するようにユーザ機器をトリガするために使用され、PDCCH orderはBWP識別子を含むか示し、BWP識別子に対応するBWPがアップリンクBWPとダウンリンクBWPとを含むBWPペアである。
【０２９８】
S62b．ユーザ機器は、BWPのアップリンクBWPでランダムアクセスプリアンブルをネットワーク装置に送信する。
【０２９９】
S63b．ネットワーク装置は、第2のRARメッセージをユーザ機器に送信し、第2のRARメッセージは第2のUL grantを含む。
【０３００】
S64b．ユーザ機器は、BWPのアップリンクBWPで伝送を実行し、伝送に使用される物理リソースは、第2のUL grantによって示される物理リソースである。
【０３０１】
ここで、ステップS61bからS64bは、図8のステップ201およびステップ202の第2の実装形態である。詳細は繰り返し説明されない。
【０３０２】
本実施形態では、ユーザ機器は、ネットワーク装置によって送信された制御シグナリングを受信し、制御シグナリングが、ランダムアクセス手順を実行するようにユーザ機器をトリガするために使用され、制御シグナリングがBWP識別子を含むか示し、ユーザ機器は、制御シグナリングに基づいてランダムアクセス手順を開始する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０３０３】
図11は、本発明の一実施形態による別のランダムアクセスの方法の概略的な流れ図である。図11に示されるように、本方法は具体的には次のとおりである。
【０３０４】
301．ネットワーク装置は、制御シグナリングをユーザ機器に送信し、制御シグナリングが、ランダムアクセス手順を実行するようにユーザ機器をトリガするために使用され、制御シグナリングがBWP識別子を含むか示す。
【０３０５】
任意の実装形態では、制御シグナリングはPDCCH orderである。
【０３０６】
任意の実装形態では、BWPはアップリンクBWPである、またはBWP識別子に対応するBWPが、アップリンクBWPとダウンリンクBWPとを含むBWPペアである。
【０３０７】
本実施形態で提供される方法については、図6から図10の方法を参照されたい。詳細は繰り返し説明されない。
【０３０８】
図12は、本発明の一実施形態による別のランダムアクセスの方法の概略的な流れ図である。図12に示されるように、本方法は具体的には次のとおりである。
【０３０９】
401．ユーザ機器は、ネットワーク装置によって送信されたRARメッセージを受信し、RARメッセージがBWP識別子を含むか示す。
【０３１０】
本実施形態では、非競合ランダムアクセス手順において、ネットワーク装置がRARメッセージをユーザ機器に送信する。RARメッセージがBWP識別子を含む、またはRARメッセージがBWP識別子を示す。
【０３１１】
402．ユーザ機器は、BWP識別子に対応する第1のBWPでアップリンク伝送を実行する。
【０３１２】
本実施形態では、ユーザ機器は、BWP識別子に対応する第1のBWPでデータまたはシグナリングをネットワーク装置に送信する。
【０３１３】
図13は、本発明の一実施形態による別のランダムアクセスの方法のシグナリング図である。図13に示されるように、本方法は具体的には次のとおりである。
【０３１４】
S71．ネットワーク装置は、RARメッセージをユーザ機器に送信し、RARメッセージがBWP識別子を含むか示す。
【０３１５】
S72．ユーザ機器は、BWP識別子に対応する第1のBWPでアップリンク伝送を実行する。
【０３１６】
ここで、図12のステップ401は、ステップS71で実施される。S72については、図12のステップ402を参照されたい。詳細は繰り返し説明されない。
【０３１７】
本実施形態では、ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０３１８】
図14は、本発明の一実施形態による別のランダムアクセスの方法の概略的な流れ図である。図14に示されるように、本方法は具体的には次のとおりである。
【０３１９】
501．ユーザ機器は、ネットワーク装置によって送信された制御シグナリングを受信し、制御シグナリングが、ランダムアクセス手順を実行するようにユーザ機器をトリガするために使用され、制御シグナリングが第2のBWPの識別子を含む。
【０３２０】
任意の実装形態では、制御シグナリングはPDCCH orderである。
【０３２１】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０３２２】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０３２３】
本実施形態では、少なくとも1つのサービングセルがユーザ機器のために構成され、少なくとも1つのサービングセルが第1のサービングセルを含む。ユーザ機器は、第1のサービングセルにおいて、ネットワーク装置によって送信された制御シグナリングを受信する。
【０３２４】
本実施形態では、ネットワーク装置は、第1のサービングセルにおいてユーザ機器のために少なくとも1つのBWPを構成し、PRACHリソースは、少なくとも1つのBWPのうちのいくつかのためだけに構成される。このケースでは、ユーザ機器は第1のサービングセルにおいて動作する。換言すれば、ユーザ機器は、第1のサービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０３２５】
ネットワーク装置は、制御シグナリングをユーザ機器に送信する。制御シグナリングは、シグナリングまたは信号であり得、制御シグナリングは、ランダムアクセス手順を実行するようにユーザ機器をトリガするために使用される。加えて、制御シグナリングはBWP識別子を含む、または制御シグナリングはBWP識別子を示す。さらに、制御シグナリングはPDCCH orderであり、BWP識別子に対応するBWPは、アップリンクBWP、ダウンリンクBWP、またはアップリンクBWPとダウンリンクBWPとのペアであり得る。この場合、ユーザ機器は、第1のサービングセルにおいてアクティブなダウンリンクBWPを有し、ユーザ機器は、第1のサービングセルのダウンリンクBWPでPDCCH orderを受信することができる。あるいは、ユーザ機器は、第1のサービングセルをスケジュールするために使用される第2のサービングセルのダウンリンクBWPでPDCCH orderを受信することができる。この場合、PDCCH orderは、現在のサービングセルのセルインデックスを含む。
【０３２６】
加えて、ユーザ機器は、次の方法を使用することによって、受信した制御シグナリングがBWP識別子を含むか否かを判定することができる。クロスキャリアスケジューリングがユーザ機器で利用不可能であってもよいし、クロスキャリアスケジューリングがユーザ機器で利用可能であってもよい。
【０３２７】
第1の方式では、任意のサービングセルにおいてユーザ機器によって受信された制御シグナリングは第2のBWPの識別子を常に含む。
【０３２８】
第2の方式では、少なくとも2つのアップリンクBWPが任意のセカンダリサービングセルにおいてユーザ機器のために構成され、ランダムアクセスチャネルが少なくとも2つのアップリンクBWPのそれぞれのために構成される。この場合、任意のサービングセルにおいてユーザ機器によって受信された制御シグナリングは、第2のBWPの識別子を含む。場合により、端末装置がセカンダリサービングセルにおいて動作する場合、端末装置のセカンダリサービングセルとプライマリサービングセルとは異なるTAGに属する。少なくとも2つのアップリンクBWPが任意のセカンダリサービングセルにおいてユーザ機器のために構成され、ランダムアクセスチャネルが少なくとも2つのアップリンクBWPのうちの1つのみのために構成される。この場合、任意のサービングセルにおいてユーザ機器によって受信された制御シグナリングは、第2のBWPの識別子を含まない。場合により、端末装置がセカンダリサービングセルにおいて動作する場合、端末装置のセカンダリサービングセルとプライマリサービングセルとは異なるTAGに属する。
【０３２９】
第3の方式では、端末装置がプライマリサービングセルにおいて動作する場合、プライマリサービングセルにおいてユーザ機器によって受信される制御シグナリングは、第2のBWPの識別子を含まない。端末装置がセカンダリサービングセルにおいて動作する場合、セカンダリサービングセルにおいてユーザ機器によって受信された制御シグナリングは、第2のBWPの識別子を含む。場合により、端末装置のセカンダリサービングセルとプライマリサービングセルとは異なるTAGに属する。
【０３３０】
第4の方式では、端末装置がプライマリサービングセルにおいて動作する場合、プライマリサービングセルにおいてユーザ機器によって受信された制御シグナリングは、第2のBWPの識別子を含まない。少なくとも2つのアップリンクBWPは、少なくとも1つのセカンダリサービングセルにおいてユーザ機器のために構成され、ランダムアクセスチャネルは、少なくとも2つのアップリンクBWPのそれぞれのために構成される。この場合、少なくとも1つのセカンダリサービングセルにおいてユーザ機器によって受信された制御シグナリングは、第2のBWPの識別子を含む。場合により、端末装置の少なくとも1つのセカンダリサービングセルとプライマリサービングセルとは異なる時間TAGに属する。少なくとも2つのアップリンクBWPが少なくとも1つのセカンダリサービングセルにおいてユーザ機器のために構成され、ランダムアクセスチャネルが少なくとも2つのアップリンクBWPのうちの1つのみのために構成される。この場合、少なくとも1つのセカンダリサービングセルにおいてユーザ機器によって受信された制御シグナリングは、第2のBWPの識別子を含む。場合により、端末装置の少なくとも1つのセカンダリサービングセルとプライマリサービングセルとは異なる時間TAGに属する。
【０３３１】
502．ユーザ機器が第2のBWPをアクティブ化する。
【０３３２】
本実施形態では、ユーザ機器が第2のBWPをアクティブ化する必要があるか否かに関して3つのケースがある。
【０３３３】
第1のケースでは、ユーザ機器がPDCCH orderを受信すると、ユーザ機器が現在のサービングセルにおいてアクティブなBWPを持たない場合、ユーザ機器は第2のBWPをアクティブ化する必要がある。
【０３３４】
第2のケースでは、ユーザ機器がPDCCH orderを受信すると、現在の第1のサービングセルにおけるユーザ機器のアクティブなアップリンクBWPが別のBWPである場合、ユーザ機器は第2のBWPに切り替える、換言すれば、ユーザ機器は別のBWPを非アクティブ化し、第2のBWPをアクティブ化する。
【０３３５】
第3のケースでは、ユーザ機器がPDCCH orderを受信すると、現在の第1のサービングセルにおけるユーザ機器のアクティブなアップリンクBWPが第2のBWPである場合、ユーザ機器はBWPの切り替えを実行する必要がない。
【０３３６】
このステップでは、第1のケースまたは第2のケースにおいて、ユーザ機器は第2のBWPをアクティブ化する必要がある。
【０３３７】
503．ユーザ機器は、第2のBWPでランダムアクセスプリアンブルをネットワーク装置に送信する。
【０３３８】
本実施形態では、ユーザ機器は、第2のBWPでランダムアクセスプリアンブルをネットワーク装置に送信する。
【０３３９】
504．ユーザ機器は、ネットワーク装置によって送信されたRARメッセージを受信し、RARメッセージがUL grantを含み、UL grantがBWP識別子を含むか示す。
【０３４０】
本実施形態では、ネットワーク装置は、RARメッセージをユーザ機器に送信する。RARメッセージがUL grantを含み、RARメッセージがBWP識別子を含む、またはRARメッセージがBWP識別子を示す。具体的には、RARメッセージのUL grantがBWP識別子を含む、またはRARメッセージのUL grantがBWP識別子を示す。あるいは、BWP識別子がRARメッセージの情報フィールドとしてRARメッセージに直接含まれる。
【０３４１】
任意の実装形態では、ステップ504の次の実装形態がある。
【０３４２】
ステップ504の第1の実装形態では、第1のBWPおよび第2のBWPはアップリンクBWPであり、第1のBWPと第2のBWPとは同じBWPであってもよいし、異なるBWPであってもよい。ステップ504は、
ユーザ機器によって、ネットワーク装置によって送信されたRARメッセージを、第3のBWPで受信するステップであって、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、ステップ
を特に含む。
【０３４３】
本実施形態では、第1のBWPはアップリンクBWPであり、第2のBWPもまたアップリンクBWPである。この場合、第1のBWPと第2のBWPとは同じBWPであってもよいし、異なるBWPであってもよい。ステップ504において、ユーザ機器は、ネットワーク装置によって送信されたRARメッセージを、第3のBWPで受信し、第3のBWPがダウンリンクBWPである。
【０３４４】
ステップ504の第2の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ504は、
ユーザ機器によって、ネットワーク装置によって送信されたRARメッセージを、第2のBWPのアップリンクBWPで受信するステップ
を特に含む。
【０３４５】
本実施形態では、第1のBWPは、アップリンクBWPとダウンリンクBWPとを含むBWPペアであり、第2のBWPは、アップリンクBWPとダウンリンクBWPとを含むBWPペアである。加えて、第1のBWPと第2のBWPとは同じBWPであってもよいし、異なるBWPであってもよい。ステップ504において、ユーザ機器は、第2のBWPのアップリンクBWPで、ネットワーク装置によって送信されたRARメッセージを受信する。
【０３４６】
ステップ504の第3の実装形態では、ユーザ機器は、ネットワーク装置によって送信されたRARメッセージを、第4のBWPで受信し、第4のBWPがアップリンクBWPとダウンリンクBWPとを含むBWPペアである。
【０３４７】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０３４８】
任意の実装形態では、第4のBWPが、ユーザ機器が第1のサービングセルにおいて制御シグナリングを受信するときに使用されるBWPである場合、ステップ503の後に、本方法はステップ507、すなわちユーザ機器が第4のBWPをアクティブ化し、第2のBWPを非アクティブ化するステップをさらに含む。
【０３４９】
本実施形態では、第4のBWPが提供される。場合により、第4のBWPは、アップリンクBWPとダウンリンクBWPとを含むBWPペアである。ユーザ機器はまず第4のBWPに切り替える必要がある、換言すれば、ユーザ機器は第4のBWPをアクティブ化し、第2のBWPを非アクティブ化する。次に、ユーザ機器は、ネットワーク装置によって送信されたRARメッセージを、第4のBWPで受信することができる。
【０３５０】
505．ユーザ機器は、BWP識別子に対応する第1のBWPをアクティブ化する。
【０３５１】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０３５２】
本実施形態では、ユーザ機器が第1のBWPをアクティブ化する必要があるか否かに関して3つのケースがある。
【０３５３】
第1のケースでは、BWP識別子が第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０３５４】
第2のケースでは、BWP識別子が第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０３５５】
このステップでは、第2のケースにおいて、ユーザ機器はBWP識別子に対応する第1のBWPをアクティブ化する必要がある。場合により、第1のBWPが、第1のサービングセルにおけるユーザ機器の初期のアクティブなBWPである、または第1のBWPが、第1のサービングセルにおけるユーザ機器の第1のアクティブなBWPである、または第1のBWPが、第1のサービングセルにおけるユーザ機器のデフォルトのBWPである、または第1のBWPが、ユーザ機器のためにネットワーク装置によって構成されたBWPであり、第1のBWPが、第1のサービングセルにおいてランダムアクセスを実行するためにユーザ機器によって使用される、または第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または第1のBWPが、ユーザ機器がランダムアクセスを実行するときにアクティブ化されるBWPである、または第1のBWPが、ユーザ機器が非競合ランダムアクセスを実行するときにアクティブ化されるBWPである。
【０３５６】
初期のアクティブなBWP（initial BWP）は、アイドルモードのユーザ機器のinitial BWP（1）であってもよいし、ユーザ機器がコネクテッドモードのときにユーザ機器のためにネットワーク装置によって構成されたinitial BWP（2）であってもよい。（1）の場合、initial BWPは、サービングセルにおけるユーザ機器のセル定義同期信号ブロック（cell defining SS block）によって示される、またはそれに関連付けられたシステム情報において構成されたBWPである。（2）の場合、initial BWPは、ユーザ機器のサービングセルの共通構成情報要素においてネットワーク装置によって構成されたBWPである。初期アップリンク帯域幅部分は、セル定義アップリンク帯域幅部分と呼ばれることもある。
【０３５７】
第1のアクティブなBWP（First Active UL BWP）は、ユーザ機器のサービングセルのものであり、かつサービングセルがアクティブ化されるときにアクティブ化される第1のアップリンクBWPであり、サービングセルの専用構成情報要素においてネットワーク装置によって構成される。
【０３５８】
デフォルトのBWP（default BWP）は、ユーザ機器に送信対象のアップリンクデータおよび／または受信対象のダウンリンクデータが一定期間なかった場合の後に、ユーザ機器がフォールバックするアクティブなアップリンクBWPであり、サービングセルのセル専用の構成情報要素においてネットワーク装置によって構成される。第1のBWPが、ユーザ機器がランダムアクセスを実行するときにアクティブ化されるBWPである場合、本明細書における「ランダムアクセス」は、以下ケースのうちのいずれか1つを指す。
【０３５９】
（1）ユーザ機器は、ユーザ機器のMACエンティティがランダムアクセス手順をトリガすること、ユーザ機器のRRC層がランダムアクセス手順をトリガすること、ユーザ機器がネットワーク装置によって送信されたPDCCH orderを受信し、ランダムアクセス手順をトリガすること、またはユーザ機器がネットワーク装置によって送信されたRRCシグナリングを受信し、ランダムアクセス手順をトリガすることを含む、ランダムアクセス手順を開始する。（2）ユーザ機器はランダムアクセス手順を実行することを開始する。（3）ユーザ機器は、ランダムアクセス応答メッセージを監視するために使用されるウィンドウを開くことを開始する。（4）ユーザ機器は、ランダムアクセスプリアンブルおよびランダムアクセスチャネルを選択する。（5）ユーザ機器はランダムアクセスプリアンブルを送信する。（6）ユーザ機器は、ランダムアクセスプリアンブルの送信を完了する。
【０３６０】
506．ユーザ機器は、BWP識別子に対応する第1のBWPでアップリンク伝送を実行し、アップリンク伝送に使用される物理リソースは、UL grantによって示される物理リソースである。
【０３６１】
本実施形態では、ユーザ機器は、RARメッセージのUL grantによって示された物理リソースを使用することによって、ネットワーク装置によって示された第1のBWPで、データまたは命令をネットワーク装置に送信する。
【０３６２】
図15は、本発明の一実施形態による別のランダムアクセスの方法のシグナリング図である。図15に示されるように、本方法は具体的には次のとおりである。
【０３６３】
S81．ネットワーク装置は、制御シグナリングをユーザ機器に送信し、制御シグナリングが、ランダムアクセス手順を実行するようにユーザ機器をトリガするために使用され、制御シグナリングが第2のBWPの識別子を含む。
【０３６４】
任意の実装形態では、制御シグナリングはPDCCH orderである。
【０３６５】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０３６６】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０３６７】
S82．ユーザ機器は第2のBWPをアクティブ化する。
【０３６８】
S83．ユーザ機器は、第2のBWPでランダムアクセスプリアンブルをネットワーク装置に送信する。
【０３６９】
S84．ネットワーク装置は、RARメッセージをユーザ機器に送信し、RARメッセージがUL grantを含み、UL grantがBWP識別子を含むか示す。
【０３７０】
S85．ユーザ機器は、BWP識別子に対応する第1のBWPをアクティブ化する。
【０３７１】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０３７２】
S86．ユーザ機器は、BWP識別子に対応する第1のBWPでアップリンク伝送を実行し、アップリンク伝送に使用される物理リソースは、UL grantによって示される物理リソースである。
【０３７３】
ここで、図14のステップ501から506は、ステップS81からS86で実施される。詳細は繰り返し説明されない。
【０３７４】
本実施形態では、ネットワーク装置は、制御シグナリングをユーザ機器に送信し、制御シグナリングは、ランダムアクセス手順を実行するようにユーザ機器をトリガするために使用され、制御シグナリングは第2のBWPの識別子を含み、ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、第2のBWPのものであり、かつネットワーク装置によって示される識別子に基づいて、ランダムアクセスプリアンブルをネットワーク装置に送信することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０３７５】
図16は、本発明の一実施形態による別のランダムアクセスの方法の概略的な流れ図である。図16に示されるように、本方法は具体的には次のとおりである。
【０３７６】
601．ネットワーク装置は、制御シグナリングをユーザ機器に送信し、制御シグナリングが、ランダムアクセス手順を実行するようにユーザ機器をトリガするために使用され、制御シグナリングが第2のBWPの識別子を含む。
【０３７７】
任意の実装形態では、制御シグナリングはPDCCH orderである。
【０３７８】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０３７９】
602．ネットワーク装置は、RARメッセージをユーザ機器に送信し、RARメッセージがBWP識別子を含むか示し、BWP識別子が第1のBWPに対応する。
【０３８０】
任意の実装形態では、RARメッセージがUL grantを含み、UL grantがBWP識別子を含むか示す。
【０３８１】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０３８２】
任意の実装形態では、第1のBWPおよび第2のBWPはアップリンクBWPであり、第1のBWPと第2のBWPとは同じBWPであってもよいし、異なるBWPであってもよい。
【０３８３】
任意の実装形態では、ステップ602は、ネットワーク装置によって、第3のBWPでRARメッセージをユーザ機器に送信するステップであって、第3のBWPがダウンリンクBWPである、ステップを特に含む。
【０３８４】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０３８５】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ602は、ネットワーク装置によって、第2のBWPのアップリンクBWPでユーザ機器にRARメッセージを送信するステップを特に含む。
【０３８６】
任意の実装形態では、ステップ602は、ネットワーク装置によって、第4のBWPでRARメッセージをユーザ機器に送信するステップであって、第4のBWPがアップリンクBWPとダウンリンクBWPとを含むBWPペアである、ステップを特に含む。
【０３８７】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０３８８】
本実施形態で提供される方法については、図12から図15の方法を参照されたい。詳細は繰り返し説明されない。
【０３８９】
図17は、本発明の一実施形態による別のランダムアクセスの方法の概略的な流れ図である。図17に示されるように、本方法は具体的には次のとおりである。
【０３９０】
701．ユーザ機器は、ネットワーク装置によって送信された制御シグナリングを受信し、制御シグナリングが、ランダムアクセス手順を実行するようにユーザ機器をトリガするために使用され、制御シグナリングが第2のBWPの識別子を含む。
【０３９１】
任意の実装形態では、制御シグナリングはPDCCH orderである。
【０３９２】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０３９３】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０３９４】
本実施形態では、このステップについては、図14のステップ501を参照されたい。詳細は繰り返し説明されない。
【０３９５】
702．ユーザ機器が第2のBWPをアクティブ化する。
【０３９６】
本実施形態では、このステップについては、図14のステップ502を参照されたい。詳細は繰り返し説明されない。
【０３９７】
703．ユーザ機器は、第2のBWPでランダムアクセスプリアンブルをネットワーク装置に送信する。
【０３９８】
本実施形態では、このステップについては、図14のステップ503を参照されたい。詳細は繰り返し説明されない。
【０３９９】
704．ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれる。
【０４００】
任意の実装形態では、第1のBWPおよび第2のBWPはアップリンクBWPであり、第1のBWPと第2のBWPとは同じBWPであってもよいし、異なるBWPであってもよい。ステップ704は、ユーザ機器によって、ネットワーク装置によって送信されたRARメッセージを、第3のBWPで受信するステップであって、第3のBWPがダウンリンクBWPである、ステップを特に含む。
【０４０１】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０４０２】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ704は、
ユーザ機器によって、ネットワーク装置によって送信されたRARメッセージを、第2のBWPのアップリンクBWPで受信するステップ
を特に含む。
【０４０３】
任意の実装形態では、ステップ704は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０４０４】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０４０５】
任意の実装形態では、第4のBWPが、ユーザ機器が第1のサービングセルにおいて制御シグナリングを受信するときに使用されるBWPである場合、ステップ703の後に、本方法はステップ707、すなわちユーザ機器が第4のBWPをアクティブ化し、第2のBWPを非アクティブ化するステップをさらに含む。
【０４０６】
705．ユーザ機器は、BWP識別子に対応する第1のBWPをアクティブ化する。
【０４０７】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４０８】
本実施形態では、ユーザ機器が第1のBWPをアクティブ化する必要があるか否かに関して3つのケースがある。
【０４０９】
第1のケースでは、BWP識別子が第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０４１０】
第2のケースでは、BWP識別子が第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０４１１】
このステップでは、第2のケースにおいて、ユーザ機器はBWP識別子に対応する第1のBWPをアクティブ化する必要がある。場合により、第1のBWPが、第1のサービングセルにおけるユーザ機器の初期のアクティブなBWPである、または第1のBWPが、第1のサービングセルにおけるユーザ機器の第1のアクティブなBWPである、または第1のBWPが、第1のサービングセルにおけるユーザ機器のデフォルトのBWPである、または第1のBWPが、ユーザ機器のためにネットワーク装置によって構成されたBWPであり、第1のBWPが、第1のサービングセルにおいてランダムアクセスを実行するためにユーザ機器によって使用される、または第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または第1のBWPが、ユーザ機器がランダムアクセスを実行するときにアクティブ化されるBWPである、または第1のBWPが、ユーザ機器が非競合ランダムアクセスを実行するときにアクティブ化されるBWPである。
【０４１２】
加えて、第2のケースでは、RARメッセージが受信されたとユーザ機器が判定した後に、preambleのものであり、かつRARメッセージに含まれている識別子がユーザ機器によって送信されたpreambleの識別子であると判定したときに、ユーザ機器は第1のBWPに切り替える必要がある。
【０４１３】
706．ユーザ機器は、BWP識別子に対応する第1のBWPでアップリンク伝送を実行し、アップリンク伝送に使用される物理リソースは、UL grantによって示される物理リソースである。
【０４１４】
本実施形態では、このステップについては、図14のステップ506を参照されたい。詳細は繰り返し説明されない。
【０４１５】
図18は、本発明の一実施形態による別のランダムアクセスの方法のシグナリング図である。図18に示されるように、本方法は具体的には次のとおりである。
【０４１６】
S91．ネットワーク装置は、制御シグナリングをユーザ機器に送信し、制御シグナリングが、ランダムアクセス手順を実行するようにユーザ機器をトリガするために使用され、制御シグナリングが第2のBWPの識別子を含む。
【０４１７】
任意の実装形態では、制御シグナリングはPDCCH orderである。
【０４１８】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０４１９】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４２０】
S92．ユーザ機器は第2のBWPをアクティブ化する。
【０４２１】
S93．ユーザ機器は、第2のBWPでランダムアクセスプリアンブルをネットワーク装置に送信する。
【０４２２】
S94．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０４２３】
S95．ユーザ機器は、BWP識別子に対応する第1のBWPをアクティブ化する。
【０４２４】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４２５】
S96．ユーザ機器は、BWP識別子に対応する第1のBWPでアップリンク伝送を実行し、アップリンク伝送に使用される物理リソースは、UL grantによって示される物理リソースである。
【０４２６】
ここで、図17のステップ701から706は、ステップS81からS86で実施される。詳細は繰り返し説明されない。
【０４２７】
本実施形態では、ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれ、ユーザ機器は、BWP識別子に対応する第1のBWPでアップリンク伝送を実行する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０４２８】
図19は、本発明の一実施形態による別のランダムアクセスの方法の概略的な流れ図である。図19に示されるように、本方法は具体的には次のとおりである。
【０４２９】
801．ネットワーク装置は、制御シグナリングをユーザ機器に送信し、制御シグナリングが、ランダムアクセス手順を実行するようにユーザ機器をトリガするために使用される。
【０４３０】
任意の実装形態では、制御シグナリングはPDCCH orderである。
【０４３１】
任意の実装形態では、制御シグナリングが第2のBWPの識別子を含む。
【０４３２】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４３３】
802．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０４３４】
任意の実装形態では、RARメッセージがUL grantを含み、UL grantがBWP識別子を含むか示す。
【０４３５】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４３６】
任意の実装形態では、第1のBWPおよび第2のBWPはアップリンクBWPであり、第1のBWPと第2のBWPとは同じBWPであってもよいし、異なるBWPであってもよい。
【０４３７】
任意の実装形態では、ステップ602は、ネットワーク装置によって、第3のBWPでRARメッセージをユーザ機器に送信するステップであって、第3のBWPがダウンリンクBWPである、ステップを特に含む。
【０４３８】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０４３９】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ602は、ネットワーク装置によって、第2のBWPのアップリンクBWPでユーザ機器にRARメッセージを送信するステップを特に含む。
【０４４０】
任意の実装形態では、ステップ602は、ネットワーク装置によって、第4のBWPでRARメッセージをユーザ機器に送信するステップであって、第4のBWPがアップリンクBWPとダウンリンクBWPとを含むBWPペアである、ステップを特に含む。
【０４４１】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０４４２】
本実施形態で提供される方法については、図17および図18の方法を参照されたい。詳細は繰り返し説明されない。
【０４４３】
図20は、本発明の一実施形態による別のランダムアクセスの方法の概略的な流れ図である。図20に示されるように、本方法は具体的には次のとおりである。
【０４４４】
901．ユーザ機器は、ネットワーク装置によって送信された制御シグナリングを受信し、制御シグナリングが、ランダムアクセス手順を実行するようにユーザ機器をトリガするために使用され、制御シグナリングが第2のBWPの識別子を含む。
【０４４５】
任意の実装形態では、制御シグナリングはPDCCH orderである。
【０４４６】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０４４７】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４４８】
本実施形態では、このステップについては、図14のステップ501を参照されたい。詳細は繰り返し説明されない。
【０４４９】
902．ユーザ機器が第2のBWPをアクティブ化する。
【０４５０】
本実施形態では、このステップについては、図14のステップ502を参照されたい。詳細は繰り返し説明されない。
【０４５１】
903．ユーザ機器は、第2のBWPでランダムアクセスプリアンブルをネットワーク装置に送信する。
【０４５２】
本実施形態では、このステップについては、図14のステップ503を参照されたい。詳細は繰り返し説明されない。
【０４５３】
904．ユーザ機器は、ネットワーク装置によって送信されたRARメッセージおよびBWP識別子を受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０４５４】
任意の実装形態では、第1のBWPおよび第2のBWPはアップリンクBWPであり、第1のBWPと第2のBWPとは同じBWPであってもよいし、異なるBWPであってもよい。ステップ904は、ユーザ機器によって、ネットワーク装置によって送信されたRARメッセージを、第3のBWPで受信するステップであって、第3のBWPがダウンリンクBWPである、ステップを特に含む。
【０４５５】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０４５６】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ904は、
ユーザ機器によって、ネットワーク装置によって送信されたRARメッセージを、第2のBWPのアップリンクBWPで受信するステップ
を特に含む。
【０４５７】
任意の実装形態では、ステップ904は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０４５８】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０４５９】
任意の実装形態では、第4のBWPが、ユーザ機器が第1のサービングセルにおいて制御シグナリングを受信するときに使用されるBWPである場合、ステップ903の後に、本方法はステップ907、すなわちユーザ機器が第4のBWPをアクティブ化し、第2のBWPを非アクティブ化するステップをさらに含む。
【０４６０】
905．ユーザ機器は、BWP識別子に対応する第1のBWPをアクティブ化する。
【０４６１】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４６２】
本実施形態では、ユーザ機器が第1のBWPをアクティブ化する必要があるか否かに関して3つのケースがある。
【０４６３】
第1のケースでは、BWP識別子が第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０４６４】
第2のケースでは、BWP識別子が第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０４６５】
このステップでは、第2のケースにおいて、ユーザ機器はBWP識別子に対応する第1のBWPをアクティブ化する必要がある。場合により、第1のBWPが、第1のサービングセルにおけるユーザ機器の初期のアクティブなBWPである、または第1のBWPが、第1のサービングセルにおけるユーザ機器の第1のアクティブなBWPである、または第1のBWPが、第1のサービングセルにおけるユーザ機器のデフォルトのBWPである、または第1のBWPが、ユーザ機器のためにネットワーク装置によって構成されたBWPであり、第1のBWPが、第1のサービングセルにおいてランダムアクセスを実行するためにユーザ機器によって使用される、または第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または第1のBWPが、ユーザ機器がランダムアクセスを実行するときにアクティブ化されるBWPである、または第1のBWPが、ユーザ機器が非競合ランダムアクセスを実行するときにアクティブ化されるBWPである。
【０４６６】
加えて、第2のケースでは、RARメッセージが受信されたとユーザ機器が判定した後に、preambleのものであり、かつRARメッセージに含まれている識別子がユーザ機器によって送信されたpreambleの識別子であると判定したときに、ユーザ機器は第1のBWPに切り替える必要がある。
【０４６７】
906．ユーザ機器は、BWP識別子に対応する第1のBWPでアップリンク伝送を実行し、アップリンク伝送に使用される物理リソースは、UL grantによって示される物理リソースである。
【０４６８】
本実施形態では、このステップについては、図14のステップ706を参照されたい。詳細は繰り返し説明されない。
【０４６９】
図21は、本発明の一実施形態による別のランダムアクセスの方法のシグナリング図である。図21に示されるように、本方法は具体的には次のとおりである。
【０４７０】
S181．ネットワーク装置は、制御シグナリングをユーザ機器に送信し、制御シグナリングが、ランダムアクセス手順を実行するようにユーザ機器をトリガするために使用され、制御シグナリングが第2のBWPの識別子を含む。
【０４７１】
任意の実装形態では、制御シグナリングはPDCCH orderである。
【０４７２】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０４７３】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４７４】
S182．ユーザ機器は第2のBWPをアクティブ化する。
【０４７５】
S183．ユーザ機器は、第2のBWPでランダムアクセスプリアンブルをネットワーク装置に送信する。
【０４７６】
S184．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０４７７】
S185．ユーザ機器は、BWP識別子に対応する第1のBWPをアクティブ化する。
【０４７８】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４７９】
S186．ユーザ機器は、BWP識別子に対応する第1のBWPでアップリンク伝送を実行し、アップリンク伝送に使用される物理リソースは、UL grantによって示される物理リソースである。
【０４８０】
ここで、図20のステップ901から906は、ステップS181からS186で実施される。詳細は繰り返し説明されない。
【０４８１】
本実施形態では、ユーザ機器は、ネットワーク装置によって送信されたRARメッセージおよびBWP識別子を受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIであり、ユーザ機器は、BWP識別子に対応する第1のBWPでアップリンク伝送を実行する。このようにして、ユーザ機器は、ネットワーク装置によって示されたBWP識別子に基づいてランダムアクセス手順を完了することができる。BWP識別子に対応するBWPは、ネットワーク装置によって送信されたUL grantによって示されるBWPと一致し、そのため、アップリンクデータは、RARメッセージのUL grantを使用することによって効果的に送信され得る。
【０４８２】
図22は、本発明の一実施形態による別のランダムアクセスの方法の概略的な流れ図である。図22に示されるように、本方法は具体的には次のとおりである。
【０４８３】
2201．ネットワーク装置は、制御シグナリングをユーザ機器に送信し、制御シグナリングが、ランダムアクセス手順を実行するようにユーザ機器をトリガするために使用される。
【０４８４】
任意の実装形態では、制御シグナリングはPDCCH orderである。
【０４８５】
任意の実装形態では、制御シグナリングが第2のBWPの識別子を含む。
【０４８６】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０４８７】
2202．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０４８８】
任意の実装形態では、RARメッセージがUL grantを含み、UL grantがBWP識別子を含むか示す。
【０４８９】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０４９０】
任意の実装形態では、第1のBWPおよび第2のBWPはアップリンクBWPであり、第1のBWPと第2のBWPとは同じBWPであってもよいし、異なるBWPであってもよい。
【０４９１】
任意の実装形態では、ステップ2202は、ネットワーク装置によって、第3のBWPでRARメッセージをユーザ機器に送信するステップであって、第3のBWPがダウンリンクBWPである、ステップを特に含む。
【０４９２】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０４９３】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ602は、ネットワーク装置によって、第2のBWPのアップリンクBWPでユーザ機器にRARメッセージを送信するステップを特に含む。
【０４９４】
任意の実装形態では、ステップ2202は、ネットワーク装置によって、第4のBWPでRARメッセージをユーザ機器に送信するステップであって、第4のBWPがアップリンクBWPとダウンリンクBWPとを含むBWPペアである、ステップを特に含む。
【０４９５】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０４９６】
本実施形態で提供される方法については、図20および図21の方法を参照されたい。詳細は繰り返し説明されない。
【０４９７】
図23は、本発明の一実施形態による別のランダムアクセスの方法の概略的な流れ図である。図23に示されるように、本方法は具体的には次のとおりである。
【０４９８】
2301．ユーザ機器は、ネットワーク装置によって送信された制御シグナリングを受信し、制御シグナリングが、ランダムアクセス手順を実行するようにユーザ機器をトリガするために使用される。
【０４９９】
任意の実装形態では、制御シグナリングはPDCCH orderである。
【０５００】
本実施形態では、少なくとも1つのサービングセルがユーザ機器のために構成され、少なくとも1つのサービングセルが第1のサービングセルを含む。ユーザ機器は、第1のサービングセルにおいて、ネットワーク装置によって送信された制御シグナリングを受信する。
【０５０１】
本実施形態では、ネットワーク装置は、第1のサービングセルにおいてユーザ機器のために初期のアクティブな第2のBWPを構成し、初期のアクティブな第2のBWPについてのみPRACHリソースを構成する。初期のアクティブな第2のBWPは、ネットワーク装置によって構成されてもよいし、ユーザ機器によって選択されてもよい。この場合、ユーザ機器は第1のサービングセルにおいて動作する。換言すれば、ユーザ機器は、第1のサービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０５０２】
ネットワーク装置は、制御シグナリングをユーザ機器に送信する。制御シグナリングは、シグナリングまたは信号であり得、制御シグナリングは、ランダムアクセス手順を実行するようにユーザ機器をトリガするために使用される。さらに、制御シグナリングはPDCCH orderである。この場合、ユーザ機器は、第1のサービングセルにおいて初期のアクティブなダウンリンクBWPを有し、ユーザ機器は、第1のサービングセルのダウンリンクBWPでPDCCH orderを受信することができる。あるいは、ユーザ機器は、第1のサービングセルをスケジュールするために使用される第2のサービングセルの初期のアクティブなダウンリンクBWPでPDCCH orderを受信することができる。この場合、PDCCH orderは、現在のサービングセルのセルインデックスを含む。
【０５０３】
このステップでは、制御シグナリングはBWP識別子を運ばない、またはBWP識別子を示さない。
【０５０４】
2302．ユーザ機器は、初期のアクティブな第2のBWPでランダムアクセスプリアンブルをネットワーク装置に送信する。
【０５０５】
本実施形態では、ユーザ機器は初期のアクティブな第2のBWPを有し、PRACHリソースが初期のアクティブな第2のBWPに対してのみ構成されるため、ユーザ機器は、初期のアクティブな第2のBWPでランダムアクセスプリアンブルをネットワーク装置に直接送信する。例えば、ユーザ機器がセカンダリサービングセルにおいてネットワーク装置と通信する場合、初期のアクティブな第2のBWPは、ユーザ機器がセカンダリサービングセルをアクティブ化するときにアクティブ化されるBWPである。
【０５０６】
2303．ユーザ機器は、ネットワーク装置によって送信されたRARメッセージを受信し、RARメッセージがUL grantを含み、UL grantがBWP識別子を含むか示す。
【０５０７】
本実施形態では、ネットワーク装置は、RARメッセージをユーザ機器に送信する。RARメッセージがUL grantを含み、RARメッセージがBWP識別子を含む、またはRARメッセージがBWP識別子を示す。具体的には、RARメッセージのUL grantがBWP識別子を含む、またはRARメッセージのUL grantがBWP識別子を示す。あるいは、BWP識別子がRARメッセージの情報フィールドとしてRARメッセージに直接含まれる。
【０５０８】
任意の実装形態では、ステップ2303の次の実装形態がある。
【０５０９】
ステップ2303の第1の実装形態では、第1のBWPおよび第2のBWPはアップリンクBWPであり、第1のBWPと第2のBWPとは同じBWPであってもよいし、異なるBWPであってもよい。ステップ2303は、
ユーザ機器によって、ネットワーク装置によって送信されたRARメッセージを、第3のBWPで受信するステップであって、第3のBWPがダウンリンクBWPである、ステップ
を特に含む。
【０５１０】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０５１１】
本実施形態では、第1のBWPはアップリンクBWPであり、第2のBWPもまたアップリンクBWPである。この場合、第1のBWPと第2のBWPとは同じBWPであってもよいし、異なるBWPであってもよい。ステップ2303において、ユーザ機器は、ネットワーク装置によって送信されたRARメッセージを、第3のBWPで受信し、第3のBWPがダウンリンクBWPである。
【０５１２】
ステップ2303の第2の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ2303は、
ユーザ機器によって、ネットワーク装置によって送信されたRARメッセージを、第2のBWPのアップリンクBWPで受信するステップ
を特に含む。
【０５１３】
本実施形態では、第1のBWPは、アップリンクBWPとダウンリンクBWPとを含むBWPペアであり、第2のBWPは、アップリンクBWPとダウンリンクBWPとを含むBWPペアである。加えて、第1のBWPと第2のBWPとは同じBWPであってもよいし、異なるBWPであってもよい。ステップ2303において、ユーザ機器は、ネットワーク装置によって送信されたRARメッセージを、第2のBWPのアップリンクBWPで受信する。
【０５１４】
ステップ2303の第3の実装形態では、ユーザ機器は、ネットワーク装置によって送信されたRARメッセージを、第4のBWPで受信し、第4のBWPがアップリンクBWPとダウンリンクBWPとを含むBWPペアである。
【０５１５】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０５１６】
任意の実装形態では、第4のBWPが、ユーザ機器が第1のサービングセルにおいて制御シグナリングを受信するときに使用されるBWPである場合、ステップ503の後に、本方法はステップ507、すなわちユーザ機器が第4のBWPをアクティブ化し、第2のBWPを非アクティブ化するステップをさらに含む。
【０５１７】
本実施形態では、第4のBWPが提供される。場合により、第4のBWPは、アップリンクBWPとダウンリンクBWPとを含むBWPペアである。ユーザ機器はまず第4のBWPに切り替える必要がある、換言すれば、ユーザ機器は第4のBWPをアクティブ化し、第2のBWPを非アクティブ化する。次に、ユーザ機器は、ネットワーク装置によって送信されたRARメッセージを、第4のBWPで受信することができる。
【０５１８】
2304．ユーザ機器は、BWP識別子に対応する第1のBWPをアクティブ化する。
【０５１９】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５２０】
本実施形態では、ユーザ機器が第1のBWPをアクティブ化する必要があるか否かに関して3つのケースがある。
【０５２１】
第1のケースでは、BWP識別子が初期のアクティブな第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０５２２】
第2のケースでは、BWP識別子が初期のアクティブな第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０５２３】
このステップでは、第2のケースにおいて、ユーザ機器はBWP識別子に対応する第1のBWPをアクティブ化する必要がある。
【０５２４】
2305．ユーザ機器は、BWP識別子に対応する第1のBWPでアップリンク伝送を実行し、アップリンク伝送に使用される物理リソースは、UL grantによって示される物理リソースである。
【０５２５】
本実施形態では、ユーザ機器は、RARメッセージのUL grantによって示された物理リソースを使用することによって、ネットワーク装置によって示された第1のBWPで、データまたは命令をネットワーク装置に送信する。
【０５２６】
図24は、本発明の一実施形態による別のランダムアクセスの方法のシグナリング図である。図24に示されるように、本方法は具体的には次のとおりである。
【０５２７】
S2401．ネットワーク装置は、制御シグナリングをユーザ機器に送信し、制御シグナリングが、ランダムアクセス手順を実行するようにユーザ機器をトリガするために使用される。
【０５２８】
任意の実装形態では、制御シグナリングはPDCCH orderである。
【０５２９】
S2402．ユーザ機器は、初期のアクティブな第2のBWPでランダムアクセスプリアンブルをネットワーク装置に送信する。
【０５３０】
S2403．ネットワーク装置は、RARメッセージをユーザ機器に送信し、RARメッセージがUL grantを含み、UL grantがBWP識別子を含むか示す。
【０５３１】
S2404．ユーザ機器は、BWP識別子に対応する第1のBWPをアクティブ化する。
【０５３２】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５３３】
S2405．ユーザ機器は、BWP識別子に対応する第1のBWPでアップリンク伝送を実行し、アップリンク伝送に使用される物理リソースは、UL grantによって示される物理リソースである。
【０５３４】
ここで、図23のステップ2301から2305は、ステップS2401からS2405で実施される。詳細は繰り返し説明されない。
【０５３５】
本実施形態では、ユーザ機器は、ネットワーク装置によって送信された制御シグナリングを受信し、ユーザ機器は、初期のアクティブな第2のBWPでランダムアクセスプリアンブルをネットワーク装置に送信し、ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０５３６】
図25は、本発明の一実施形態による別のランダムアクセスの方法の概略的な流れ図である。図25に示されるように、本方法は具体的には次のとおりである。
【０５３７】
2501．ネットワーク装置は、制御シグナリングをユーザ機器に送信し、制御シグナリングが、ランダムアクセス手順を実行するようにユーザ機器をトリガするために使用される。
【０５３８】
任意の実装形態では、制御シグナリングはPDCCH orderである。
【０５３９】
2502．ネットワーク装置は、初期のアクティブな第2のBWPでユーザ機器によって送信されたランダムアクセスプリアンブルを受信する。
【０５４０】
2503．ネットワーク装置は、RARメッセージをユーザ機器に送信し、RARメッセージがUL grantを含み、UL grantがBWP識別子を含むか示す。
【０５４１】
本実施形態で提供される方法については、図23および図24の方法を参照されたい。詳細は繰り返し説明されない。
【０５４２】
図26は、本発明の一実施形態による別のランダムアクセスの方法の概略的な流れ図である。図26に示されるように、本方法は具体的には次のとおりである。
【０５４３】
2601．ユーザ機器は、ネットワーク装置によって送信された制御シグナリングを受信し、制御シグナリングが、ランダムアクセス手順を実行するようにユーザ機器をトリガするために使用される。
【０５４４】
任意の実装形態では、制御シグナリングはPDCCH orderである。
【０５４５】
本実施形態では、このステップについては、図23のステップ2301を参照されたい。詳細は繰り返し説明されない。
【０５４６】
2602．ユーザ機器は、初期のアクティブな第2のBWPでランダムアクセスプリアンブルをネットワーク装置に送信する。
【０５４７】
本実施形態では、このステップについては、図23のステップ2302を参照されたい。詳細は繰り返し説明されない。
【０５４８】
2603．ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれる。
【０５４９】
任意の実装形態では、第1のBWPおよび第2のBWPはアップリンクBWPであり、第1のBWPと第2のBWPとは同じBWPであってもよいし、異なるBWPであってもよい。ステップ2603は、ユーザ機器によって、ネットワーク装置によって送信されたRARメッセージを、第3のBWPで受信するステップであって、第3のBWPがダウンリンクBWPである、ステップを特に含む。
【０５５０】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０５５１】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ2603は、
ユーザ機器によって、ネットワーク装置によって送信されたRARメッセージを、第2のBWPのアップリンクBWPで受信するステップ
を特に含む。
【０５５２】
任意の実装形態では、ステップ704は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０５５３】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０５５４】
任意の実装形態では、第4のBWPが、ユーザ機器が第1のサービングセルにおいて制御シグナリングを受信するときに使用されるBWPである場合、ステップ2602の後に、本方法はステップ2606、すなわちユーザ機器が第4のBWPをアクティブ化し、第2のBWPを非アクティブ化するステップをさらに含む。
【０５５５】
2604．ユーザ機器は、BWP識別子に対応する第1のBWPをアクティブ化する。
【０５５６】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５５７】
本実施形態では、ユーザ機器が第1のBWPをアクティブ化する必要があるか否かに関して3つのケースがある。
【０５５８】
第1のケースでは、このステップについては、図23のステップ2304を参照されたい。詳細は繰り返し説明されない。
【０５５９】
2605．ユーザ機器は、BWP識別子に対応する第1のBWPでアップリンク伝送を実行し、アップリンク伝送に使用される物理リソースは、UL grantによって示される物理リソースである。
【０５６０】
本実施形態では、このステップについては、図23のステップ2305を参照されたい。詳細は繰り返し説明されない。
【０５６１】
図27は、本発明の一実施形態による別のランダムアクセスの方法のシグナリング図である。図27に示されるように、本方法は具体的には次のとおりである。
【０５６２】
S2701．ネットワーク装置は、制御シグナリングをユーザ機器に送信し、制御シグナリングが、ランダムアクセス手順を実行するようにユーザ機器をトリガするために使用される。
【０５６３】
任意の実装形態では、制御シグナリングはPDCCH orderである。
【０５６４】
S2702．ユーザ機器は、初期のアクティブな第2のBWPでランダムアクセスプリアンブルをネットワーク装置に送信する。
【０５６５】
S2703．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０５６６】
S2704．ユーザ機器は、BWP識別子に対応する第1のBWPをアクティブ化する。
【０５６７】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５６８】
S2705．ユーザ機器は、BWP識別子に対応する第1のBWPでアップリンク伝送を実行し、アップリンク伝送に使用される物理リソースは、UL grantによって示される物理リソースである。
【０５６９】
ここで、図26のステップ2601から2605は、ステップS2701からS2705で実施される。詳細は繰り返し説明されない。
【０５７０】
本実施形態では、ユーザ機器は、ネットワーク装置によって送信された制御シグナリングを受信し、ユーザ機器は、初期のアクティブな第2のBWPでランダムアクセスプリアンブルをネットワーク装置に送信し、ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれ、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０５７１】
図28は、本発明の一実施形態による別のランダムアクセスの方法の概略的な流れ図である。図28に示されるように、本方法は具体的には次のとおりである。
【０５７２】
2801．ネットワーク装置は、制御シグナリングをユーザ機器に送信し、制御シグナリングが、ランダムアクセス手順を実行するようにユーザ機器をトリガするために使用される。
【０５７３】
任意の実装形態では、制御シグナリングはPDCCH orderである。
【０５７４】
2802．ネットワーク装置は、初期のアクティブな第2のBWPでユーザ機器によって送信されたランダムアクセスプリアンブルを受信する。
【０５７５】
2803．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０５７６】
本実施形態で提供される方法については、図26および図27の方法を参照されたい。詳細は繰り返し説明されない。
【０５７７】
図29は、本発明の一実施形態による別のランダムアクセスの方法の概略的な流れ図である。図29に示されるように、本方法は具体的には次のとおりである。
【０５７８】
2901．ユーザ機器は、ネットワーク装置によって送信された制御シグナリングを受信し、制御シグナリングが、ランダムアクセス手順を実行するようにユーザ機器をトリガするために使用される。
【０５７９】
任意の実装形態では、制御シグナリングはPDCCH orderである。
【０５８０】
本実施形態では、このステップについては、図23のステップ2301を参照されたい。詳細は繰り返し説明されない。
【０５８１】
2902．ユーザ機器は、初期のアクティブな第2のBWPでランダムアクセスプリアンブルをネットワーク装置に送信する。
【０５８２】
本実施形態では、このステップについては、図23のステップ2302を参照されたい。詳細は繰り返し説明されない。
【０５８３】
2903．ユーザ機器は、ネットワーク装置によって送信されたRARメッセージおよびBWP識別子を受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０５８４】
任意の実装形態では、第1のBWPおよび第2のBWPはアップリンクBWPであり、第1のBWPと第2のBWPとは同じBWPであってもよいし、異なるBWPであってもよい。ステップ2903は、ユーザ機器によって、ネットワーク装置によって送信されたRARメッセージを、第3のBWPで受信するステップであって、第3のBWPがダウンリンクBWPである、ステップを特に含む。
【０５８５】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０５８６】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ2903は、
ユーザ機器によって、ネットワーク装置によって送信されたRARメッセージを、第2のBWPのアップリンクBWPで受信するステップ
を特に含む。
【０５８７】
任意の実装形態では、ステップ704は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０５８８】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０５８９】
任意の実装形態では、第4のBWPが、ユーザ機器が第1のサービングセルにおいて制御シグナリングを受信するときに使用されるBWPである場合、ステップ2902の後に、本方法はステップ2906、すなわちユーザ機器が第4のBWPをアクティブ化し、第2のBWPを非アクティブ化するステップをさらに含む。
【０５９０】
2904．ユーザ機器は、BWP識別子に対応する第1のBWPをアクティブ化する。
【０５９１】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０５９２】
本実施形態では、ユーザ機器が第1のBWPをアクティブ化する必要があるか否かに関して3つのケースがある。
【０５９３】
第1のケースでは、このステップについては、図23のステップ2304を参照されたい。詳細は繰り返し説明されない。
【０５９４】
2905．ユーザ機器は、BWP識別子に対応する第1のBWPでアップリンク伝送を実行し、アップリンク伝送に使用される物理リソースは、UL grantによって示される物理リソースである。
【０５９５】
本実施形態では、このステップについては、図23のステップ2305を参照されたい。詳細は繰り返し説明されない。
【０５９６】
図30は、本発明の一実施形態による別のランダムアクセスの方法のシグナリング図である。図30に示されるように、本方法は具体的には次のとおりである。
【０５９７】
S3001．ネットワーク装置は、制御シグナリングをユーザ機器に送信し、制御シグナリングが、ランダムアクセス手順を実行するようにユーザ機器をトリガするために使用される。
【０５９８】
任意の実装形態では、制御シグナリングはPDCCH orderである。
【０５９９】
S3002．ユーザ機器は、初期のアクティブな第2のBWPでランダムアクセスプリアンブルをネットワーク装置に送信する。
【０６００】
S3003．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０６０１】
S3004．ユーザ機器は、BWP識別子に対応する第1のBWPをアクティブ化する。
【０６０２】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される。
【０６０３】
S3005．ユーザ機器は、BWP識別子に対応する第1のBWPでアップリンク伝送を実行し、アップリンク伝送に使用される物理リソースは、UL grantによって示される物理リソースである。
【０６０４】
ここで、図29のステップ2901から2905は、ステップS3001からS3005で実施される。詳細は繰り返し説明されない。
【０６０５】
本実施形態では、ユーザ機器は、ネットワーク装置によって送信された制御シグナリングを受信し、ユーザ機器は、初期のアクティブな第2のBWPでランダムアクセスプリアンブルをネットワーク装置に送信し、ユーザ機器は、ネットワーク装置によって送信されたRARメッセージおよびBWP識別子を受信し、RARメッセージがUL grantを含み、BWP識別子が第2のDCIで運ばれ、ユーザ機器は、ネットワーク装置によって送信されたRARメッセージおよびBWP識別子を受信し、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０６０６】
図31は、本発明の一実施形態による別のランダムアクセスの方法の概略的な流れ図である。図31に示されるように、本方法は具体的には次のとおりである。
【０６０７】
3101．ネットワーク装置は、制御シグナリングをユーザ機器に送信し、制御シグナリングが、ランダムアクセス手順を実行するようにユーザ機器をトリガするために使用される。
【０６０８】
任意の実装形態では、制御シグナリングはPDCCH orderである。
【０６０９】
3102．ネットワーク装置は、初期のアクティブな第2のBWPでユーザ機器によって送信されたランダムアクセスプリアンブルを受信する。
【０６１０】
3103．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０６１１】
本実施形態で提供される方法については、図29および図30の方法を参照されたい。詳細は繰り返し説明されない。
【０６１２】
図32は、本発明の一実施形態による別のランダムアクセスの方法の概略的な流れ図である。図32に示されるように、本方法は具体的には次のとおりである。
【０６１３】
3201．ユーザ機器は、ネットワーク装置によって送信された制御シグナリングを受信し、制御シグナリングが、ランダムアクセス手順を実行するようにユーザ機器をトリガするために使用される。
【０６１４】
任意の実装形態では、制御シグナリングはPDCCH orderである。
【０６１５】
本実施形態では、少なくとも1つのサービングセルがユーザ機器のために構成され、少なくとも1つのサービングセルが第1のサービングセルを含む。ユーザ機器は、第1のサービングセルにおいて、ネットワーク装置によって送信された制御シグナリングを受信する。
【０６１６】
本実施形態では、ネットワーク装置は、第1のサービングセルにおいてユーザ機器のためにデフォルトの第2のBWPを構成し、デフォルトの第2のBWPについてのみPRACHリソースを構成する。デフォルトの第2のBWPは、ネットワーク装置によって構成されてもよいし、ユーザ機器によって選択されてもよい。この場合、ユーザ機器は第1のサービングセルにおいて動作する。換言すれば、ユーザ機器は、第1のサービングセルにおいてネットワーク装置と通信する。場合により、ユーザ機器はセカンダリサービングセルにおいて動作し、ユーザ機器のセカンダリサービングセルとプライマリサービングセルとは異なるTAGに属する、またはユーザ機器はプライマリサービングセルにおいて動作する。
【０６１７】
ネットワーク装置は、制御シグナリングをユーザ機器に送信する。制御シグナリングは、シグナリングまたは信号であり得、制御シグナリングは、ランダムアクセス手順を実行するようにユーザ機器をトリガするために使用される。さらに、制御シグナリングはPDCCH orderである。この場合、ユーザ機器は、第1のサービングセルにおいてデフォルトのダウンリンクBWPを有し、ユーザ機器は、第1のサービングセルのダウンリンクBWPでPDCCH orderを受信することができる。あるいは、ユーザ機器は、第1のサービングセルをスケジュールするために使用される第2のサービングセルのデフォルトのダウンリンクBWPでPDCCH orderを受信することができる。この場合、PDCCH orderは、現在のサービングセルのセルインデックスを含む。
【０６１８】
このステップでは、制御シグナリングはBWP識別子を運ばない、またはBWP識別子を示さない。
【０６１９】
3202．ユーザ機器は、デフォルトの第2のBWPでランダムアクセスプリアンブルをネットワーク装置に送信する。
【０６２０】
本実施形態では、ユーザ機器はデフォルトの第2のBWPを有し、PRACHリソースがデフォルトの第2のBWPに対してのみ構成されるため、ユーザ機器は、デフォルトの第2のBWPでランダムアクセスプリアンブルをネットワーク装置に直接送信する。例えば、ユーザ機器がセカンダリサービングセルにおいてネットワーク装置と通信する場合、デフォルトの第2のBWPは、ユーザ機器がセカンダリサービングセルをアクティブ化するときにアクティブ化されるBWPである。
【０６２１】
3203．ユーザ機器は、ネットワーク装置によって送信されたRARメッセージを受信し、RARメッセージがUL grantを含み、UL grantがBWP識別子を含むか示す。
【０６２２】
本実施形態では、ネットワーク装置は、RARメッセージをユーザ機器に送信する。RARメッセージがUL grantを含み、RARメッセージがBWP識別子を含む、またはRARメッセージがBWP識別子を示す。具体的には、RARメッセージのUL grantがBWP識別子を含む、またはRARメッセージのUL grantがBWP識別子を示す。あるいは、BWP識別子がRARメッセージの情報フィールドとしてRARメッセージに直接含まれる。
【０６２３】
任意の実装形態では、ステップ3203の次の実装形態がある。
【０６２４】
ステップ3203の第1の実装形態では、第1のBWPおよび第2のBWPはアップリンクBWPであり、第1のBWPと第2のBWPとは同じBWPであってもよいし、異なるBWPであってもよい。ステップ3203は、
ユーザ機器によって、ネットワーク装置によって送信されたRARメッセージを、第3のBWPで受信するステップであって、第3のBWPがダウンリンクBWPである、ステップ
を特に含む。
【０６２５】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０６２６】
本実施形態では、第1のBWPはアップリンクBWPであり、第2のBWPもまたアップリンクBWPである。この場合、第1のBWPと第2のBWPとは同じBWPであってもよいし、異なるBWPであってもよい。ステップ3203において、ユーザ機器は、ネットワーク装置によって送信されたRARメッセージを、第3のBWPで受信し、第3のBWPがダウンリンクBWPである。
【０６２７】
ステップ3203の第2の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ3203は、
ユーザ機器によって、ネットワーク装置によって送信されたRARメッセージを、第2のBWPのアップリンクBWPで受信するステップ
を特に含む。
【０６２８】
本実施形態では、第1のBWPは、アップリンクBWPとダウンリンクBWPとを含むBWPペアであり、第2のBWPは、アップリンクBWPとダウンリンクBWPとを含むBWPペアである。加えて、第1のBWPと第2のBWPとは同じBWPであってもよいし、異なるBWPであってもよい。ステップ3203において、ユーザ機器は、ネットワーク装置によって送信されたRARメッセージを、第2のBWPのアップリンクBWPで受信する。
【０６２９】
ステップ3203の第3の実装形態では、ユーザ機器は、ネットワーク装置によって送信されたRARメッセージを、第4のBWPで受信し、第4のBWPがアップリンクBWPとダウンリンクBWPとを含むBWPペアである。
【０６３０】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０６３１】
任意の実装形態では、第4のBWPが、ユーザ機器が第1のサービングセルにおいて制御シグナリングを受信するときに使用されるBWPである場合、ステップ503の後に、本方法はステップ507、すなわちユーザ機器が第4のBWPをアクティブ化し、第2のBWPを非アクティブ化するステップをさらに含む。
【０６３２】
本実施形態では、第4のBWPが提供される。場合により、第4のBWPは、アップリンクBWPとダウンリンクBWPとを含むBWPペアである。ユーザ機器はまず第4のBWPに切り替える必要がある、換言すれば、ユーザ機器は第4のBWPをアクティブ化し、第2のBWPを非アクティブ化する。次に、ユーザ機器は、ネットワーク装置によって送信されたRARメッセージを、第4のBWPで受信することができる。
【０６３３】
3204．ユーザ機器は、BWP識別子に対応する第1のBWPをアクティブ化する。
【０６３４】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０６３５】
本実施形態では、ユーザ機器が第1のBWPをアクティブ化する必要があるか否かに関して3つのケースがある。
【０６３６】
第1のケースでは、BWP識別子がデフォルトの第2のBWPの識別子である場合、BWPに対応する第1のBWPは第2のBWPであり、RARメッセージに含まれるUL grantは、第1のサービングセルにおけるユーザ機器の第2のBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、第1のサービングセルの第2のBWPでデータまたはシグナリングをネットワーク装置に送信することができる。
【０６３７】
第2のケースでは、BWP識別子がデフォルトの第2のBWPの識別子ではない場合、BWPに対応する第1のBWPは第2のBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、第2のBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０６３８】
このステップでは、第2のケースにおいて、ユーザ機器はBWP識別子に対応する第1のBWPをアクティブ化する必要がある。
【０６３９】
3205．ユーザ機器は、BWP識別子に対応する第1のBWPでアップリンク伝送を実行し、アップリンク伝送に使用される物理リソースは、UL grantによって示される物理リソースである。
【０６４０】
本実施形態では、ユーザ機器は、RARメッセージのUL grantによって示された物理リソースを使用することによって、ネットワーク装置によって示された第1のBWPで、データまたは命令をネットワーク装置に送信する。
【０６４１】
図33は、本発明の一実施形態による別のランダムアクセスの方法のシグナリング図である。図33に示されるように、本方法は具体的には次のとおりである。
【０６４２】
S3301．ネットワーク装置は、制御シグナリングをユーザ機器に送信し、制御シグナリングが、ランダムアクセス手順を実行するようにユーザ機器をトリガするために使用される。
【０６４３】
任意の実装形態では、制御シグナリングはPDCCH orderである。
【０６４４】
S3302．ユーザ機器は、デフォルトの第2のBWPでランダムアクセスプリアンブルをネットワーク装置に送信する。
【０６４５】
S3303．ネットワーク装置は、RARメッセージをユーザ機器に送信し、RARメッセージがUL grantを含み、UL grantがBWP識別子を含むか示す。
【０６４６】
S3304．ユーザ機器は、BWP識別子に対応する第1のBWPをアクティブ化する。
【０６４７】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０６４８】
S3305．ユーザ機器は、BWP識別子に対応する第1のBWPでアップリンク伝送を実行し、アップリンク伝送に使用される物理リソースは、UL grantによって示される物理リソースである。
【０６４９】
ここで、図32のステップ3201から3205は、ステップS3301からS3305で実施される。詳細は繰り返し説明されない。
【０６５０】
本実施形態では、ユーザ機器は、ネットワーク装置によって送信された制御シグナリングを受信し、ユーザ機器は、デフォルトの第2のBWPでランダムアクセスプリアンブルをネットワーク装置に送信し、ユーザ機器は、ネットワーク装置によって送信されたRARメッセージを受信し、RARメッセージがBWP識別子を含むか示し、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０６５１】
図34は、本発明の一実施形態による別のランダムアクセスの方法の概略的な流れ図である。図34に示されるように、本方法は具体的には次のとおりである。
【０６５２】
3401．ネットワーク装置は、制御シグナリングをユーザ機器に送信し、制御シグナリングが、ランダムアクセス手順を実行するようにユーザ機器をトリガするために使用される。
【０６５３】
任意の実装形態では、制御シグナリングはPDCCH orderである。
【０６５４】
3402．ネットワーク装置は、ユーザ機器によって送信されたランダムアクセスプリアンブルを、デフォルトの第2のBWPで受信する。
【０６５５】
3403．ネットワーク装置は、RARメッセージをユーザ機器に送信し、RARメッセージがUL grantを含み、UL grantがBWP識別子を含むか示す。
【０６５６】
本実施形態で提供される方法については、図32および図33の方法を参照されたい。詳細は繰り返し説明されない。
【０６５７】
図35は、本発明の一実施形態による別のランダムアクセスの方法の概略的な流れ図である。図35に示されるように、本方法は具体的には次のとおりである。
【０６５８】
3501．ユーザ機器は、ネットワーク装置によって送信された制御シグナリングを受信し、制御シグナリングが、ランダムアクセス手順を実行するようにユーザ機器をトリガするために使用される。
【０６５９】
任意の実装形態では、制御シグナリングはPDCCH orderである。
【０６６０】
本実施形態では、このステップについては、図32のステップ3201を参照されたい。詳細は繰り返し説明されない。
【０６６１】
3502．ユーザ機器は、デフォルトの第2のBWPでランダムアクセスプリアンブルをネットワーク装置に送信する。
【０６６２】
本実施形態では、このステップについては、図32のステップ3202を参照されたい。詳細は繰り返し説明されない。
【０６６３】
3503．ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれる。
【０６６４】
任意の実装形態では、第1のBWPおよび第2のBWPはアップリンクBWPであり、第1のBWPと第2のBWPとは同じBWPであってもよいし、異なるBWPであってもよい。ステップ3503は、ユーザ機器によって、ネットワーク装置によって送信されたRARメッセージを、第3のBWPで受信するステップであって、第3のBWPがダウンリンクBWPである、ステップを特に含む。
【０６６５】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０６６６】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ3503は、
ユーザ機器によって、ネットワーク装置によって送信されたRARメッセージを、第2のBWPのアップリンクBWPで受信するステップ
を特に含む。
【０６６７】
任意の実装形態では、ステップ3503は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０６６８】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０６６９】
任意の実装形態では、第4のBWPが、ユーザ機器が第1のサービングセルにおいて制御シグナリングを受信するときに使用されるBWPである場合、ステップ3502の後に、本方法はステップ3506、すなわちユーザ機器が第4のBWPをアクティブ化し、第2のBWPを非アクティブ化するステップをさらに含む。
【０６７０】
3504．ユーザ機器は、BWP識別子に対応する第1のBWPをアクティブ化する。
【０６７１】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０６７２】
本実施形態では、このステップについては、図32のステップ3204を参照されたい。詳細は繰り返し説明されない。
【０６７３】
3505．ユーザ機器は、BWP識別子に対応する第1のBWPでアップリンク伝送を実行し、アップリンク伝送に使用される物理リソースは、UL grantによって示される物理リソースである。
【０６７４】
本実施形態では、このステップについては、図32のステップ3205を参照されたい。詳細は繰り返し説明されない。
【０６７５】
図36は、本発明の一実施形態による別のランダムアクセスの方法のシグナリング図である。図36に示されるように、本方法は具体的には次のとおりである。
【０６７６】
S3601．ネットワーク装置は、制御シグナリングをユーザ機器に送信し、制御シグナリングが、ランダムアクセス手順を実行するようにユーザ機器をトリガするために使用される。
【０６７７】
任意の実装形態では、制御シグナリングはPDCCH orderである。
【０６７８】
S3602．ユーザ機器は、デフォルトの第2のBWPでランダムアクセスプリアンブルをネットワーク装置に送信する。
【０６７９】
S3603．ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれる。
【０６８０】
S3604．ユーザ機器は、BWP識別子に対応する第1のBWPをアクティブ化する。
【０６８１】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０６８２】
S3605．ユーザ機器は、BWP識別子に対応する第1のBWPでアップリンク伝送を実行し、アップリンク伝送に使用される物理リソースは、UL grantによって示される物理リソースである。
【０６８３】
ここで、図35のステップ3501から3505は、ステップS3601からS3605で実施される。詳細は繰り返し説明されない。
【０６８４】
本実施形態では、ユーザ機器は、ネットワーク装置によって送信された制御シグナリングを受信し、ユーザ機器は、デフォルトの第2のBWPでランダムアクセスプリアンブルをネットワーク装置に送信し、ユーザ機器は、ネットワーク装置によって送信されたRARメッセージおよびBWP識別子を受信し、RARメッセージがUL grantを含み、RARメッセージが第1のDCIを使用することによりスケジュールされ、BWP識別子が第1のDCIで運ばれ、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０６８５】
図37は、本発明の一実施形態による別のランダムアクセスの方法の概略的な流れ図である。図37に示されるように、本方法は具体的には次のとおりである。
【０６８６】
3701．ネットワーク装置は、制御シグナリングをユーザ機器に送信し、制御シグナリングが、ランダムアクセス手順を実行するようにユーザ機器をトリガするために使用される。
【０６８７】
任意の実装形態では、制御シグナリングはPDCCH orderである。
【０６８８】
3702．ネットワーク装置は、ユーザ機器によって送信されたランダムアクセスプリアンブルを、デフォルトの第2のBWPで受信する。
【０６８９】
3703．ネットワーク装置は、RARメッセージおよびBWP識別子をユーザ機器に送信し、RARメッセージがUL grantを含み、RARメッセージが第1のDCIを使用することによりスケジュールされ、BWP識別子が第1のDCIで運ばれる。
【０６９０】
本実施形態で提供される方法については、図35および図36の方法を参照されたい。詳細は繰り返し説明されない。
【０６９１】
図38は、本発明の一実施形態による別のランダムアクセスの方法の概略的な流れ図である。図38に示されるように、本方法は具体的には次のとおりである。
【０６９２】
3801．ユーザ機器は、ネットワーク装置によって送信された制御シグナリングを受信し、制御シグナリングが、ランダムアクセス手順を実行するようにユーザ機器をトリガするために使用される。
【０６９３】
任意の実装形態では、制御シグナリングはPDCCH orderである。
【０６９４】
本実施形態では、このステップについては、図32のステップ3201を参照されたい。詳細は繰り返し説明されない。
【０６９５】
3802．ユーザ機器は、デフォルトの第2のBWPでランダムアクセスプリアンブルをネットワーク装置に送信する。
【０６９６】
本実施形態では、このステップについては、図32のステップ3202を参照されたい。詳細は繰り返し説明されない。
【０６９７】
3803．ユーザ機器は、ネットワーク装置によって送信されたRARメッセージおよびBWP識別子を受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０６９８】
任意の実装形態では、第1のBWPおよび第2のBWPはアップリンクBWPであり、第1のBWPと第2のBWPとは同じBWPであってもよいし、異なるBWPであってもよい。ステップ3803は、ユーザ機器によって、ネットワーク装置によって送信されたRARメッセージを、第3のBWPで受信するステップであって、第3のBWPがダウンリンクBWPである、ステップを特に含む。
【０６９９】
第3のBWPは、ユーザ機器が第1のサービングセルにおいて制御シグナリングを受信するときに第2のサービングセルにおいてアクティブなBWPである、または第3のBWPは、ユーザ機器が第1のサービングセルにおいて制御シグナリングを受信するときに使用されるBWPである。
【０７００】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。ステップ3803は、
ユーザ機器によって、ネットワーク装置によって送信されたRARメッセージを、第2のBWPのアップリンクBWPで受信するステップ
を特に含む。
【０７０１】
任意の実装形態では、ステップ3803は、ユーザ機器によって、ネットワーク装置によって送信されたRARメッセージを第4のBWPで受信するステップであって、第4のBWPがアップリンクBWPとダウンリンクBWPとを含むBWPペアである、ステップを特に含む。
【０７０２】
第4のBWPは、ユーザ機器が第1のサービングセルにおいて制御シグナリングを受信するときに第2のサービングセルにおいてアクティブなBWPである、または第4のBWPは、ユーザ機器が第1のサービングセルにおいて制御シグナリングを受信するときに使用されるBWPである。
【０７０３】
任意の実装形態では、第4のBWPが、ユーザ機器が第1のサービングセルにおいて制御シグナリングを受信するときに使用されるBWPである場合、ステップ3802の後に、本方法はステップ3806、すなわちユーザ機器が第4のBWPをアクティブ化し、第2のBWPを非アクティブ化するステップをさらに含む。
【０７０４】
3804．ユーザ機器は、BWP識別子に対応する第1のBWPをアクティブ化する。
【０７０５】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０７０６】
本実施形態では、このステップについては、図32のステップ3204を参照されたい。詳細は繰り返し説明されない。
【０７０７】
3805．ユーザ機器は、BWP識別子に対応する第1のBWPでアップリンク伝送を実行し、アップリンク伝送に使用される物理リソースは、UL grantによって示される物理リソースである。
【０７０８】
本実施形態では、このステップについては、図32のステップ3205を参照されたい。詳細は繰り返し説明されない。
【０７０９】
図39は、本発明の一実施形態による別のランダムアクセスの方法のシグナリング図である。図39に示されるように、本方法は具体的には次のとおりである。
【０７１０】
S3901．ネットワーク装置は、制御シグナリングをユーザ機器に送信し、制御シグナリングが、ランダムアクセス手順を実行するようにユーザ機器をトリガするために使用される。
【０７１１】
任意の実装形態では、制御シグナリングはPDCCH orderである。
【０７１２】
S3902．ユーザ機器は、デフォルトの第2のBWPでランダムアクセスプリアンブルをネットワーク装置に送信する。
【０７１３】
S3903．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０７１４】
S3904．ユーザ機器は、BWP識別子に対応する第1のBWPをアクティブ化する。
【０７１５】
任意の実装形態では、第1のBWPが、第1のサービングセルにおけるユーザ機器のデフォルトのBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０７１６】
S3905．ユーザ機器は、BWP識別子に対応する第1のBWPでアップリンク伝送を実行し、アップリンク伝送に使用される物理リソースは、UL grantによって示される物理リソースである。
【０７１７】
ここで、図38のステップ3801から3805は、ステップS3901からS3905で実施される。詳細は繰り返し説明されない。
【０７１８】
本実施形態では、ユーザ機器は、ネットワーク装置によって送信された制御シグナリングを受信し、ユーザ機器は、デフォルトの第2のBWPでランダムアクセスプリアンブルをネットワーク装置に送信し、ユーザ機器は、ネットワーク装置によって送信されたRARメッセージおよびBWP識別子を受信し、RARメッセージがUL grantを含み、BWP識別子が第2のDCIで運ばれ、またユーザ機器は、BWP識別子に対応する第1のBWPでアップリンク伝送を実行する。このようにして、ユーザ機器は、ネットワーク装置によって示された第1のBWPでアップリンク伝送を実行することができる。BWP識別子に対応する第1のBWPは、ネットワーク装置によって送信されたUL grantによって示されるBWPと一致し、そのため、アップリンクデータは、RARメッセージのUL grantを使用することによって効果的に送信され得る。
【０７１９】
図40は、本発明の一実施形態による別のランダムアクセスの方法の概略的な流れ図である。図40に示されるように、本方法は具体的には次のとおりである。
【０７２０】
4001．ネットワーク装置は、制御シグナリングをユーザ機器に送信し、制御シグナリングが、ランダムアクセス手順を実行するようにユーザ機器をトリガするために使用される。
【０７２１】
任意の実装形態では、制御シグナリングはPDCCH orderである。
【０７２２】
4002．ネットワーク装置は、ユーザ機器によって送信されたランダムアクセスプリアンブルを、デフォルトの第2のBWPで受信する。
【０７２３】
4003．ネットワーク装置は、RARメッセージおよびBWP識別子をユーザ機器に送信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０７２４】
本実施形態で提供される方法については、図38および図39の方法を参照されたい。詳細は繰り返し説明されない。
【０７２５】
図4または図5の非競合ランダムアクセス手順に基づいて、図1bに示されるシナリオでは、本出願の実施形態の解決策は次のとおりである。以下に提供される方法は、ユーザ機器がソースネットワーク装置からターゲットネットワーク装置にハンドオーバされる場合に適用可能であるだけでなく、ネットワーク装置がユーザ機器のためにデュアルコネクティビティを構成する場合にも適用可能である。ユーザ機器がソースネットワーク装置からターゲットネットワーク装置にハンドオーバされる場合、次の方法における第1のメッセージは、例えば、ハンドオーバ要求メッセージであり、第2のメッセージは、例えば、ハンドオーバ要求確認応答メッセージである。ネットワーク装置がユーザ機器のためにデュアルコネクティビティを構成する場合、次の方法の第1のメッセージは、例えば、セカンダリノード（secondary Node）追加要求メッセージであり、第2のメッセージは、例えば、セカンダリノードの追加要求確認応答メッセージである。
【０７２６】
図41は、本発明の一実施形態による別のランダムアクセスの方法の概略的な流れ図である。図41に示されるように、本方法は具体的には次のとおりである。
【０７２７】
4101．ユーザ機器は、第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される。
【０７２８】
任意の実装形態では、第1のメッセージが、第2のネットワーク装置が第1のネットワーク装置によって送信された第2のメッセージを受信した後に、第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０７２９】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７３０】
本実施形態では、ネットワーク装置は、セカンダリサービングセルにおいてユーザ機器のために少なくとも1つのBWPを構成し、PRACHリソースは、少なくとも1つのBWPのそれぞれのために構成される。
【０７３１】
第1のネットワーク装置は、第2のメッセージを第2のネットワーク装置に送信する。第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０７３２】
次に、第2のネットワーク装置は、第1のメッセージを第1のネットワーク装置に送信する。第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示す。
【０７３３】
第1のネットワーク装置は、RRC接続再構成メッセージをユーザ機器に送信する。
【０７３４】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７３５】
4102．ユーザ機器は、アクティブなBWPでランダムアクセス手順を開始する。
【０７３６】
任意の実装形態では、ステップ4102の次の実装形態がある。
【０７３７】
ステップ4102の第1の実装形態では、アクティブなBWPはアップリンクBWPとダウンリンクBWPとを含み、ステップ4102は次のステップを特に含む。
【０７３８】
41021a．ユーザ機器は、アクティブなBWPのアップリンクBWPでランダムアクセスプリアンブルを第2のネットワーク装置に送信する。
【０７３９】
41022a．ユーザ機器は、第2のネットワーク装置によって送信されたRARメッセージを、アクティブなBWPのダウンリンクBWPで受信し、RARメッセージがUL grantを含む。
【０７４０】
41023a．ユーザ機器は、アクティブなBWPのアップリンクBWPでアップリンク伝送を実行し、アップリンク伝送に使用される物理リソースは、UL grantによって示される物理リソースである。
【０７４１】
本実施形態では、アクティブなBWPがアップリンクBWPとダウンリンクBWPとを含む。ユーザ機器は、アクティブなBWPのアップリンクBWPでpreambleを第2のネットワーク装置に送信することができる。次に、第2のネットワーク装置は、RARメッセージをユーザ機器に送信し、RARメッセージがUL grantを含み、UL grantがアクティブなBWPのアップリンクBWPに対応するUL grantである。ユーザ機器は、アクティブなBWPのダウンリンクBWPでRARメッセージを受信する。次に、ユーザ機器は、RARメッセージのUL grantで示された物理リソースを使用することにより、アクティブなBWPのアップリンクBWPでデータまたはシグナリングを第2のネットワーク装置に送信する。
【０７４２】
ステップ4102の第2の実装形態では、アクティブなBWPがアップリンクBWPとダウンリンクBWPとを含むBWPペアであり、ステップ4102は、次のステップを特に含む。
【０７４３】
4102b．ユーザ機器は、BWPペアのアップリンクBWPでランダムアクセスプリアンブルを第2のネットワーク装置に送信する。
【０７４４】
4102b．ユーザ機器は、第2のネットワーク装置によって送信されたRARメッセージを、BWPペアのダウンリンクBWPで受信し、RARメッセージがUL grantを含む。
【０７４５】
4102b．ユーザ機器は、BWPペアのアップリンクBWPでアップリンク伝送を実行し、アップリンク伝送に使用される物理リソースは、UL grantによって示される物理リソースである。
【０７４６】
本実施形態では、アクティブなBWPがアップリンクBWPとダウンリンクBWPとを含むBWPペアである。ユーザ機器は、BWPペアのアップリンクBWPでpreambleを第2のネットワーク装置に送信することができる。次に、第2のネットワーク装置は、RARメッセージをユーザ機器に送信し、RARメッセージがUL grantを含み、UL grantがBWPペアのアップリンクBWPに対応するUL grantである。ユーザ機器は、BWPペアのダウンリンクBWPでRARメッセージを受信する。次に、ユーザ機器は、RARメッセージのUL grantによって示される物理リソースを使用することにより、BWPペアのアップリンクBWPでデータまたはシグナリングを第2のネットワーク装置に送信する。
【０７４７】
図42は、本発明の一実施形態による別のランダムアクセスの方法のシグナリング図1である。図42に示されるように、本方法は具体的には次のとおりである。
【０７４８】
S4201．第1のネットワーク装置は、第2のメッセージを第2のネットワーク装置に送信する。
【０７４９】
任意の実装形態では、第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０７５０】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７５１】
S4202．第2のネットワーク装置は、第1のメッセージを第1のネットワーク装置に送信し、第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示し、アクティブなBWPがアップリンクBWPとダウンリンクBWPとを含む。
【０７５２】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７５３】
S4203．第1のネットワーク装置は、RRC接続再構成メッセージをユーザ機器に送信する。
【０７５４】
S4204．ユーザ機器は、アクティブなBWPのアップリンクBWPでランダムアクセスプリアンブルを第2のネットワーク装置に送信する。
【０７５５】
S4205．ユーザ機器は、第2のネットワーク装置によって送信されたRARメッセージを、アクティブなBWPのダウンリンクBWPで受信し、RARメッセージがUL grantを含む。
【０７５６】
S4206．ユーザ機器は、アクティブなBWPのアップリンクBWPでアップリンク伝送を実行し、アップリンク伝送に使用される物理リソースは、UL grantによって示される物理リソースである。
【０７５７】
ここで、ステップS4201からS4206は、図41のステップ4101およびステップ4102の第1の実装形態である。詳細は繰り返し説明されない。
【０７５８】
図43は、本発明の一実施形態による別のランダムアクセスの方法のシグナリング図2である。図43に示されるように、本方法は具体的には次のとおりである。
【０７５９】
S4301．第1のネットワーク装置は、第2のメッセージを第2のネットワーク装置に送信する。
【０７６０】
任意の実装形態では、第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０７６１】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７６２】
S4302．第2のネットワーク装置は、第1のメッセージを第1のネットワーク装置に送信し、第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示し、アクティブなBWPがアップリンクBWPとダウンリンクBWPとを含むBWPペアである。
【０７６３】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７６４】
S4303．第1のネットワーク装置は、RRC接続再構成メッセージをユーザ機器に送信する。
【０７６５】
S4304．ユーザ機器は、BWPペアのアップリンクBWPでランダムアクセスプリアンブルを第2のネットワーク装置に送信する。
【０７６６】
S4305．ユーザ機器は、第2のネットワーク装置によって送信されたRARメッセージを、BWPペアのダウンリンクBWPで受信し、RARメッセージがUL grantを含む。
【０７６７】
S4306．ユーザ機器は、BWPペアのアップリンクBWPでアップリンク伝送を実行し、アップリンク伝送に使用される物理リソースは、UL grantによって示される物理リソースである。
【０７６８】
ここで、ステップS4301からS4306は、図41のステップ4101およびステップ4102の第2の実装形態である。詳細は繰り返し説明されない。
【０７６９】
本実施形態では、ユーザ機器が、第1のネットワーク装置によって送信されたRRC接続再構成メッセージを受信し、RRC接続再構成メッセージが第2のネットワーク装置におけるユーザ機器のプライマリサービングセルおよびプライマリサービングセルにおけるアクティブなBWPを示すために使用され、ユーザ機器は、アクティブなBWPでランダムアクセス手順を開始する。このようにして、ユーザ機器は、ネットワーク装置によって示されたアクティブなBWPに基づいてランダムアクセス手順を完了することができる。アクティブなBWPは、ネットワーク装置によって送信されたUL grantによって示されるBWPと一致し、そのため、アップリンクデータは、RARメッセージのUL grantを使用することによって効果的に送信され得る。
【０７７０】
図44は、本発明の一実施形態による別のランダムアクセスの方法の概略的な流れ図である。図44に示されるように、本方法は具体的には次のとおりである。
【０７７１】
4401．第1のネットワーク装置は、第2のメッセージを第2のネットワーク装置に送信する。
【０７７２】
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０７７３】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７７４】
4402．第1のネットワーク装置は、第2のネットワーク装置によって送信された第1のメッセージを受信し、第1のメッセージがRRC接続再構成メッセージを含む。
【０７７５】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７７６】
任意の実装形態では、アクティブなBWPがアップリンクBWPとダウンリンクBWPとを含む。
【０７７７】
4403．第1のネットワーク装置は、RRC接続再構成メッセージをユーザ機器に送信し、RRC接続再構成メッセージは、ユーザ機器のものであり、かつ第2のネットワーク装置によって提供されるプライマリサービングセルとプライマリサービングセルのアクティブなBWPとを示すために使用される。
【０７７８】
任意の実装形態では、アクティブなBWPがアップリンクBWPとダウンリンクBWPとを含むBWPペアである。
【０７７９】
本実施形態で提供される方法については、図41から図43の方法を参照されたい。詳細は繰り返し説明されない。
【０７８０】
図45は、本発明の一実施形態による別のランダムアクセスの方法の概略的な流れ図である。図45に示されるように、本方法は具体的には次のとおりである。
【０７８１】
4501．ユーザ機器は、第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される。
【０７８２】
任意の実装形態では、第1のメッセージが、第2のネットワーク装置が第1のネットワーク装置によって送信された第2のメッセージを受信した後に、第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０７８３】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０７８４】
本実施形態では、ネットワーク装置は、セカンダリサービングセルにおいてユーザ機器のために少なくとも1つのBWPを構成するが、少なくとも1つのBWPのうちの1つだけのためにPRACHリソースを構成する。PRACHリソースが構成されているBWPは、初期のアクティブなBWPまたはデフォルトのBWPである。
【０７８５】
第1のネットワーク装置は、第2のメッセージを第2のネットワーク装置に送信する。第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０７８６】
次に、第2のネットワーク装置は、第1のメッセージを第1のネットワーク装置に送信する。第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示す。
【０７８７】
第1のネットワーク装置は、RRC接続再構成メッセージをユーザ機器に送信する。
【０７８８】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０７８９】
4502．ユーザ機器は、アクティブなBWPでランダムアクセスプリアンブルを第2のネットワーク装置に送信する。
【０７９０】
本実施形態では、ユーザ機器は、アクティブなBWPでpreambleを第2のネットワーク装置に送信する。
【０７９１】
4503．ユーザ機器は、第2のネットワーク装置によって送信されたRARメッセージを、アクティブなBWPで受信し、RARメッセージが第1のBWP識別子を含むか示す。
【０７９２】
任意の実装形態では、RARメッセージがUL grantを含み、UL grantがBWP識別子を含むか示す。
【０７９３】
本実施形態では、第2のネットワーク装置は、RARメッセージをユーザ機器に送信する。RARメッセージが第1のBWP識別子を含む、またはRARメッセージが第1のBWP識別子を示す。ユーザ機器は、アクティブなBWPでRARメッセージを受信する。
【０７９４】
4504．ユーザ機器は、BWP識別子に対応する第1のBWPをアクティブ化する。
【０７９５】
任意の実装形態では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０７９６】
本実施形態では、ユーザ機器がBWP識別子に対応するBWPをアクティブ化する必要があるか否かに関して3つのケースがある。
【０７９７】
第1のケースでは、ユーザ機器がPDCCH orderを受信すると、ユーザ機器が現在のサービングセルにおいてアクティブなBWPを持たない場合、ユーザ機器はBWP識別子に対応するBWPをアクティブ化する必要がある。
【０７９８】
第2のケースでは、ユーザ機器がPDCCH orderを受信すると、現在の第1のサービングセルにおけるユーザ機器のアクティブなアップリンクBWPが別のBWPである場合、ユーザ機器はBWP識別子に対応するBWPに切り替える、換言すれば、ユーザ機器は別のBWPを非アクティブ化し、BWP識別子に対応するBWPをアクティブ化する。
【０７９９】
第3のケースでは、ユーザ機器がPDCCH orderを受信すると、現在の第1のサービングセルにおけるユーザ機器のアクティブなアップリンクBWPがBWP識別子に対応するBWPである場合、ユーザ機器はBWPの切り替えを実行する必要がない。
【０８００】
このステップでは、第1のケースまたは第2のケースにおいて、ユーザ機器はBWP識別子に対応するBWPをアクティブ化する必要がある。
【０８０１】
4505．ユーザ機器は、第1のBWP識別子に対応する第1のBWPでアップリンク伝送を実行する。
【０８０２】
任意の実装形態では、アップリンク伝送に使用される物理リソースがUL grantによって示される物理リソースである。
【０８０３】
このステップでは、ユーザ機器は、RARメッセージのUL grantによって示される物理リソースを使用することにより、第1のBWPでデータまたはシグナリングをネットワーク装置に送信する。
【０８０４】
図46は、本発明の一実施形態による別のランダムアクセスの方法のシグナリングである。図46に示されるように、本方法は具体的には次のとおりである。
【０８０５】
S4601．第1のネットワーク装置が第2のメッセージを第2のネットワーク装置に送信し、第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０８０６】
S4602．第2のネットワーク装置は、第1のメッセージを第1のネットワーク装置に送信し、第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示す。
【０８０７】
S4603．第1のネットワーク装置は、RRC接続再構成メッセージをユーザ機器に送信し、RRC接続再構成メッセージは、ユーザ機器のものであり、かつ第2のネットワーク装置によって提供されるプライマリサービングセルとプライマリサービングセルのアクティブなBWPとを示すために使用される。
【０８０８】
S4604．ユーザ機器は、アクティブなBWPでランダムアクセスプリアンブルを第2のネットワーク装置に送信する。
【０８０９】
本実施形態では、ユーザ機器は、アクティブなBWPでpreambleを第2のネットワーク装置に送信する。
【０８１０】
S4605．ユーザ機器は、第2のネットワーク装置によって送信されたRARメッセージを、アクティブなBWPで受信し、RARメッセージが第1のBWP識別子を含むか示す。
【０８１１】
S4606．ユーザ機器は、BWP識別子に対応する第1のBWPをアクティブ化する。
【０８１２】
S4607．ユーザ機器は、第1のBWP識別子に対応する第1のBWPでアップリンク伝送を実行する。
【０８１３】
ここで、ステップS4601からS4607は、図45のステップ4501から4505である。詳細は繰り返し説明されない。
【０８１４】
本実施形態では、ユーザ機器が、第1のネットワーク装置によって送信されたRRC接続再構成メッセージを受信し、RRC接続再構成メッセージが第2のネットワーク装置におけるユーザ機器のプライマリサービングセルおよびプライマリサービングセルにおけるアクティブなBWPを示すために使用され、ユーザ機器が、アクティブなBWPでpreambleを第2のネットワーク装置に送信し、ユーザ機器が、第2のネットワーク装置によって送信されたRARメッセージおよび第1のBWP識別子を、アクティブなBWPで受信し、ユーザ機器が、第1のBWP識別子に対応する第1のBWPでアップリンク伝送を実行する。このようにして、ユーザ機器は、ネットワーク装置によって示されたアクティブなBWPに基づいて、preambleを第2のネットワーク装置に送信でき、次に、ユーザ機器は、ネットワーク装置によって示された第1のBWPに基づいて、データまたは情報をネットワーク装置に送信する。第1のBWPは、ネットワーク装置によって送信されたUL grantによって示されるBWPと一致し、そのため、アップリンクデータは、RARメッセージのUL grantを使用することによって効果的に送信され得る。
【０８１５】
図47は、本発明の一実施形態による別のランダムアクセスの方法の概略的な流れ図である。図47に示されるように、本方法は具体的には次のとおりである。
【０８１６】
4701．第2のネットワーク装置は、第1のネットワーク装置によって送信された第2のメッセージを受信する。
【０８１７】
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０８１８】
任意の実装方法では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０８１９】
4702．第2のネットワーク装置は、ユーザ機器によって送信されたランダムアクセスプリアンブルを、アクティブなBWPで受信し、ランダムアクセスプリアンブルが、ユーザ機器が第1のネットワーク装置によって送信されたRRC接続再構成を受信した後に送信され、RRC接続再構成メッセージが、第2のネットワーク装置の下のユーザ機器のためのプライマリサービングセルを示し、プライマリサービングセルのアクティブなBWPを示すために使用される。
【０８２０】
任意の実装方法では、アクティブなBWPがプライマリサービングセルの共通構成情報におけるBWPである、またはRRC接続再構成メッセージが第2のBWP識別子を含み、第2のBWP識別子に対応するBWPがアクティブなBWPである。
【０８２１】
任意の実装方法では、RARメッセージがUL grantを含み、UL grantがBWP識別子を含むか示す。
【０８２２】
4703．第2のネットワーク装置は、アクティブなBWPでRARメッセージをユーザ機器に送信し、RARメッセージが第1のBWP識別子を含むか示し、第1のBWP識別子が第1のBWPに対応する。
【０８２３】
任意の実装方法では、アップリンク伝送に使用される物理リソースがUL grantによって示される物理リソースである。
【０８２４】
任意の実装方法では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい。
【０８２５】
任意の実装方法では、第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０８２６】
本実施形態で提供される方法については、図45および図46の方法を参照されたい。詳細は繰り返し説明されない。
【０８２７】
図48は、本発明の一実施形態による別のランダムアクセスの方法の概略的な流れ図である。図48に示されるように、本方法は具体的には次のとおりである。
【０８２８】
4801．ユーザ機器は、第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される。
【０８２９】
本実施形態では、このステップについては、図45のステップ4501を参照されたい。詳細は繰り返し説明されない。
【０８３０】
4802．ユーザ機器は、アクティブなBWPでランダムアクセスプリアンブルを第2のネットワーク装置に送信する。
【０８３１】
本実施形態では、このステップについては、図45のステップ4502を参照されたい。詳細は繰り返し説明されない。
【０８３２】
4803．ユーザ機器は、第2のネットワーク装置によって送信されたRARメッセージおよびBWP識別子を、アクティブなBWPで受信し、RARメッセージがUL grantを含み、RARメッセージが第1のDCIを使用することによりスケジュールされ、BWP識別子が第1のDCIで運ばれる、またはユーザ機器は、第2のネットワーク装置によって送信されたRARメッセージおよびBWP識別子を、アクティブなBWPで受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０８３３】
4804．ユーザ機器は、BWP識別子に対応する第1のBWPをアクティブ化する。
【０８３４】
本実施形態では、ユーザ機器が第1のBWPをアクティブ化する必要があるか否かに関して3つのケースがある。
【０８３５】
第1のケースでは、BWP識別子がステップ4801におけるアクティブなBWPの識別子である場合、BWPに対応する第1のBWPはステップ4801におけるアクティブなBWPであり、RARメッセージに含まれるUL grantは、第1のサービングセルにおけるユーザ機器のステップ4801におけるアクティブなBWPに対応するUL grantであると判定され得る。この場合、ユーザ機器は、BWPの切り替えを実行する必要がなく、換言すれば、第1のBWPはアクティブ状態にあり、ユーザ機器は、第1のBWPをさらにアクティブ化する必要がない。この場合、ユーザ機器は、RARメッセージのUL grantに基づいて、ステップ4801における第1のサービングセルのアクティブなBWPでデータまたはシグナリングをネットワーク装置に送信することができる。
【０８３６】
第2のケースでは、BWP識別子がステップ4801におけるアクティブなBWPの識別子ではない場合、BWPに対応する第1のBWPはステップ4801におけるアクティブなBWPとは異なり、RARメッセージに含まれるUL grantは、第1のサービングセルにおけるユーザ機器の第1のBWPに対応するUL grantであると判定され得る。この場合、ユーザ機器は第1のBWPに切り替える必要があり、換言すれば、ステップ4801におけるアクティブなBWPを非アクティブ化し、第1のBWPをアクティブ化する必要がある。この場合、ユーザ機器は、RARメッセージのUL grantに基づいて、第1のサービングセルの第1のBWPでデータまたはシグナリングをネットワーク装置に送信することができる。
【０８３７】
このステップでは、第2のケースにおいて、ユーザ機器はBWP識別子に対応する第1のBWPをアクティブ化する必要がある。
【０８３８】
加えて、第2のケースでは、RARメッセージが受信されたとユーザ機器が判定した後に、preambleのものであり、かつRARメッセージに含まれている識別子がユーザ機器によって送信されたpreambleの識別子であると判定したときに、ユーザ機器は第1のBWPに切り替える必要がある。
【０８３９】
4805．ユーザ機器は、第1のBWP識別子に対応する第1のBWPでアップリンク伝送を実行する。
【０８４０】
このステップについては、図45のステップ4505を参照されたい。詳細は繰り返し説明されない。
【０８４１】
図49は、本発明の一実施形態による別のランダムアクセスの方法のシグナリングである。図49に示されるように、本方法は具体的には次のとおりである。
【０８４２】
S4901．第1のネットワーク装置が第2のメッセージを第2のネットワーク装置に送信し、第2のメッセージが次の情報、すなわち、（1）ユーザ機器によってアクティブ化されたアップリンクBWPまたはBWPペアに関する情報、（2）ユーザ機器のために構成されたすべてのアップリンクBWPまたはBWPペアに関する情報、（3）ユーザ機器の論理チャネルに関する情報であって、論理チャネルが、送信対象のアップリンクデータを有するユーザ機器のすべての論理チャネル中で最も高い優先度を有する論理チャネルである、情報、（4）ユーザ機器の論理チャネルに関する情報であって、論理チャネルが、送信対象のアップリンクデータを有するユーザ機器のすべての論理チャンネルである、情報、および（5）ユーザ機器の論理チャネルに関する情報であって、論理チャネルが、ユーザ機器のすべての論理チャンネルである、情報のうちの少なくとも1つを含む。
【０８４３】
S4902．第2のネットワーク装置は、第1のメッセージを第1のネットワーク装置に送信し、第1のメッセージはRRC接続再構成メッセージを含み、RRC接続再構成メッセージは第2のネットワーク装置においてユーザ機器によって使用されるプライマリサービングセルを示し、RRC接続再構成メッセージはプライマリサービングセルにおけるユーザ機器のアクティブなBWPを示す。
【０８４４】
S4903．第1のネットワーク装置は、RRC接続再構成メッセージをユーザ機器に送信し、RRC接続再構成メッセージは、ユーザ機器のものであり、かつ第2のネットワーク装置によって提供されるプライマリサービングセルとプライマリサービングセルのアクティブなBWPとを示すために使用される。
【０８４５】
S4904．ユーザ機器は、アクティブなBWPでランダムアクセスプリアンブルを第2のネットワーク装置に送信する。
【０８４６】
本実施形態では、ユーザ機器は、アクティブなBWPでpreambleを第2のネットワーク装置に送信する。
【０８４７】
S4905．ユーザ機器は、第2のネットワーク装置によって送信されたRARメッセージおよびBWP識別子を、アクティブなBWPで受信し、RARメッセージがUL grantを含み、RARメッセージが第1のDCIを使用することによりスケジュールされ、BWP識別子が第1のDCIで運ばれる、またはユーザ機器は、第2のネットワーク装置によって送信されたRARメッセージおよびBWP識別子を、アクティブなBWPで受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０８４８】
S4906．ユーザ機器は、BWP識別子に対応する第1のBWPをアクティブ化する。
【０８４９】
S4907．ユーザ機器は、第1のBWP識別子に対応する第1のBWPでアップリンク伝送を実行する。
【０８５０】
ここで、ステップS4901からS4907は、図48のステップ4801から4805である。詳細は繰り返し説明されない。
【０８５１】
本実施形態では、ユーザ機器が、第1のネットワーク装置によって送信されたRRC接続再構成メッセージを受信し、RRC接続再構成メッセージが第2のネットワーク装置におけるユーザ機器のプライマリサービングセルおよびプライマリサービングセルにおけるアクティブなBWPを示すために使用され、ユーザ機器が、アクティブなBWPでpreambleを第2のネットワーク装置に送信し、ユーザ機器が、第2のネットワーク装置によって送信されたRARメッセージおよび第1のBWP識別子を、アクティブなBWPで受信し、ユーザ機器が、第1のBWP識別子に対応する第1のBWPでアップリンク伝送を実行する。このようにして、ユーザ機器は、ネットワーク装置によって示されたアクティブなBWPに基づいて、preambleを第2のネットワーク装置に送信でき、次に、ユーザ機器は、ネットワーク装置によって示された第1のBWPに基づいて、データまたは情報をネットワーク装置に送信する。第1のBWPは、ネットワーク装置によって送信されたUL grantによって示されるBWPと一致し、そのため、アップリンクデータは、RARメッセージのUL grantを使用することによって効果的に送信され得る。
【０８５２】
図50は、本発明の一実施形態による別のランダムアクセスの方法の概略的な流れ図である。図50に示されるように、本方法は具体的には次のとおりである。
【０８５３】
5001．第2のネットワーク装置は、第1のネットワーク装置によって送信された第2のメッセージを受信する。
【０８５４】
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０８５５】
任意の実装方法では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０８５６】
5002．第2のネットワーク装置は、ユーザ機器によって送信されたランダムアクセスプリアンブルを、アクティブなBWPで受信し、ランダムアクセスプリアンブルが、ユーザ機器が第1のネットワーク装置によって送信されたRRC接続再構成を受信した後に送信され、RRC接続再構成メッセージが、第2のネットワーク装置の下のユーザ機器のためのプライマリサービングセルを示し、プライマリサービングセルのアクティブなBWPを示すために使用される。
【０８５７】
任意の実装方法では、アクティブなBWPがプライマリサービングセルの共通構成情報におけるBWPである、またはRRC接続再構成メッセージが第2のBWP識別子を含み、第2のBWP識別子に対応するBWPがアクティブなBWPである。
【０８５８】
任意の実装方法では、RARメッセージがUL grantを含み、UL grantがBWP識別子を含むか示す。
【０８５９】
5003．ユーザ機器は、第2のネットワーク装置によって送信されたRARメッセージおよびBWP識別子を、アクティブなBWPで受信し、RARメッセージがUL grantを含み、RARメッセージが第1のDCIを使用することによりスケジュールされ、BWP識別子が第1のDCIで運ばれる、またはユーザ機器は、第2のネットワーク装置によって送信されたRARメッセージおよびBWP識別子を、アクティブなBWPで受信し、RARメッセージがUL grantを含み、BWP識別子が第2のDCIで運ばれ、第2のDCIが、BWPを切り替えるように端末装置に命令するためのDCIである、または第2のDCIが、アップリンクBWPとダウンリンクBWPとのペアを切り替えるように端末装置に命令するためのDCIである。
【０８６０】
任意の実装方法では、アップリンク伝送に使用される物理リソースがUL grantによって示される物理リソースである。
【０８６１】
任意の実装方法では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい。
【０８６２】
任意の実装方法では、第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０８６３】
本実施形態で提供される方法については、図48および図49の方法を参照されたい。詳細は繰り返し説明されない。
【０８６４】
図51は、本出願の一実施形態によるユーザ機器の概略的な構成図である。図51に示されるように、ユーザ機器は、
ネットワーク装置によって送信された制御シグナリングを受信し、制御シグナリングが、ランダムアクセス手順を実行するようにユーザ機器をトリガするために使用され、制御シグナリングがBWP識別子を含むか示す、ように構成された受信モジュール511と、
制御シグナリングに基づいてランダムアクセス手順を開始するように構成されたアクセスモジュール512と、
を備える。
【０８６５】
任意の実装形態では、制御シグナリングはPDCCH orderである。
【０８６６】
任意の実装形態では、アクセスモジュール512が、
BWP識別子に対応するBWPでランダムアクセス手順を開始する
ように特に構成される。
【０８６７】
任意の実装形態では、ユーザ機器が、
アクセスモジュール512が制御シグナリングに基づいてランダムアクセス手順を開始する前に、BWPをアクティブ化するように構成されたアクティブ化モジュール
をさらに備える。
【０８６８】
任意の実装形態では、BWPはアップリンクBWPであり、アクセスモジュール512が、
アップリンクBWPでランダムアクセスプリアンブルをネットワーク装置に送信するように構成された第1の送信サブモジュールと、
ネットワーク装置によって送信された第1のRARメッセージを受信し、第1のRARメッセージが第1のUL grantを含む、ように構成された第1の受信サブモジュールと、
アップリンクBWPでアップリンク伝送を実行し、アップリンク伝送に使用される物理リソースが第1のUL grantによって示される物理リソースである、ように構成された第1の伝送サブモジュールと、
を備える。
【０８６９】
任意の実装形態では、BWPがアップリンクBWPとダウンリンクBWPとを含むBWPペアであり、アクセスモジュール512が、
BWPのアップリンクBWPでランダムアクセスプリアンブルをネットワーク装置に送信するように構成された第2の送信サブモジュールと、
ネットワーク装置によって送信された第2のRARメッセージを受信し、第2のRARメッセージが第2のUL grantを含む、ように構成された第2の受信サブモジュールと、
BWPのアップリンクBWPで伝送を実行し、伝送に使用される物理リソースが第2のUL grantによって示される物理リソースである、ように構成された第2の伝送サブモジュールと、
を備える。
【０８７０】
任意の実装形態では、任意のサービングセルにおいてユーザ機器によって受信された制御シグナリングがBWP識別子を含む、または
任意のサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングがBWP識別子を含む、または
少なくとも1つのセカンダリサービングセルにおいてユーザ機器によって受信された制御シグナリングがBWP識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０８７１】
本実施形態におけるユーザ機器は、上記の方法で図6から図10に示される実施形態の技術的解決策を実行するように構成され得る。ユーザ機器の実装原理および技術的効果は、上述の実施形態のものと同様であり、詳細は本明細書では繰り返し説明されない。
【０８７２】
図52は、本出願の一実施形態によるネットワーク装置の概略的な構成図である。図52に示されるように、ネットワーク装置は、
制御シグナリングをユーザ機器に送信し、制御シグナリングが、ランダムアクセス手順を実行するようにユーザ機器をトリガするために使用され、制御シグナリングがBWP識別子を含むか示す、ように構成された送信モジュール521
を備える。
【０８７３】
任意の実装形態では、制御シグナリングはPDCCH orderである。
【０８７４】
任意の実装形態では、BWP識別子に対応するBWPがアップリンクBWPである。
【０８７５】
任意の実装形態では、BWP識別子に対応するBWPが、アップリンクBWPとダウンリンクBWPとを含むBWPペアである。
【０８７６】
本実施形態におけるネットワーク装置は、上記の方法で図11に示される実施形態の技術的解決策を実行するように構成され得る。ネットワーク装置の実装原理および技術的効果は、上述の実施形態のものと同様であり、詳細は本明細書では繰り返し説明されない。
【０８７７】
図53は、本出願の一実施形態による別のユーザ機器の概略的な構成図である。図53に示されるように、ユーザ機器は、
ネットワーク装置によって送信されたRARメッセージを受信し、RARメッセージがBWP識別子を含むか示す、ように構成された第1の受信モジュール531と、
BWP識別子に対応する第1のBWPでアップリンク伝送を実行するように構成された伝送モジュール532と、
を備える。
【０８７８】
任意の実装形態では、RARメッセージがUL grantを含み、UL grantがBWP識別子を含むか示す。
【０８７９】
任意の実装形態では、アップリンク伝送に使用される物理リソースがUL grantによって示される物理リソースである。
【０８８０】
任意の実装形態では、ユーザ機器が、
伝送モジュール532がBWP識別子に対応する第1のBWPでアップリンク伝送を実行する前に、第1のBWPをアクティブ化するように構成された第1のアクティブ化モジュール
をさらに備える。
【０８８１】
任意の実装形態では、ユーザ機器が、
第1の受信モジュール531がネットワーク装置によって送信されたRARメッセージを受信する前に、ネットワーク装置によって送信された制御シグナリングを受信し、制御シグナリングが、ランダムアクセス手順を実行するようにユーザ機器をトリガするために使用される、ように構成された第2の受信モジュールと、
第2のBWPでランダムアクセスプリアンブルをネットワーク装置に送信するように構成された送信モジュールと、
をさらに備える。
【０８８２】
任意の実装形態では、制御シグナリングはPDCCH orderである。
【０８８３】
任意の実装形態では、ユーザ機器が、
送信モジュールが、第2のBWPでランダムアクセスプリアンブルをネットワーク装置に送信する前に、第2のBWPをアクティブ化するように構成された第2のアクティブ化モジュール
をさらに備える。
【０８８４】
任意の実装形態では、制御シグナリングが第2のBWPの識別子を含む。
【０８８５】
任意の実装形態では、任意のサービングセルにおいてユーザ機器によって受信された制御シグナリングが第2のBWPの識別子を含む、または
任意のサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される、または
セカンダリサービングセルにおいてユーザ機器によって受信された制御シグナリングが第2のBWPの識別子を含む、または
少なくとも1つのセカンダリサービングセルにおいてユーザ機器によって受信された制御シグナリングが第2のBWPの識別子を含み、少なくとも2つのアップリンクBWPが少なくとも1つのセカンダリサービングセルにおいてユーザ機器のために構成され、ランダムアクセスチャネルが少なくとも2つのアップリンクBWPのそれぞれのために構成される。
【０８８６】
任意の実装形態では、第2のBWPが第1のサービングセルにおけるユーザ機器のBWPであり、
第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０８８７】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０８８８】
任意の実装形態では、第1のBWPおよび第2のBWPはアップリンクBWPであり、第1のBWPと第2のBWPとは同じBWPであってもよいし、異なるBWPであってもよい。第1の受信モジュール531は、
ネットワーク装置によって送信されたRARメッセージを、第3のBWPで受信し、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、
ように特に構成される。
【０８８９】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。第1の受信モジュール531が、
ネットワーク装置によって送信されたRARメッセージを、第2のBWPのアップリンクBWPで受信する
ように特に構成される。
【０８９０】
任意の実装形態では、第1の受信モジュール531が、
ネットワーク装置によって送信されたRARメッセージを、第4のBWPで受信し、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、
ように特に構成される。
【０８９１】
任意の実装形態では、第4のBWPが、ユーザ機器が第1のサービングセルにおいて制御シグナリングを受信するときに使用されるBWPである場合、ユーザ機器が、
送信モジュールが第2のBWPでランダムアクセスプリアンブルをネットワーク装置に送信した後に、第4のBWPをアクティブ化し、第2のBWPを非アクティブ化するように構成された第3のアクティブ化モジュール
をさらに備える。
【０８９２】
本実施形態におけるユーザ機器は、上記の方法で図12から図15、または図17および図18、または図20および図21、または図23および図24、または図26および図27、または図29および図30、または図32および図33、または図35および図36、または図38および図39に示される実施形態の技術的解決策を実行するように構成され得る。ユーザ機器の実装原理および技術的効果は、上述の実施形態のものと同様であり、詳細は本明細書では繰り返し説明されない。
【０８９３】
図54は、本出願の一実施形態による別のネットワーク装置の概略的な構成図である。図54に示されるように、ネットワーク装置は、
RARメッセージをユーザ機器に送信し、RARメッセージがBWP識別子を含むか示し、BWP識別子が第1のBWPに対応する、ように構成された第1の送信モジュール541
を備える。
【０８９４】
任意の実装形態では、RARメッセージがUL grantを含み、UL grantがBWP識別子を含むか示す。
【０８９５】
任意の実装形態では、ネットワーク装置が、
第1の送信モジュール541がRARメッセージをユーザ機器に送信する前に、制御シグナリングをユーザ機器に送信し、制御シグナリングが、ランダムアクセス手順を実行するようにユーザ機器をトリガするために使用される、ように構成された第2の送信モジュール
をさらに備える。
【０８９６】
任意の実装形態では、制御シグナリングはPDCCH orderである。
【０８９７】
任意の実装形態では、制御シグナリングが第2のBWPの識別子を含む。
【０８９８】
任意の実装形態では、第2のBWPがユーザ機器の第1のサービングセルにおけるBWPであり、第1のサービングセルが、ユーザ機器が制御シグナリングを受信するときに使用されるサービングセルである、または第1のサービングセルが、ユーザ機器が制御シグナリングを受信するときに使用される第2のサービングセルを使用することによってスケジュールされたサービングセルである。
【０８９９】
任意の実装形態では、第1のBWPが、第1のサービングセルにおけるユーザ機器の初期のアクティブなBWPである、または
第1のBWPが、第1のサービングセルにおけるユーザ機器の第1のアクティブなBWPである、または
第1のBWPが、第1のサービングセルにおけるユーザ機器のデフォルトのBWPである、または
第1のBWPが、ユーザ機器のためにネットワーク装置によって構成されたBWPであり、第1のBWPが、第1のサービングセルにおいてランダムアクセスを実行するためにユーザ機器によって使用される、または
第1のBWPが、ユーザ機器のためにネットワーク装置によって構成されたBWPであり、第1のBWPが、第1のサービングセルにおいて非競合ランダムアクセスを実行するためにユーザ機器によって使用されるBWPである、または
第1のBWPが、ユーザ機器がランダムアクセスを実行するときにアクティブ化されるBWPである、または
第1のBWPが、ユーザ機器が非競合ランダムアクセスを実行するときにアクティブ化されるBWPである。
【０９００】
任意の実装形態では、第1のBWPおよび第2のBWPはアップリンクBWPであり、第1のBWPと第2のBWPとは同じBWPであってもよいし、異なるBWPであってもよい。第1の送信モジュール541が、
第3のBWPでRARメッセージをユーザ機器に送信し、第3のBWPがダウンリンクBWPであり、
第3のBWPが、ユーザ機器が第1のサービングセルにおいて制御シグナリングを受信するときの第2のサービングセルにおけるアクティブなBWPである、または第3のBWPが、ユーザ機器が第1のサービングセルにおいて制御シグナリングを受信するときに使用されるBWPである、
ように特に構成される。
【０９０１】
任意の実装形態では、第1のBWPおよび第2のBWPはそれぞれ、アップリンクBWPとダウンリンクBWPとを含むBWPペアであり、第1のBWPと第2のBWPとは同じBWPであってもよいし、異なるBWPであってもよい。第1の送信モジュール541が、
第2のBWPのアップリンクBWPでRARメッセージをユーザ機器に送信する
ように特に構成される。
【０９０２】
任意の実装形態では、第1の送信モジュール541が、
第4のBWPでRARメッセージをユーザ機器に送信し、第4のBWPがアップリンクBWPとダウンリンクBWPとを含むBWPペアであり、
第4のBWPが、ユーザ機器が第1のサービングセルにおいて制御シグナリングを受信するときの第2のサービングセルにおけるアクティブなBWPである、または第4のBWPが、ユーザ機器が第1のサービングセルにおいて制御シグナリングを受信するときに使用されるBWPである、
ように特に構成される。
【０９０３】
本実施形態におけるネットワーク装置は、上記の方法で図16、図19、図22、図25、図28、図34、図37、または図40に示される実施形態の技術的解決策を実行するように構成され得る。ネットワーク装置の実装原理および技術的効果は、上述の実施形態のものと同様であり、詳細は本明細書では繰り返し説明されない。
【０９０４】
図55は、本出願の一実施形態による別のユーザ機器の概略的な構成図である。図55に示されるように、ユーザ機器は、
第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される、ように構成された受信モジュール551と、
アクティブなBWPでランダムアクセス手順を開始するように構成されたアクセスモジュール552と、
を備える。
【０９０５】
任意の実装形態では、アクティブなBWPがプライマリサービングセルの共通構成情報におけるBWPである、またはRRC接続再構成メッセージが第1のBWP識別子を含み、第1のBWP識別子に対応するBWPがアクティブなBWPである。
【０９０６】
任意の実装形態では、アクティブなBWPがアップリンクBWPとダウンリンクBWPとを含み、アクセスモジュール552が、
アクティブなBWPのアップリンクBWPでランダムアクセスプリアンブルを第2のネットワーク装置に送信するように構成された第1の送信サブモジュールと、
第2のネットワーク装置によって送信されたRARメッセージを、アクティブなBWPのダウンリンクBWPでユーザ機器によって受信し、RARメッセージがUL grantを含む、ように構成された第1の受信サブモジュールと、
アクティブなBWPのアップリンクBWPでアップリンク伝送をユーザ機器によって実行し、アップリンク伝送に使用される物理リソースがUL grantによって示される物理リソースである、ように構成された第1の伝送サブモジュールと、
を備える。
【０９０７】
任意の実装形態では、アクティブなBWPがアップリンクBWPとダウンリンクBWPとを含むBWPペアであり、アクセスモジュール552が、
BWPペアのアップリンクBWPでランダムアクセスプリアンブルを第2ネットワーク装置に送信するように構成された第2の送信サブモジュールと、
第2のネットワーク装置によって送信されたRARメッセージを、BWPペアのダウンリンクBWPで受信し、RARメッセージがUL grantを含む、ように構成された第2の受信サブモジュールと、
BWPペアのアップリンクBWPでアップリンク伝送を実行し、アップリンク伝送に使用される物理リソースがUL grantによって示される物理リソースである、ように構成された第2の伝送サブモジュールと、
を備える。
【０９０８】
任意の実装形態では、第1のメッセージが、第2のネットワーク装置が第1のネットワーク装置によって送信された第2のメッセージを受信した後に、第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０９０９】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０９１０】
本実施形態におけるユーザ機器は、上記の方法で図41から図43に示される実施形態の技術的解決策を実行するように構成され得る。ユーザ機器の実装原理および技術的効果は、上述の実施形態のものと同様であり、詳細は本明細書では繰り返し説明されない。
【０９１１】
図56は、本出願の一実施形態による別のネットワーク装置の概略的な構成図である。図56に示されるように、ネットワーク装置は、
第2のネットワーク装置によって送信された第1のメッセージを受信し、第1の受信メッセージが、RRC接続再構成メッセージを含む、ように構成された受信モジュール561と、
RRC接続再構成メッセージをユーザ機器に送信し、RRC接続再構成メッセージが、ユーザ機器のために第2のネットワーク装置の下のプライマリサービングセルを示し、プライマリサービングセルのアクティブなBWPを示すために使用される、ように構成された第1の送信モジュール562と、
を備える。
【０９１２】
任意の実装形態では、アクティブなBWPがプライマリサービングセルの共通構成情報におけるBWPである、または
RRC接続再構成メッセージが第1のBWP識別子を含み、第1のBWP識別子に対応するBWPがアクティブなBWPである。
【０９１３】
任意の実装形態では、アクティブなBWPがアップリンクBWPとダウンリンクBWPとを含む。
【０９１４】
任意の実装形態では、アクティブなBWPがアップリンクBWPとダウンリンクBWPとを含むBWPペアである。
【０９１５】
任意の実装形態では、第1のネットワーク装置が、
受信モジュール561が第2のネットワーク装置によって送信された第1のメッセージを受信する前に、第2のメッセージを第2のネットワーク装置に送信し、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、ように構成された第2の送信モジュール
をさらに備える。
【０９１６】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０９１７】
本実施形態におけるネットワーク装置は、上記の方法で図44に示される実施形態の技術的解決策を実行するように構成され得る。ネットワーク装置の実装原理および技術的効果は、上述の実施形態のものと同様であり、詳細は本明細書では繰り返し説明されない。
【０９１８】
図57は、本出願の一実施形態による別のユーザ機器の概略的な構成図である。図57に示されるように、ユーザ機器が、
第1のネットワーク装置によって送信されたRRC接続再構成メッセージを受信し、RRC接続再構成メッセージが、第2のネットワーク装置によって第1のネットワーク装置に送信された第1のメッセージに含まれ、RRC接続再構成メッセージが、ユーザ機器のために第2のネットワーク装置の下のプライマリサービングセルを示し、プライマリサービングセルのアクティブなBWPを示すために使用される、ように構成された第1の受信モジュール571と、
アクティブなBWPでランダムアクセスプリアンブルを第2のネットワーク装置に送信するように構成された送信モジュール572と、
第2のネットワーク装置によって送信されたRARメッセージを、アクティブなBWPで受信し、RARメッセージが第1のBWP識別子を含むか示す、ように構成された第2の受信モジュール573と、
第1のBWP識別子に対応する第1のBWPでアップリンク伝送を実行するように構成された伝送モジュール574と、
を備える。
【０９１９】
任意の実装形態では、アクティブなBWPがプライマリサービングセルの共通構成情報におけるBWPである、または
RRC接続再構成メッセージが第2のBWP識別子を含み、第2のBWP識別子に対応するBWPがアクティブなBWPである。
【０９２０】
任意の実装形態では、RARメッセージがUL grantを含み、UL grantがBWP識別子を含むか示す。
【０９２１】
任意の実装形態では、アップリンク伝送に使用される物理リソースがUL grantによって示される物理リソースである。
【０９２２】
任意の実装形態では、ユーザ機器が、
伝送モジュール574が第1のBWP識別子に対応する第1のBWPでアップリンク伝送を実行する前に、第1のBWPをアクティブ化するように構成されたアクティブ化モジュール
をさらに備える。
【０９２３】
任意の実装形態では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０９２４】
任意の実装形態では、第1のメッセージが、第2のネットワーク装置が第1のネットワーク装置によって送信された第2のメッセージを受信した後に、第2のネットワーク装置によって送信された応答メッセージであり、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む。
【０９２５】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０９２６】
本実施形態におけるユーザ機器は、上記の方法で図45および図46、または図48および図49に示される実施形態の技術的解決策を実行するように構成され得る。ユーザ機器の実装原理および技術的効果は、上述の実施形態のものと同様であり、詳細は本明細書では繰り返し説明されない。
【０９２７】
図58は、本出願の一実施形態による別のネットワーク装置の概略的な構成図である。図58に示すように、ネットワーク装置は、
ユーザ機器によって送信されたランダムアクセスプリアンブルを、アクティブなBWPで受信し、ランダムアクセスプリアンブルは、ユーザ機器が第1のネットワーク装置によって送信されたRRC接続再構成メッセージを受信した後に、送信され、RRC接続再構成メッセージが、ユーザ機器のために第2のネットワーク装置の下のプライマリサービングセルを示し、プライマリサービングセルのアクティブなBWPを示すために使用される、ように構成された第1の受信モジュール581と、
アクティブなBWPでRARメッセージをユーザ機器に送信し、RARメッセージが第1のBWP識別子を含むか示し、第1のBWP識別子が第1のBWPに対応する、ように構成された送信モジュール582と、
を備える。
【０９２８】
任意の実装形態では、アクティブなBWPがプライマリサービングセルの共通構成情報におけるBWPである、または
RRC接続再構成メッセージが第2のBWP識別子を含み、第2のBWP識別子に対応するBWPがアクティブなBWPである。
【０９２９】
任意の実装形態では、RARメッセージがUL grantを含み、UL grantがBWP識別子を含むか示す。
【０９３０】
任意の実装形態では、アップリンク伝送に使用される物理リソースがUL grantによって示される物理リソースである。
【０９３１】
任意の実装形態では、第1のBWPがアップリンクBWPであり、アクティブなBWPがアップリンクBWPとダウンリンクBWPとを含み、第1のBWPとアクティブなBWPのアップリンクBWPとは同じBWPであっても異なるBWPであってもよい、または
第1のBWPがアップリンクBWPとダウンリンクBWPとを含むBWPペアであり、アクティブなBWPがアップリンクBWPとダウンリンクBWPとを含むBWPペアであり、第1のBWPとアクティブなBWPとは同じBWPであっても異なるBWPであってもよい。
【０９３２】
任意の実装形態では、第2のネットワーク装置が
第1の受信モジュールがユーザ機器によって送信されたランダムアクセスプリアンブルをアクティブなBWPで受信する前に、第1のネットワーク装置によって送信された第2のメッセージを受信し、
第2のメッセージが次の情報、すなわち、
ユーザ機器によってアクティブ化されたアップリンクBWPまたはBWPペアに関する情報、ユーザ機器のために構成されたすべてのアップリンクBWPまたはBWPペアに関する情報、およびユーザ機器の論理チャネルに関する情報であって、論理チャネルが、送信対象のアップリンクデータを有するユーザ機器のすべての論理チャネル中で最も高い優先度を有する論理チャネルである、または論理チャネルが、送信対象のアップリンクデータを有するユーザ機器のすべての論理チャンネルである、または論理チャネルが、ユーザ機器のすべての論理チャンネルである、情報
のうちの少なくとも1つを含む、
ように構成された第2の受信モジュール
をさらに備える。
【０９３３】
任意の実装形態では、アップリンクBWPに関する情報が、アップリンクBWPの識別子、アップリンクBWPのサブキャリア間隔とサイクリックプレフィックス長とのパラメータセット、およびアップリンクBWPの帯域幅値のうちの少なくとも1つを含み、
BWPペアに関する情報が、BWPペアの識別子、BWPペアのサブキャリア間隔とサイクリックプレフィックス長とのパラメータセット、およびBWPペアの帯域幅値のうちの少なくとも1つを含み、
論理チャネルに関する情報が、論理チャネルの識別子、各論理チャネルがマッピングされるサブキャリア間隔とサイクリックプレフィックス長とのパラメータセット、各論理チャネルに対応するデータ無線ベアラ、および指示情報であって、指示情報が、各論理チャネルまたは対応する各データ無線ベアラが伝送に利用可能なアップリンクデータを有するか否かを示す、指示情報のうちの少なくとも1つを含む。
【０９３４】
本実施形態におけるネットワーク装置は、上記の方法で図47または図50に示される実施形態の技術的解決策を実行するように構成され得る。ネットワーク装置の実装原理および技術的効果は、上述の実施形態のものと同様であり、詳細は本明細書では繰り返し説明されない。
【０９３５】
図59は、本出願の一実施形態による別のユーザ機器の概略的な構成図である。ユーザ機器は、図6から図10に示される実施形態のユーザ機器のアクションまたはステップを実行するように構成され得る。ユーザ機器は、受信機5901と、送信機5902と、プロセッサ5903と、メモリ5904と、を特に備える。
【０９３６】
ユーザ機器の構成要素は、図6から図10に示される実施形態のアクションを実施するように構成される。詳細は繰り返し説明されない。
【０９３７】
本発明の実施形態では、上述の実施形態について互いに参照を行うことができる。同じまたは類似のステップおよび名詞は繰り返し説明されない。
【０９３８】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、または1つまたは複数のフィールドプログラマブルゲートアレイ（Field Programmable Gate Array、FPGA）として構成されてもよい。
【０９３９】
図60は、本出願の一実施形態による別のネットワーク装置の概略的な構成図である。ネットワーク装置は、図11に示される実施形態のユーザ機器のアクションまたはステップを実行するように構成され得る。ネットワーク装置は、受信機6001と、送信機6002と、プロセッサ6003と、メモリ6004と、を特に備える。
【０９４０】
ユーザ機器の構成要素は、図11に示される実施形態のアクションを実施するように構成される。詳細は繰り返し説明されない。
【０９４１】
本発明の実施形態では、上述の実施形態について互いに参照を行うことができる。同じまたは類似のステップおよび名詞は繰り返し説明されない。
【０９４２】
プロセッサ6003は、代替的にコントローラであってもよく、図60では「コントローラ／プロセッサ6003」として表されている。送信機6002および受信機6001は、上述の実施形態における端末装置への情報の送信または端末装置からの情報の受信においてネットワーク装置をサポートするように、また端末装置と別の端末装置との間の無線通信をサポートするように構成される。プロセッサ6003は、端末装置と通信する様々な機能を実行する。
【０９４３】
さらに、ネットワーク装置は、メモリ6004をさらに備えることができ、メモリ6004は、ネットワーク装置のプログラムコードおよびデータを格納するように構成される。加えて、ネットワーク装置は、通信インターフェース6005をさらに備え得る。通信インターフェース6005は、別のネットワークエンティティと通信するネットワーク装置をサポートするように構成される。
【０９４４】
プロセッサ6003は、例えば、中央処理装置（Central Processing Unit、CPU）であってもよいし、上記の方法を実装するための1つまたは複数の集積回路、例えば1つまたは複数のASICs、1つまたは複数のDSP、または1つまたは複数のFPGAとして構成されてもよい。メモリ6004は、1つのメモリであってもよいし、複数の記憶素子の総称であってもよい。
【０９４５】
図61は、本出願の一実施形態による別のユーザ機器の概略的な構成図である。ユーザ機器は、図12から図15、または図17および図18、または図20および図21、または図23および図24、または図26および図27、または図29および図30、または図32および図33、または図35および図36、または図38および図39に示される実施形態のユーザ機器のアクションまたはステップを実行するように構成され得る。ユーザ機器は、受信機6101と、送信機6102と、プロセッサ6103と、メモリ6104と、を特に備える。
【０９４６】
ユーザ機器の構成要素は、図12から図15、または図17および図18、または図20および図21、または図23および図24、または図26および図27、または図29および図30、または図32および図33、または図35および図36、または図38および図39に示される実施形態のアクションを実施するように構成される。詳細は繰り返し説明されない。
【０９４７】
本発明の実施形態では、上述の実施形態について互いに参照を行うことができる。同じまたは類似のステップおよび名詞は繰り返し説明されない。
【０９４８】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【０９４９】
図62は、本出願の一実施形態による別のネットワーク装置の概略的な構成図である。ネットワーク装置は、図16、図19、図22、図25、図28、図34、図37、または図40に示される実施形態のユーザ機器のアクションまたはステップを実行するように構成され得る。ネットワーク装置は、受信機6201と、送信機6202と、プロセッサ6203と、メモリ6204と、を特に備える。
【０９５０】
ユーザ機器の構成要素は、図16、図19、図22、図25、図28、図34、図37、または図40に示される実施形態のアクションを実施するように構成される。詳細は繰り返し説明されない。
【０９５１】
本発明の実施形態では、上述の実施形態について互いに参照を行うことができる。同じまたは類似のステップおよび名詞は繰り返し説明されない。
【０９５２】
プロセッサ6203は、代替的にコントローラであってもよく、図62では「コントローラ／プロセッサ6203」として表されている。送信機6202および受信機6201は、上述の実施形態における端末装置への情報の送信または端末装置からの情報の受信においてネットワーク装置をサポートするように、また端末装置と別の端末装置との間の無線通信をサポートするように構成される。プロセッサ6203は、端末装置と通信する様々な機能を実行する。
【０９５３】
さらに、ネットワーク装置は、メモリ6204をさらに備えることができ、メモリ6204は、ネットワーク装置のプログラムコードおよびデータを格納するように構成される。加えて、ネットワーク装置は、通信インターフェース6205をさらに備え得る。通信インターフェース6205は、別のネットワークエンティティと通信するネットワーク装置をサポートするように構成される。
【０９５４】
プロセッサ6203は、例えば、中央処理装置（Central Processing Unit、CPU）であってもよいし、上記の方法を実装するための1つまたは複数の集積回路、例えば1つまたは複数のASICs、1つまたは複数のDSP、または1つまたは複数のFPGAとして構成されてもよい。メモリ6204は、1つのメモリであってもよいし、複数の記憶素子の総称であってもよい。
【０９５５】
図63は、本出願の一実施形態による別のユーザ機器の概略的な構成図である。ユーザ機器は、図41から図43に示される実施形態のユーザ機器のアクションまたはステップを実行するように構成され得る。ユーザ機器は、受信機6301と、送信機6302と、プロセッサ6303と、メモリ6304と、を特に備える。
【０９５６】
ユーザ機器の構成要素は、図41から図43に示される実施形態のアクションを実施するように構成される。詳細は繰り返し説明されない。
【０９５７】
本発明の実施形態では、上述の実施形態について互いに参照を行うことができる。同じまたは類似のステップおよび名詞は繰り返し説明されない。
【０９５８】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【０９５９】
図64は、本出願の一実施形態による別のネットワーク装置の概略的な構成図である。ネットワーク装置は、図44に示される実施形態のユーザ機器のアクションまたはステップを実行するように構成され得る。ネットワーク装置は、受信機6401と、送信機6402と、プロセッサ6403と、メモリ6404と、を特に備える。
【０９６０】
ユーザ機器の構成要素は、図44に示される実施形態のアクションを実施するように構成される。詳細は繰り返し説明されない。
【０９６１】
本発明の実施形態では、上述の実施形態について互いに参照を行うことができる。同じまたは類似のステップおよび名詞は繰り返し説明されない。
【０９６２】
プロセッサ6403は、代替的にコントローラであってもよく、図64では「コントローラ／プロセッサ6403」として表されている。送信機6402および受信機6401は、上述の実施形態における端末装置への情報の送信または端末装置からの情報の受信においてネットワーク装置をサポートするように、また端末装置と別の端末装置との間の無線通信をサポートするように構成される。プロセッサ6403は、端末装置と通信する様々な機能を実行する。
【０９６３】
さらに、ネットワーク装置は、メモリ6404をさらに備えることができ、メモリ6404は、ネットワーク装置のプログラムコードおよびデータを格納するように構成される。加えて、ネットワーク装置は、通信インターフェース6405をさらに備え得る。通信インターフェース6405は、別のネットワークエンティティと通信するネットワーク装置をサポートするように構成される。
【０９６４】
プロセッサ6403は、例えば、中央処理装置（Central Processing Unit、CPU）であってもよいし、上記の方法を実装するための1つまたは複数の集積回路、例えば1つまたは複数のASICs、1つまたは複数のDSP、または1つまたは複数のFPGAとして構成されてもよい。メモリ6404は、1つのメモリであってもよいし、複数の記憶素子の総称であってもよい。
【０９６５】
図65は、本出願の一実施形態による別のユーザ機器の概略的な構成図である。ユーザ機器は、図45および図46、または図48および図49に示される実施形態のユーザ機器のアクションまたはステップを実行するように構成され得る。ユーザ機器は、受信機6501と、送信機6502と、プロセッサ6503と、メモリ6504と、を特に備える。
【０９６６】
ユーザ機器の構成要素は、図45および図46、または図48および図49に示される実施形態のアクションを実施するように構成される。詳細は繰り返し説明されない。
【０９６７】
本発明の実施形態では、上述の実施形態について互いに参照を行うことができる。同じまたは類似のステップおよび名詞は繰り返し説明されない。
【０９６８】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【０９６９】
図66は、本出願の一実施形態による別のネットワーク装置の概略的な構成図である。ネットワーク装置は、図47または図50に示される実施形態のユーザ機器のアクションまたはステップを実行するように構成され得る。ネットワーク装置は、受信機6601と、送信機6602と、プロセッサ6603と、メモリ6604と、を特に備える。
【０９７０】
ユーザ機器の構成要素は、図47または図50に示される実施形態のアクションを実施するように構成される。詳細は繰り返し説明されない。
【０９７１】
本発明の実施形態では、上述の実施形態について互いに参照を行うことができる。同じまたは類似のステップおよび名詞は繰り返し説明されない。
【０９７２】
プロセッサ6603は、代替的にコントローラであってもよく、図66では「コントローラ／プロセッサ6603」として表されている。送信機6602および受信機6601は、上述の実施形態における端末装置への情報の送信または端末装置からの情報の受信においてネットワーク装置をサポートするように、また端末装置と別の端末装置との間の無線通信をサポートするように構成される。プロセッサ6603は、端末装置と通信する様々な機能を実行する。
【０９７３】
さらに、ネットワーク装置は、メモリ6604をさらに備えることができ、メモリ6604は、ネットワーク装置のプログラムコードおよびデータを格納するように構成される。加えて、ネットワーク装置は、通信インターフェース6605をさらに備え得る。通信インターフェース6605は、別のネットワークエンティティと通信するネットワーク装置をサポートするように構成される。
【０９７４】
プロセッサ6603は、例えば、中央処理装置（Central Processing Unit、CPU）であってもよいし、上記の方法を実装するための1つまたは複数の集積回路、例えば1つまたは複数のASICs、1つまたは複数のDSP、または1つまたは複数のFPGAとして構成されてもよい。メモリ6604は、1つのメモリであってもよいし、複数の記憶素子の総称であってもよい。
【０９７５】
上記の実施形態の全部または一部は、ソフトウェア、ハードウェア、ファームウェア、またはそれらの任意の組み合わせを使用することによって実施されてもよい。ソフトウェアが実施形態を実施するために使用される場合、実施形態のすべてまたは一部は、コンピュータプログラム製品の形態で実施されてもよい。コンピュータプログラム製品は、1つまたは複数のコンピュータ命令を含む。コンピュータプログラム命令がコンピュータにロードされて実行されると、本出願の実施形態による手順または機能のすべてまたは一部が生成される。コンピュータは、汎用コンピュータ、専用コンピュータ、コンピュータネットワーク、または他のプログラマブル装置であってもよい。コンピュータ命令は、コンピュータ可読記憶媒体に格納されてもよいし、コンピュータ可読記憶媒体から別のコンピュータ可読記憶媒体に送信されてもよい。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、またはデジタル加入者線（digital subscriber line、DSL））または無線（例えば、赤外線、電波、またはマイクロ波）方式で送信され得る。コンピュータ可読記憶媒体は、コンピュータにアクセス可能な任意の使用可能な媒体であってもよく、または1つまたは複数の使用可能な媒体を一体化するサーバまたはデータセンタなどのデータ記憶装置であってもよい。使用可能な媒体は、磁気媒体（例えば、フロッピーディスク、ハードディスクまたは磁気テープ）、光学媒体（例えばDVD）、半導体媒体（例えば、ソリッドステートディスク（solid state disk、SSD））などであってもよい。
【０９７６】
当業者は、上述の1つまたは複数の例では、本出願の実施形態で説明された機能がハードウェア、ソフトウェア、ファームウェア、またはそれらの任意の組み合わせによって実装され得ることを認識すべきである。本出願がソフトウェアによって実施される場合、これらの機能は、コンピュータ可読媒体に格納されてもよいし、コンピュータ可読媒体内の1つまたは複数の命令またはコードとして送信されてもよい。コンピュータ可読媒体としては、コンピュータ記憶媒体および通信媒体が挙げられ、通信媒体は、コンピュータプログラムをある場所から別の場所に送信することを可能にする任意の媒体を含む。記憶媒体は、汎用または専用のコンピュータにアクセス可能な任意の使用可能な媒体であり得る。
【０９７７】
本出願の実施形態は、5G通信システムまたは将来生じ得る別のシステムに適用される。当業者による理解を容易にするために、以下は、本出願におけるいくつかの用語を説明する。本出願の実施形態における解決策が5Gシステムまたは将来生じ得る別のシステムに適用される場合、ネットワーク装置の名称および端末の名称が変わる場合があるが、本出願の実施形態における解決策の実施には影響しないことに留意されたい。
【０９７８】
（1）端末またはユーザ機器とも呼ばれる端末装置は、音声および／またはデータ接続をユーザに提供する装置、例えば、無線接続機能を備えたハンドヘルド装置または車載装置である。一般的な端末装置は、例えば、携帯電話、タブレットコンピュータ、ノートブックコンピュータ、パームトップコンピュータ、モバイルインターネットデバイス（mobile internet device、MID）、およびウェアラブルデバイスを含み、ウェアラブルデバイスは、例えば、スマートウォッチ、スマートバンド、または歩数計である。
【０９７９】
（2）無線アクセスネットワーク（Radio Access Network、RAN）装置とも呼ばれるネットワーク装置は、端末装置を無線ネットワークに接続するための装置である。様々な通信規格のネットワーク装置が存在する。例えば、ネットワーク装置は、基地局、発展型NodeB（evolved Node B、eNB）、無線ネットワークコントローラ（radio network controller、RNC）、NodeB（Node B、NB）、ネットワーク装置コントローラ（Base Station Controller、BSC）、ネットワーク装置トランシーバステーション（Base Transceiver Station、BTS）、ホームネットワーク装置（例えば、Home evolved NodeBまたはHome NodeB、HNB）、ベースバンドユニット（BaseBand Unit、BBU）、中継局などを含むが、これらに限定されない。
【０９８０】
（3）帯域幅部分（band width part、BWP）に関して、セルの帯域幅が広い場合、端末装置は、セルの帯域幅の一部でのみ動作することができる。セルの帯域幅の各部分は、1つのBWPと呼ばれる。
【０９８１】
（4）様々な周波数規格のネットワーク装置が存在する。例えば、ネットワーク装置は、低周波ネットワーク装置および高周波ネットワーク装置を含むが、これらに限定されない。
【０９８２】
（5）「複数」は2つ以上を意味し、他の数量詞も同様である。「および／または」という用語は、関連するオブジェクト間の関連関係を説明し、3つの関係が存在し得ることを表す。例えば、Aおよび／またはBは、次の3つの場合、すなわち、Aのみが存在する場合、AとBとの両方が存在する場合、およびBのみが存在する場合を表すことができる。文字「／」は、関連するオブジェクト間の「論理和」関係を一般に示す。
【０９８３】
図67は、本出願の一実施形態によるアプリケーションシナリオの概略図である。図67に示されるネットワーキングアーキテクチャは、ネットワーク装置05および端末装置06を主に含む。端末装置05は、ネットワーク装置06と通信することができる。本出願では、ネットワーク装置は1つの端末装置に対して少なくとも1つのダウンリンクBWPと少なくとも1つのアップリンクBWPとを構成し得る。少なくとも1つのダウンリンクBWPはデフォルトのダウンリンクBWPを含み、デフォルトのダウンリンクBWPに対応するダウンリンク帯域幅は比較的狭い。したがって、端末装置がデフォルトのダウンリンクBWPでデータを送信する場合、端末装置は、狭帯域のダウンリンク制御情報を監視するだけでよく、また比較的小さな探索空間でブラインド検出を実行するだけでよく、これにより端末装置の電力消費を削減する。端末装置は、端末装置の電力消費を削減するために動作するように、デフォルトのダウンリンクBWPにフォールバックするように端末装置を制御することができる。タイマーが端末装置に設定されている。タイマーは、デフォルトのダウンリンクBWPにフォールバックするように端末装置を制御するためのタイマーである。端末装置がアクティブなダウンリンクBWPにおいて動作する場合、端末装置がタイマーを始動し、これによりタイマーが稼働するように始動され、アクティブなダウンリンクBWPがデフォルトのダウンリンクBWPではない。タイマーが期限切れになると、それは、所定の期間に端末装置のダウンリンクスケジューリングがなかったことを示す。この場合、端末装置は、広い帯域幅でデータ通信を行う必要はなく、狭い帯域幅で動作するだけでよい。したがって、端末装置は、動作するためにデフォルトのダウンリンクBWPに自動的に切り替わり、デフォルトのダウンリンクBWPは、端末装置によってアクティブ化されたダウンリンクBWPである。
【０９８４】
キャリアアグリゲーションシナリオでは、セカンダリサービングセルが構成されるときに、セカンダリサービングセルに関連付けられたタイマーおよびデフォルトのダウンリンクBWPも構成される必要があることが現在の規格で指定されている。ネットワーク装置は、RRC接続再構成メッセージを端末装置に送信する。RRC接続再構成メッセージは、セカンダリサービングセルの構成または再構成を命令するために使用され、RRC接続再構成メッセージが、セカンダリサービングセルがアクティブ化されたときに最初にアクティブ化されるダウンリンクBWPおよび／またはアップリンクBWPを示す。第1のアクティブなダウンリンクBWPは、デフォルトのダウンリンクBWPではない場合がある。セカンダリサービングセルが既存のアクティブ化方式でアクティブ化されるとき、第1のダウンリンクBWPおよび／または第1のアップリンクBWPがアクティブ化されることも直接検討され得ることが分かる。
【０９８５】
次に、タイマーの動作メカニズムについて説明する。端末装置が現在のアクティブなダウンリンクBWPから別のアクティブなダウンリンクBWPに切り替わると、端末装置はタイマーを始動し、別のアクティブなダウンリンクBWPはデフォルトのダウンリンクBWPではない。端末装置が現在のアクティブなダウンリンクBWPでの復号を通じてダウンリンク制御情報を正常に取得し、ダウンリンク制御情報を使用することにより物理ダウンリンク共有チャネル（Physical Downlink Shared Channel、略称PDSCH）をスケジュールすると、端末装置がタイマーを再始動する。タイマーが期限切れになると、端末装置は現在アクティブなダウンリンクBWPからデフォルトのダウンリンクBWPに切り替わり、次に端末装置はデフォルトのダウンリンクBWPで動作する。
【０９８６】
本出願の実施形態で使用される用語は相互に参照されてもよく、詳細は繰り返し説明されないことに留意されたい。
【０９８７】
図68は、本発明の一実施形態によるタイマー処理の方法の概略的な流れ図である。図2に示されるように、本方法は具体的には次のとおりである。
【０９８８】
101c．端末装置は、ネットワーク装置によって送信された物理ダウンリンク制御チャネル命令（physical downlink control channel order、PDCCH order）メッセージを受信し、端末装置のタイマーが稼働しており、タイマーが、アクティブなダウンリンクBWPからデフォルトのダウンリンクBWPに切り替えるために端末装置によって使用されるタイマーである。
【０９８９】
本実施形態では、端末装置がアップリンク同期を失い、端末装置がダウンリンクデータを受信すると、ネットワーク装置は、PDCCH orderメッセージを端末装置に送信することができる。PDCCH orderメッセージは、非競合ランダムアクセス手順を実行するために端末装置をトリガするために使用される。ランダムアクセス手順を通じて、端末装置は、ネットワーク装置とのアップリンク同期を再び実施し、次に、ネットワーク装置によって送信されたダウンリンクデータを受信することができる。
【０９９０】
端末装置はタイマーを維持する。タイマーはタイミングのために使用され、タイマーは指定された期間を有する。タイマーが稼働する期間が指定された期間と同じになるかそれを超えると、タイマーが期限切れになったと見なされる。従来技術では、タイマーが期限切れになったと端末装置が判定した場合、端末装置はBWPの切り替えを実行する、換言すれば、端末装置は、現在のアクティブなダウンリンクBWPからデフォルトのダウンリンクBWPに切り替える。場合により、タイマーはBWPフォールバックタイマーと呼ばれ得る。
【０９９１】
本実施形態では、端末装置がネットワーク装置によって送信されたPDCCH orderメッセージを受信した後に、端末装置がアクティブなダウンリンクBWPでデータ通信を実行し、アクティブなダウンリンクBWPがデフォルトのダウンリンクBWPでない場合、端末装置は、端末装置のタイマーが稼働していると判定し得る。
【０９９２】
102c．端末装置はタイマーを始動または再始動する。
【０９９３】
本実施形態では、ステップ101cの後、端末装置がネットワーク装置によって送信されたPDCCH orderメッセージを受信した後、このことは、ネットワーク装置が端末装置とデータ通信を実行するところであることを示す。この場合、端末装置が依然としてダウンリンクBWPで動作する必要があり、ダウンリンクBWPがデフォルトのダウンリンクBWPではない場合、端末装置はタイマーを始動または再始動する必要がある。
【０９９４】
端末装置がタイマーを再始動するプロセスは次の通りである。端末装置がタイマーの値を初期値にリセットし、次に端末装置がタイマーを始動する。
【０９９５】
任意の実装形態では、PDCCH orderメッセージがダウンリンクBWPの識別子を含み、ダウンリンクBWPの識別子によって示されるダウンリンクBWPがデフォルトのダウンリンクBWPではない。
【０９９６】
本実施形態では、ネットワーク装置によって送信されたPDCCH orderメッセージがダウンリンクBWPの識別子を運び、ダウンリンクBWPがデフォルトのダウンリンクBWPではない。この場合、ステップ102cにおいて、PDCCH orderメッセージは、端末装置がダウンリンクBWPの切り替えを実行する必要があることを示す。ステップ102cにおいて、端末装置は、データ通信を実行するために、ダウンリンクBWPの識別子に対応するダウンリンクBWPに切り替える必要があり、またタイマーを始動または再始動する必要がある。
【０９９７】
あるいは、ネットワーク装置によって送信されたPDCCH orderメッセージは、ダウンリンクBWPの識別子を運ばない。この場合、ステップ102cにおいて、端末装置は、ダウンリンクBWPの切り替えを実行する必要はなく、端末装置は、以前の動作で使用されたダウンリンクBWPを依然としてアクティブ化し、またタイマーを始動または再始動する。
【０９９８】
図69は、本発明の一実施形態によるタイマー処理の方法のシグナリング図である。図69に示されるように、本方法は具体的には次のとおりである。
【０９９９】
S11c．ネットワーク装置は、PDCCH orderメッセージを端末装置に送信し、端末装置のタイマーが稼働しており、タイマーが、アクティブなダウンリンクBWPからデフォルトのダウンリンクBWPに切り替えるために端末装置によって使用されるタイマーである。
【１０００】
S12c．端末装置はタイマーを始動または再始動する。
【１００１】
任意の実装形態では、PDCCH orderメッセージがダウンリンクBWPの識別子を含み、ダウンリンクBWPの識別子によって示されるダウンリンクBWPがデフォルトのダウンリンクBWPではない。
【１００２】
ここで、図68のステップ101cは、ステップS11cで実施される。S12cについては、図68のステップ102cを参照されたい。詳細は繰り返し説明されない。
【１００３】
本実施形態では、端末装置が、ネットワーク装置によって送信されたPDCCH orderメッセージを受信し、端末装置のタイマーが稼働しており、タイマーが、アクティブなダウンリンクBWPからデフォルトのダウンリンクBWPに切り替えるために端末装置によって使用されるタイマーであり、端末装置が、タイマーを始動または再始動する。したがって、端末装置のタイマーが稼働している場合、ネットワーク装置によって送信されたPDCCH orderメッセージが受信された後に、タイマーを始動するべきか再始動するべきかが検討される。このようにして、タイマーの動作シナリオが提供される。
【１００４】
図70は、本発明の一実施形態による別のタイマー処理の方法の概略的な流れ図である。図70に示されるように、本方法は具体的には次のとおりである。
【１００５】
201c．端末装置は、ネットワーク装置によって送信された指示メッセージを受信し、指示メッセージが、少なくとも1つのセカンダリサービングセルをアクティブ化するように端末装置に命令するために使用される。
【１００６】
本実施形態では、ネットワーク装置は、指示メッセージを端末装置に送信し、指示メッセージが、1つまたは複数のセカンダリサービングセルをアクティブ化するように端末装置に命令するために使用される。
【１００７】
任意の実装形態では、指示メッセージはアクティブ化コマンドである。アクティブ化コマンドは、少なくとも1つのセカンダリサービングセルをアクティブ化するように命令するためのMAC CEであり得る。
【１００８】
任意の実装形態では、セカンダリサービングセルが非アクティブ状態である。
【１００９】
本実施形態では、ステップ201cにおいて、指示メッセージが少なくとも1つのセカンダリサービングセルをアクティブ化するように端末装置に命令するために使用されるが、少なくとも1つのセカンダリサービングセルの一部のみが非アクティブ状態であってもよいし、少なくとも1つのセカンダリサービングセルのそれぞれが非アクティブ状態であってもよい。
【１０１０】
202c．端末装置は、セカンダリサービングセルに関連付けられたタイマーを始動または再始動し、タイマーが、アクティブなダウンリンクBWPからデフォルトのダウンリンクBWPに切り替えるために端末装置によって使用されるタイマーである。
【１０１１】
本実施形態では、少なくとも1つのセカンダリサービングセルが端末装置のために構成され、各セカンダリサービングセルがタイマーに関連付けられる。タイマーはタイミングのために使用され、タイマーは指定された期間を有する。タイマーが稼働する期間が指定された期間と同じになるかそれを超えると、タイマーが期限切れになったと見なされる。従来技術では、タイマーが期限切れになったと端末装置が判定した場合、端末装置はBWPの切り替えを実行する、換言すれば、端末装置は、現在のアクティブなダウンリンクBWPから現在のセカンダリサービングセルにおけるデフォルトのダウンリンクBWPに切り替える。場合により、タイマーはBWPフォールバックタイマーと呼ばれる場合がある。
【１０１２】
このステップでは、ステップ201cの後、端末装置が指示メッセージを受信した後に、端末装置は、サービングセルに関連付けられたタイマーを始動または再始動することができる。
【１０１３】
具体的には、端末装置がネットワーク装置によって送信された指示メッセージを受信した後に、端末装置は、指示メッセージによって示された各セカンダリサービングセルに関連付けられたタイマーを始動または再始動することができる。例えば、端末装置は、指示メッセージによって示される各セカンダリサービングセルに関連付けられたタイマーを始動もしくは再始動する、または端末装置は、指示メッセージによって示される複数のセカンダリサービングセルのいくつかに関連付けられたタイマーを始動もしくは再始動する。
【１０１４】
あるいは、端末装置がネットワーク装置によって送信された指示メッセージを受信した後に、指示メッセージが少なくとも1つのセカンダリサービングセルを示すため、端末装置は、少なくとも1つのセカンダリサービングセルにおける非アクティブ状態のセカンダリサービングセルのタイマーのみを始動または再始動する。
【１０１５】
任意の実装形態では、ステップ201cの前に、本方法は次のステップをさらに含み得る。
【１０１６】
ステップ203c：端末装置は、ネットワーク装置によって送信されたRRCメッセージを受信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない。
【１０１７】
本実施形態では、ネットワーク装置はRRCメッセージを端末装置にまず送信する。場合により、RRCメッセージは、RRC接続再構成メッセージであってもよい。RRCメッセージは指示メッセージを含み、指示メッセージは、少なくとも1つのセカンダリサービングセルを追加または変更するように端末装置に命令するために使用される。加えて、RRCメッセージは、少なくとも1つのセカンダリサービングセルのうちの1つまたは複数の第1のダウンリンクBWPをさらに含む。換言すれば、RRCメッセージは、少なくとも1つのセカンダリサービングセルを追加または変更するように端末装置に命令するために使用されるが、RRCメッセージは、少なくとも1つのセカンダリサービングセルのうちの1つまたは複数のみの第1のダウンリンクBWPを示し得る。
【１０１８】
加えて、セカンダリサービングセルの第1のダウンリンクBWPは、端末装置がセカンダリサービングセルをアクティブ化するときに最初にアクティブ化されるダウンリンクBWPであり、第1のダウンリンクBWPはデフォルトのダウンリンクBWPではない。
【１０１９】
例えば、ネットワーク装置は、RRCメッセージを端末装置に送信し、RRCメッセージが指示情報を含み、指示情報がセカンダリサービングセル1、セカンダリサービングセル2、セカンダリサービングセル3、およびセカンダリサービングセル4を追加または変更するように命令するために使用され、RRCメッセージがセカンダリサービングセル2の第1のダウンリンクBWP1をさらに含み、第1のダウンリンクBWP1がセカンダリサービングセル2がアクティブ化されたときに最初にアクティブ化されるダウンリンクBWP1であり、第1のダウンリンクBWP1がデフォルトのダウンリンクBWPではない。
【１０２０】
別の例では、ネットワーク装置は、RRCメッセージを端末装置に送信し、RRCメッセージが指示情報を含み、指示情報がセカンダリサービングセル1、セカンダリサービングセル2、セカンダリサービングセル3、およびセカンダリサービングセル4を追加または変更するように命令するために使用され、RRCメッセージが、セカンダリサービングセル2の第1のダウンリンクBWP1およびセカンダリサービングセル4の第1のダウンリンクBWP2をさらに含み、第1のダウンリンクBWP1が、セカンダリサービングセル2がアクティブ化されるときに最初にアクティブ化されるダウンリンクBWPであり、第1のダウンリンクBWP2が、セカンダリサービングセル4がアクティブ化されるときに最初にアクティブ化されるダウンリンクBWPであり、第1のダウンリンクBWP1も第1のダウンリンクBWP2もデフォルトのダウンリンクBWPではない。
【１０２１】
任意の実装形態では、セカンダリサービングセルに関連付けられたタイマーが、端末装置の物理層によって維持されるタイマーであり、ステップ202cは、
端末装置によって、端末装置の媒体アクセス制御MAC層を使用することによって、セカンダリサービングセルに関連付けられたタイマーを始動または再始動するように端末装置の物理層に命令するステップ
を特に含む。
【１０２２】
本実施形態では、セカンダリサービングセルに関連付けられたタイマーが端末装置の物理層によって維持されるタイマーである場合、ステップ202cにおいて、端末装置のMAC層が、端末装置の物理層に命令コマンドを送信し、これにより端末装置の物理層が、セカンダリサービングセルに関連付けられたタイマーを始動または再始動する。
【１０２３】
図71は、本発明の一実施形態による別のタイマー処理の方法のシグナリング図である。図71に示されるように、本方法は具体的には次のとおりである。
【１０２４】
S22c．ネットワーク装置は、RRCメッセージを端末装置に送信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない。
【１０２５】
S21c．ネットワーク装置は、指示メッセージを端末装置に送信し、指示メッセージが、少なくとも1つのセカンダリサービングセルをアクティブ化するように端末装置に命令するために使用される。
【１０２６】
任意の実装形態では、指示メッセージはアクティブ化コマンドである。アクティブ化コマンドは、少なくとも1つのセカンダリサービングセルをアクティブ化するように命令するためのMAC CEであり得る。
【１０２７】
任意の実装形態では、セカンダリサービングセルが非アクティブ状態である。
【１０２８】
S23c．端末装置は、セカンダリサービングセルに関連付けられたタイマーを始動または再始動し、タイマーが、アクティブなダウンリンクBWPからデフォルトのダウンリンクBWPに切り替えるために端末装置によって使用されるタイマーである。
【１０２９】
任意の実装形態では、セカンダリサービングセルに関連付けられたタイマーが、端末装置の物理層によって維持されるタイマーであり、ステップS23は、
端末装置によって、端末装置のMAC層を使用することによって、セカンダリサービングセルに関連付けられたタイマーを始動または再始動するように端末装置の物理層に命令するステップ
を特に含む。
【１０３０】
ここで、図70のステップ201cはステップS21cで実施され、図70のステップ203cはステップS22cで実施され、図70のステップ202cはステップS23cで実施される。詳細は繰り返し説明されない。
【１０３１】
本実施形態では、端末装置が、ネットワーク装置によって送信された指示メッセージを受信し、指示メッセージが、少なくとも1つのセカンダリサービングセルをアクティブ化するように端末装置に命令するために使用され、端末装置が、セカンダリサービングセルに関連付けられたタイマーを始動または再始動し、タイマーが、アクティブなダウンリンクBWPからデフォルトのダウンリンクBWPに切り替えるために端末装置によって使用されるタイマーである。したがって、端末装置が、ネットワーク装置によって送信され、かつ少なくとも1つのセカンダリサービングセルをアクティブ化するように命令するために使用される指示メッセージを受信すると、端末装置がセカンダリサービングセルに関連付けられたタイマーを始動するべきか再始動するべきかが検討される。このようにして、タイマーの動作シナリオが提供される。
【１０３２】
図72は、本発明の一実施形態による別のタイマー処理の方法の概略的な流れ図である。図72に示されるように、本方法は具体的には次のとおりである。
【１０３３】
301c．端末装置は、ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーである。
【１０３４】
任意の実装形態では、指示メッセージは非アクティブ化コマンドである。非アクティブ化コマンドは、少なくとも1つのセカンダリサービングセルを非アクティブ化するように命令するためのMAC CEであり得る。
【１０３５】
本実施形態では、少なくとも1つのセカンダリサービングセルが端末装置のために構成され、各セカンダリサービングセルがタイマーに関連付けられる。タイマーはタイミングのために使用され、タイマーは指定された期間を有する。タイマーが稼働する期間が指定された期間と同じになるかそれを超えると、タイマーが期限切れになったと見なされる。従来技術では、タイマーが期限切れになったと端末装置が判定した場合、端末装置はBWPの切り替えを実行する、換言すれば、端末装置は、現在のアクティブなダウンリンクBWPから現在のセカンダリサービングセルにおけるデフォルトのダウンリンクBWPに切り替える。場合により、タイマーはBWPフォールバックタイマーと呼ばれる場合がある。
【１０３６】
このステップでは、端末装置は、ネットワーク装置によって送信された指示メッセージを受信する。指示メッセージは、少なくとも1つのセカンダリサービングセルを示し、指示メッセージが、少なくとも1つのセカンダリサービングセルを非アクティブ化するように端末装置に命令するために使用される。この場合、端末装置は、少なくとも1つのセカンダリサービングセルのセカンダリサービングセルにおいて動作し、換言すれば、端末装置は、セカンダリサービングセルのアクティブなダウンリンクBWPでデータ通信を実行し、アクティブなダウンリンクBWPがデフォルトのダウンリンクBWPではない。この場合、セカンダリサービングセルに関連付けられたタイマーが稼働中であると判定され得る。
【１０３７】
302c．端末装置は、セカンダリサービングセルに関連付けられたタイマーを停止またはリセットする、または端末装置は、セカンダリサービングセルに関連付けられたタイマーを停止およびリセットする。
【１０３８】
本実施形態では、ステップ301cの条件が満たされた場合、端末装置は、セカンダリサービングセルに関連付けられたタイマーを停止する必要がある、または端末装置は、セカンダリサービングセルに関連付けられたタイマーをリセットする必要がある、または端末装置は、セカンダリサービングセルに関連付けらたタイマーを停止およびリセットする。
【１０３９】
任意の実装形態では、セカンダリサービングセルに関連付けられたタイマーが、端末装置の物理層によって維持されるタイマーであり、ステップ302cが、
端末装置によって、端末装置のMAC層を使用することによって、セカンダリサービングセルに関連付けられたタイマーを停止動もしくは再始動するように端末装置の物理層に命令するステップ、または
端末装置によって、端末装置のMAC層を使用することによって、セカンダリサービングセルに関連付けられたタイマーを停止およびリセットするように端末装置の物理層に命令するステップ
を特に含む。
【１０４０】
本実施形態では、セカンダリサービングセルに関連付けられたタイマーが端末装置の物理層によって維持されるタイマーである場合、ステップ302cにおいて、端末装置のMAC層が端末装置の物理層に指示コマンドを送信し、これにより端末装置の物理層がセカンダリサービングセルに関連するタイマーを停止する、またはステップ302cにおいて、端末装置のMAC層が端末装置の物理層に指示コマンドを送信し、これにより、端末装置の物理層がセカンダリサービングセルに関連付けられたタイマーをリセットする、またはステップ302cにおいて、端末装置のMAC層が端末装置の物理層に指示コマンドを送信し、これにより端末装置の物理層がセカンダリサービングセルに関連付けられたタイマーを停止およびリセットする。
【１０４１】
図73は、本発明の一実施形態による別のタイマー処理の方法のシグナリング図である。図73に示されるように、本方法は具体的には次のとおりである。
【１０４２】
S31c．ネットワーク装置は、指示メッセージを端末装置に送信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーである。
【１０４３】
任意の実装形態では、指示メッセージは非アクティブ化コマンドである。非アクティブ化コマンドは、少なくとも1つのセカンダリサービングセルを非アクティブ化するように命令するためのMAC CEであり得る。
【１０４４】
S32c．端末装置は、セカンダリサービングセルに関連付けられたタイマーを停止またはリセットする、または端末装置は、セカンダリサービングセルに関連付けられたタイマーを停止およびリセットする。
【１０４５】
任意の実装形態では、セカンダリサービングセルに関連付けられたタイマーが、端末装置の物理層によって維持されるタイマーであり、ステップS32cが、
端末装置によって、端末装置のMAC層を使用することによって、セカンダリサービングセルに関連付けられたタイマーを始動もしくは再始動するように端末装置の物理層に命令するステップ、または端末装置によって、端末装置のMAC層を使用することによって、セカンダリサービングセルに関連付けられたタイマーを停止およびリセットするように端末装置の物理層に命令するステップ
を特に含む。
【１０４６】
ここで、図72のステップ301cはステップS31cで実施され、図72のステップ302cはステップS32cで実施される。詳細は繰り返し説明されない。
【１０４７】
本実施形態では、端末装置が、ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーであり、端末装置が、セカンダリサービングセルに関連付けられたタイマーを停止もしくはリセットする、または端末装置が、セカンダリサービングセルに関連付けられたタイマーを停止およびリセットする。したがって、端末装置がネットワーク装置によって送信された非アクティブ化コマンドを受信すると、非アクティブ化する必要のあるセカンダリサービングセルに関連付けられたタイマーが稼働中の場合、端末装置がセカンダリサービングセルに関連付けられたタイマーを停止するべきかリセットするべきかが検討される。このようにして、タイマーの動作シナリオが提供される。
【１０４８】
図74は、本発明の一実施形態による別のタイマー処理の方法の概略的な流れ図である。図74に示されるように、本方法は具体的には次のとおりである。
【１０４９】
401c．端末装置は、セカンダリサービングセルのセカンダリサービングセル非アクティブ化タイマーが期限切れになったことを判定し、セカンダリサービングセルに関連付けられたタイマーが稼働しており、タイマーが、アクティブなダウンリンクBWPからデフォルトのダウンリンクBWPに切り替えるために端末装置によって使用されるタイマーである。
【１０５０】
本実施形態では、少なくとも1つのセカンダリサービングセルが端末装置のために構成され、各セカンダリサービングセルがタイマーに関連付けられる。タイマーはタイミングのために使用され、タイマーは指定された期間を有する。タイマーが稼働する期間が指定された期間と同じになるかそれを超えると、タイマーが期限切れになったと見なされる。従来技術では、タイマーが期限切れになったと端末装置が判定した場合、端末装置はBWPの切り替えを実行する、換言すれば、端末装置は、現在のアクティブなダウンリンクBWPから現在のセカンダリサービングセルにおけるデフォルトのダウンリンクBWPに切り替える。場合により、タイマーはBWPフォールバックタイマーと呼ばれる場合がある。
【１０５１】
このステップでは、端末装置がセカンダリサービングセルのダウンリンクBWPでデータ通信を実行するときに、セカンダリサービングセルに関連付けられたタイマーが稼働中の場合、端末装置はセカンダリサービングセルのセカンダリサービングセル非アクティブ化タイマーが期限切れであるか否かを判定する必要がある。
【１０５２】
402c．端末装置は、セカンダリサービングセルに関連付けられたタイマーを停止またはリセットする、または端末装置は、セカンダリサービングセルに関連付けられたタイマーを停止およびリセットする。
【１０５３】
本実施形態では、ステップ401cにおいてセカンダリサービングセルのセカンダリサービングセル非アクティブ化タイマーが期限切れになったと端末装置が判定した場合、端末装置は、セカンダリサービングセルに関連付けられたタイマーを停止する必要がある、または端末装置は、セカンダリサービングセルに関連付けられたタイマーをリセットする必要がある、または端末装置は、セカンダリサービングセルに関連付けらたタイマーを停止およびリセットする。
【１０５４】
任意の実装形態では、セカンダリサービングセルに関連付けられたタイマーが、端末装置の物理層によって維持されるタイマーであり、ステップ302cが、
端末装置によって、端末装置のMAC層を使用することによって、セカンダリサービングセルに関連付けられたタイマーを始動もしくは再始動するように端末装置の物理層に命令するステップ、または端末装置によって、端末装置のMAC層を使用することによって、セカンダリサービングセルに関連付けられたタイマーを停止およびリセットするように端末装置の物理層に命令するステップ
を特に含む。
【１０５５】
本実施形態では、セカンダリサービングセルに関連付けられたタイマーが端末装置の物理層によって維持されるタイマーである場合、ステップ402cにおいて、セカンダリサービングセルのセカンダリサービングセル非アクティブ化タイマーが期限切れになったと端末装置が判定すると、端末装置のMAC層が端末装置の物理層に指示コマンドを送信し、これにより端末装置の物理層がセカンダリサービングセルに関連するタイマーを停止する、またはステップ402cにおいて、端末装置のMAC層が端末装置の物理層に指示コマンドを送信し、これにより、端末装置の物理層がセカンダリサービングセルに関連付けられたタイマーをリセットする、またはステップ402cにおいて、端末装置のMAC層が端末装置の物理層に指示コマンドを送信し、これにより端末装置の物理層がセカンダリサービングセルに関連付けられたタイマーを停止およびリセットする。
【１０５６】
図75は、本発明の一実施形態による別のタイマー処理の方法のシグナリング図である。図75に示されるように、本方法は具体的には次のとおりである。
【１０５７】
S41c．端末装置は、セカンダリサービングセルのセカンダリサービングセル非アクティブ化タイマーが期限切れになったことを判定し、セカンダリサービングセルに関連付けられたタイマーが稼働しており、タイマーが、アクティブなダウンリンクBWPからデフォルトのダウンリンクBWPに切り替えるために端末装置によって使用されるタイマーである。
【１０５８】
S42c．端末装置は、セカンダリサービングセルに関連付けられたタイマーを停止またはリセットする、または端末装置は、セカンダリサービングセルに関連付けられたタイマーを停止およびリセットする。
【１０５９】
任意の実装形態では、セカンダリサービングセルに関連付けられたタイマーが、端末装置の物理層によって維持されるタイマーであり、ステップS42cが、
端末装置によって、端末装置のMAC層を使用することによって、セカンダリサービングセルに関連付けられたタイマーを始動もしくは再始動するように端末装置の物理層に命令するステップ、または端末装置によって、端末装置のMAC層を使用することによって、セカンダリサービングセルに関連付けられたタイマーを停止およびリセットするように端末装置の物理層に命令するステップ
を特に含む。
【１０６０】
ここで、図74のステップ401cはステップS41cで実施され、図74のステップ402cはステップS42で実施される。詳細は繰り返し説明されない。
【１０６１】
本実施形態では、端末装置は、セカンダリサービングセルのセカンダリサービングセル非アクティブ化タイマーが期限切れであると判定し、セカンダリサービングセルに関連付けられたタイマーが稼働しており、タイマーが、アクティブなダウンリンクBWPからデフォルトのダウンリンクBWPに切り替えるために端末装置によって使用されるタイマーであり、端末装置が、セカンダリサービングセルに関連付けられたタイマーを停止もしくはリセットする、または端末装置が、セカンダリサービングセルに関連付けられたタイマーを停止およびリセットする。したがって、セカンダリサービングセルのセカンダリサービングセル非アクティブ化タイマーが満了したと端末装置が判断したとき、端末装置がセカンダリサービングセルに関連するタイマーを停止またはリセットするか否かが検討される。このようにして、タイマーの動作シナリオが提供される。
【１０６２】
図76は、本出願の一実施形態による端末装置の概略的な構成図である。図76に示されるように、端末装置は、
ネットワーク装置によって送信されたPDCCH orderメッセージを受信し、端末装置のタイマーが稼働しており、タイマーが、アクティブなダウンリンクBWPからデフォルトのダウンリンクBWPに切り替えるために端末装置によって使用されるタイマーである、ように構成された受信モジュール51と、
タイマーを始動または再始動するように構成された稼働モジュール52と、
を備える。
【１０６３】
受信モジュール51は、図68に示される方法でステップ101cを実行することができ、稼働モジュール52は、図68に示される方法でステップ102cを実行することができる。
【１０６４】
任意の実装形態では、PDCCH orderメッセージがダウンリンクBWPの識別子を含み、ダウンリンクBWPの識別子によって示されるダウンリンクBWPがデフォルトのダウンリンクBWPではない。
【１０６５】
図76に示される実施形態における端末装置は、上記の方法で図68および図69に示される実施形態の技術的解決策を実行するように構成され得る。端末装置の実装原理および技術的効果は、上述の実施形態のものと同様であり、詳細は本明細書では繰り返し説明されない。
【１０６６】
図77は、本出願の一実施形態による別の端末装置の概略的な構成図である。図77に示されるように、端末装置は、
ネットワーク装置によって送信された指示メッセージを受信し、指示メッセージが、少なくとも1つのセカンダリサービングセルをアクティブ化するように端末装置に命令するために使用される、ように構成された第1の受信モジュール61と、
セカンダリサービングセルに関連付けられたタイマーを始動または再始動し、タイマーが、アクティブなダウンリンクBWPからデフォルトのダウンリンクBWPに切り替えるために端末装置によって使用されるタイマーである、ように構成された稼働モジュール62と、
を備える。
【１０６７】
第1の受信モジュール61は、図70に示される方法でステップ201cを実行することができ、稼働モジュール62は、図70に示される方法でステップ202cを実行することができる。
【１０６８】
可能な設計では、セカンダリサービングセルが非アクティブ状態である。
【１０６９】
任意の実装形態では、端末装置が、
第1の受信モジュール61がネットワーク装置によって送信された指示メッセージを受信する前に、ネットワーク装置によって送信されたRRCメッセージを受信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない、第2の受信モジュール
をさらに備える。
【１０７０】
第2の受信モジュールは、図70に示される方法でステップ203cを実行することができる。
【１０７１】
任意の実装形態では、セカンダリサービングセルに関連付けられたタイマーが、端末装置の物理層によって維持されるタイマーであり、稼働モジュール62が、端末装置のMAC層を使用することによって、セカンダリサービングセルに関連付けられたタイマーを始動または再始動するように端末装置の物理層に命令するように特に構成される。
【１０７２】
図77に示される実施形態における端末装置は、上記の方法で図70および図71に示される実施形態の技術的解決策を実行するように構成され得る。端末装置の実装原理および技術的効果は、上述の実施形態のものと同様であり、詳細は本明細書では繰り返し説明されない。
【１０７３】
図78は、本出願の一実施形態による別の端末装置の概略的な構成図である。図78に示されるように、端末装置は、
ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーである、ように構成された受信モジュール71と、
セカンダリサービングセルに関連付けられたタイマーを停止もしくはリセットする、または端末装置によって、セカンダリサービングセルに関連付けられたタイマーを停止およびリセットするように構成された処理モジュール72と、
を備える。
【１０７４】
任意の実装形態では、セカンダリサービングセルに関連付けられたタイマーが、端末装置の物理層によって維持されるタイマーであり、処理モジュール72が、端末装置のMAC層を使用することによって、セカンダリサービングセルに関連付けられたタイマーを始動もしくは再始動するように端末装置の物理層に命令する、または端末装置のMAC層を使用することによって、セカンダリサービングセルに関連付けられたタイマーを停止およびリセットするように端末装置の物理層に命令するように特に構成される。
【１０７５】
受信モジュール71は、図72に示される方法でステップ301cを実行することができ、処理モジュール72は、図72に示される方法でステップ302cを実行することができる。
【１０７６】
図78に示される実施形態における端末装置は、上記の方法で図72および図73に示される実施形態の技術的解決策を実行するように構成され得る。端末装置の実装原理および技術的効果は、上述の実施形態のものと同様であり、詳細は本明細書では繰り返し説明されない。
【１０７７】
図79は、本出願の一実施形態による別の端末装置の概略的な構成図である。図79に示されるように、端末装置は、
セカンダリサービングセルのセカンダリサービングセル非アクティブ化タイマーが期限切れになったことを判定し、セカンダリサービングセルに関連付けられたタイマーが稼働しており、タイマーが、アクティブなダウンリンクBWPからデフォルトのダウンリンクBWPに切り替えるために端末装置によって使用されるタイマーである、ように構成された判定モジュール81と、
セカンダリサービングセルに関連付けられたタイマーを停止もしくはリセットするステップ、または端末装置によって、セカンダリサービングセルに関連付けられたタイマーを停止およびリセットするように構成された処理モジュール82と、
を備える。
【１０７８】
任意の実装形態では、セカンダリサービングセルに関連付けられたタイマーが、端末装置の物理層によって維持されるタイマーであり、処理モジュール82が、端末装置のMAC層を使用することによって、セカンダリサービングセルに関連付けられたタイマーを始動もしくは再始動するように端末装置の物理層に命令する、または端末装置のMAC層を使用することによって、セカンダリサービングセルに関連付けられたタイマーを停止およびリセットするように端末装置の物理層に命令するように特に構成される。
【１０７９】
判定モジュール81は、図74に示される方法でステップ401cを実行することができ、処理モジュール82は、図74に示される方法でステップ402cを実行することができる。
【１０８０】
図79に示される実施形態における端末装置は、上記の方法で図74および図75に示される実施形態の技術的解決策を実行するように構成され得る。端末装置の実装原理および技術的効果は、上述の実施形態のものと同様であり、詳細は本明細書では繰り返し説明されない。
【１０８１】
端末装置およびネットワーク装置におけるモジュールの分割は、単に論理的な機能分割であることを理解されたい。実際の実装形態では、すべてまたは一部のモジュールが1つの物理エンティティに統合されてもよいし、モジュールが物理的に分離されてもよい。加えて、これらのモジュールは、処理要素を使用することによって呼び出されるソフトウェアの形態ですべて実装されてもよいし、ハードウェアの形態ですべて実装されてもよいし、モジュールの一部が処理要素を使用することによって呼び出されるソフトウェアの形態で実装されてもよいし、モジュールの一部がハードウェアの形態で実装されてもよい。例えば、送信モジュールは、独立して配置された処理要素であってもよく、または実装のために端末装置またはネットワーク装置のチップに統合されてもよい。加えて、送信モジュールは、プログラムの形態で端末装置またはネットワーク装置のメモリに格納されてもよく、モジュールの機能を実行するために、端末装置またはネットワーク装置の処理要素によって呼び出されてもよい。他のモジュールの実装形態は、送信モジュールの実装形態と同様である。加えて、すべてまたは一部のモジュールが、一緒に統合されてもよいし、個別に実装されてもよい。本明細書の処理要素は、信号処理機能を備えた集積回路であり得る。実施プロセスにおいて、上述の方法または上述のモジュールのステップは、プロセッサ要素内のハードウェアの集積論理回路を使用することにより、またはソフトウェアの命令を使用することにより実施され得る。加えて、受信モジュールは、受信制御モジュールであり、端末装置またはネットワーク装置の受信装置、例えばアンテナや高周波装置を使用することによって、ネットワーク装置によって送信された情報を受信してもよい。送信モジュールは、送信制御モジュールであり、ネットワーク装置または端末装置の送信装置、例えばアンテナまたは無線周波数装置を使用することによって、端末装置に情報を送信してもよい。
【１０８２】
例えば、上述のモジュールは、上述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、または1つまたは複数のフィールドプログラマブルゲートアレイ（Field Programmable Gate Array、FPGA）として構成されてもよい。別の例として、上述のモジュールのうちの1つが処理要素を使用することによりスケジュールされたプログラムの形態で実施される場合、処理要素は、汎用プロセッサ、例えば中央処理装置（Central Processing Unit、CPU）またはプログラムを呼び出すことができる別のプロセッサであってもよい。別の例として、これらのユニットは一緒に統合され、システムオンチップ（system−on−a−chip、SOC）の形態で実装されてもよい。
【１０８３】
図80は、本出願の一実施形態による別の端末装置の概略的な構成図である。図80に示されるように、端末装置は、図68および図69に示される実施形態における端末装置のアクションまたはステップを実行するように構成され得る。端末装置は、受信機1411と、送信機1412と、プロセッサ1413と、メモリ1414と、を備える。
【１０８４】
受信機1411は、ネットワーク装置によって送信されたPDCCH orderメッセージを受信するように構成され、端末装置のタイマーが稼働しており、タイマーが、アクティブなダウンリンク帯域幅部分BWPからデフォルトのダウンリンクBWPに切り替えるために端末装置によって使用されるタイマーである。
【１０８５】
プロセッサ1413は、タイマーを始動または再始動するように構成される。
【１０８６】
任意の実装形態では、PDCCH orderメッセージがダウンリンクBWPの識別子を含み、ダウンリンクBWPの識別子によって示されるダウンリンクBWPがデフォルトのダウンリンクBWPではない。
【１０８７】
受信機1411は、図76に示される端末装置において受信モジュール51の機能を実施してもよく、プロセッサ1413は、図76に示される端末装置において稼働モジュール52の機能を実施してもよい。さらに、受信機1411は、図68に示される方法でステップ101cを実行することができ、プロセッサ1413は、図68に示される方法でステップ102cを実行することができる、または受信機1411は、図69に示される方法でステップS11cを実行することができ、プロセッサ1413は、図69に示される方法でステップS12cを実行することができる。
【１０８８】
図80に示される実施形態における端末装置は、上記の方法の実施形態の技術的解決策を実行するように構成され得る。端末装置の実装原理および技術的効果は、上述の実施形態のものと同様であり、詳細は本明細書では繰り返し説明されない。
【１０８９】
受信機1411および送信機1412は、アンテナに接続され得る。ダウンリンク方向では、受信機1411は、アンテナを使用することにより、ネットワーク装置によって送信された情報を受信し、送信機1412は、アンテナを使用することにより、情報を処理のためにプロセッサ1413に送信する。アップリンク方向ではて、プロセッサ1413は、端末装置のデータを処理し、送信機1412を使用することによって、処理後に得られたデータをネットワーク装置に送信する。
【１０９０】
メモリ1414は、上述の方法の実施形態または図76に示される実施形態のモジュールを実施するためのプログラムを格納するように構成され、プロセッサ1413は、図76に示されるモジュールを実装するために、上述の方法の実施形態の動作を実行するためにプログラムを呼び出す。
【１０９１】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、または1つまたは複数のフィールドプログラマブルゲートアレイ（Field Programmable Gate Array、FPGA）として構成されてもよい。
【１０９２】
図81は、本出願の一実施形態による別の端末装置の概略的な構成図である。図81に示されるように、端末装置は、図70および図71に示される実施形態における端末装置のアクションまたはステップを実行するように構成され得る。端末装置は、受信機1511と、送信機1512と、プロセッサ1513と、メモリ1514と、を備える。
【１０９３】
受信機1511は、ネットワーク装置によって送信された指示メッセージを受信し、指示メッセージが、少なくとも1つのセカンダリサービングセルをアクティブ化するように端末装置に命令するために使用される、ように構成される。
【１０９４】
プロセッサ1513は、セカンダリサービングセルに関連付けられたタイマーを始動または再始動し、タイマーが、アクティブなダウンリンクBWPからデフォルトのダウンリンクBWPに切り替えるために端末装置によって使用されるタイマーである、ように構成される。
【１０９５】
可能な設計では、セカンダリサービングセルが非アクティブ状態である。
【１０９６】
任意の実装形態では、受信機1511が、ネットワーク装置によって送信された指示メッセージを受信する前に、ネットワーク装置によって送信されたRRCメッセージを受信し、RRCメッセージが指示情報を含み、指示情報が少なくとも1つのセカンダリサービングセルを追加または変更するように命令するために使用され、RRCメッセージがセカンダリサービングセルの第1のダウンリンクBWPをさらに含み、第1のダウンリンクBWPがセカンダリサービングセルがアクティブ化されたときに最初にアクティブ化されるダウンリンクBWPであり、第1のダウンリンクBWPがデフォルトのダウンリンクBWPではない、ようにさらに構成される。
【１０９７】
任意の実装形態では、セカンダリサービングセルに関連付けられたタイマーが、端末装置の物理層によって維持されるタイマーであり、プロセッサ1513が、端末装置のMAC層を使用することによって、セカンダリサービングセルに関連付けられたタイマーを始動または再始動するように端末装置の物理層に命令するように特に構成される。
【１０９８】
受信機1511は、図77に示される端末装置において第1の受信モジュール61および第2の受信モジュールの機能を実施してもよく、プロセッサ1513は、図77に示される端末装置において稼働モジュール62の機能を実施してもよい。さらに、受信機1511は、図70に示される方法でステップ201cおよびステップ203cを実行することができ、プロセッサ1513は、図70に示される方法でステップ202cを実行することができる、または受信機1511は、図71に示される方法でステップS21cおよびS22cを実行することができ、プロセッサ1513は、図71に示される方法でステップS23cを実行することができる。
【１０９９】
図81に示される実施形態における端末装置は、上記の方法の実施形態の技術的解決策を実行するように構成され得る。端末装置の実装原理および技術的効果は、上述の実施形態のものと同様であり、詳細は本明細書では繰り返し説明されない。
【１１００】
受信機1511および送信機1512は、アンテナに接続され得る。ダウンリンク方向では、受信機1511は、アンテナを使用することにより、ネットワーク装置によって送信された情報を受信し、送信機1512は、アンテナを使用することにより、情報を処理のためにプロセッサ1513に送信する。アップリンク方向ではて、プロセッサ1513は、端末装置のデータを処理し、送信機1512を使用することによって、処理後に得られたデータをネットワーク装置に送信する。
【１１０１】
メモリ1514は、上述の方法の実施形態または図77に示される実施形態のモジュールを実施するためのプログラムを格納するように構成され、プロセッサ1513は、図77に示されるモジュールを実装するために、上述の方法の実施形態の動作を実行するためにプログラムを呼び出す。
【１１０２】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【１１０３】
図82は、本出願の一実施形態による別の端末装置の概略的な構成図である。図82に示されるように、端末装置は、図72および図73に示される実施形態における端末装置のアクションまたはステップを実行するように構成され得る。端末装置は、受信機1611と、送信機1612と、プロセッサ1613と、メモリ1614と、を備える。
【１１０４】
受信機1611は、ネットワーク装置によって送信された指示メッセージを受信し、指示メッセージが、少なくとも1つのセカンダリサービングセルを非アクティブ化するように端末装置に命令するために使用され、セカンダリサービングセルに関連付けられたタイマーが稼働しており、タイマーが、アクティブなダウンリンクBWPからデフォルトのダウンリンクBWPに切り替えるために端末装置によって使用されるタイマーである、ように構成される。
【１１０５】
プロセッサ1613は、セカンダリサービングセルに関連付けられたタイマーを停止またはリセットする、または端末装置によって、セカンダリサービングセルに関連付けられたタイマーを停止およびリセットする、ように構成される。
【１１０６】
任意の実装形態では、セカンダリサービングセルに関連付けられたタイマーが、端末装置の物理層によって維持されるタイマーであり、プロセッサ1613が、端末装置のMAC層を使用することによって、セカンダリサービングセルに関連付けられたタイマーを始動もしくは再始動するように端末装置の物理層に命令する、または端末装置のMAC層を使用することによって、セカンダリサービングセルに関連付けられたタイマーを停止およびリセットするように端末装置の物理層に命令するように特に構成される。
【１１０７】
受信機1611は、図78に示される端末装置において受信モジュール71の機能を実施してもよく、プロセッサ1613は、図78に示される端末装置において処理モジュール72の機能を実施してもよい。さらに、受信機1611は、図72に示される方法でステップ301cを実行することができ、プロセッサ1613は、図72に示される方法でステップ302cを実行することができる、または受信機1611は、図73に示される方法でステップS31cを実行することができ、プロセッサ1613は、図73に示される方法でステップS32cを実行することができる。
【１１０８】
図82に示される実施形態における端末装置は、上記の方法の実施形態の技術的解決策を実行するように構成され得る。端末装置の実装原理および技術的効果は、上述の実施形態のものと同様であり、詳細は本明細書では繰り返し説明されない。
【１１０９】
受信機1611および送信機1612は、アンテナに接続され得る。ダウンリンク方向では、受信機1611は、アンテナを使用することにより、ネットワーク装置によって送信された情報を受信し、送信機1612は、アンテナを使用することにより、情報を処理のためにプロセッサ1613に送信する。アップリンク方向ではて、プロセッサ1613は、端末装置のデータを処理し、送信機1612を使用することによって、処理後に得られたデータをネットワーク装置に送信する。
【１１１０】
メモリ1614は、上述の方法の実施形態または図78に示される実施形態のモジュールを実施するためのプログラムを格納するように構成され、プロセッサ1613は、図78に示されるモジュールを実装するために、上述の方法の実施形態の動作を実行するためにプログラムを呼び出す。
【１１１１】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【１１１２】
図83は、本出願の一実施形態による別の端末装置の概略的な構成図である。図83に示されるように、端末装置は、図74および図75に示される実施形態における端末装置のアクションまたはステップを実行するように構成され得る。端末装置は、受信機1711と、送信機1712と、プロセッサ1713と、メモリ1714と、を備える。
【１１１３】
プロセッサ1713は、セカンダリサービングセルのセカンダリサービングセル非アクティブ化タイマーが期限切れになったことを判定し、セカンダリサービングセルに関連付けられたタイマーが稼働しており、タイマーが、アクティブなダウンリンクBWPからデフォルトのダウンリンクBWPに切り替えるために端末装置によって使用されるタイマーであり、セカンダリサービングセルに関連付けられたタイマーを停止もしくはリセットする、または端末装置によって、セカンダリサービングセルに関連付けられたタイマーを停止およびリセットするように構成される。
【１１１４】
任意の実装形態では、セカンダリサービングセルに関連付けられたタイマーが、端末装置の物理層によって維持されるタイマーであり、プロセッサ1713が、端末装置のMAC層を使用することによって、セカンダリサービングセルに関連付けられたタイマーを始動もしくは再始動するように端末装置の物理層に命令する、または端末装置のMAC層を使用することによって、セカンダリサービングセルに関連付けられたタイマーを停止およびリセットするように端末装置の物理層に命令するように特に構成される。
【１１１５】
プロセッサ1713は、図79に示される端末装置内の判定モジュール81および処理モジュール82の機能を実施することができる。さらに、プロセッサ1713は、図74に示される方法においてステップ401cおよびステップ402cを実行することができる、またはプロセッサ1713は、図75に示される方法においてステップS41cおよびS42cを実行することができる。
【１１１６】
図83に示される実施形態における端末装置は、上記の方法の実施形態の技術的解決策を実行するように構成され得る。端末装置の実装原理および技術的効果は、上述の実施形態のものと同様であり、詳細は本明細書では繰り返し説明されない。
【１１１７】
受信機1711および送信機1712は、アンテナに接続され得る。ダウンリンク方向では、受信機1711は、アンテナを使用することにより、ネットワーク装置によって送信された情報を受信し、送信機1712は、アンテナを使用することにより、情報を処理のためにプロセッサ1713に送信する。アップリンク方向ではて、プロセッサ1713は、端末装置のデータを処理し、送信機1712を使用することによって、処理後に得られたデータをネットワーク装置に送信する。
【１１１８】
メモリ1714は、上述の方法の実施形態または図79に示される実施形態のモジュールを実施するためのプログラムを格納するように構成され、プロセッサ1713は、図79に示されるモジュールを実装するために、上述の方法の実施形態の動作を実行するためにプログラムを呼び出す。
【１１１９】
あるいは、上述のモジュールの一部またはすべてが、ユーザ機器のチップに埋め込まれた集積回路の形態で実装されてもよい。モジュールは個別に実装されてもよいし、一緒に統合されてもよい。上述のモジュールは、上記の方法を実装するための1つまたは複数の集積回路、例えば1つまたは複数のASIC、1つまたは複数のDSP、または1つまたは複数のFPGAとして構成されてもよい。
【１１２０】
上記の実施形態の全部または一部は、ソフトウェア、ハードウェア、ファームウェア、またはそれらの任意の組み合わせを使用することによって実施されてもよい。ソフトウェアが実施形態を実施するために使用される場合、実施形態のすべてまたは一部は、コンピュータプログラム製品の形態で実施されてもよい。コンピュータプログラム製品は、1つまたは複数のコンピュータ命令を含む。コンピュータプログラム命令がコンピュータにロードされて実行されると、本出願の実施形態による手順または機能のすべてまたは一部が生成される。コンピュータは、汎用コンピュータ、専用コンピュータ、コンピュータネットワーク、または他のプログラマブル装置であってもよい。コンピュータ命令は、コンピュータ可読記憶媒体に格納されてもよいし、コンピュータ可読記憶媒体から別のコンピュータ可読記憶媒体に送信されてもよい。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、またはデジタル加入者線（digital subscriber line、DSL））または無線（例えば、赤外線、電波、またはマイクロ波）方式で送信され得る。コンピュータ可読記憶媒体は、コンピュータにアクセス可能な任意の使用可能な媒体であってもよく、または1つまたは複数の使用可能な媒体を一体化するサーバまたはデータセンタなどのデータ記憶装置であってもよい。使用可能な媒体は、磁気媒体（例えば、フロッピーディスク、ハードディスクまたは磁気テープ）、光学媒体（例えばDVD）、半導体媒体（例えば、ソリッドステートディスク（solid state disk、SSD））などであってもよい。
【１１２１】
当業者は、上述の1つまたは複数の例では、本出願の実施形態で説明された機能がハードウェア、ソフトウェア、ファームウェア、またはそれらの任意の組み合わせによって実装され得ることを認識すべきである。本出願がソフトウェアによって実施される場合、これらの機能は、コンピュータ可読媒体に格納されてもよいし、コンピュータ可読媒体内の1つまたは複数の命令またはコードとして送信されてもよい。コンピュータ可読媒体としては、コンピュータ記憶媒体および通信媒体が挙げられ、通信媒体は、コンピュータプログラムをある場所から別の場所に送信することを可能にする任意の媒体を含む。記憶媒体は、汎用または専用のコンピュータにアクセス可能な任意の使用可能な媒体であり得る。
【符号の説明】
【１１２２】
51  受信モジュール
52  稼働モジュール
61  第1の受信モジュール
62  稼働モジュール
71  受信モジュール
72  処理モジュール
81  判定モジュール
82  処理モジュール
511  受信モジュール
512  アクセスモジュール
521  送信モジュール
531  第1の受信モジュール
532  伝送モジュール
541  第1の送信モジュール
551  受信モジュール
552  アクセスモジュール
561  受信モジュール
562  第1の送信モジュール
571  第1の受信モジュール
572  送信モジュール
573  第2の受信モジュール
574  伝送モジュール
581  第1の受信モジュール
582  送信モジュール
1411  受信機
1412  送信機
1413  プロセッサ
1414  メモリ
1511  受信機
1512  送信機
1513  プロセッサ
1514  メモリ
1611  受信機
1612  送信機
1613  プロセッサ
1614  メモリ
1711  受信機
1712  送信機
1713  プロセッサ
1714  メモリ
5901  受信機
5902  送信機
5903  プロセッサ
5904  メモリ
6001  受信機
6002  送信機
6003  プロセッサ
6004  メモリ
6005  通信インターフェース
6101  受信機
6102  送信機
6103  プロセッサ
6104  メモリ
6201  受信機
6202  送信機
6203  プロセッサ
6204  メモリ
6205  通信インターフェース
6301  受信機
6302  送信機
6303  プロセッサ
6304  メモリ
6401  受信機
6402  送信機
6403  プロセッサ
6404  メモリ
6405  通信インターフェース
6501  受信機
6502  送信機
6503  プロセッサ
6504  メモリ
6601  受信機
6602  送信機
6603  プロセッサ
6604  メモリ
6605  通信インターフェース
【手続補正２】
【補正対象書類名】特許請求の範囲
【補正対象項目名】全文
【補正方法】変更
【補正の内容】
【特許請求の範囲】
【請求項１】
ユーザ機器によって、第1のネットワーク装置からの無線リソース制御（RRC）接続再構成メッセージを受信するステップであって、前記RRC接続再構成メッセージが、第2のネットワーク装置によって前記第1のネットワーク装置に送信された第1のメッセージに含まれ、前記RRC接続再構成メッセージが、前記ユーザ機器のための前記第2のネットワーク装置のプライマリサービングセルを示し、前記プライマリサービングセルのアクティブな帯域幅部分（BWP）を示す、ステップと、
前記ユーザ機器によって、前記アクティブなBWPでランダムアクセス手順を開始するステップと、
を含む、ランダムアクセスの方法。
【請求項２】
前記第1のネットワーク装置がソースネットワーク装置であり、前記第2のネットワーク装置がターゲットネットワーク装置であり、前記第1のメッセージがハンドオーバ要求確認応答メッセージである、請求項1に記載の方法。
【請求項３】
前記第1のネットワーク装置がプライマリネットワーク装置ノードであり、前記第2のネットワーク装置がセカンダリネットワーク装置ノードであり、前記第1のメッセージがセカンダリノード追加要求メッセージである、請求項1に記載の方法。
【請求項４】
前記RRC接続再構成メッセージが、前記アクティブなBWPが示された第1のBWP識別子を含む、請求項1から3のいずれか一項に記載の方法。
【請求項５】
前記アクティブなBWPがアップリンクBWPとダウンリンクBWPを含む、請求項1から4のいずれか一項に記載の方法。
【請求項６】
ユーザ機器であって、
第1のネットワーク装置からの無線リソース制御（RRC）接続再構成メッセージを受信するように構成された、受信モジュールであって、前記RRC接続再構成メッセージが、第2のネットワーク装置によって前記第1のネットワーク装置に送信された第1のメッセージに含まれ、前記RRC接続再構成メッセージが、前記ユーザ機器のための前記第2のネットワーク装置のプライマリサービングセルを示し、前記プライマリサービングセルのアクティブな帯域幅部分（BWP）を示す、ものである、受信モジュールと、
前記アクティブなBWPでランダムアクセス手順を開始するように構成された、アクセスモジュールと、
を備える、ユーザ機器。
【請求項７】
前記第1のネットワーク装置がソースネットワーク装置であり、前記第2のネットワーク装置がターゲットネットワーク装置であり、前記第1のメッセージがハンドオーバ要求確認応答メッセージである、請求項6に記載のユーザ機器。
【請求項８】
前記第1のネットワーク装置がプライマリネットワーク装置ノードであり、前記第2のネットワーク装置がセカンダリネットワーク装置ノードであり、前記第1のメッセージがセカンダリノード追加要求メッセージである、請求項6に記載のユーザ機器。
【請求項９】
前記RRC接続再構成メッセージが、前記アクティブなBWPが示された第1のBWP識別子を含む、請求項6から8のいずれか一項に記載のユーザ機器。
【請求項１０】
前記アクティブなBWPがアップリンクBWPとダウンリンクBWPを含む、請求項6から8のいずれか一項に記載のユーザ機器。
【請求項１１】
請求項1から5のいずれか一項に記載の方法を行う手段を備える、ユーザ機器（UE）。
【請求項１２】
コンピュータによって実行された場合に、前記コンピュータに請求項1から5のいずれか一項に記載の方法のステップを行わせる、命令を備えたコンピュータ読み出し可能な記録媒体。
【請求項１３】
第2のネットワーク装置によって送信された第1のメッセージを、第1のネットワーク装置によって、受信するステップであって、前記第1のメッセージが無線リソース制御（RRC）接続再構成メッセージを含み、前記RRC接続再構成メッセージがランダムアクセスを行うことをユーザ機器にトリガするために使用され、前記RRC接続再構成メッセージが、前記ユーザ機器のための前記第2のネットワーク装置のプライマリサービングセルを示し、前記プライマリサービングセルのアクティブな帯域幅部分、BWPを示す、ステップ
を含む、ランダムアクセス方法。
【請求項１４】
前記第1のネットワーク装置がソースネットワーク装置であり、前記第2のネットワーク装置がターゲットネットワーク装置であり、前記第1のメッセージがハンドオーバ要求確認応答メッセージである、請求項13に記載の方法。
【請求項１５】
前記第1のネットワーク装置がプライマリネットワーク装置ノードであり、前記第2のネットワーク装置がセカンダリネットワーク装置ノードであり、前記第1のメッセージがセカンダリノード追加要求メッセージである、請求項13に記載の方法。
【請求項１６】
請求項13から15のいずれか一項に記載の方法を行う手段を備える、システム。
【請求項１７】
第2のネットワーク装置によって送信された第1のメッセージを、第1のネットワーク装置によって、受信するステップであって、前記第1のメッセージが無線リソース制御（RRC）接続再構成メッセージを含み、前記RRC接続再構成メッセージが、ユーザ機器のための第2のネットワーク装置のプライマリサービングセルを示し、前記プライマリサービングセルのアクティブな帯域幅部分（BWP）を示す、ステップと、
前記ユーザ機器によって、前記RRC接続再構成メッセージを受信するステップと、
ユーザ機器によって、前記アクティブなBWPでランダムアクセス手順を開始するステップと、
を含む、ランダムアクセス方法。
【請求項１８】
前記第1のネットワーク装置がソースネットワーク装置ノードであり、前記第2のネットワーク装置がターゲットネットワーク装置ノードであり、前記第1のメッセージがハンドオーバ要求確認応答メッセージである、請求項17に記載の方法。
【請求項１９】
前記第1のネットワーク装置がプライマリネットワーク装置ノードであり、前記第2のネットワーク装置がセカンダリネットワーク装置ノードであり、前記第1のメッセージがセカンダリノード追加要求メッセージである、請求項17に記載の方法。
【請求項２０】
請求項17から19のいずれか一項に記載の方法を行う手段を備える、システム。
【国際調査報告】
2021503243.tif 000087
2021503243.tif 000088
2021503243.tif 000089
2021503243.tif 000090